(57)【要約】  本発明の実施形態は、ビーム調整方法及び通信装置を提供する。前記方法は、第１装置により、ｅＢＲＰパケットのフォーマットを決定するステップであって、前記ｅＢＲＰパケットはトレーニングフィールドを含み、前記トレーニングフィールドはｅＢＲＰ−ＣＥサブフィールド及びｅＢＲＰ−ＴＲＮサブフィールドを含み、前記トレーニングフィールド内の前記ｅＢＲＰ−ＣＥサブフィールドを構成するグレイコードの数の前記トレーニングフィールド内の前記ｅＢＲＰ−ＴＲＮサブフィールドを構成するグレイコードの数に対する比は９：２０より小さい、ステップと、前記第１装置により、前記ｅＢＲＰパケットの前記決定されたフォーマットに基づき、第２装置へ前記ｅＢＲＰパケットを送信するステップと、を含む。前述の技術的ソリューションによると、トレーニングフィールド内のｅＢＲＰ−ＴＲＮサブフィールドの効果的な比率が増大でき、同じ時間期間内でより多くのＡＷＶ構成を試みることができる。
2019515571.tif 000002
【特許請求の範囲】
【請求項１】
ビーム調整方法であって、前記方法は、
第１装置により、拡張ビーム調整プロトコルｅＢＲＰパケットのフォーマットを決定するステップであって、前記ｅＢＲＰパケットはトレーニングフィールドを含み、前記トレーニングフィールドはｅＢＲＰチャネル推定ｅＢＲＰ−ＣＥサブフィールド及びｅＢＲＰビーム調整トレーニングｅＢＲＰ−ＴＲＮサブフィールドを含み、前記トレーニングフィールド内の前記ｅＢＲＰ−ＣＥサブフィールドを構成するグレイコードの数の前記トレーニングフィールド内の前記ｅＢＲＰ−ＴＲＮサブフィールドを構成するグレイコードの数に対する比は９：２０未満である、ステップと、
前記第１装置により、前記ｅＢＲＰパケットの前記決定されたフォーマットに基づき、第２装置へ前記ｅＢＲＰパケットを送信するステップと、
を含む方法。
【請求項２】
第１装置により、拡張ビーム調整プロトコルｅＢＲＰパケットのフォーマットを決定する前記ステップは、前記第１装置により、前記トレーニングフィールド内のｅＢＲＰ−ＣＥサブフィールドの数の前記トレーニングフィールド内のｅＢＲＰ−ＴＲＮサブフィールドの数に対する比が１：４以下であることを決定するステップであって、前記トレーニングフィールド内の前記ｅＢＲＰ−ＣＥサブフィールドの数の前記トレーニングフィールド内の前記ｅＢＲＰ−ＴＲＮサブフィールドの数に対する比が１：４に等しいとき、前記トレーニングフィールド内の各ｅＢＲＰ−ＣＥサブフィールドを構成するグレイコードの数の前記トレーニングフィールド内の各ｅＢＲＰ−ＴＲＮサブフィールドを構成するグレイコードの数に対する比は９：５未満である、ステップを含む、請求項１に記載の方法。
【請求項３】
第１装置により、拡張ビーム調整プロトコルｅＢＲＰパケットのフォーマットを決定する前記ステップは、前記第１装置により、データフィールドの変調及び符号化方式レベルに基づき、前記トレーニングフィールド内の前記ｅＢＲＰ−ＣＥサブフィールドを構成するグレイコードの数の前記トレーニングフィールド内の前記ｅＢＲＰ−ＴＲＮサブフィールドを構成するグレイコードの数に対する比を決定するステップを含む、請求項１に記載の方法。
【請求項４】
第１装置により、拡張ビーム調整プロトコルｅＢＲＰパケットのフォーマットを決定する前記ステップは、
前記第１装置により、送信チャネル数Ｃを決定し、前記トレーニングフィールド内の各ｅＢＲＰ−ＣＥサブフィールドがＣ×Ｓ個のグレイコードで構成されると決定するステップであって、Ｓは９未満の正整数であり、Ｃは前記第１装置の前記送信チャネル数により決定される、ステップ、
前記第１装置により、送信チャネル数Ｃを決定し、前記トレーニングフィールド内の前記ｅＢＲＰ−ＣＥサブフィールドが第１ｅＢＲＰ−ＣＥサブフィールド及び第２ｅＢＲＰ−ＣＥサブフィールドを含むと決定するステップであって、各第１ｅＢＲＰ−ＣＥサブフィールドはＣ×Ｓ個のグレイコードで構成され、各第２ｅＢＲＰ−ＣＥサブフィールドは９個のグレイコードで構成され、Ｓは９未満の正整数であり、Ｃは１以上の正整数である、ステップ、又は、
前記第１装置により、送信チャネル数Ｃを決定し、前記トレーニングフィールド内の各ｅＢＲＰ−ＣＥサブフィールドがＣ×９個のグレイコードで構成されると決定し、前記第１装置により、前記トレーニングフィールド内のｅＢＲＰ−ＣＥサブフィールドの数Ｎ、前記トレーニングフィールド内のｅＢＲＰ−ＴＲＮサブフィールドの数Ｍ、及び前記トレーニングフィールド内の各ｅＢＲＰ−ＴＲＮサブフィールドを構成するグレイコードの数Ｙが以下の式：９×Ｃ×Ｎ：Ｙ×Ｍ＜９：２０を満たすことを決定するステップ、
を含む請求項１に記載の方法。
【請求項５】
第１装置により、拡張ビーム調整プロトコルｅＢＲＰパケットのフォーマットを決定する前記ステップは、
前記第１装置により、送信チャネル数Ｃを決定し、前記トレーニングフィールド内の各ｅＢＲＰ−ＴＲＮサブフィールドがＣ×Ｙ個のグレイコードで構成されると決定するステップであって、Ｙは５以上の正整数であり、Ｃは１以上の正整数であり、Ｙが５に等しい正整数であるとき、前記トレーニングフィールド内のｅＢＲＰ−ＣＥサブフィールドの数Ｎ、前記トレーニングフィールド内の各ｅＢＲＰ−ＣＥサブフィールドの数Ｘ、及び前記トレーニングフィールド内のｅＢＲＰ−ＴＲＮサブフィールドの数Ｍは以下の式：Ｘ×Ｎ：５×Ｃ×Ｍ＜９：２０を満たす、ステップを含む、請求項１に記載の方法。
【請求項６】
第１装置により、拡張ビーム調整プロトコルｅＢＲＰパケットのフォーマットを決定する前記ステップは、前記第１装置により、前記トレーニングフィールド内の各ｅＢＲＰ−ＣＥサブフィールド及び各ｅＢＲＰ−ＴＲＮサブフィールド内の各グレイコードの長さが１２８×Ｃ１であると決定するステップ、
前記トレーニングフィールド内のｅＢＲＰ−ＣＥサブフィールドの数の前記トレーニングフィールド内のｅＢＲＰ−ＴＲＮサブフィールドの数に対する比が１：４未満であるとき、前記第１装置により、前記トレーニングフィールド内の各ｅＢＲＰ−ＣＥサブフィールドが９×Ｃ２個のグレイコードで構成されると決定し、前記第１装置により、前記トレーニングフィールド内の各ｅＢＲＰ−ＴＲＮサブフィールドが５×Ｃ２個のグレイコードで構成されると決定するステップ、
前記トレーニングフィールド内のｅＢＲＰ−ＣＥサブフィールドの数の前記トレーニングフィールド内のｅＢＲＰ−ＴＲＮサブフィールドの数に対する比が１：４に等しいとき、前記第１装置により、前記トレーニングフィールド内の各ｅＢＲＰ−ＣＥサブフィールドが５×Ｃ２個のグレイコードで構成されると決定し、前記第１装置により、前記トレーニングフィールド内の各ｅＢＲＰ−ＴＲＮサブフィールドが５×Ｃ２個のグレイコードで構成されると決定するステップ、又は、
前記トレーニングフィールド内のｅＢＲＰ−ＣＥサブフィールドの数の前記トレーニングフィールド内のｅＢＲＰ−ＴＲＮサブフィールドの数に対する比が１：４に等しいとき、前記第１装置により、前記トレーニングフィールド内の前記ｅＢＲＰ−ＣＥサブフィールドが第１ｅＢＲＰ−ＣＥサブフィールド及び第２ｅＢＲＰ−ＣＥサブフィールドを含むと決定し、各第１ｅＢＲＰ−ＣＥサブフィールドは５×Ｃ２個のグレイコードで構成され、各第２ｅＢＲＰ−ＣＥサブフィールドは９×Ｃ２個のグレイコードで構成され、前記第１装置により、前記トレーニングフィールド内の各ｅＢＲＰ−ＴＲＮサブフィールドは５×Ｃ２個のグレイコードで構成されると決定するステップであって、Ｃ１＝１のとき、Ｃ２は前記第１装置の送信チャネル数により決定される、又は、Ｃ２＝１のとき、Ｃ１は前記第１装置の送信チャネル数により決定される、ステップ、
を含む、請求項２に記載の方法。
【請求項７】
第１装置により、拡張ビーム調整プロトコルｅＢＲＰパケットのフォーマットを決定する前記ステップは、
前記第１装置のアンテナ数が１を超えるとき、前記第１装置により、前記ｅＢＲＰ−ＣＥサブフィールド及び前記ｅＢＲＰ−ＴＲＮサブフィールドの直交マスクの各コードワードの中に、少なくとも１対のグレイコード相補シーケンスが存在すると決定するステップを含む、請求項１又は２に記載の方法。
【請求項８】
第１装置により、拡張ビーム調整プロトコルｅＢＲＰパケットのフォーマットを決定する前記ステップは、前記第１装置により、前記第１装置の前記アンテナ数及び前記第１装置のアンテナ偏波方向に基づき、前記トレーニングフィールド内の各ｅＢＲＰ−ＣＥサブフィールドを構成するグレイコードの数及び前記トレーニングフィールド内の各ｅＢＲＰ−ＴＲＮサブフィールドを構成するグレイコードの数を決定するステップを含む、請求項７に記載の方法。
【請求項９】
前記第１装置により、前記第１装置の前記アンテナ数及び前記第１装置のアンテナ偏波方向に基づき、前記トレーニングフィールド内の各ｅＢＲＰ−ＣＥサブフィールドを構成するグレイコードの数及び前記トレーニングフィールド内の各ｅＢＲＰ−ＴＲＮサブフィールドを構成するグレイコードの数を決定する前記ステップは、
前記第１装置の前記アンテナ数が１又は２であり、且つ前記第１装置のアンテナが同一偏波アンテナであるとき、前記第１装置により、前記トレーニングフィールド内の各ｅＢＲＰ−ＣＥサブフィールドが５×Ｃ２個のグレイコードで構成されると決定し、前記トレーニングフィールド内の各ｅＢＲＰ−ＴＲＮサブフィールドが５個のグレイコードで構成されると決定するステップ、
前記第１装置の前記アンテナ数が３又は４であり、且つ前記第１装置のアンテナが同一偏波アンテナであるとき、前記第１装置により、前記トレーニングフィールド内の各ｅＢＲＰ−ＣＥサブフィールドが９×Ｃ２個のグレイコードで構成されると決定し、前記第１装置により、前記トレーニングフィールド内の各ｅＢＲＰ−ＴＲＮサブフィールドが１０×Ｃ２個のグレイコード又は９×Ｃ２個のグレイコードで構成されると決定するステップ、又は、
前記第１装置の前記アンテナ数が２又は４であり、且つ前記第１装置のアンテナが交差偏波アンテナであるとき、前記第１装置により、前記トレーニングフィールド内の各ｅＢＲＰ−ＣＥサブフィールドが５×Ｃ２個のグレイコードで構成されると決定し、前記トレーニングフィールド内の各ｅＢＲＰ−ＴＲＮサブフィールドが５×Ｃ２個のグレイコードで構成されると決定するステップであって、Ｃ２＝１又はＣ２は前記第１装置の送信チャネル数により決定される、ステップ、
を含む、請求項８に記載の方法。
【請求項１０】
第１装置により、拡張ビーム調整プロトコルｅＢＲＰパケットのフォーマットを決定する前記ステップは、
前記第１装置のアンテナ数が１又は２であるとき、前記第１装置により、前記トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップ、
前記第１装置のアンテナ数が３又は４であり、且つ前記トレーニングフィールド内の前記ｅＢＲＰ−ＴＲＮサブフィールドが１０×Ｃ２個のグレイコードで構成されるとき、前記第１装置により、前記トレーニングフィールド内の前記ｅＢＲＰ−ＣＥサブフィールドの中の各グレイコードの長さが１２８×Ｃ１であると決定し、前記トレーニングフィールド内の前記ｅＢＲＰ−ＴＲＮサブフィールドの中の各グレイコードの長さが１２８×Ｃ１又は６４×Ｃ１であると決定するステップ、
前記第１装置のアンテナ数が３又は４であり、且つ前記トレーニングフィールド内の前記ｅＢＲＰ−ＴＲＮサブフィールドが９×Ｃ２個のグレイコードで構成されるとき、前記第１装置により、前記トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップ、又は、
前記第１装置のアンテナ数が４であり、且つ前記トレーニングフィールド内の前記ｅＢＲＰ−ＴＲＮサブフィールドが５×Ｃ２個のグレイコードで構成されるとき、前記第１装置により、前記トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップであって、Ｃ２＝１のとき、Ｃ１は前記第１装置の前記送信チャネル数により決定される、又はＣ２が前記第１装置の前記送信チャネル数により決定されるとき、Ｃ１＝１である、ステップ、
を含む、請求項９に記載の方法。
【請求項１１】
前記トレーニングフィールドは、ｅＢＲＰビーム調整自動利得制御ｅＢＲＰ−ＡＧＣフィールドを更に含み、第１装置により、拡張ビーム調整プロトコルｅＢＲＰパケットのフォーマットを決定する前記ステップは、
前記第１装置により、前記トレーニングフィールドがＫ個のＡＧＣ−ＴＲＮサブフィールドグループを含むと決定するステップであって、各ＡＧＣ−ＴＲＮサブフィールドグループに含まれるｅＢＲＰ−ＡＧＣサブフィールド及びｅＢＲＰ−ＴＲＮサブフィールドの数は同じであり、各ＡＧＣ−ＴＲＮサブフィールドグループ内の前記ｅＢＲＰ−ＡＧＣサブフィールド及び前記ｅＢＲＰ−ＴＲＮサブフィールドは同じアンテナ重みベクトルＡＷＶグループを用い、前記ｅＢＲＰ−ＡＧＣサブフィールドは各ＡＧＣ−ＴＲＮサブフィールドグループ内で前記ｅＢＲＰ−ＴＲＮサブフィールドの前に位置し、Ｋは１以上の正整数である、ステップを更に含む、請求項１乃至１０のいずれか一項に記載の方法。
【請求項１２】
前記方法は、前記第１装置により、前記第２装置へトレーニングフィールド構成情報を送信するステップであって、前記トレーニングフィールド構成情報は、前記ｅＢＲＰパケット内で前記トレーニングフィールドのフォーマットを示すために使用され、前記トレーニングフィールド構成情報は、ビーム調整プロトコル要求フィールド、ビーム調整要素、又は前記拡張ビーム調整プロトコルパケット内のヘッダフィールドのうちの１又は複数により伝達される、ステップを更に含む請求項１乃至１１のいずれか一項に記載の方法。
【請求項１３】
ビーム調整方法であって、前記方法は、
第１装置により、拡張ビーム調整プロトコルｅＢＲＰパケットのフォーマットを決定するステップであって、前記ｅＢＲＰパケットはトレーニングフィールドを含み、前記トレーニングフィールドはｅＢＲＰビーム調整自動利得制御ｅＢＲＰ−ＡＧＣフィールド及びｅＢＲＰビーム調整トレーニングｅＢＲＰ−ＴＲＮサブフィールドで構成される、ステップと、
前記第１装置により、前記ｅＢＲＰパケットの前記決定したフォーマットに基づき、第２装置へ前記ｅＢＲＰパケットを送信するステップと、
を含む方法。
【請求項１４】
第１装置により、拡張ビーム調整プロトコルｅＢＲＰパケットのフォーマットを決定する前記ステップは、
前記第１装置のアンテナ数が１又は２であり、且つ前記第１装置のアンテナが同一偏波アンテナであるとき、前記第１装置により、前記トレーニングフィールド内の各ｅＢＲＰ−ＴＲＮサブフィールドが、長さが１２８×Ｃ１である５×Ｃ２個のグレイコードで構成されると決定するステップ、
前記第１装置のアンテナ数が３又は４であり、且つ前記第１装置のアンテナが同一偏波アンテナであるとき、前記第１装置により、前記トレーニングフィールド内の各ｅＢＲＰ−ＴＲＮサブフィールドが、以下のフォーマット：長さが６４×Ｃ１である１０×Ｃ２個のグレイコード又は長さが１２８×Ｃ１である９×Ｃ２個のグレイコードのうちのいずれか１つであると決定するステップ、又は、
前記第１装置のアンテナ数が２又は４であり、且つ前記第１装置のアンテナが交差偏波アンテナであるとき、前記第１装置により、前記トレーニングフィールド内の各ｅＢＲＰ−ＴＲＮサブフィールドが、長さが１２８×Ｃ１である５×Ｃ２個のグレイコードで構成されると決定するステップであって、Ｃ２＝１のとき、Ｃ１は前記第１装置の送信チャネル数により決定される、又は、Ｃ２が前記第１装置の送信チャネル数により決定されるとき、Ｃ１＝１である、ステップ、
を含む、請求項１３に記載の方法。
【請求項１５】
第１装置により、拡張ビーム調整プロトコルｅＢＲＰパケットのフォーマットを決定する前記ステップは、
前記第１装置により、前記トレーニングフィールドがＫ個のＡＧＣ−ＴＲＮサブフィールドグループを含むと決定するステップであって、各ＡＧＣ−ＴＲＮサブフィールドグループに含まれるｅＢＲＰ−ＡＧＣサブフィールド及びｅＢＲＰ−ＴＲＮサブフィールドの数は同じであり、各ＡＧＣ−ＴＲＮサブフィールドグループ内の前記ｅＢＲＰ−ＡＧＣサブフィールド及び前記ｅＢＲＰ−ＴＲＮサブフィールドは同じアンテナ重みベクトルＡＷＶグループを用い、前記ｅＢＲＰ−ＡＧＣサブフィールドは各ＡＧＣ−ＴＲＮサブフィールドグループ内で前記ｅＢＲＰ−ＴＲＮサブフィールドの前に位置し、Ｋは１以上の正整数である、ステップを含む、請求項１３又は１４に記載の方法。
【請求項１６】
前記Ｋ個のＡＧＣ−ＴＲＮサブフィールドグループの各々は１個のｅＢＲＰ−ＡＧＣサブフィールド及び１個のｅＢＲＰ−ＴＲＮサブフィールドを含む、請求項１４に記載の方法。
【請求項１７】
各ｅＢＲＰ−ＡＧＣサブフィールドは、長さが６４×Ｃ１のＴ個のグレイコードで構成され、Ｔは５×Ｃ２以上且つ９×Ｃ２以下の正整数であり、又は、
各ｅＢＲＰ−ＡＧＣサブフィールドは、長さが１２８×Ｃ１の３×Ｃ２個又は４×Ｃ２個のグレイコードで構成され、Ｃ２＝１のとき、Ｃ１は前記第１装置の前記送信チャネル数により決定される、又は、Ｃ２が前記第１装置の前記送信チャネル数により決定されるとき、Ｃ１＝１である、
請求項１６に記載の方法。
【請求項１８】
前記方法は、前記第１装置により、前記第２装置へトレーニングフィールド構成情報を送信するステップであって、前記トレーニングフィールド構成情報は、前記ｅＢＲＰパケット内で前記トレーニングフィールドのフォーマットを示すために使用され、前記トレーニングフィールド構成情報は、ビーム調整プロトコル要求フィールド、ビーム調整要素、又は前記拡張ビーム調整プロトコルパケット内のヘッダフィールドのうちの１又は複数により伝達される、ステップを更に含む請求項１３乃至１７のいずれか一項に記載の方法。
【請求項１９】
ビーム調整方法であって、前記方法は、
第１装置により、拡張ビーム調整プロトコルｅＢＲＰパケットのフォーマットを決定するステップであって、前記ｅＢＲＰパケットはトレーニングフィールドを含み、前記トレーニングフィールドはｅＢＲＰビーム調整自動利得制御ｅＢＲＰ−ＡＧＣフィールドを含み、第１装置により、拡張ビーム調整プロトコルｅＢＲＰパケットのフォーマットを決定する前記ステップは、前記第１装置により、前記トレーニングフィールドがＫ個のビーム調整自動利得制御−ビーム調整トレーニングＡＧＣ−ＴＲＮサブフィールドグループを含むと決定するステップを含み、各ＡＧＣ−ＴＲＮサブフィールドグループに含まれるｅＢＲＰ−ＡＧＣサブフィールド及びｅＢＲＰビーム調整トレーニングｅＢＲＰ−ＴＲＮサブフィールドの数は同じであり、各ＡＧＣ−ＴＲＮサブフィールドグループ内の前記ｅＢＲＰ−ＡＧＣサブフィールド及び前記ｅＢＲＰ−ＴＲＮサブフィールドは同じアンテナ重みベクトルＡＷＶグループを用い、前記ｅＢＲＰ−ＡＧＣサブフィールドは、各ＡＧＣ−ＴＲＮサブフィールドグループの中で前記ｅＢＲＰ−ＴＲＮサブフィールドの前に位置し、Ｋは１より大きい正整数である、ステップと、
前記第１装置により、前記ｅＢＲＰパケットの前記決定したフォーマットに基づき、第２装置へ前記ｅＢＲＰパケットを送信するステップと、
を含む方法。
【請求項２０】
前記Ｋ個のＡＧＣ−ＴＲＮサブフィールドグループのうちのいずれか２つに含まれるｅＢＲＰ−ＡＧＣサブフィールドの数は同じである、請求項１９に記載の方法。
【請求項２１】
通信装置であって、前記通信装置は、
プロセッサと、
前記プロセッサにより実行されるプログラムを格納するコンピュータ可読記憶媒体と、
を含み、前記プログラムは、以下の動作：
拡張ビーム調整プロトコルｅＢＲＰパケットのフォーマットを決定するステップであって、前記ｅＢＲＰパケットはトレーニングフィールドを含み、前記トレーニングフィールドはｅＢＲＰチャネル推定ｅＢＲＰ−ＣＥサブフィールド及びｅＢＲＰビーム調整トレーニングｅＢＲＰ−ＴＲＮサブフィールドを含み、前記トレーニングフィールド内の前記ｅＢＲＰ−ＣＥサブフィールドを構成するグレイコードの数の前記トレーニングフィールド内の前記ｅＢＲＰ−ＴＲＮサブフィールドを構成するグレイコードの数に対する比は９：２０未満である、ステップと、
前記ｅＢＲＰパケットの前記決定されたフォーマットに基づき、第２装置へ前記ｅＢＲＰパケットを送信するステップと、
を実行するために使用される命令を含む、通信装置。
【請求項２２】
拡張ビーム調整プロトコルｅＢＲＰパケットのフォーマットを決定する前記ステップは、前記トレーニングフィールド内のｅＢＲＰ−ＣＥサブフィールドの数の前記トレーニングフィールド内のｅＢＲＰ−ＴＲＮサブフィールドの数に対する比が１：４以下であることを決定するステップであって、前記トレーニングフィールド内のｅＢＲＰ−ＣＥサブフィールドの数の前記トレーニングフィールド内のｅＢＲＰ−ＴＲＮサブフィールドの数に対する比が１：４に等しいとき、前記トレーニングフィールド内の各ｅＢＲＰ−ＣＥサブフィールドを構成するグレイコードの数の前記トレーニングフィールド内の各ｅＢＲＰ−ＴＲＮサブフィールドを構成するグレイコードの数に対する比は９：５未満である、ステップを含む、請求項２１に記載の通信装置。
【請求項２３】
拡張ビーム調整プロトコルｅＢＲＰパケットのフォーマットを決定する前記ステップは、データフィールドの変調及び符号化方式レベルに基づき、前記トレーニングフィールド内の前記ｅＢＲＰ−ＣＥサブフィールドを構成するグレイコードの数の前記トレーニングフィールド内の前記ｅＢＲＰ−ＴＲＮサブフィールドを構成するグレイコードの数に対する比を決定するステップを含む、請求項２１に記載の通信装置。
【請求項２４】
拡張ビーム調整プロトコルｅＢＲＰパケットのフォーマットを決定する前記ステップは、
送信チャネル数Ｃを決定し、前記トレーニングフィールド内の各ｅＢＲＰ−ＣＥサブフィールドがＣ×Ｓ個のグレイコードで構成されると決定するステップであって、Ｓは９未満の正整数であり、Ｃは前記第１装置の前記送信チャネル数により決定される、ステップ、
送信チャネル数Ｃを決定し、前記トレーニングフィールド内の前記ｅＢＲＰ−ＣＥサブフィールドが第１ｅＢＲＰ−ＣＥサブフィールド及び第２ｅＢＲＰ−ＣＥサブフィールドを含むと決定するステップであって、各第１ｅＢＲＰ−ＣＥサブフィールドはＣ×Ｓ個のグレイコードで構成され、各第２ｅＢＲＰ−ＣＥサブフィールドは９個のグレイコードで構成され、Ｓは９未満の正整数であり、Ｃは１以上の正整数である、ステップ、又は、
送信チャネル数Ｃを決定し、前記トレーニングフィールド内の各ｅＢＲＰ−ＣＥサブフィールドがＣ×９個のグレイコードで構成されると決定し、前記第１装置により、前記トレーニングフィールド内のｅＢＲＰ−ＣＥサブフィールドの数Ｎ、前記トレーニングフィールド内のｅＢＲＰ−ＴＲＮサブフィールドの数Ｍ、及び前記トレーニングフィールド内の各ｅＢＲＰ−ＴＲＮサブフィールドを構成するグレイコードの数Ｙが以下の式：９×Ｃ×Ｎ：Ｙ×Ｍ＜９：２０を満たすことを決定するステップ、
を含む、請求項２１に記載の通信装置。
【請求項２５】
拡張ビーム調整プロトコルｅＢＲＰパケットのフォーマットを決定する前記ステップは、
送信チャネル数Ｃを決定し、前記トレーニングフィールド内の各ｅＢＲＰ−ＴＲＮサブフィールドがＣ×Ｙ個のグレイコードで構成されると決定するステップであって、Ｙは５以上の正整数であり、Ｃは１以上の正整数であり、Ｙが５に等しい正整数であるとき、前記トレーニングフィールド内のｅＢＲＰ−ＣＥサブフィールドの数Ｎ、前記トレーニングフィールド内の各ｅＢＲＰ−ＣＥサブフィールドの数Ｘ、及び前記トレーニングフィールド内のｅＢＲＰ−ＴＲＮサブフィールドの数Ｍは以下の式：Ｘ×Ｎ：５×Ｃ×Ｍ＜９：２０を満たす、ステップを含む、請求項２１に記載の通信装置。
【請求項２６】
拡張ビーム調整プロトコルパケットｅＢＲＰパケットのフォーマットを決定する前記ステップは、
前記トレーニングフィールド内の各ｅＢＲＰ−ＣＥサブフィールド及び各ｅＢＲＰ−ＴＲＮサブフィールド内の各グレイコードの長さが１２８×Ｃ１であると決定するステップ、
前記トレーニングフィールド内のｅＢＲＰ−ＣＥサブフィールドの数の前記トレーニングフィールド内のｅＢＲＰ−ＴＲＮサブフィールドの数に対する比が１：４未満であるとき、前記トレーニングフィールド内の各ｅＢＲＰ−ＣＥサブフィールドが９×Ｃ２個のグレイコードで構成されると決定し、前記トレーニングフィールド内の各ｅＢＲＰ−ＴＲＮサブフィールドが５×Ｃ２個のグレイコードで構成されると決定するステップ、
前記トレーニングフィールド内のｅＢＲＰ−ＣＥサブフィールドの数の前記トレーニングフィールド内のｅＢＲＰ−ＴＲＮサブフィールドの数に対する比が１：４に等しいとき、前記トレーニングフィールド内の各ｅＢＲＰ−ＣＥサブフィールドが５×Ｃ２個のグレイコードで構成されると決定し、前記トレーニングフィールド内の各ｅＢＲＰ−ＴＲＮサブフィールドが５×Ｃ２個のグレイコードで構成されると決定するステップ、又は、
前記トレーニングフィールド内のｅＢＲＰ−ＣＥサブフィールドの数の前記トレーニングフィールド内のｅＢＲＰ−ＴＲＮサブフィールドの数に対する比が１：４に等しいとき、前記トレーニングフィールド内の前記ｅＢＲＰ−ＣＥサブフィールドが第１ｅＢＲＰ−ＣＥサブフィールド及び第２ｅＢＲＰ−ＣＥサブフィールドを含むと決定し、各第１ｅＢＲＰ−ＣＥサブフィールドは５×Ｃ２個のグレイコードで構成され、各第２ｅＢＲＰ−ＣＥサブフィールドは９×Ｃ２個のグレイコードで構成され、前記トレーニングフィールド内の各ｅＢＲＰ−ＴＲＮサブフィールドは５×Ｃ２個のグレイコードで構成されると決定するステップであって、Ｃ１＝１のとき、Ｃ２は前記通信装置の送信チャネル数により決定される、又は、Ｃ２＝１のとき、Ｃ１は前記通信装置の送信チャネル数により決定される、ステップ、
を含む、請求項２２に記載の通信装置。
【請求項２７】
拡張ビーム調整プロトコルｅＢＲＰパケットのフォーマットを決定する前記ステップは、
前記通信装置のアンテナ数が１を超えるとき、前記ｅＢＲＰ−ＣＥサブフィールド及び前記ｅＢＲＰ−ＴＲＮサブフィールドの直交マスクの各コードワードの中に、少なくとも１対のグレイコード相補シーケンスが存在すると決定するステップを含む、請求項２１又は２２に記載の通信装置。
【請求項２８】
拡張ビーム調整プロトコルｅＢＲＰパケットのフォーマットを決定する前記ステップは、前記通信装置の前記アンテナ数及び前記通信装置のアンテナ偏波方向に基づき、前記トレーニングフィールド内の各ｅＢＲＰ−ＣＥサブフィールドを構成するグレイコードの数及び前記トレーニングフィールド内の各ｅＢＲＰ−ＴＲＮサブフィールドを構成するグレイコードの数を決定するステップを含む、請求項２７に記載の通信装置。
【請求項２９】
前記通信装置の前記アンテナ数及び前記通信装置のアンテナ偏波方向に基づき、前記トレーニングフィールド内の各ｅＢＲＰ−ＣＥサブフィールドを構成するグレイコードの数及び前記トレーニングフィールド内の各ｅＢＲＰ−ＴＲＮサブフィールドを構成するグレイコードの数を決定する前記ステップは、
前記通信装置の前記アンテナ数が１又は２であり、且つ前記通信装置のアンテナが同一偏波アンテナであるとき、前記通信装置により、前記トレーニングフィールド内の各ｅＢＲＰ−ＣＥサブフィールドが５×Ｃ２個のグレイコードで構成されると決定し、前記トレーニングフィールド内の各ｅＢＲＰ−ＴＲＮサブフィールドが５個のグレイコードで構成されると決定するステップ、
前記通信装置の前記アンテナ数が３又は４であり、且つ前記通信装置のアンテナが同一偏波アンテナであるとき、前記通信装置により、前記トレーニングフィールド内の各ｅＢＲＰ−ＣＥサブフィールドが９×Ｃ２個のグレイコードで構成されると決定し、前記通信装置により、前記トレーニングフィールド内の各ｅＢＲＰ−ＴＲＮサブフィールドが１０×Ｃ２個のグレイコード又は９×Ｃ２個のグレイコードで構成されると決定するステップ、又は、
前記通信装置の前記アンテナ数が２又は４であり、且つ前記通信装置のアンテナが交差偏波アンテナであるとき、前記通信装置により、前記トレーニングフィールド内の各ｅＢＲＰ−ＣＥサブフィールドが５×Ｃ２個のグレイコードで構成されると決定し、前記トレーニングフィールド内の各ｅＢＲＰ−ＴＲＮサブフィールドが５×Ｃ２個のグレイコードで構成されると決定するステップであって、Ｃ２＝１又はＣ２は前記通信装置の送信チャネル数により決定される、ステップ、
を含む、請求項２８に記載の通信装置。
【請求項３０】
拡張ビーム調整プロトコルｅＢＲＰパケットのフォーマットを決定する前記ステップは、
前記通信装置のアンテナ数が１又は２であるとき、前記通信装置により、前記トレーニングフィールド内の各ｅＢＲＰ−ＣＥサブフィールド及び各ｅＢＲＰ−ＴＲＮサブフィールドの直交マスクの中の各グレイコードの長さが１２８×Ｃ２であると決定するステップ、
前記通信装置のアンテナ数が３又は４であり、且つ前記トレーニングフィールド内の前記ｅＢＲＰ−ＴＲＮサブフィールドが１０×Ｃ２個のグレイコードで構成されるとき、前記通信装置により、前記トレーニングフィールド内の各ｅＢＲＰ−ＣＥサブフィールドの中の各グレイコードの長さが１２８×Ｃ１であると決定し、前記トレーニングフィールド内の各ｅＢＲＰ−ＴＲＮサブフィールドの中の各グレイコードの長さが１２８×Ｃ１又は６４×Ｃ１であると決定するステップ、
前記通信装置のアンテナ数が３又は４であり、且つ前記トレーニングフィールド内の前記ｅＢＲＰ−ＴＲＮサブフィールドが９×Ｃ２個のグレイコードで構成されるとき、前記通信装置により、前記トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップ、又は、
前記通信装置のアンテナ数が４であり、且つ前記トレーニングフィールド内の前記ｅＢＲＰ−ＴＲＮサブフィールドが５×Ｃ２個のグレイコードで構成されるとき、前記通信装置により、前記トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップであって、Ｃ２＝１のとき、Ｃ１は前記通信装置の前記送信チャネル数により決定される、又はＣ２が前記通信装置の前記送信チャネル数により決定されるとき、Ｃ１＝１である、ステップ、
を含む、請求項２９に記載の通信装置。
【請求項３１】
前記トレーニングフィールドは、ｅＢＲＰビーム調整自動利得制御ｅＢＲＰ−ＡＧＣフィールドを更に含み、拡張ビーム調整プロトコルｅＢＲＰパケットのフォーマットを決定する前記ステップは、
前記通信装置により、前記トレーニングフィールドがＫ個のＡＧＣ−ＴＲＮサブフィールドグループを含むと決定するステップであって、各ＡＧＣ−ＴＲＮサブフィールドグループに含まれるｅＢＲＰ−ＡＧＣサブフィールド及びｅＢＲＰ−ＴＲＮサブフィールドの数は同じであり、各ＡＧＣ−ＴＲＮサブフィールドグループ内の前記ｅＢＲＰ−ＡＧＣサブフィールド及び前記ｅＢＲＰ−ＴＲＮサブフィールドは同じアンテナ重みベクトルＡＷＶグループを用い、前記ｅＢＲＰ−ＡＧＣサブフィールドは各ＡＧＣ−ＴＲＮサブフィールドグループ内で前記ｅＢＲＰ−ＴＲＮサブフィールドの前に位置し、Ｋは１以上の正整数である、ステップを更に含む、請求項２１乃至３０のいずれか一項に記載の通信装置。
【請求項３２】
前記プログラムは、以下の動作：
前記第２装置へトレーニングフィールド構成情報を送信するステップであって、前記トレーニングフィールド構成情報は、前記ｅＢＲＰパケット内で前記トレーニングフィールドのフォーマットを示すために使用され、前記トレーニングフィールド構成情報は、ビーム調整プロトコル要求フィールド、ビーム調整要素、又は前記拡張ビーム調整プロトコルパケット内のヘッダフィールドのうちの１又は複数により伝達される、ステップを実行するために使用される命令を更に含む、請求項２１乃至３１のいずれか一項に記載の通信装置。
【請求項３３】
通信装置であって、前記通信装置は、
プロセッサと、
前記プロセッサにより実行されるプログラムを格納するコンピュータ可読記憶媒体と、
を含み、前記プログラムは、以下の動作：
拡張ビーム調整プロトコルｅＢＲＰパケットのフォーマットを決定するステップであって、前記ｅＢＲＰパケットはトレーニングフィールドを含み、前記トレーニングフィールドはｅＢＲＰビーム調整自動利得制御ｅＢＲＰ−ＡＧＣフィールド及びｅＢＲＰビーム調整トレーニングｅＢＲＰ−ＴＲＮサブフィールドで構成される、ステップと、
前記ｅＢＲＰパケットの前記決定したフォーマットに基づき、第２装置へ前記ｅＢＲＰパケットを送信するステップと、
を実行するために使用される命令を含む、通信装置。
【請求項３４】
拡張ビーム調整プロトコルｅＢＲＰパケットのフォーマットを決定する前記ステップは、
前記通信装置のアンテナ数が１又は２であり、且つ前記通信装置のアンテナが同一偏波アンテナであるとき、前記トレーニングフィールド内の各ｅＢＲＰ−ＴＲＮサブフィールドが、長さが１２８×Ｃ１である５×Ｃ２個のグレイコードで構成されると決定するステップ、
前記通信装置のアンテナ数が３又は４であり、且つ前記通信装置のアンテナが同一偏波アンテナであるとき、前記トレーニングフィールド内の各ｅＢＲＰ−ＴＲＮサブフィールドが、以下のフォーマット：長さが６４×Ｃ１である１０×Ｃ２個のグレイコード又は長さが１２８×Ｃ１である９×Ｃ２個のグレイコードのうちのいずれか１つであると決定するステップ、又は、
前記通信装置のアンテナ数が２又は４であり、且つ前記通信装置のアンテナが交差偏波アンテナであるとき、前記トレーニングフィールド内の各ｅＢＲＰ−ＴＲＮサブフィールドが、長さが１２８×Ｃ１である５×Ｃ２個のグレイコードで構成されると決定するステップであって、Ｃ２＝１のとき、Ｃ１は前記通信装置の送信チャネル数により決定される、又は、Ｃ２が前記通信装置の送信チャネル数により決定されるとき、Ｃ１＝１である、ステップ、
を含む、請求項３３に記載の通信装置。
【請求項３５】
拡張ビーム調整プロトコルｅＢＲＰパケットのフォーマットを決定する前記ステップは、
前記トレーニングフィールドがＫ個のＡＧＣ−ＴＲＮサブフィールドグループを含むと決定するステップであって、各ＡＧＣ−ＴＲＮサブフィールドグループに含まれるｅＢＲＰ−ＡＧＣサブフィールド及びｅＢＲＰ−ＴＲＮサブフィールドの数は同じであり、各ＡＧＣ−ＴＲＮサブフィールドグループ内の前記ｅＢＲＰ−ＡＧＣサブフィールド及び前記ｅＢＲＰ−ＴＲＮサブフィールドは同じアンテナ重みベクトルＡＷＶグループを用い、前記ｅＢＲＰ−ＡＧＣサブフィールドは各ＡＧＣ−ＴＲＮサブフィールドグループ内で前記ｅＢＲＰ−ＴＲＮサブフィールドの前に位置し、Ｋは１以上の正整数である、ステップを含む、請求項３３又は３４に記載の通信装置。
【請求項３６】
前記Ｋ個のＡＧＣ−ＴＲＮサブフィールドグループの各々は１個のｅＢＲＰ−ＡＧＣサブフィールド及び１個のｅＢＲＰ−ＴＲＮサブフィールドを含む、請求項３４に記載の通信装置。
【請求項３７】
各ｅＢＲＰ−ＡＧＣサブフィールドは、長さが６４×Ｃ１のＴ個のグレイコードで構成され、Ｔは５×Ｃ２以上且つ９×Ｃ２以下の正整数であり、又は、
各ｅＢＲＰ−ＡＧＣサブフィールドは、長さが１２８×Ｃ１の３×Ｃ２個又は４×Ｃ２個のグレイコードで構成され、Ｃ２＝１のとき、Ｃ１は前記通信装置の前記送信チャネル数により決定される、又は、Ｃ２が前記通信装置の前記送信チャネル数により決定されるとき、Ｃ１＝１である、
請求項３６に記載の通信装置。
【請求項３８】
前記プログラムは、以下の動作：
前記第２装置へトレーニングフィールド構成情報を送信するステップであって、前記トレーニングフィールド構成情報は、前記ｅＢＲＰパケット内で前記トレーニングフィールドのフォーマットを示すために使用され、前記トレーニングフィールド構成情報は、ビーム調整プロトコル要求フィールド、ビーム調整要素、又は前記拡張ビーム調整プロトコルパケット内のヘッダフィールドのうちの１又は複数により伝達される、ステップを実行するために使用される命令を更に含む、請求項３３乃至３７のいずれか一項に記載の通信装置。
【請求項３９】
通信装置であって、前記通信装置は、
プロセッサと、
前記プロセッサにより実行されるプログラムを格納するコンピュータ可読記憶媒体と、
を含み、前記プログラムは、以下の動作：
拡張ビーム調整プロトコルｅＢＲＰパケットのフォーマットを決定するステップであって、前記ｅＢＲＰパケットはトレーニングフィールドを含み、前記トレーニングフィールドはｅＢＲＰビーム調整自動利得制御ｅＢＲＰ−ＡＧＣフィールドを含み、拡張ビーム調整プロトコルｅＢＲＰパケットのフォーマットを決定する前記ステップは、前記トレーニングフィールドがＫ個のビーム調整自動利得制御−ビーム調整トレーニングＡＧＣ−ＴＲＮサブフィールドグループを含むと決定するステップを含み、各ＡＧＣ−ＴＲＮサブフィールドグループに含まれるｅＢＲＰ−ＡＧＣサブフィールド及びｅＢＲＰビーム調整トレーニングｅＢＲＰ−ＴＲＮサブフィールドの数は同じであり、各ＡＧＣ−ＴＲＮサブフィールドグループ内の前記ｅＢＲＰ−ＡＧＣサブフィールド及び前記ｅＢＲＰ−ＴＲＮサブフィールドは同じアンテナ重みベクトルＡＷＶグループを用い、前記ｅＢＲＰ−ＡＧＣサブフィールドは、各ＡＧＣ−ＴＲＮサブフィールドグループの中で前記ｅＢＲＰ−ＴＲＮサブフィールドの前に位置し、Ｋは１より大きい正整数である、ステップと、
前記ｅＢＲＰパケットの前記決定したフォーマットに基づき、第２装置へ前記ｅＢＲＰパケットを送信するステップと、
を実行するために使用される命令を含む、通信装置。
【請求項４０】
前記Ｋ個のＡＧＣ−ＴＲＮサブフィールドグループのうちのいずれか２つに含まれるｅＢＲＰ−ＡＧＣサブフィールドの数は同じである、請求項３９に記載の通信装置。
【発明の詳細な説明】
【技術分野】
【０００１】
本発明の実施形態は、通信技術の分野に関し、より具体的にはビーム調整方法及び通信装置に関する。
【背景技術】
【０００２】
高周波数における（特にミリ波帯域における）信号減衰は、低周波数（例えば、６ＧＨｚより低い周波数）におけるものより遙かに大きい。比較的高い信号減衰に耐えるために、信号は、通常、ビーム形式で送信される。ビーム帯域幅が十分狭いとき、信号送信及び信号受信は、特定の通信距離及び特定の送信レートを達成できる。しかしながら、ビーム帯域幅が過度に狭いと、送信端及び受信端が互いを発見することが非常に困難になる。ビーム帯域幅が過度に広いと、所望の送信レートを得るには、アンテナ利得が十分に高くない。
【０００３】
ミリ波帯において生じる前述の問題を解決するために、６０ＧＨｚの周波数帯で動作する電気電子技術者協会（英語：Institute  of  Electrical  and  Electronics  Engineers、略してＩＥＥＥ）８０２．１１ａｄによると、ビームトレーニングは、ビーム情報を取得するために２段階：セクタレベルスイープ（英語：Sector  Level  Sweep、略してＳＬＳ）及びビーム調整プロトコル（英語：Beam  Refinement  Protocol、略してＢＲＰ）で実行される。ＳＬＳ段階では、端末装置（英語：Station、略してＳＴＡ）は、信号を送信し及び受信するために必要なビーム情報を提供される。言い換えると、この段階のビームは比較的幅広である。ビーム調整プロトコルは、ＳＬＳ段階の後に、送信機及び受信機が、ビーム調整情報を取得できるようにする。ビーム調整プロトコルによると、送信機は、受信機へ、ビーム調整プロトコルパケット（BRP  packet）を送信する。ビーム調整プロトコルパケットはトレーニングフィールドを含む。受信機は、トレーニングフィールドに基づきビーム調整情報を決定する。
【０００４】
現在、ＩＥＥＥ８０２．１１ａｙ規格は、ＩＥＥＥ８０２．１１ａｄに基づき、各アンテナによりサポートされるＡＷＶの数が拡張されること、及び多入力多出力（英語：Multiple  Input  and  Multiple  Output、略してＭＩＭＯ）技術が使用されることを提案している。したがって、より多くのアンテナが必要であり、又はより多くのビームがトレーニングされる必要がある。結果として、ＢＲＰパケット効率を向上する必要がある。
【発明の概要】
【０００５】
本発明の実施形態は、決定された拡張ビーム調整プロトコルパケットに基づき同じ時間期間の中でより多くのアンテナ又はより多くのビームをトレーニングするために、ビーム調整方法及び通信装置を提供する。
【０００６】
第１の態様によると、本発明の一実施形態は、ビーム調整方法であって、前記方法は、第１装置により、拡張ビーム調整プロトコルｅＢＲＰパケットのフォーマットを決定するステップであって、前記ｅＢＲＰパケットはトレーニングフィールドを含み、前記トレーニングフィールドはｅＢＲＰチャネル推定ｅＢＲＰ−ＣＥサブフィールド及びｅＢＲＰビーム調整トレーニングｅＢＲＰ−ＴＲＮサブフィールドを含み、前記トレーニングフィールド内の前記ｅＢＲＰ−ＣＥサブフィールドを構成するグレイコードの数の前記トレーニングフィールド内の前記ｅＢＲＰ−ＴＲＮサブフィールドを構成するグレイコードの数に対する比は９：２０未満である、ステップと、前記第１装置により、前記ｅＢＲＰパケットの前記決定されたフォーマットに基づき、第２装置へ前記ｅＢＲＰパケットを送信するステップと、を含む方法を提供する。この方法では、トレーニングフィールド内のｅＢＲＰ−ＴＲＮサブフィールドの効果的な比率が増大され、同じ時間期間内でより多くのＡＷＶ構成を試みることができる。
【０００７】
第１の態様を参照して、第１の態様の第１の可能な実装では、第１装置により、拡張ビーム調整プロトコルｅＢＲＰパケットのフォーマットを決定する前記ステップは、前記第１装置により、前記トレーニングフィールド内の前記ｅＢＲＰ−ＣＥサブフィールドの数の前記トレーニングフィールド内の前記ｅＢＲＰ−ＴＲＮサブフィールドの数に対する比が１：４以下であることを決定するステップであって、前記トレーニングフィールド内の前記ｅＢＲＰ−ＣＥサブフィールドの数の前記トレーニングフィールド内の前記ｅＢＲＰ−ＴＲＮサブフィールドの数に対する比が１：４に等しいとき、前記トレーニングフィールド内の各ｅＢＲＰ−ＣＥサブフィールドを構成するグレイコードの数の前記トレーニングフィールド内の各ｅＢＲＰ−ＴＲＮサブフィールドを構成するグレイコードの数に対する比は９：５未満である、ステップを含む。この方法では、第１装置は、トレーニングフィールド内のＣＥ長を短縮し、又はトレーニングフィールド内のＣＥの比率を低減する。したがって、より多くのビームがトレーニングでき、トレーニング効率が向上する。
【０００８】
第１の態様を参照して、第１の態様の第２の可能な実装では、第１装置により、拡張ビーム調整プロトコルｅＢＲＰパケットのフォーマットを決定する前記ステップは、前記第１装置により、データフィールドの変調及び符号化方式レベルに基づき、前記トレーニングフィールド内の前記ｅＢＲＰ−ＣＥサブフィールドを構成するグレイコードの数の前記トレーニングフィールド内の前記ｅＢＲＰ−ＴＲＮサブフィールドを構成するグレイコードの数に対する比を決定するステップを含む。
【０００９】
第１の態様を参照して、第１の態様の第３の可能な実装では、第１装置により、拡張ビーム調整プロトコルｅＢＲＰパケットのフォーマットを決定する前記ステップは、前記第１装置により、送信チャネル数Ｃを決定し、前記トレーニングフィールド内の各ｅＢＲＰ−ＣＥサブフィールドがＣ×Ｓ個のグレイコードで構成されると決定するステップであって、Ｓは９未満の正整数であり、Ｃは前記第１装置の前記送信チャネル数により決定される、ステップ、前記第１装置により、送信チャネル数Ｃを決定し、前記トレーニングフィールド内の前記ｅＢＲＰ−ＣＥサブフィールドが第１ｅＢＲＰ−ＣＥサブフィールド及び第２ｅＢＲＰ−ＣＥサブフィールドを含むと決定するステップであって、各第１ｅＢＲＰ−ＣＥサブフィールドはＣ×Ｓ個のグレイコードで構成され、各第２ｅＢＲＰ−ＣＥサブフィールドは９個のグレイコードで構成され、Ｓは９未満の正整数であり、Ｃは１以上の正整数である、ステップ、又は、前記第１装置により、送信チャネル数Ｃを決定し、前記トレーニングフィールド内の各ｅＢＲＰ−ＣＥサブフィールドがＣ×９個のグレイコードで構成されると決定し、前記第１装置により、前記トレーニングフィールド内のｅＢＲＰ−ＣＥサブフィールドの数Ｎ、前記トレーニングフィールド内のｅＢＲＰ−ＴＲＮサブフィールドの数Ｍ、及び前記トレーニングフィールド内の各ｅＢＲＰ−ＴＲＮサブフィールドを構成するグレイコードの数Ｙが以下の式：９×Ｃ×Ｎ：Ｙ×Ｍ＜９：２０を満たすことを決定するステップ、を含む。この方法では、第１装置はトレーニングフィールド内のＣＥ長を短縮する。したがって、より多くのビームがトレーニングでき、トレーニング効率が向上する。
【００１０】
第１の態様を参照して、第１の態様の第４の可能な実装では、第１装置により、拡張ビーム調整プロトコルｅＢＲＰパケットのフォーマットを決定するステップは、前記第１装置により、送信チャネル数Ｃを決定し、前記トレーニングフィールド内の各ｅＢＲＰ−ＴＲＮサブフィールドがＣ×Ｙ個のグレイコードで構成されると決定するステップであって、Ｙは５以上の正整数であり、Ｃは１以上の正整数であり、Ｙが５に等しい正整数であるとき、前記トレーニングフィールド内のｅＢＲＰ−ＣＥサブフィールドの数Ｎ、前記トレーニングフィールド内の各ｅＢＲＰ−ＣＥサブフィールドの数Ｘ、及び前記トレーニングフィールド内のｅＢＲＰ−ＴＲＮサブフィールドの数Ｍは以下の式：Ｘ×Ｎ：５×Ｃ×Ｍ＜９：２０を満たす、ステップを含む。この方法では、第１装置はトレーニングフィールド内のＴＲＮ長を拡張する。したがって、より多くのビームがトレーニングでき、トレーニング効率が向上する。
【００１１】
第１の態様の第１の可能な実装を参照して、第１の態様の第５の可能な実装では、第１装置により、拡張ビーム調整プロトコルパケットｅＢＲＰパケットのフォーマットを決定する前記ステップは、前記第１装置により、前記トレーニングフィールド内の各ｅＢＲＰ−ＣＥサブフィールド及び各ｅＢＲＰ−ＴＲＮサブフィールド内の各グレイコードの長さが１２８×Ｃ１であると決定するステップ、前記トレーニングフィールド内のｅＢＲＰ−ＣＥサブフィールドの数の前記トレーニングフィールド内のｅＢＲＰ−ＴＲＮサブフィールドの数に対する比が１：４未満であるとき、前記第１装置により、前記トレーニングフィールド内の各ｅＢＲＰ−ＣＥサブフィールドが９×Ｃ２個のグレイコードで構成されると決定し、前記第１装置により、前記トレーニングフィールド内の各ｅＢＲＰ−ＴＲＮサブフィールドが５×Ｃ２個のグレイコードで構成されると決定するステップ、前記トレーニングフィールド内のｅＢＲＰ−ＣＥサブフィールドの数の前記トレーニングフィールド内のｅＢＲＰ−ＴＲＮサブフィールドの数に対する比が１：４に等しいとき、前記第１装置により、前記トレーニングフィールド内の各ｅＢＲＰ−ＣＥサブフィールドが５×Ｃ２個のグレイコードで構成されると決定し、前記第１装置により、前記トレーニングフィールド内の各ｅＢＲＰ−ＴＲＮサブフィールドが５×Ｃ２個のグレイコードで構成されると決定するステップ、又は、前記トレーニングフィールド内のｅＢＲＰ−ＣＥサブフィールドの数の前記トレーニングフィールド内のｅＢＲＰ−ＴＲＮサブフィールドの数に対する比が１：４に等しいとき、前記第１装置により、前記トレーニングフィールド内の前記ｅＢＲＰ−ＣＥサブフィールドが第１ｅＢＲＰ−ＣＥサブフィールド及び第２ｅＢＲＰ−ＣＥサブフィールドを含むと決定し、各第１ｅＢＲＰ−ＣＥサブフィールドは５×Ｃ２個のグレイコードで構成され、各第２ｅＢＲＰ−ＣＥサブフィールドは９×Ｃ２個のグレイコードで構成され、前記第１装置により、前記トレーニングフィールド内の各ｅＢＲＰ−ＴＲＮサブフィールドは５×Ｃ２個のグレイコードで構成されると決定し、Ｃ１＝１のとき、Ｃ２は前記第１装置の送信チャネル数により決定される、又は、Ｃ２＝１のとき、Ｃ１は前記第１装置の送信チャネル数により決定される、ステップ、を含む。前記トレーニングフィールド内のｅＢＲＰ−ＣＥサブフィールドの数の前記トレーニングフィールド内のｅＢＲＰ−ＴＲＮサブフィールドの数に対する比が１：４未満のとき、前記ｅＢＲＰ−ＣＥサブフィールドのフォーマットは、ＩＥＥＥ８０２．１１ａｄにおけるＣＥサブフィールドのフォーマットと同じであり、前記ｅＢＲＰ−ＴＲＮサブフィールドのフォーマットは、ＩＥＥＥ８０２．１１ａｄにおけるＴＲＮサブフィールドのフォーマットと同じである。この方法では、ＩＥＥＥ８０２．１１ａｄとの互換性が保たれる。前記トレーニングフィールド内のｅＢＲＰ−ＣＥサブフィールドの数の前記トレーニングフィールド内のｅＢＲＰ−ＴＲＮサブフィールドの数に対する比が１：４に等しいとき、前記ｅＢＲＰ−ＣＥサブフィールドのうちの全部又は一部の長さは、ＩＥＥＥ８０２．１１ａｄにおけるＣＥサブフィールド��長さより短い。したがって、トレーニングフィールド内のｅＢＲＰ−ＴＲＮサブフィールドの効果的な比率が増大できる。
【００１２】
第１の態様又は第１の態様の第１の可能な実装を参照して、第１の態様の第６の可能な実装では、第１装置により、拡張ビーム調整プロトコルｅＢＲＰパケットのフォーマットを決定する前記ステップは、前記第１装置のアンテナ数が１を超えるとき、前記第１装置により、前記ｅＢＲＰ−ＣＥサブフィールド及び前記ｅＢＲＰ−ＴＲＮサブフィールドの直交マスクの各コードワードの中に、少なくとも１対のグレイコード相補シーケンスが存在すると決定するステップを更に含む。この方法では、直交マスクは、異なる送信アンテナを用いて送信されるｅＢＲＰ−ＴＲＮのために使用され、複数のアンテナが同時にトレーニングできるようにし、ビームトレーニング効率も向上する。
【００１３】
第１の態様の第６の可能な実装を参照して、第１の態様の第７の可能な実装では、第１装置により、拡張ビーム調整プロトコルｅＢＲＰパケットのフォーマットを決定する前記ステップは、前記第１装置により、前記第１装置の前記アンテナ数及び前記第１装置のアンテナ偏波方向に基づき、前記トレーニングフィールド内の各ｅＢＲＰ−ＣＥサブフィールドを構成するグレイコードの数の前記トレーニングフィールド内の各ｅＢＲＰ−ＴＲＮサブフィールドを構成するグレイコードの数に対する比を決定するステップを含む。
【００１４】
第１の態様の第７の可能な実装を参照して、第１の態様の第８の可能な実装では、前記第１装置により、前記第１装置の前記アンテナ数及び前記第１装置のアンテナ偏波方向に基づき、前記トレーニングフィールド内の各ｅＢＲＰ−ＣＥサブフィールドを構成するグレイコードの数及び前記トレーニングフィールド内の各ｅＢＲＰ−ＴＲＮサブフィールドを構成するグレイコードの数を決定する前記ステップは、前記第１装置の前記アンテナ数が１又は２であり、且つ前記第１装置のアンテナが同一偏波アンテナであるとき、前記第１装置により、前記トレーニングフィールド内の各ｅＢＲＰ−ＣＥサブフィールドが５×Ｃ２個のグレイコードで構成されると決定し、前記トレーニングフィールド内の各ｅＢＲＰ−ＴＲＮサブフィールドが５個のグレイコードで構成されると決定するステップ、前記第１装置の前記アンテナ数が３又は４であり、且つ前記第１装置のアンテナが同一偏波アンテナであるとき、前記第１装置により、前記トレーニングフィールド内の各ｅＢＲＰ−ＣＥサブフィールドが９×Ｃ２個のグレイコードで構成されると決定し、前記第１装置により、前記トレーニングフィールド内の各ｅＢＲＰ−ＴＲＮサブフィールドが１０×Ｃ２個のグレイコード又は９×Ｃ２個のグレイコードで構成されると決定するステップ、又は、前記第１装置の前記アンテナ数が２又は４であり、且つ前記第１装置のアンテナが交差偏波アンテナであるとき、前記第１装置により、前記トレーニングフィールド内の各ｅＢＲＰ−ＣＥサブフィールドが５×Ｃ２個のグレイコードで構成されると決定し、前記トレーニングフィールド内の各ｅＢＲＰ−ＴＲＮサブフィールドが５×Ｃ２個のグレイコードで構成されると決定するステップであって、Ｃ２＝１又はＣ２は前記第１装置の送信チャネル数により決定される、ステップ、を含む。
【００１５】
第１の態様の第８の可能な実装を参照して、第１の態様の第９の可能な実装では、第１装置により、拡張ビーム調整プロトコルｅＢＲＰパケットのフォーマットを決定する前記ステップは、前記第１装置のアンテナ数が１又は２であるとき、前記第１装置により、前記トレーニングフィールド内の各ｅＢＲＰ−ＣＥサブフィールド及び各ｅＢＲＰ−ＴＲＮサブフィールドの中の各グレイコードの長さが１２８×Ｃ２であると決定するステップ、前記第１装置のアンテナ数が３又は４であり、且つ前記トレーニングフィールド内の前記ｅＢＲＰ−ＴＲＮサブフィールドが１０×Ｃ２個のグレイコードで構成されるとき、前記第１装置により、前記トレーニングフィールド内の前記ｅＢＲＰ−ＣＥサブフィールドの中の各グレイコードの長さが１２８×Ｃ１であると決定し、前記トレーニングフィールド内の前記ｅＢＲＰ−ＴＲＮサブフィールドの中の各グレイコードの長さが１２８×Ｃ１又は６４×Ｃ１であると決定するステップ、前記第１装置のアンテナ数が３又は４であり、且つ前記トレーニングフィールド内の前記ｅＢＲＰ−ＴＲＮサブフィールドが９×Ｃ２個のグレイコードで構成されるとき、前記第１装置により、前記トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップ、又は、前記第１装置のアンテナ数が４であり、且つ前記トレーニングフィールド内の前記ｅＢＲＰ−ＴＲＮサブフィールドが５×Ｃ２個のグレイコードで構成されるとき、前記第１装置により、前記トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップであって、Ｃ２＝１のとき、Ｃ１は前記第１装置の前記送信チャネル数により決定される、又はＣ２が前記第１装置の前記送信チャネル数により決定されるとき、Ｃ１＝１である、ステップ、を含む。この方法では、アンテナ数が１又は２のとき、ｅＢＲＰ−ＣＥサブフィールドにより占有される時間は、ＩＥＥＥ８０２．１１ａｄ規格においてＣＥサブフィールドにより占有される時間より少ない。このように、トレーニングフィールド内のｅＢＲＰ−ＣＥサブフィールドにより占有される時間の、トレーニングフィールド内のｅＢＲＰ−ＴＲＮサブフィールドにより占有される時間に対する比は低減される。言い換えると、より多くのｅＢＲＰ−ＴＲＮサブフィールドが同じ時間期間内で送信できる。したがって、より多くのビームがトレーニングでき、トレーニング効率が向上する。アンテナ数が３又は４のとき、ＩＥＥＥ８０２．１１ａｄにおけるＴＲＮサブフィールドより短いシーケンス長、つまり１２８／２＝６４がｅＢＲＰ−ＴＲＮのために使用される。さらに、直交マスクの各コードワード内に少なくとも１対のグレイコード相補シーケンスが存在する。この方法では、トレーニング効率が向上され、ビームトレーニング測定の正確さが保証できる。
【００１６】
第１の態様又は第１の態様の可能な実装のうちのいずれか１つを参照して、第１の態様の第１０の可能な実装では、前記トレーニングフィールドは、ｅＢＲＰビーム調整自動利得制御ｅＢＲＰ−ＡＧＣフィールドを更に含み、第１装置により、拡張ビーム調整プロトコルｅＢＲＰパケットのフォーマットを決定する前記ステップは、前記第１装置により、前記トレーニングフィールドがＫ個のＡＧＣ−ＴＲＮサブフィールドグループを含むと決定するステップであって、各ＡＧＣ−ＴＲＮサブフィールドグループに含まれるｅＢＲＰ−ＡＧＣサブフィールド及びｅＢＲＰ−ＴＲＮサブフィールドの数は同じであり、各ＡＧＣ−ＴＲＮサブフィールドグループ内の前記ｅＢＲＰ−ＡＧＣサブフィールド及び前記ｅＢＲＰ−ＴＲＮサブフィールドは同じアンテナ重みベクトルＡＷＶグループを用い、前記ｅＢＲＰ−ＡＧＣサブフィールドは各ＡＧＣ−ＴＲＮサブフィールドグループ内で前記ｅＢＲＰ−ＴＲＮサブフィールドの前に位置し、Ｋは１以上の正整数である、ステップを更に含む。Ｋ＞１のとき、受信機は、各ＡＧＣ−ＴＲＮサブフィールドグループにおいて適切な受信機利得を推定して良い。したがって、より大きな受信機ダイナミックレンジが得られる。これは、異なるＡＷＶ構成でチャネル情報を測定することを助ける。さらに、数ＫがｅＢＲＰ−ＴＲＮサブフィールドの数と同じとき、各ｅＢＲＰ−ＡＧＣサブフィールドは、ｅＢＲＰ−ＴＲＮサブフィールドに隣接し、それによりＡＷＶの変化する回数を低減する。ＡＷＶの変化する回数の低減は、ＡＷＶ構成で測定のために使用できない時間の低減を伴う。したがって、異なるＡＷＶ構成に対応する大きさ及び位相を決定するために、より多くの時間が利用可能になり得る。それにより、正確なビームを決定するのを助ける。
【００１７】
第１の態様又は第１の態様の可能な実装のうちのいずれか１つを参照して、第１の態様の第１１の可能な実装では、前記方法は、前記第１装置により、前記第２装置へトレーニングフィールド構成情報を送信するステップであって、前記トレーニングフィールド構成情報は、前記ｅＢＲＰパケット内で前記トレーニングフィールドのフォーマットを示すために使用され、前記トレーニングフィールド構成情報は、ビーム調整プロトコル要求フィールド、ビーム調整要素、又は前記拡張ビーム調整プロトコルパケット内のヘッダフィールドのうちの１又は複数により伝達される、ステップを更に含む。この方法では、第１装置は、第２装置がトレーニングフィールドのフォーマットに基づきビームトレーニングを実行できるように、第２装置にトレーニングフィールドのフォーマットを通知できる。
【００１８】
第２の態様によると、本発明の一実施形態は、ビーム調整方法であって、前記方法は、第１装置により、拡張ビーム調整プロトコルｅＢＲＰパケットのフォーマットを決定するステップであって、前記ｅＢＲＰパケットはトレーニングフィールドを含み、前記トレーニングフィールドはｅＢＲＰビーム調整自動利得制御ｅＢＲＰ−ＡＧＣフィールド及びｅＢＲＰビーム調整トレーニングｅＢＲＰ−ＴＲＮサブフィールドで構成される、ステップと、前記第１装置により、前記ｅＢＲＰパケットの前記決定したフォーマットに基づき、第２装置へ前記ｅＢＲＰパケットを送信するステップと、を含む方法を提供する。前述の技術的ソリューションでは、トレーニングフィールドはｅＢＲＰ−ＣＥサブフィールドを含まないので、トレーニングフィールド内のｅＢＲＰ−ＴＲＮサブフィールドの効果的な比率が増大され、同じ時間期間内でより多くのＡＷＶ構成を試みることができる。
【００１９】
第２の態様を参照して、第２の態様の第１の可能な実装では、第１装置により、拡張ビーム調整プロトコルｅＢＲＰパケットのフォーマットを決定する前記ステップは、前記第１装置のアンテナ数が１又は２であり、且つ前記第１装置のアンテナが同一偏波アンテナであるとき、前記第１装置により、前記トレーニングフィールド内の各ｅＢＲＰ−ＴＲＮサブフィールドが、長さが１２８×Ｃ１である５×Ｃ２個のグレイコードで構成されると決定するステップ、前記第１装置のアンテナ数が３又は４であり、且つ前記第１装置のアンテナが同一偏波アンテナであるとき、前記第１装置により、前記トレーニングフィールド内の各ｅＢＲＰ−ＴＲＮサブフィールドが、以下のフォーマット：長さが６４×Ｃ１である１０×Ｃ２個のグレイコード又は長さが１２８×Ｃ１である９×Ｃ２個のグレイコードのうちのいずれか１つであると決定するステップ、又は、前記第１装置のアンテナ数が２又は４であり、且つ前記第１装置のアンテナが交差偏波アンテナであるとき、前記第１装置により、前記トレーニングフィールド内の各ｅＢＲＰ−ＴＲＮサブフィールドが、長さが１２８×Ｃ１である５×Ｃ２個のグレイコードで構成されると決定するステップであって、Ｃ２＝１のとき、Ｃ１は前記第１装置の送信チャネル数により決定される、又は、Ｃ２が前記第１装置の送信チャネル数により決定されるとき、Ｃ１＝１である、ステップ、を含む。この方法では、アンテナ数が１又は２のとき、ｅＢＲＰ−ＣＥサブフィールドにより占有される時間は、ＩＥＥＥ８０２．１１ａｄ規格においてＣＥサブフィールドにより占有される時間より少ない。このように、トレーニングフィールド内のｅＢＲＰ−ＣＥサブフィールドにより占有される時間の、トレーニングフィールド内のｅＢＲＰ−ＴＲＮサブフィールドにより占有される時間に対する比は低減される。言い換えると、より多くのｅＢＲＰ−ＴＲＮサブフィールドが同じ時間期間内で送信できる。したがって、より多くのビームがトレーニングでき、トレーニング効率が向上する。アンテナ数が３又は４のとき、ＩＥＥＥ８０２．１１ａｄにおけるＴＲＮサブフィールドより短いシーケンス長、つまり１２８／２＝６４がｅＢＲＰ−ＴＲＮのために使用できる。さらに、直交マスクの各コードワード内に少なくとも１対のグレイコード相補シーケンスが存在する。この方法では、トレーニング効率が向上され、ビームトレーニング測定の正確さが保証できる。
【００２０】
第２の態様又は第２の態様の第１の可能な実装を参照して、第２の態様の第２の可能な実装では、第１装置により、拡張ビーム調整プロトコルｅＢＲＰパケットのフォーマットを決定する前記ステップは、前記第１装置により、前記トレーニングフィールドがＫ個のＡＧＣ−ＴＲＮサブフィールドグループを含むと決定するステップであって、各ＡＧＣ−ＴＲＮサブフィールドグループに含まれるｅＢＲＰ−ＡＧＣサブフィールド及びｅＢＲＰ−ＴＲＮサブフィールドの数は同じであり、各ＡＧＣ−ＴＲＮサブフィールドグループ内の前記ｅＢＲＰ−ＡＧＣサブフィールド及び前記ｅＢＲＰ−ＴＲＮサブフィールドは同じアンテナ重みベクトルＡＷＶグループを用い、前記ｅＢＲＰ−ＡＧＣサブフィールドは各ＡＧＣ−ＴＲＮサブフィールドグループ内で前記ｅＢＲＰ−ＴＲＮサブフィールドの前に位置し、Ｋは１以上の正整数である、ステップを含む。Ｋ＞１のとき、受信機は、各ＡＧＣ−ＴＲＮサブフィールドグループにおいて適切な受信機利得を推定して良い。したがって、より大きな受信機ダイナミックレンジが得られる。これは、異なるＡＷＶ構成でチャネル情報を測定することを助ける。さらに、数ＫがｅＢＲＰ−ＴＲＮサブフィールドの数と同じとき、各ｅＢＲＰ−ＡＧＣサブフィールドは、ｅＢＲＰ−ＴＲＮサブフィールドに隣接し、それによりＡＷＶの変化する回数を低減する。ＡＷＶの変化する回数の低減は、ＡＷＶ構成で測定のために使用できない時間の低減を伴う。したがって、異なるＡＷＶ構成に対応する大きさ及び位相を決定するために、より多くの時間が利用可能になり得る。それにより、正確なビームを決定するのを助ける。
【００２１】
第２の態様の第１の可能な実装を参照して、第２の態様の第３の可能な実装では、Ｋ個のＡＧＣ−ＴＲＮサブフィールドグループの各々は１個のｅＢＲＰ−ＡＧＣサブフィールド及び１個のｅＢＲＰ−ＴＲＮサブフィールドを含む。このように、ＡＷＶ変化回数は低減できる。ＡＷＶの変化する回数の低減は、ＡＷＶ構成で測定のために使用できない時間の低減を伴う。これは、ｅＢＲＰ−ＴＲＮのための効果的な測定時間の拡張される場合と等価である。したがって、異なるＡＷＶ構成に対応する大きさ及び位相を決定するために、より多くの時間が利用可能になり得る。それにより、正確なビームを決定するのを助ける。
【００２２】
第２の態様の第３の可能な実装を参照して、第２の態様の第４の可能な実装では、各ｅＢＲＰ−ＡＧＣサブフィールドは、長さが６４×Ｃ１のＴ個のグレイコードで構成され、Ｔは５×Ｃ２以上且つ９×Ｃ２以下の正整数であり、又は、各ｅＢＲＰ−ＡＧＣサブフィールドは、長さが１２８×Ｃ１の３×Ｃ２個又は４×Ｃ２個のグレイコードで構成され、Ｃ２＝１のとき、Ｃ１は第１装置の送信チャネル数により決定される、又は、Ｃ２が第１装置の送信チャネル数により決定されるとき、Ｃ１＝１である。この方法では、ｅＢＲＰ−ＡＧＣサブフィールドは、送信機と受信機との間の時間及び周波数同期を維持するために使用できる。
【００２３】
第２の態様又は第２の態様の可能な実装のうちのいずれか１つを参照して、第２の態様の第５の可能な実装では、前記方法は、前記第１装置により、前記第２装置へトレーニングフィールド構成情報を送信するステップであって、前記トレーニングフィールド構成情報は、前記ｅＢＲＰパケット内で前記トレーニングフィールドのフォーマットを示すために使用され、前記トレーニングフィールド構成情報は、ビーム調整プロトコル要求フィールド、ビーム調整要素、又は前記拡張ビーム調整プロトコルパケット内のヘッダフィールドのうちの任意の１又は複数により伝達される、ステップを更に含む。この方法では、第１装置は、第２装置がトレーニングフィールドのフォーマットに基づきビームトレーニングを実行できるように、第２装置にトレーニングフィールドのフォーマットを通知できる。
【００２４】
第３の態様によると、本発明の一実施形態は、ビーム調整方法であって、前記方法は、第１装置により、拡張ビーム調整プロトコルｅＢＲＰパケットのフォーマットを決定するステップであって、前記ｅＢＲＰパケットはトレーニングフィールドを含み、前記トレーニングフィールドはｅＢＲＰチャネル推定ｅＢＲＰ−ＣＥサブフィールド及びｅＢＲＰビーム調整トレーニングｅＢＲＰ−ＴＲＮサブフィールドを含み、前記第１装置により、前記ｅＢＲＰパケットのフォーマットを決定する前記ステップは、前記第１装置のアンテナ数が１を超えるとき、前記第１装置により、前記ｅＢＲＰ−ＣＥサブフィールド及び前記ｅＢＲＰ−ＴＲＮサブフィールドの直交マスクの各コードワードの中に少なくとも１対のグレイコード相補シーケンスが存在すると決定するステップと、前記第１装置により、前記ｅＢＲＰパケットの決定されたフォーマットに基づき、第２装置へ前記ｅＢＲＰパケットを送信するステップと、を含む方法を提供する。この方法では、直交マスクは、異なる送信アンテナを用いて送信されるｅＢＲＰ−ＴＲＮのために使用され、複数のアンテナが同時にトレーニングできるようにし、ビームトレーニング効率も向上する。
【００２５】
第３の態様を参照して、第３の態様の第１の可能な実装では、前記トレーニングフィールド内の前記ｅＢＲＰ−ＣＥサブフィールドを構成するグレイコードの数の前記トレーニングフィールド内の前記ｅＢＲＰ−ＴＲＮサブフィールドを構成するグレイコードの数に対する比は、９：２０未満である。この方法では、トレーニングフィールド内のｅＢＲＰ−ＴＲＮサブフィールドの効果的な比率が増大され、同じ時間期間内でより多くのＡＷＶ構成を試みることができる。
【００２６】
第３の態様の第１の可能な実装を参照して、第３の態様の第２の可能な実装では、第１装置により、拡張ビーム調整プロトコルｅＢＲＰパケットのフォーマットを決定する前記ステップは、前記第１装置により、前記トレーニングフィールド内の前記ｅＢＲＰ−ＣＥサブフィールドの数の前記トレーニングフィールド内の前記ｅＢＲＰ−ＴＲＮサブフィールドの数に対する比が１：４以下であることを決定するステップであって、前記トレーニングフィールド内の前記ｅＢＲＰ−ＣＥサブフィールドの数の前記トレーニングフィールド内の前記ｅＢＲＰ−ＴＲＮサブフィールドの数に対する比が１：４に等しいとき、前記トレーニングフィールド内の各ｅＢＲＰ−ＣＥサブフィールドを構成するグレイコードの数の前記トレーニングフィールド内の各ｅＢＲＰ−ＴＲＮサブフィールドを構成するグレイコードの数に対する比は９：５未満である、ステップを含む。この方法では、第１装置は、トレーニングフィールド内のＣＥ長を短縮し、又はトレーニングフィールド内のＣＥの比率を低減する。したがって、より多くのビームがトレーニングでき、トレーニング効率が向上する。
【００２７】
第３の態様の第１の可能な実装を参照して、第１の態様の第３の可能な実装では、第１装置により、拡張ビーム調整プロトコルｅＢＲＰパケットのフォーマットを決定する前記ステップは、前記第１装置により、データフィールドの変調及び符号化方式レベルに基づき、前記トレーニングフィールド内の前記ｅＢＲＰ−ＣＥサブフィールドを構成するグレイコードの数の前記トレーニングフィールド内の前記ｅＢＲＰ−ＴＲＮサブフィールドを構成するグレイコードの数に対する比を決定するステップを含む。
【００２８】
第３の態様の第１の可能な実装を参照して、第３の態様の第４の可能な実装では、第１装置により、拡張ビーム調整プロトコルｅＢＲＰパケットのフォーマットを決定する前記ステップは、前記第１装置により、送信チャネル数Ｃを決定し、前記トレーニングフィールド内の各ｅＢＲＰ−ＣＥサブフィールドがＣ×Ｓ個のグレイコードで構成されると決定するステップであって、Ｓは９未満の正整数であり、Ｃは前記第１装置の前記送信チャネル数により決定される、ステップ、前記第１装置により、送信チャネル数Ｃを決定し、前記トレーニングフィールド内の前記ｅＢＲＰ−ＣＥサブフィールドが第１ｅＢＲＰ−ＣＥサブフィールド及び第２ｅＢＲＰ−ＣＥサブフィールドを含むと決定するステップであって、各第１ｅＢＲＰ−ＣＥサブフィールドはＣ×Ｓ個のグレイコードで構成され、各第２ｅＢＲＰ−ＣＥサブフィールドは９個のグレイコードで構成され、Ｓは９未満の正整数であり、Ｃは１以上の正整数である、ステップ、又は、前記第１装置により、送信チャネル数Ｃを決定し、前記トレーニングフィールド内の各ｅＢＲＰ−ＣＥサブフィールドがＣ×９個のグレイコードで構成されると決定し、前記第１装置により、前記トレーニングフィールド内のｅＢＲＰ−ＣＥサブフィールドの数Ｎ、前記トレーニングフィールド内のｅＢＲＰ−ＴＲＮサブフィールドの数Ｍ、及び前記トレーニングフィールド内の各ｅＢＲＰ−ＴＲＮサブフィールドを構成するグレイコードの数Ｙが以下の式：９×Ｃ×Ｎ：Ｙ×Ｍ＜９：２０を満たすことを決定するステップ、を含む。この方法では、第１装置はトレーニングフィールド内のＣＥ長を短縮する。したがって、より多くのビームがトレーニングでき、トレーニング効率が向上する。
【００２９】
第３の態様の第１の可能な実装を参照して、第３の態様の第５の可能な実装では、第１装置により、拡張ビーム調整プロトコルｅＢＲＰパケットのフォーマットを決定するステップは、前記第１装置により、送信チャネル数Ｃを決定し、前記トレーニングフィールド内の各ｅＢＲＰ−ＴＲＮサブフィールドがＣ×Ｙ個のグレイコードで構成されると決定するステップであって、Ｙは５以上の正整数であり、Ｃは１以上の正整数であり、Ｙが５に等しい正整数であるとき、前記トレーニングフィールド内のｅＢＲＰ−ＣＥサブフィールドの数Ｎ、前記トレーニングフィールド内の各ｅＢＲＰ−ＣＥサブフィールドの数Ｘ、及び前記トレーニングフィールド内のｅＢＲＰ−ＴＲＮサブフィールドの数Ｍは以下の式：Ｘ×Ｎ：５×Ｃ×Ｍ＜９：２０を満たす、ステップを含む。この方法では、第１装置はトレーニングフィールド内のＴＲＮ長を拡張する。したがって、より多くのビームがトレーニングでき、トレーニング効率が向上する。
【００３０】
第３の態様の第２の可能な実装を参照して、第３の態様の第６の可能な実装では、第１装置により、拡張ビーム調整プロトコルパケットｅＢＲＰパケットのフォーマットを決定する前記ステップは、前記第１装置により、前記トレーニングフィールド内の各ｅＢＲＰ−ＣＥサブフィールド及び各ｅＢＲＰ−ＴＲＮサブフィールド内の各グレイコードの長さが１２８×Ｃ１であると決定するステップ、前記トレーニングフィールド内のｅＢＲＰ−ＣＥサブフィールドの数の前記トレーニングフィールド内のｅＢＲＰ−ＴＲＮサブフィールドの数に対する比が１：４未満であるとき、前記第１装置により、前記トレーニングフィールド内の各ｅＢＲＰ−ＣＥサブフィールドが９×Ｃ２個のグレイコードで構成されると決定し、前記第１装置により、前記トレーニングフィールド内の各ｅＢＲＰ−ＴＲＮサブフィールドが５×Ｃ２個のグレイコードで構成されると決定するステップ、前記トレーニングフィールド内のｅＢＲＰ−ＣＥサブフィールドの数の前記トレーニングフィールド内のｅＢＲＰ−ＴＲＮサブフィールドの数に対する比が１：４に等しいとき、前記第１装置により、前記トレーニングフィールド内の各ｅＢＲＰ−ＣＥサブフィールドが５×Ｃ２個のグレイコードで構成されると決定し、前記第１装置により、前記トレーニングフィールド内の各ｅＢＲＰ−ＴＲＮサブフィールドが５×Ｃ２個のグレイコードで構成されると決定するステップ、又は、前記トレーニングフィールド内のｅＢＲＰ−ＣＥサブフィールドの数の前記トレーニングフィールド内のｅＢＲＰ−ＴＲＮサブフィールドの数に対する比が１：４に等しいとき、前記第１装置により、前記トレーニングフィールド内の前記ｅＢＲＰ−ＣＥサブフィールドが第１ｅＢＲＰ−ＣＥサブフィールド及び第２ｅＢＲＰ−ＣＥサブフィールドを含むと決定し、各第１ｅＢＲＰ−ＣＥサブフィールドは５×Ｃ２個のグレイコードで構成され、各第２ｅＢＲＰ−ＣＥサブフィールドは９×Ｃ２個のグレイコードで構成され、前記第１装置により、前記トレーニングフィールド内の各ｅＢＲＰ−ＴＲＮサブフィールドは５×Ｃ２個のグレイコードで構成されると決定し、Ｃ１＝１のとき、Ｃ２は前記第１装置の送信チャネル数により決定される、又は、Ｃ２＝１のとき、Ｃ１は前記第１装置の送信チャネル数により決定される、ステップ、を含む。前記トレーニングフィールド内のｅＢＲＰ−ＣＥサブフィールドの数の前記トレーニングフィールド内のｅＢＲＰ−ＴＲＮサブフィールドの数に対する比が１：４未満のとき、前記ｅＢＲＰ−ＣＥサブフィールドのフォーマットは、ＩＥＥＥ８０２．１１ａｄにおけるＣＥサブフィールドのフォーマットと同じであり、前記ｅＢＲＰ−ＴＲＮサブフィールドのフォーマットは、ＩＥＥＥ８０２．１１ａｄにおけるＴＲＮサブフィールドのフォーマットと同じである。この方法では、ＩＥＥＥ８０２．１１ａｄとの互換性が保たれる。前記トレーニングフィールド内のｅＢＲＰ−ＣＥサブフィールドの数の前記トレーニングフィールド内のｅＢＲＰ−ＴＲＮサブフィールドの数に対する比が１：４に等しいとき、前記ｅＢＲＰ−ＣＥサブフィールドのうちの全部又は一部の長さは、ＩＥＥＥ８０２．１１ａｄにおけるＣＥサブフィールド��長さより短い。したがって、トレーニングフィールド内のｅＢＲＰ−ＴＲＮサブフィールドの効果的な比率が増大できる。
【００３１】
第３の態様又は第３の態様の可能な実装のいずれか１つを参照して、第３の態様の第７の可能な実装では、第１装置により、拡張ビーム調整プロトコルｅＢＲＰパケットのフォーマットを決定する前記ステップは、前記第１装置により、前記第１装置の前記アンテナ数及び前記第１装置のアンテナ偏波方向に基づき、前記トレーニングフィールド内の各ｅＢＲＰ−ＣＥサブフィールドを構成するグレイコードの数の前記トレーニングフィールド内の各ｅＢＲＰ−ＴＲＮサブフィールドを構成するグレイコードの数に対する比を決定するステップを含む。
【００３２】
第３の態様の第７の可能な実装を参照して、第３の態様の第８の可能な実装では、前記第１装置により、前記第１装置の前記アンテナ数及び前記第１装置のアンテナ偏波方向に基づき、前記トレーニングフィールド内の各ｅＢＲＰ−ＣＥサブフィールドを構成するグレイコードの数及び前記トレーニングフィールド内の各ｅＢＲＰ−ＴＲＮサブフィールドを構成するグレイコードの数を決定する前記ステップは、前記第１装置の前記アンテナ数が１又は２であり、且つ前記第１装置のアンテナが同一偏波アンテナであるとき、前記第１装置により、前記トレーニングフィールド内の各ｅＢＲＰ−ＣＥサブフィールドが５×Ｃ２個のグレイコードで構成されると決定し、前記トレーニングフィールド内の各ｅＢＲＰ−ＴＲＮサブフィールドが５個のグレイコードで構成されると決定するステップ、前記第１装置の前記アンテナ数が３又は４であり、且つ前記第１装置のアンテナが同一偏波アンテナであるとき、前記第１装置により、前記トレーニングフィールド内の各ｅＢＲＰ−ＣＥサブフィールドが９×Ｃ２個のグレイコードで構成されると決定し、前記第１装置により、前記トレーニングフィールド内の各ｅＢＲＰ−ＴＲＮサブフィールドが１０×Ｃ２個のグレイコード又は９×Ｃ２個のグレイコードで構成されると決定するステップ、又は、前記第１装置の前記アンテナ数が２又は４であり、且つ前記第１装置のアンテナが交差偏波アンテナであるとき、前記第１装置により、前記トレーニングフィールド内の各ｅＢＲＰ−ＣＥサブフィールドが５×Ｃ２個のグレイコードで構成されると決定し、前記トレーニングフィールド内の各ｅＢＲＰ−ＴＲＮサブフィールドが５×Ｃ２個のグレイコードで構成されると決定するステップであって、Ｃ２＝１又はＣ２は前記第１装置の送信チャネル数により決定される、ステップ、を含む。
【００３３】
第３の態様の第８の可能な実装を参照して、第３の態様の第９の可能な実装では、第１装置により、拡張ビーム調整プロトコルｅＢＲＰパケットのフォーマットを決定する前記ステップは、前記第１装置のアンテナ数が１又は２であるとき、前記第１装置により、前記トレーニングフィールド内の各ｅＢＲＰ−ＣＥサブフィールド及び各ｅＢＲＰ−ＴＲＮサブフィールドの中の各グレイコードの長さが１２８×Ｃ２であると決定するステップ、前記第１装置のアンテナ数が３又は４であり、且つ前記トレーニングフィールド内の前記ｅＢＲＰ−ＴＲＮサブフィールドが１０×Ｃ２個のグレイコードで構成されるとき、前記第１装置により、前記トレーニングフィールド内の前記ｅＢＲＰ−ＣＥサブフィールドの中の各グレイコードの長さが１２８×Ｃ１であると決定し、前記トレーニングフィールド内の前記ｅＢＲＰ−ＴＲＮサブフィールドの中の各グレイコードの長さが１２８×Ｃ１又は６４×Ｃ１であると決定するステップ、前記第１装置のアンテナ数が３又は４であり、且つ前記トレーニングフィールド内の前記ｅＢＲＰ−ＴＲＮサブフィールドが９×Ｃ２個のグレイコードで構成されるとき、前記第１装置により、前記トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップ、又は、前記第１装置のアンテナ数が４であり、且つ前記トレーニングフィールド内の前記ｅＢＲＰ−ＴＲＮサブフィールドが５×Ｃ２個のグレイコードで構成されるとき、前記第１装置により、前記トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップであって、Ｃ２＝１のとき、Ｃ１は前記第１装置の前記送信チャネル数により決定される、又はＣ２が前記第１装置の前記送信チャネル数により決定されるとき、Ｃ１＝１である、ステップ、を含む。この方法では、アンテナ数が１又は２のとき、ｅＢＲＰ−ＣＥサブフィールドにより占有される時間は、ＩＥＥＥ８０２．１１ａｄ規格においてＣＥサブフィールドにより占有される時間より少ない。このように、トレーニングフィールド内のｅＢＲＰ−ＣＥサブフィールドにより占有される時間の、トレーニングフィールド内のｅＢＲＰ−ＴＲＮサブフィールドにより占有される時間に対する比は低減される。言い換えると、より多くのｅＢＲＰ−ＴＲＮサブフィールドが同じ時間期間内で送信できる。したがって、より多くのビームがトレーニングでき、トレーニング効率が向上する。アンテナ数が３又は４のとき、ＩＥＥＥ８０２．１１ａｄにおけるＴＲＮサブフィールドより短いシーケンス長、つまり１２８／２＝６４がｅＢＲＰ−ＴＲＮのために使用される。さらに、直交マスクの各コードワード内に少なくとも１対のグレイコード相補シーケンスが存在する。この方法では、トレーニング効率が向上され、ビームトレーニング測定の正確さが保証できる。
【００３４】
第３の態様又は第３の態様の可能な実装のうちのいずれか１つを参照して、第３の態様の第１０の可能な実装では、前記トレーニングフィールドは、ｅＢＲＰビーム調整自動利得制御ｅＢＲＰ−ＡＧＣフィールドを更に含み、第１装置により、拡張ビーム調整プロトコルｅＢＲＰパケットのフォーマットを決定する前記ステップは、前記第１装置により、前記トレーニングフィールドがＫ個のＡＧＣ−ＴＲＮサブフィールドグループを含むと決定するステップであって、各ＡＧＣ−ＴＲＮサブフィールドグループに含まれるｅＢＲＰ−ＡＧＣサブフィールド及びｅＢＲＰ−ＴＲＮサブフィールドの数は同じであり、各ＡＧＣ−ＴＲＮサブフィールドグループ内の前記ｅＢＲＰ−ＡＧＣサブフィールド及び前記ｅＢＲＰ−ＴＲＮサブフィールドは同じアンテナ重みベクトルＡＷＶグループを用い、前記ｅＢＲＰ−ＡＧＣサブフィールドは各ＡＧＣ−ＴＲＮサブフィールドグループ内で前記ｅＢＲＰ−ＴＲＮサブフィールドの前に位置し、Ｋは１以上の正整数である、ステップを更に含む。Ｋ＞１のとき、受信機は、各ＡＧＣ−ＴＲＮサブフィールドグループにおいて適切な受信機利得を推定して良い。したがって、より大きな受信機ダイナミックレンジが得られる。これは、異なるＡＷＶ構成でチャネル情報を測定することを助ける。さらに、数ＫがｅＢＲＰ−ＴＲＮサブフィールドの数と同じとき、各ｅＢＲＰ−ＡＧＣサブフィールドは、ｅＢＲＰ−ＴＲＮサブフィールドに隣接し、それによりＡＷＶの変化する回数を低減する。ＡＷＶの変化する回数の低減は、ＡＷＶ構成で測定のために使用できない時間の低減を伴う。したがって、異なるＡＷＶ構成に対応する大きさ及び位相を決定するために、より多くの時間が利用可能になり得る。それにより、正確なビームを決定するのを助ける。
【００３５】
第３の態様又は第３の態様の可能な実装のうちのいずれか１つを参照して、第３の態様の第１１の可能な実装では、前記方法は、前記第１装置により、前記第２装置へトレーニングフィールド構成情報を送信するステップであって、前記トレーニングフィールド構成情報は、前記ｅＢＲＰパケット内で前記トレーニングフィールドのフォーマットを示すために使用され、前記トレーニングフィールド構成情報は、ビーム調整プロトコル要求フィールド、ビーム調整要素、又は前記拡張ビーム調整プロトコルパケット内のヘッダフィールドのうちの１又は複数により伝達される、ステップを更に含む。この方法では、第１装置は、第２装置がトレーニングフィールドのフォーマットに基づきビームトレーニングを実行できるように、第２装置にトレーニングフィールドのフォーマットを通知できる。
【００３６】
第４の態様によると、本発明の一実施形態は、ビーム調整方法であって、前記方法は、第１装置により、拡張ビーム調整プロトコルｅＢＲＰパケットのフォーマットを決定するステップであって、前記ｅＢＲＰパケットはトレーニングフィールドを含み、前記トレーニングフィールドはｅＢＲＰビーム調整自動利得制御ｅＢＲＰ−ＡＧＣフィールドを含む、ステップであって、第１装置により、拡張ビーム調整プロトコルｅＢＲＰパケットのフォーマットを決定する前記ステップは、前記第１装置により、前記トレーニングフィールドがＫ個のビーム調整自動利得制御−ビーム調整トレーニングＡＧＣ−ＴＲＮサブフィールドグループを含むと決定するステップを含み、各ＡＧＣ−ＴＲＮサブフィールドグループに含まれるｅＢＲＰ−ＡＧＣサブフィールド及びｅＢＲＰビーム調整トレーニングｅＢＲＰ−ＴＲＮサブフィールドの数は同じであり、各ＡＧＣ−ＴＲＮサブフィールドグループ内の前記ｅＢＲＰ−ＡＧＣサブフィールド及び前記ｅＢＲＰ−ＴＲＮサブフィールドは同じアンテナ重みベクトルＡＷＶグループを用い、前記ｅＢＲＰ−ＡＧＣサブフィールドは、各ＡＧＣ−ＴＲＮサブフィールドグループの中で前記ｅＢＲＰ−ＴＲＮサブフィールドの前に位置し、Ｋは１より大きい正整数である、ステップと、前記第１装置により、前記ｅＢＲＰパケットの前記決定したフォーマットに基づき、第２装置へ前記ｅＢＲＰパケットを送信するステップと、を含む方法を提供する。上述の技術的ソリューションによると、受信機は、各ＡＧＣ−ＴＲＮサブフィールドグループにおいて適切な受信機利得を推定して良い。したがって、より大きな受信機ダイナミックレンジが得られる。これは、異なるＡＷＶ構成でチャネル情報を測定することを助ける。さらに、数ＫがｅＢＲＰ−ＴＲＮサブフィールドの数と同じとき、各ｅＢＲＰ−ＡＧＣサブフィールドは、ｅＢＲＰ−ＴＲＮサブフィールドに隣接し、それによりＡＷＶの変化する回数を低減する。ＡＷＶの変化する回数の低減は、ＡＷＶ構成で測定のために使用できない時間の低減を伴う。したがって、異なるＡＷＶ構成に対応する大きさ及び位相を決定するために、より多くの時間が利用可能になり得る。それにより、正確なビームを決定するのを助ける。
【００３７】
第４の態様を参照して、第４の態様の第１の可能な実装では、Ｋ個のＡＧＣ−ＴＲＮサブフィールドグループのうちの任意の２つに含まれるｅＢＲＰ−ＡＧＣサブフィールドの数は同じである。
【００３８】
第４の態様又は第４の態様の第１の可能な実装を参照して、第４の態様の第２の可能な実装では、前記トレーニングフィールド内の前記ｅＢＲＰ−ＣＥサブフィールドを構成するグレイコードの数の前記トレーニングフィールド内の前記ｅＢＲＰ−ＴＲＮサブフィールドを構成するグレイコードの数に対する比は、９：２０未満であり、前記第１装置は、前記ｅＢＲＰパケットの前記決定されたフォーマットに基づき、前記第２装置へ前記ｅＢＲＰパケットを送信する。この方法では、トレーニングフィールド内のｅＢＲＰ−ＴＲＮサブフィールドの効果的な比率が増大され、同じ時間期間内でより多くのＡＷＶ構成を試みることができる。
【００３９】
第４の態様の第２の可能な実装を参照して、第４の態様の第３の可能な実装では、第１装置により、拡張ビーム調整プロトコルｅＢＲＰパケットのフォーマットを決定する前記ステップは、前記第１装置により、前記トレーニングフィールド内の前記ｅＢＲＰ−ＣＥサブフィールドの数の前記トレーニングフィールド内の前記ｅＢＲＰ−ＴＲＮサブフィールドの数に対する比が１：４以下であることを決定するステップであって、前記トレーニングフィールド内の前記ｅＢＲＰ−ＣＥサブフィールドの数の前記トレーニングフィールド内の前記ｅＢＲＰ−ＴＲＮサブフィールドの数に対する比が１：４に等しいとき、前記トレーニングフィールド内の各ｅＢＲＰ−ＣＥサブフィールドを構成するグレイコードの数の前記トレーニングフィールド内の各ｅＢＲＰ−ＴＲＮサブフィールドを構成するグレイコードの数に対する比は９：５未満である、ステップを含む。この方法では、第１装置は、トレーニングフィールド内のＣＥ長を短縮し、又はトレーニングフィールド内のＣＥの比率を低減する。したがって、より多くのビームがトレーニングでき、トレーニング効率が向上する。
【００４０】
第４の態様の第２の可能な実装を参照して、第４の態様の第４の可能な実装では、第１装置により、拡張ビーム調整プロトコルｅＢＲＰパケットのフォーマットを決定する前記ステップは、前記第１装置により、データフィールドの変調及び符号化方式レベルに基づき、前記トレーニングフィールド内の前記ｅＢＲＰ−ＣＥサブフィールドを構成するグレイコードの数の前記トレーニングフィールド内の前記ｅＢＲＰ−ＴＲＮサブフィールドを構成するグレイコードの数に対する比を決定するステップを含む。
【００４１】
第４の態様の第２の可能な実装を参照して、第４の態様の第５の可能な実装では、第１装置により、拡張ビーム調整プロトコルｅＢＲＰパケットのフォーマットを決定する前記ステップは、前記第１装置により、送信チャネル数Ｃを決定し、前記トレーニングフィールド内の各ｅＢＲＰ−ＣＥサブフィールドがＣ×Ｓ個のグレイコードで構成されると決定するステップであって、Ｓは９未満の正整数であり、Ｃは前記第１装置の前記送信チャネル数により決定される、ステップ、前記第１装置により、送信チャネル数Ｃを決定し、前記トレーニングフィールド内の前記ｅＢＲＰ−ＣＥサブフィールドが第１ｅＢＲＰ−ＣＥサブフィールド及び第２ｅＢＲＰ−ＣＥサブフィールドを含むと決定するステップであって、各第１ｅＢＲＰ−ＣＥサブフィールドはＣ×Ｓ個のグレイコードで構成され、各第２ｅＢＲＰ−ＣＥサブフィールドは９個のグレイコードで構成され、Ｓは９未満の正整数であり、Ｃは１以上の正整数である、ステップ、又は、前記第１装置により、送信チャネル数Ｃを決定し、前記トレーニングフィールド内の各ｅＢＲＰ−ＣＥサブフィールドがＣ×９個のグレイコードで構成されると決定し、前記第１装置により、前記トレーニングフィールド内のｅＢＲＰ−ＣＥサブフィールドの数Ｎ、前記トレーニングフィールド内のｅＢＲＰ−ＴＲＮサブフィールドの数Ｍ、及び前記トレーニングフィールド内の各ｅＢＲＰ−ＴＲＮサブフィールドを構成するグレイコードの数Ｙが以下の式：９×Ｃ×Ｎ：Ｙ×Ｍ＜９：２０を満たすことを決定するステップ、を含む。この方法では、第１装置はトレーニングフィールド内のＣＥ長を短縮する。したがって、より多くのビームがトレーニングでき、トレーニング効率が向上する。
【００４２】
第４の態様の第２の可能な実装を参照して、第４の態様の第６の可能な実装では、第１装置により、拡張ビーム調整プロトコルｅＢＲＰパケットのフォーマットを決定するステップは、前記第１装置により、送信チャネル数Ｃを決定し、前記トレーニングフィールド内の各ｅＢＲＰ−ＴＲＮサブフィールドがＣ×Ｙ個のグレイコードで構成されると決定するステップであって、Ｙは５以上の正整数であり、Ｃは１以上の正整数であり、Ｙが５に等しい正整数であるとき、前記トレーニングフィールド内のｅＢＲＰ−ＣＥサブフィールドの数Ｎ、前記トレーニングフィールド内の各ｅＢＲＰ−ＣＥサブフィールドの数Ｘ、及び前記トレーニングフィールド内のｅＢＲＰ−ＴＲＮサブフィールドの数Ｍは以下の式：Ｘ×Ｎ：５×Ｃ×Ｍ＜９：２０を満たす、ステップを含む。この方法では、第１装置はトレーニングフィールド内のＴＲＮ長を拡張する。したがって、より多くのビームがトレーニングでき、トレーニング効率が向上する。
【００４３】
第４の態様の第３の可能な実装を参照して、第１の態様の第７の可能な実装では、第１装置により、拡張ビーム調整プロトコルパケットｅＢＲＰパケットのフォーマットを決定する前記ステップは、前記第１装置により、前記トレーニングフィールド内の各ｅＢＲＰ−ＣＥサブフィールド及び各ｅＢＲＰ−ＴＲＮサブフィールド内の各グレイコードの長さが１２８×Ｃ１であると決定するステップ、前記トレーニングフィールド内のｅＢＲＰ−ＣＥサブフィールドの数の前記トレーニングフィールド内のｅＢＲＰ−ＴＲＮサブフィールドの数に対する比が１：４未満であるとき、前記第１装置により、前記トレーニングフィールド内の各ｅＢＲＰ−ＣＥサブフィールドが９×Ｃ２個のグレイコードで構成されると決定し、前記第１装置により、前記トレーニングフィールド内の各ｅＢＲＰ−ＴＲＮサブフィールドが５×Ｃ２個のグレイコードで構成されると決定するステップ、前記トレーニングフィールド内のｅＢＲＰ−ＣＥサブフィールドの数の前記トレーニングフィールド内のｅＢＲＰ−ＴＲＮサブフィールドの数に対する比が１：４に等しいとき、前記第１装置により、前記トレーニングフィールド内の各ｅＢＲＰ−ＣＥサブフィールドが５×Ｃ２個のグレイコードで構成されると決定し、前記第１装置により、前記トレーニングフィールド内の各ｅＢＲＰ−ＴＲＮサブフィールドが５×Ｃ２個のグレイコードで構成されると決定するステップ、又は、前記トレーニングフィールド内のｅＢＲＰ−ＣＥサブフィールドの数の前記トレーニングフィールド内のｅＢＲＰ−ＴＲＮサブフィールドの数に対する比が１：４に等しいとき、前記第１装置により、前記トレーニングフィールド内の前記ｅＢＲＰ−ＣＥサブフィールドが第１ｅＢＲＰ−ＣＥサブフィールド及び第２ｅＢＲＰ−ＣＥサブフィールドを含むと決定し、各第１ｅＢＲＰ−ＣＥサブフィールドは５×Ｃ２個のグレイコードで構成され、各第２ｅＢＲＰ−ＣＥサブフィールドは９×Ｃ２個のグレイコードで構成され、前記第１装置により、前記トレーニングフィールド内の各ｅＢＲＰ−ＴＲＮサブフィールドは５×Ｃ２個のグレイコードで構成されると決定し、Ｃ１＝１のとき、Ｃ２は前記第１装置の送信チャネル数により決定される、又は、Ｃ２＝１のとき、Ｃ１は前記第１装置の送信チャネル数により決定される、ステップ、を含む。前記トレーニングフィールド内のｅＢＲＰ−ＣＥサブフィールドの数の前記トレーニングフィールド内のｅＢＲＰ−ＴＲＮサブフィールドの数に対する比が１：４未満のとき、前記ｅＢＲＰ−ＣＥサブフィールドのフォーマットは、ＩＥＥＥ８０２．１１ａｄにおけるＣＥサブフィールドのフォーマットと同じであり、前記ｅＢＲＰ−ＴＲＮサブフィールドのフォーマットは、ＩＥＥＥ８０２．１１ａｄにおけるＴＲＮサブフィールドのフォーマットと同じである。この方法では、ＩＥＥＥ８０２．１１ａｄとの互換性が保たれる。前記トレーニングフィールド内のｅＢＲＰ−ＣＥサブフィールドの数の前記トレーニングフィールド内のｅＢＲＰ−ＴＲＮサブフィールドの数に対する比が１：４に等しいとき、前記ｅＢＲＰ−ＣＥサブフィールドのうちの全部又は一部の長さは、ＩＥＥＥ８０２．１１ａｄにおけるＣＥサブフィールド��長さより短い。したがって、トレーニングフィールド内のｅＢＲＰ−ＴＲＮサブフィールドの効果的な比率が増大できる。
【００４４】
第４の態様の第２の可能な実装又は第４の態様の第３の可能な実装を参照して、第１の態様の第８の可能な実装では、第１装置により、拡張ビーム調整プロトコルｅＢＲＰパケットのフォーマットを決定する前記ステップは、前記第１装置のアンテナ数が１を超えるとき、前記第１装置により、前記ｅＢＲＰ−ＣＥサブフィールド及び前記ｅＢＲＰ−ＴＲＮサブフィールドの直交マスクの各コードワードの中に、少なくとも１対のグレイコード相補シーケンスが存在すると決定するステップを更に含む。この方法では、直交マスクは、異なる送信アンテナを用いて送信されるｅＢＲＰ−ＴＲＮのために使用され、複数のアンテナが同時にトレーニングできるようにし、ビームトレーニング効率も向上する。
【００４５】
第４の態様の第８の可能な実装を参照して、第４の態様の第９の可能な実装では、第１装置により、拡張ビーム調整プロトコルｅＢＲＰパケットのフォーマットを決定する前記ステップは、前記第１装置により、前記第１装置の前記アンテナ数及び前記第１装置のアンテナ偏波方向に基づき、前記トレーニングフィールド内の各ｅＢＲＰ−ＣＥサブフィールドを構成するグレイコードの数の前記トレーニングフィールド内の各ｅＢＲＰ−ＴＲＮサブフィールドを構成するグレイコードの数に対する比を決定するステップを含む。
【００４６】
第４の態様の第９の可能な実装を参照して、第４の態様の第１０の可能な実装では、前記第１装置により、前記第１装置の前記アンテナ数及び前記第１装置のアンテナ偏波方向に基づき、前記トレーニングフィールド内の各ｅＢＲＰ−ＣＥサブフィールドを構成するグレイコードの数及び前記トレーニングフィールド内の各ｅＢＲＰ−ＴＲＮサブフィールドを構成するグレイコードの数を決定する前記ステップは、前記第１装置の前記アンテナ数が１又は２であり、且つ前記第１装置のアンテナが同一偏波アンテナであるとき、前記第１装置により、前記トレーニングフィールド内の各ｅＢＲＰ−ＣＥサブフィールドが５×Ｃ２個のグレイコードで構成されると決定し、前記トレーニングフィールド内の各ｅＢＲＰ−ＴＲＮサブフィールドが５個のグレイコードで構成されると決定するステップ、前記第１装置の前記アンテナ数が３又は４であり、且つ前記第１装置のアンテナが同一偏波アンテナであるとき、前記第１装置により、前記トレーニングフィールド内の各ｅＢＲＰ−ＣＥサブフィールドが９×Ｃ２個のグレイコードで構成されると決定し、前記第１装置により、前記トレーニングフィールド内の各ｅＢＲＰ−ＴＲＮサブフィールドが１０×Ｃ２個のグレイコード又は９×Ｃ２個のグレイコードで構成されると決定するステップ、又は、前記第１装置の前記アンテナ数が２又は４であり、且つ前記第１装置のアンテナが交差偏波アンテナであるとき、前記第１装置により、前記トレーニングフィールド内の各ｅＢＲＰ−ＣＥサブフィールドが５×Ｃ２個のグレイコードで構成されると決定し、前記トレーニングフィールド内の各ｅＢＲＰ−ＴＲＮサブフィールドが５×Ｃ２個のグレイコードで構成されると決定するステップであって、Ｃ２＝１又はＣ２は前記第１装置の送信チャネル数により決定される、ステップ、を含む。
【００４７】
第４の態様の第１０の可能な実装を参照して、第４の態様の第１１の可能な実装では、第１装置により、拡張ビーム調整プロトコルｅＢＲＰパケットのフォーマットを決定する前記ステップは、前記第１装置のアンテナ数が１又は２であるとき、前記第１装置により、前記トレーニングフィールド内の各ｅＢＲＰ−ＣＥサブフィールド及び各ｅＢＲＰ−ＴＲＮサブフィールドの中の各グレイコードの長さが１２８×Ｃ２であると決定するステップ、前記第１装置のアンテナ数が３又は４であり、且つ前記トレーニングフィールド内の前記ｅＢＲＰ−ＴＲＮサブフィールドが１０×Ｃ２個のグレイコードで構成されるとき、前記第１装置により、前記トレーニングフィールド内の前記ｅＢＲＰ−ＣＥサブフィールドの中の各グレイコードの長さが１２８×Ｃ１であると決定し、前記トレーニングフィールド内の前記ｅＢＲＰ−ＴＲＮサブフィールドの中の各グレイコードの長さが１２８×Ｃ１又は６４×Ｃ１であると決定するステップ、前記第１装置のアンテナ数が３又は４であり、且つ前記トレーニングフィールド内の前記ｅＢＲＰ−ＴＲＮサブフィールドが９×Ｃ２個のグレイコードで構成されるとき、前記第１装置により、前記トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップ、又は、前記第１装置のアンテナ数が４であり、且つ前記トレーニングフィールド内の前記ｅＢＲＰ−ＴＲＮサブフィールドが５×Ｃ２個のグレイコードで構成されるとき、前記第１装置により、前記トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップであって、Ｃ２＝１のとき、Ｃ１は前記第１装置の前記送信チャネル数により決定される、又はＣ２が前記第１装置の前記送信チャネル数により決定されるとき、Ｃ１＝１である、ステップ、を含む。この方法では、アンテナ数が１又は２のとき、ｅＢＲＰ−ＣＥサブフィールドにより占有される時間は、ＩＥＥＥ８０２．１１ａｄ規格においてＣＥサブフィールドにより占有される時間より少ない。このように、トレーニングフィールド内のｅＢＲＰ−ＣＥサブフィールドにより占有される時間の、トレーニングフィールド内のｅＢＲＰ−ＴＲＮサブフィールドにより占有される時間に対する比は低減される。言い換えると、より多くのｅＢＲＰ−ＴＲＮサブフィールドが同じ時間期間内で送信できる。したがって、より多くのビームがトレーニングでき、トレーニング効率が向上する。アンテナ数が３又は４のとき、ＩＥＥＥ８０２．１１ａｄにおけるＴＲＮサブフィールドより短いシーケンス長、つまり１２８／２＝６４がｅＢＲＰ−ＴＲＮのために使用される。さらに、直交マスクの各コードワード内に少なくとも１対のグレイコード相補シーケンスが存在する。この方法では、トレーニング効率が向上され、ビームトレーニング測定の正確さが保証できる。
【００４８】
第４の態様又は第４の態様の可能な実装のうちのいずれか１つを参照して、第４の態様の第１２の可能な実装では、前記方法は、前記第１装置により、前記第２装置へトレーニングフィールド構成情報を送信するステップであって、前記トレーニングフィールド構成情報は、前記ｅＢＲＰパケット内で前記トレーニングフィールドのフォーマットを示すために使用され、前記トレーニングフィールド構成情報は、ビーム調整プロトコル要求フィールド、ビーム調整要素、又は前記拡張ビーム調整プロトコルパケット内のヘッダフィールドのうちの１又は複数により伝達される、ステップを更に含む。この方法では、第１装置は、第２装置がトレーニングフィールドのフォーマットに基づきビームトレーニングを実行できるように、第２装置にトレーニングフィールドのフォーマットを通知できる。
【００４９】
第５の態様によると、本発明の一実施形態は、通信装置であって、前記装置は、第１の態様による方法を実行するよう構成されるユニットを含む、装置を提供する。前記通信装置は、第１の態様による方法のステップを実行可能である。通信装置は、決定ユニット及び通信ユニットを含む。決定ユニットは、拡張ビーム調整プロトコルｅＢＲＰパケットのフォーマットを決定するよう構成される。ここで、ｅＢＲＰパケットはトレーニングフィールドを含み、トレーニングフィールドは、ｅＢＲＰチャネル推定ｅＢＲＰ−ＣＥサブフィールド及びｅＢＲＰビーム調整トレーニングｅＢＲＰ−ＴＲＮサブフィールドを含み、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比は、９：２０未満である。通信ユニットは、ｅＢＲＰパケットの決定したフォーマットに基づき、第２装置へ、ｅＢＲＰパケットを送信するよう構成される。
【００５０】
第６の態様によると、本発明の一実施形態は、通信装置であって、前記装置は、第２の態様による方法を実行するよう構成されるユニットを含む、装置を提供する。前記通信装置は、第２の態様による方法のステップを実行可能である。通信装置は、決定ユニット及び通信ユニットを含む。決定ユニットは、拡張ビーム調整プロトコルｅＢＲＰパケットのフォーマットを決定するよう構成される。ここで、ｅＢＲＰパケットはトレーニングフィールドを含み、トレーニングフィールドは、ｅＢＲＰビーム調整自動利得制御ｅＢＲＰ−ＡＧＣフィールド及びｅＢＲＰビーム調整トレーニングｅＢＲＰ−ＴＲＮサブフィールドで構成される。通信ユニットは、ｅＢＲＰパケットの決定したフォーマットに基づき、第２装置へ、ｅＢＲＰパケットを送信するよう構成される。
【００５１】
第７の態様によると、本発明の一実施形態は、通信装置であって、前記装置は、第３の態様による方法を実行するよう構成されるユニットを含む装置を提供する。前記通信装置は、第３の態様による方法のステップを実行可能である。通信装置は、決定ユニット及び通信ユニットを含む。決定ユニットは、拡張ビーム調整プロトコルｅＢＲＰパケットのフォーマットを決定するよう構成される。ここで、ｅＢＲＰパケットはトレーニングフィールドを含み、トレーニングフィールドは、ｅＢＲＰチャネル推定ｅＢＲＰ−ＣＥサブフィールド及びｅＢＲＰビーム調整トレーニングｅＢＲＰ−ＴＲＮサブフィールドを含む。拡張ビーム調整プロトコルｅＢＲＰパケットのフォーマットを決定するステップは、通信装置のアンテナ数が１を超えるとき、ｅＢＲＰ−ＣＥサブフィールド及びｅＢＲＰ−ＴＲＮサブフィールドの直交マスクの各コードワードの中に少なくとも１対のグレイコード相補シーケンスが存在すると決定するステップを含む。通信ユニットは、ｅＢＲＰパケットの決定したフォーマットに基づき、第２装置へ、ｅＢＲＰパケットを送信するよう構成される。
【００５２】
第８の態様によると、本発明の一実施形態は、通信装置であって、前記装置は、第４の態様による方法を実行するよう構成されるユニットを含む装置を提供する。前記通信装置は、第４の態様による方法のステップを実行可能である。通信装置は、決定ユニット及び通信ユニットを含む。決定ユニットは、拡張ビーム調整プロトコルｅＢＲＰパケットのフォーマットを決定するよう構成される。ここで、ｅＢＲＰパケットはトレーニングフィールドを含み、トレーニングフィールドはｅＢＲＰビーム調整自動利得制御ｅＢＲＰ−ＡＧＣフィールドを含む。拡張ビーム調整プロトコルｅＢＲＰパケットのフォーマットを決定するステップは、トレーニングフィールドがＫ個のビーム調整自動利得制御−ビーム調整トレーニングＡＧＣ−ＴＲＮサブフィールドグループを含むと決定するステップを含み、各ＡＧＣ−ＴＲＮサブフィールドグループに含まれるｅＢＲＰ−ＡＧＣサブフィールド及びｅＢＲＰビーム調整トレーニングｅＢＲＰ−ＴＲＮサブフィールドの数は同じであり、各ＡＧＣ−ＴＲＮサブフィールドグループ内のｅＢＲＰ−ＡＧＣサブフィールド及びｅＢＲＰ−ＴＲＮサブフィールドは同じアンテナ重みベクトルＡＷＶグループを用い、ｅＢＲＰ−ＡＧＣサブフィールドは、各ＡＧＣ−ＴＲＮサブフィールドグループの中でｅＢＲＰ−ＴＲＮサブフィールドの前に位置し、Ｋは１より大きい正整数である。通信ユニットは、ｅＢＲＰパケットの決定したフォーマットに基づき、第２装置へ、ｅＢＲＰパケットを送信するよう構成される。
【００５３】
第９の態様によると、本発明の一実施形態は、コンピュータ可読記憶媒体であって、前記コンピュータ可読記憶媒体に格納されたプログラムは、第１の態様による方法を実行するために使用される命令を含む、コンピュータ可読記憶媒体を提供する。
【００５４】
第１０の態様によると、本発明の一実施形態は、コンピュータ可読記憶媒体であって、前記コンピュータ可読記憶媒体に格納されたプログラムは、第２の態様による方法を実行するために使用される命令を含む、コンピュータ可読記憶媒体を提供する。
【００５５】
第１１の態様によると、本発明の一実施形態は、コンピュータ可読記憶媒体であって、前記コンピュータ可読記憶媒体に格納されたプログラムは、第３の態様による方法を実行するために使用される命令を含む、コンピュータ可読記憶媒体を提供する。
【００５６】
第１２の態様によると、本発明の一実施形態は、コンピュータ可読記憶媒体であって、前記コンピュータ可読記憶媒体に格納されたプログラムは、第４の態様による方法を実行するために使用される命令を含む、コンピュータ可読記憶媒体を提供する。
【００５７】
第１３の態様によると、本発明の一実施形態は、通信装置であって、前記装置は第９の態様による前記装置はコンピュータ可読記憶媒体とプロセッサとを含む、通信装置を提供する。プロセッサは、コンピュータ可読記憶媒体に格納されたプログラムの命令を実行するよう構成される。プログラムは、以下の動作：拡張ビーム調整プロトコルｅＢＲＰパケットのフォーマットを決定するステップであって、ｅＢＲＰパケットはトレーニングフィールドを含み、トレーニングフィールドはｅＢＲＰチャネル推定ｅＢＲＰ−ＣＥサブフィールド及びｅＢＲＰビーム調整トレーニングｅＢＲＰ−ＴＲＮサブフィールドを含み、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比は９：２０未満である、ステップ、及び、ｅＢＲＰパケットの決定されたフォーマットに基づき、第２装置へｅＢＲＰパケットを送信するステップ、を実行するために使用される命令を含む。
【００５８】
第１４の態様によると、本発明の一実施形態は、通信装置であって、前記装置は第１０の態様による前記装置はコンピュータ可読記憶媒体とプロセッサとを含む、通信装置を提供する。プロセッサは、コンピュータ可読記憶媒体に格納されたプログラムの命令を実行するよう構成される。プログラムは、以下の動作：第１装置により、拡張ビーム調整プロトコルｅＢＲＰパケットのフォーマットを決定するステップであって、前記ｅＢＲＰパケットはトレーニングフィールドを含み、前記トレーニングフィールドはｅＢＲＰビーム調整自動利得制御ｅＢＲＰ−ＡＧＣフィールド及びｅＢＲＰビーム調整トレーニングｅＢＲＰ−ＴＲＮサブフィールドで構成される、ステップと、前記第１装置により、前記ｅＢＲＰパケットの前記決定したフォーマットに基づき、第２装置へ前記ｅＢＲＰパケットのフォーマットを送信するステップと、を実行するために使用される命令を含む。
【００５９】
第１４の態様によると、本発明の一実施形態は、通信装置であって、前記装置は第１１の態様によるコンピュータ可読記憶媒体とプロセッサとを含む、通信装置を提供する。プロセッサは、コンピュータ可読記憶媒体に格納されたプログラムの命令を実行するよう構成される。プログラムは、以下の動作：拡張ビーム調整プロトコルｅＢＲＰパケットのフォーマットを決定するステップであって、ｅＢＲＰパケットはトレーニングフィールドを含み、トレーニングフィールドは、ｅＢＲＰチャネル推定ｅＢＲＰ−ＣＥサブフィールド及びｅＢＲＰビーム調整トレーニングｅＢＲＰ−ＴＲＮサブフィールドを含む、ステップ、を実行するために使用される命令を含み、拡張ビーム調整プロトコルｅＢＲＰパケットのフォーマットを決定するステップは、通信装置のアンテナ数が１を超えるとき、ｅＢＲＰ−ＣＥサブフィールド及びｅＢＲＰ−ＴＲＮサブフィールドの直交マスクの各コードワードの中に少なくとも１対のグレイコード相補シーケンスが存在すると決定するステップと、前記ｅＢＲＰパケットの前記決定したフォーマットに基づき、第２装置へ前記ｅＢＲＰパケットを送信するステップと、を含む。
【００６０】
第１６の態様によると、本発明の一実施形態は、通信装置であって、前記装置は第１２の態様によるコンピュータ可読記憶媒体とプロセッサとを含む、通信装置を提供する。プロセッサは、コンピュータ可読記憶媒体に格納されたプログラムの命令を実行するよう構成される。プログラムは、以下の動作：拡張ビーム調整プロトコルｅＢＲＰパケットのフォーマットを決定するステップであって、ｅＢＲＰパケットはトレーニングフィールドを含み、トレーニングフィールドはｅＢＲＰビーム調整自動利得制御ｅＢＲＰ−ＡＧＣフィールドを含み、拡張ビーム調整プロトコルｅＢＲＰパケットのフォーマットを決定するステップは、トレーニングフィールドがＫ個のビーム調整自動利得制御−ビーム調整トレーニングＡＧＣ−ＴＲＮサブフィールドグループを含むと決定するステップを含み、各ＡＧＣ−ＴＲＮサブフィールドグループに含まれるｅＢＲＰ−ＡＧＣサブフィールド及びｅＢＲＰビーム調整トレーニングｅＢＲＰ−ＴＲＮサブフィールドの数は同じであり、各ＡＧＣ−ＴＲＮサブフィールドグループ内のｅＢＲＰ−ＡＧＣサブフィールド及びｅＢＲＰ−ＴＲＮサブフィールドは同じアンテナ重みベクトルＡＷＶグループを用い、ｅＢＲＰ−ＡＧＣサブフィールドは、各ＡＧＣ−ＴＲＮサブフィールドグループの中でｅＢＲＰ−ＴＲＮサブフィールドの前に位置し、Ｋは１より大きい正整数である、ステップと、前記ｅＢＲＰパケットの前記決定したフォーマットに基づき、第２装置へ前記ｅＢＲＰパケットを送信するステップと、を実行するために使用される命令を含む。
【図面の簡単な説明】
【００６１】
本発明の実施形態の技術的ソリューションをより明確に記載するために、本発明の実施形態を説明するのに必要な添付の図面を以下に簡単に説明する。明らかなことに、以下の説明中の添付の図面は、本発明のほんの一部の実施形態であり、これらの図面に従って当業者により創造的労力を有しないで他の図面も得られる。
【００６２】
【図１】本発明の一実施形態によるビーム調整方法の概略フローチャートである。
【００６３】
【図２】ｅＢＲＰパケットのフォーマットの概略図である。
【００６４】
【図３】ｅＢＲＰパケットの別のフォーマットの概略図である。
【００６５】
【図４】本発明の一実施形態によるｅＢＲＰパケットの構造ブロック図である。
【００６６】
【図５】本発明の一実施形態による別のｅＢＲＰパケットの構造ブロック図である。
【００６７】
【図６】本発明の一実施形態による別のｅＢＲＰパケットの構造ブロック図である。
【００６８】
【図７】本発明の一実施形態による別のビーム調整方法の概略フローチャートである。
【００６９】
【図８】本発明の一実施形態による別のｅＢＲＰパケットの構造ブロック図である。
【００７０】
【図９】本発明の一実施形態による別のｅＢＲＰパケットの構造ブロック図である。
【００７１】
【図１０】本発明の一実施形態による別のｅＢＲＰパケットの構造ブロック図である。
【００７２】
【図１１】本発明の一実施形態によるビーム調整方法の概略フローチャートである。
【００７３】
【図１２】本発明の一実施形態による別のビーム調整方法の概略フローチャートである。
【００７４】
【図１３】本発明の一実施形態による別のビーム調整方法の概略フローチャートである。
【００７５】
【図１４】本発明の一実施形態による別のビーム調整方法の概略フローチャートである。
【００７６】
【図１５】本発明の一実施形態による通信装置の構造ブロック図である。
【００７７】
【図１６】本発明の一実施形態による通信装置の構造ブロック図である。
【００７８】
【図１７】本発明の一実施形態による通信装置の構造ブロック図である。
【発明を実施するための形態】
【００７９】
以下に、本発明の実施形態の添付の図面を参照して、本発明の実施形態における技術的ソリューションを明確且つ完全に説明する。明らかに、記載される実施形態は、本発明の実施形態の一部であり、全てではない。本発明の実施形態に基づき創造的労力を有しないで当業者により得られる全ての他の実施形態は、本発明の保護範囲に包含される。
【００８０】
本発明の実施形態において言及される第１装置、第２装置、及び通信装置は、アクセスポイント（英語：Access  Point、略してＡＰ）であって良く、又は基地局（英語：Station、略してＳＴＡ）であって良い。
【００８１】
ＩＥＥＥ８０２．１１ａｄ（これは、指向性マルチギガビット（英語：Directional  multi−gigabit、略してＤＭＧ）に関する規格としても参照されて良い）におけるビーム調整プロトコルパケットは、プリアンブル（英語：preamble）フィールド、ヘッダ（英語：header）フィールド、データフィールド、及びトレーニングフィールドを含む。プリアンブルフィールドは、ショートトレーニングフィールド（英語：Short  Training  Field、略してＳＴＦ）及びチャネル推定（英語：Channel  Estimation、略してＣＥ）フィールドを含む。受信機は、ＳＴＦを用いて、パケット同期及び自動利得調整を得て、ＣＥフィールドを用いて、チャネル推定及びデータ復調を実行できる。ＣＥフィールドを用いて推定されたチャネルは、アンテナアレイを用いて構成され且つ対応する送信データのために使用される、受信機と送信機との間の無線チャネルである。ヘッダフィールドは複数のフィールドを含み、該複数のフィールドは、データフィールドの送信モードを記述するために、及びサフィックストレーニングフィールドの長さ及びデータのサフィックス種類情報を示すために、使用される。トレーニングフィールドの長さがＮであるとき、ビームアンテナ重みベクトル（英語：Antenna  Weight  Vector、略してＡＷＶ）構成を受信し及び送信するために使用でき、且つトレーニングフィールド内にある長さは、４Ｎである。種類情報は、パケットが受信ビームトレーニング又は送信ビームトレーニングのために使用されるかを示す。これは、ＢＲＰパケットが受信又は送信されるとき、受信機がＡＷＶを変化させることにより受信ビームトレーニングを実行する、又は送信機がＡＷＶを変化させることにより送信ビームトレーニングを実行する、と理解できる。トレーニングフィールドは、ビーム調整自動利得制御（英語：beam  refinement  auto  gain  control）フィールド（略してＡＧＣフィールド）及びビーム調整トレーニング（英語：beam  refinement  training）フィールド（略してＴＲＮフィールド）を含む。ＴＲＮフィールドは、１又は複数のＴＲＮユニットで構成され、各ＴＲＮユニットは１個のＣＥサブフィールド及び４個のＴＲＮサブフィールドで構成される。トレーニングフィールド内のＣＥサブフィールド及びプリアンブル内のＣＥフィールドのために、同じフォーマットが使用される。プリアンブル内のＣＥは、リンクの信号対雑音比が最悪のときに、ヘッダ及びデータを正しく復調するために設計される。受信機は、ＴＲＮサブフィールド内の信号を測定することにより、受信機と送信機との間の且つ対応する受信ＡＷＶ又は送信ＡＷＶ構成内の無線チャネルに関する情報を決定し、受信ビーム又は送信ビームは、無線チャネルに関する測定された情報に基づき調整される。しかしながら、受信機又は送信機がＡＷＶを変化させるとき、受信機と送信機との間の無線チャネル上で比較的大きな変化が実際には生じる。したがって、受信機が適切なＡＧＣ利得を得ることができるように、ＡＧＣフィールドはビームトレーニングフィールドの前に追加される。さらに、受信機と送信機との間の時間及び周波数同期を維持し異なるＡＷＶで共通の遅延パラメータを測定するために、１個のＣＥサブフィールドが４個のＴＲＮユニットの前に挿入される。
【００８２】
図１は、本発明の一実施形態によるビーム調整方法の概略フローチャートである。
【００８３】
１０１。第１装置は、拡張ビーム調整プロトコル（英語：enhanced  Beam  Refinement  Protocol、略してｅＢＲＰ）パケットのフォーマットを決定する。ここで、ｅＢＲＰパケットはトレーニングフィールドを含み、トレーニングフィールドは、ｅＢＲＰ−ＣＥサブフィールド及びｅＢＲＰ−ＴＲＮサブフィールドを含み、トレーニングフィールド内のｅＢＲＰ−ＣＥサブフィールドのグレイコードの数のトレーニングフィールド内のｅＢＲＰ−ＴＲＮサブフィールドのグレイコードの数に対する比は、９：２０未満である。
【００８４】
本発明の本明細書で言及される拡張ビーム調整プロトコル（英語：enhanced  Beam  Refinement  Protocol、略してｅＢＲＰ）パケットは、従来技術においてＩＥＥＥ８０２．１１ａｄで定められるＢＲＰパケットと区別されるよう意図されることが理解できる。ｅＢＲＰパケットは、前述の特徴を有するトレーニングフィールドを含む。さらに、ＩＥＥＥ８０２．１１ａｄ規格で定められるＴＲＮ、ＣＥ、及びＡＧＣと区別されるように、ｅＢＲＰパケット内のＴＲＮ、ＣＥ、及びＡＧＣは、それぞれ、本発明の本明細書においてｅＢＲＰ−ＴＲＮ、ｅＢＲＰ−ＣＥ、及びｅＢＲＰ−ＡＧＣとして言及される。前述の用語は単に区別を容易にするためであり、本発明を限定するためではないことが理解できる。勿論、前述の特徴を有するＢＲＰパケット及びトレーニングフィールドは、他の名称として言及されても良く、ｅＢＲＰパケットの名称として言及されることに限定されない。
【００８５】
トレーニングフィールドは、データフィールドの後のサフィックスであり、トレーニングフィールド及びデータフィールドに加えて、ｅＢＲＰパケットは、プリアンブルフィールド及びヘッダフィールドを更に含んで良い。ｅＢＲＰパケットのプリアンブルフィールド、ヘッダフィールド、及びデータフィールドのフォーマットは、ＩＥＥＥ８０２．１１ａｄで定められているフォーマットに従って良く、又は後の規格（例えば、ＩＥＥＥ８０２．１１ａｙ）で定められる新しいフォーマットに従って良い。例えば、チャネル結合（英語：channel  bonding）又はＭＩＭＯチャネル推定のために使用される新しいショートトレーニングシーケンスフィールド、新しいチャネル推定、及び新しいデータ送信モードを示すために使用される新しいヘッダが、データフィールドの前に追加される。データの前のフィールドのフォーマットは、本発明の重点ではなく、したがって特に限定されない。
【００８６】
図２は、ｅＢＲＰパケットのフォーマットの概略図である。図２に示すように、ｅＢＲＰパケットは、ＳＴＦフィールド、ＣＥフィールド、ヘッダフィールド、データフィールド、及びトレーニングフィールドを連続して含む。
【００８７】
図３は、ｅＢＲＰパケットの別のフォーマットの概略図である。図３に示すように、ｅＢＲＰパケットは、ＳＴＦフィールド、ＣＥフィールド、ヘッダフィールド、新ヘッダフィールド、新ＳＦＴフィールド、新ＣＥフィールド、データフィールド、及びトレーニングフィールドを連続して含む。
【００８８】
１０２。第１装置は、ｅＢＲＰパケットの決定したフォーマットに基づき、第２装置へ、ｅＢＲＰパケットを送信する。
【００８９】
トレーニングフィールド内で、第１装置又は第２装置によりトレーニングされるＡＷＶの数は、ｅＢＲＰ−ＴＲＮサブフィールドの数に関連するが、ｅＢＲＰ−ＣＥサブフィールドの数に関連しないことが理解できる。図１に示す方法によると、トレーニングフィールド内のｅＢＲＰ−ＴＲＮサブフィールドの効果的な比率が増大され、同じ時間期間内でより多くのＡＷＶ構成を試みることができる。
【００９０】
トレーニングフィールド内のｅＢＲＰ−ＣＥサブフィールドを構成するグレイコードの数は、トレーニングフィールド内のｅＢＲＰ−ＣＥサブフィールドの数及びトレーニングフィールド内の各ｅＢＲＰ−ＣＥサブフィールドのグレイコードの数に関連することが理解できる。より具体的には、トレーニングフィールド内のｅＢＲＰ−ＣＥサブフィールドの数がＮであり、且つ、トレーニングフィールド内の各ｅＢＲＰ−ＣＥサブフィールドがＸ個のグレイコードで構成されると仮定すると、トレーニングフィールド内のｅＢＲＰ−ＣＥサブフィールドを構成するグレイコードの数はＸ×Ｎである。同様に、トレーニングフィールド内のｅＢＲＰ−ＴＲＮサブフィールドを構成するグレイコードの数は、トレーニングフィールド内のｅＢＲＰ−ＴＲＮサブフィールドの数及びトレーニングフィールド内の各ｅＢＲＰ−ＴＲＮサブフィールドのグレイコードの数に関連する。より具体的には、トレーニングフィールド内のｅＢＲＰ−ＴＲＮサブフィールドの数がＭであり、且つ、トレーニングフィールド内の各ｅＢＲＰ−ＣＥサブフィールドがＹ個のグレイコードで構成されると仮定すると、トレーニングフィールド内のｅＢＲＰ−ＴＲＮサブフィールドを構成するグレイコードの数はＹ×Ｍである。この場合、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比は、次式を満たす：Ｘ×Ｎ：Ｙ×Ｍ＜９：２０  （式１．１）。
【００９１】
ＩＥＥＥ８０２．１１ａｄでは、トレーニングフィールド内のＣＥフィールドは、プリアンブルフィールド内のＣＥフィールドと同じ設計及び長さを有する。プリアンブルフィールド内のＣＥフィールドの設計によると、リンクの信号対雑音比（英語：Signal  to  Noise  Ratio、略してＳＮＲ）が最悪のときでも（例えば、制御モードでリンクＭＣＳ０に対応するＳＮＲが−１３ｄＢである）、ヘッダ及びデータは依然として正しく復調できる。しかしながら、トレーニングフィールド内のＣＥサブフィールドでは、受信機と送信機との間の時間及び周波数同期を維持し、及び異なるＡＷＶで共通の遅延パラメータを測定するために、トレーニングフィールド内のＣＥの長さは、ビームトレーニング効率を向上する効果を得るために、設計要件に基づき適正に短縮されることがある。例えば、信号対雑音比の状態は、トレーニングフィールド内の短縮されるべきＣＥ長を決定するために、ｅＢＲＰパケット内のデータのために使用される変調及び符号化方式（ＭＣＳ、Modulation  and  Coding  Scheme）に従いマッピングされて良い。例えば、ＩＥＥＥ８０２．１１ａｄでは、ＭＣＳ０に対応するＳＮＲが非常に低いことを除き、別のＭＣＳレベルに対応するＳＮＲは−１３ｄＢより遙かに大きい。例えば、ＭＣＳ０の後の最低ＭＣＳレベルはＭＣＳ１であり、ＭＣＳ１に対応するＳＮＲは−１ｄＢである。言い換えると、データがＭＣＳ０を用いて送信されないとき、別のＭＣＳレベルで送信される任意のチャネルは、トレーニングフィールド内のＣＥ長の短縮をサポートできる。
【００９２】
さらに、ＩＥＥＥ８０２．１１ａｄでは、プリアンブルフィールド内のＣＥフィールドは、受信機と送信機との間の時間及び周波数同期を維持し、さらに、パイロット又は保護間隔が、データ受信中に位相雑音追跡を提供するために、追加される。したがって、データ復調においても、受信機と送信機との間の時間及び周波数同期を維持するために使用されるオーバヘッドは、トレーニングフィールド内のＣＥのオーバヘッドより遙かに少ない。したがって、可能なソリューションは、ビームトレーニング効率の向上の効果を得るために、受信機と送信機との間の時間及び周波数同期を維持するようトレーニングフィールド内のＣＥを使用することに加えて、位相雑音追跡を実行するためにＴＲＮサブフィールド内の既知のシーケンスを使用している。前述の理由に基づき、トレーニングフィールド内のＣＥの比率が低減できる。
【００９３】
したがって、本発明は、単一チャネルの場合及びマルチチャネル結合の場合に別個に、トレーニングフィールド内のＣＥ長を及びトレーニングフィールド内のＣＥの比率を削減することにより、ビームトレーニング効率を向上する方法を提供する。
【００９４】
任意で、一実施形態では、トレーニングフィールド内のｅＢＲＰ−ＣＥサブフィールドの数のトレーニングフィールド内のｅＢＲＰ−ＴＲＮサブフィールドの数に対する比は、１：４以下である。例えば、第１装置は、トレーニングフィールド内のｅＢＲＰ−ＣＥサブフィールドの数、及びトレーニングフィールド内のｅＢＲＰ−ＴＲＮサブフィールドの数を直接決定して良い。ｅＢＲＰ−ＣＥサブフィールドの数のｅＢＲＰ−ＴＲＮサブフィールドの数に対する比は、１：４以下である。別の例では、第１装置は、先ず、トレーニングフィールド内のｅＢＲＰ−ＣＥサブフィールドの数のトレーニングフィールド内のｅＢＲＰ−ＴＲＮサブフィールドの数に対する比を決定し、次に、決定した比に基づき、ｅＢＲＰ−ＣＥサブフィールドの数及びｅＢＲＰ−ＴＲＮサブフィールドの数を決定して良い。さらに、トレーニングフィールド内のｅＢＲＰ−ＣＥサブフィールドの数のトレーニングフィールド内のｅＢＲＰ−ＴＲＮサブフィールドの数に対する比は、１：ｎであって良く、ｎは５以上の正整数である。さらに、ｎは４の整数倍であって良く、例えば、ｎは８、１２、等であって良い。
【００９５】
具体的に、Ｎ：Ｍの比が１：４未満である場合、Ｘ：Ｙの比は、Ｘ×Ｎ：Ｙ×Ｍが式１．１を満たすように、Ｎ：Ｍの比に基づき決定されて良い。Ｎ：Ｍの比が１：４に等しい場合、式１．１を満たす条件は、Ｘ：Ｙの比が９：５未満であることである。言い換えると、Ｘ：Ｙの比が９：５未満である場合、Ｎ：Ｍの比が１：４未満か又は１：４に等しいかに関わらず、式１．１が満たされる。例えば、Ｎ：Ｍの比が１：４未満である場合、第１装置は、トレーニングフィールド内の各ｅＢＲＰ−ＣＥサブフィールドが９個のグレイコードで構成されると決定し、トレーニングフィールド内の各ｅＢＲＰ−ＴＲＮサブフィールドが５個のグレイコードで構成されると決定する。
【００９６】
任意で、別の実施形態では、第１装置は、データフィールドのＭＣＳレベルに基づき、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比を決定して良い。
【００９７】
具体的に、データフィールドのＭＣＳレベルは、現在データチャネルの信号対雑音比に対応する。ＳＮＲ及び所与のＣＥの長さ（ここでは、ＣＥ長はＣＥ内のグレイコードの数及び長さを含む）に基づき、残留キャリア周波数オフセット（英語：Residual  Carrier  Frequency  Offset、略してＲＣＦＯ）がシミュレーションを通じて得ることができる。ＳＮＲ及びＲＣＦＯに基づき、所与のＣＥサブフィールドに対するトレーニングフィールド内のｅＢＲＰ−ＴＲＮサブフィールドの数が最終的に決定できる。したがって、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比が決定できる。
【００９８】
例えば、ＳＮＲが−１０ｄＢであるとき、長さ１２８の９個のグレイコードがキャリア周波数オフセット（英語：Carrier  Frequency  Offset、略してＣＦＯ）推定を実行するために使用されるとき、ＲＣＦＯ推定値の９０％は８．３５９ｐｐｍより低いと決定でき、長さ１２８の５個のグレイコードがＣＦＯ推定を実行するために使用されるとき、ＲＣＦＯ推定値の９０％は１８ｐｐｍより低いと決定できる。別の例では、ＳＮＲが−１ｄＢであるとき、長さ１２８の９個のグレイコードがＣＦＯ推定を実行するために使用されるとき、ＲＣＦＯの９０％は１．２ｐｐｍより低いと決定でき、長さ１２８の５個のグレイコードがＣＦＯ推定を実行するために使用されるとき、ＲＣＦＯ推定値の９０％は２．７１９ｐｐｍより低いと決定できる。
【００９９】
ＲＣＦＯが決定された後に、トレーニングフィールド内のｅＢＲＰ−ＣＥサブフィールドの数のトレーニングフィールド内のｅＢＲＰ−ＴＲＮサブフィールドの数に対する比が、ＲＣＦＯを用いて決定されて良い。具体的に、スペクトルは位相回転ｅｘｐ（ｊ×π×ＣＦＯ×ｔ）を生じ、位相は周期的であり、つまり、ｅｘｐ（ｊ×２π×ＣＦＯ×ｔ１）＝ｅｘｐ（ｊ×２π×ＣＦＯ×１＋２ｋπ）である。したがって、ｋは、±１、±２、等のような非ゼロ整数に等しくて良い。ＣＦＯ＝ｆｃ×Δｐｐｍ×１ｅ−６、ここで、ｆｃはキャリア周波数であり、Δｐｐｍは１個／百万個のキャリア周波数により表される周波数オフセット値である。６０ＧＨｚでは、４個のチャネルの中心周波数が選択されて良い。例えば、５８．３２０ＧＨｚの中心周波数が選択される。１／Ｆｃ＝０．５７ｎｓが、サンプリング点の間隔として選択される。したがって、期間に対応するサンプリング点の数は、Ｆｃ／（ｆｃ×Δｐｐｍ×１ｅ−６）である。サンプリング点の数は整数なので、ここでは切り捨てが用いられ、以下の関係を得る。ＲＣＦＯ＝４０ｐｐｍのとき、（ｌｅｎｇｔｈ＿ＣＥ＋Ｍ×ｌｅｎｇｔｈ＿ＴＲＮ）＜７５４であり、ｌｅｎｇｔｈ＿ＣＥ＝１１５２且つｌｅｎｇｔｈ＿ＴＲＮ＝６４０のとき、Ｍの適切な値が存在しない。ここで、ｌｅｎｇｔｈ＿ＣＥはｅＢＲＰ−ＣＥサブフィールドの長さを表し（つまり、フィールドに含まれるサンプリング点の数を表す）、ｌｅｎｇｔｈ＿ＴＲＮはｅＢＲＰ−ＴＲＮサブフィールドの長さを表す（つまり、フィールドに含まれるサンプリング点の数を表す）。別の例では、ＲＣＦＯ＝８ｐｐｍのとき、（ｌｅｎｇｔｈ＿ＣＥ＋Ｍ×ｌｅｎｇｔｈ＿ＴＲＮ）＜３７７２であり、ｌｅｎｇｔｈ＿ＣＥ＝１１５２且つｌｅｎｇｔｈ＿ＴＲＮ＝６４０のとき、Ｍの値は最大４であって良い。別の例では、ＲＣＦＯ＝４ｐｐｍのとき、（ｌｅｎｇｔｈ＿ＣＥ＋Ｍ×ｌｅｎｇｔｈ＿ＴＲＮ）＜７５４４であり、ｌｅｎｇｔｈ＿ＣＥ＝１１５２且つｌｅｎｇｔｈ＿ＴＲＮ＝６４０のとき、Ｍの値は最大９であって良く、ｌｅｎｇｔｈ＿ＣＥ＝６４０且つｌｅｎｇｔｈ＿ＴＲＮ＝６４０のとき、Ｍの値は最大１０であって良い。同様に、ＲＣＦＯ＝２ｐｐｍのとき、（ｌｅｎｇｔｈ＿ＣＥ＋Ｍ×ｌｅｎｇｔｈ＿ＴＲＮ）＜１５０８９のとき、及びｌｅｎｇｔｈ＿ＣＥ＝１１５２且つｌｅｎｇｔｈ＿ＴＲＮ＝６４０のとき、Ｍの値は最大２１であって良い。言い換えると、ＳＮＲが−１ｄＢのときのＣＥ長とＴＲＮに対するＣＥの比率の両方が、ＳＮＲが−１０ｄＢのときのものより有意に小さくなり得る。
【０１００】
この特定の実施形態では、Ｎの値は１であることが分かる。さらに、上述した「Ｍの値は最大で４、９、１０、又は２１であって良い」は、Ｍの値であり得る最大値を示すことに留意すべきである。Ｍは代替として別の値であって良い。例えば、Ｍの値が最大で９であり得るとき、２１未満の任意の正整数がＭの値であって良い。さらに、前述のシミュレーション結果は、パラメータ選択に関連する。異なるパラメータを選択することにより、異なるシミュレーション結果が得られる。例えば、ＲＣＦＯの９０％に加えて、９５％又は９９％のようなＲＣＦＯの別の比率も使用されて良い。ＲＣＦＯの異なる比率を用いて得られた、トレーニングフィールド内のｅＢＲＰ−ＣＥサブフィールドの数のトレーニングフィールド内のｅＢＲＰ−ＴＲＮサブフィールドの数に対する比は、異なる可能性がある。別の例では、この特定の実施形態は、ＩＥＥＥ８０２．１１ａｄにおけるパラメータに基づくシミュレーションを通じて得られ、別のパラメータに基づき異なる結果が得られることがある。したがって、この特定の実施形態は、技術的ソリューションを限定する代わりに、単に当業者が本発明の技術的ソリューションを良好に理解するのを助けるためである。
【０１０１】
任意で、別の実施形態では、第１装置により、拡張ビーム調整プロトコルｅＢＲＰパケットのフォーマットを決定するステップは、第１装置により、送信チャネル数Ｃを決定し、トレーニングフィールド内の各ｅＢＲＰ−ＣＥサブフィールドがＣ×Ｓ個のグレイコードで構成されると決定するステップであって、Ｓは９未満の正整数であり、Ｃは第１装置の送信チャネル数により決定される、ステップ、第１装置により、送信チャネル数Ｃを決定し、トレーニングフィールド内のｅＢＲＰ−ＣＥサブフィールドが第１ｅＢＲＰ−ＣＥサブフィールド及び第２ｅＢＲＰ−ＣＥサブフィールドを含むと決定するステップであって、各第１ｅＢＲＰ−ＣＥサブフィールドはＣ×Ｓ個のグレイコードで構成され、各第２ｅＢＲＰ−ＣＥサブフィールドは９個のグレイコードで構成され、Ｓは９未満の正整数であり、Ｃは１以上の正整数である、ステップ、又は、第１装置により、送信チャネル数Ｃを決定し、トレーニングフィールド内のｅＢＲＰ−ＣＥサブフィールドがＣ×９個のグレイコードで構成されると決定し、第１装置により、トレーニングフィールド内のｅＢＲＰ−ＣＥサブフィールドの数Ｎ、トレーニングフィールド内のｅＢＲＰ−ＴＲＮサブフィールドの数Ｍ、及びトレーニングフィールド内の前記ｅＢＲＰ−ＴＲＮサブフィールドを構成するグレイコードの数Ｙが以下の式：９×Ｃ×Ｎ：Ｙ×Ｍ＜９：２０を満たすことを決定するステップ、を含む。
【０１０２】
具体的に、例えば、単一チャネル送信モードでは、Ｃの値は１である。Ｓの値が５である、つまり、各ｅＢＲＰ−ＣＥサブフィールドが５個のグレイコードで構成される場合、この場合には、Ｎ、Ｍ、及びＹの値が式１．１を満たすだけでよい。例えば、Ｎ、Ｍ、及びＹの値は、ＩＥＥＥ８０２．１１ａｄ規格のものと同じであって良い。つまり、Ｎ＝１、Ｍ＝４、及びＹ＝５である。この場合、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比は、５：２０であり、これは式１．１を満たす。別の例では、Ｎ＝１、Ｍは４より大きい正整数であり、Ｙ＝５である。この場合、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比は、５：２０未満であり、これも式１．１を満たすことができる。同様に、ｅＢＲＰ−ＣＥサブフィールドが第１ｅＢＲＰ−ＣＥサブフィールド及び第２ｅＢＲＰ−ＣＥサブフィールドを含む場合、Ｎ、Ｍ、及びＹの値は、式１．１が使用可能であるように設定されて良い。Ｘの値が９である場合、Ｎ、Ｍ、及びＹの値は、式１．１が使用可能であるように設定されても良い。例えば、Ｎ＝１、Ｍ＝５、及びＹ＝５である。この場合、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比は、９：２５であり、９：２０未満である。マルチチャネル結合の場合には、Ｃの値はチャネル数と同じである。この場合、各ｅＢＲＰ−ＣＥサブフィールドはＣ×Ｓ個のグレイコードで構成される。この場合、Ｎ、Ｍ、及びＹの値は、以下の式：Ｃ×Ｓ×Ｎ：Ｎ：×Ｍ＜９：２０を使用可能にする必要がある。
【０１０３】
任意で、別の実施形態では、第１装置により、拡張ビーム調整プロトコルｅＢＲＰパケットのフォーマットを決定するステップは、第１装置により、送信チャネル数Ｃを決定し、トレーニングフィールド内の各ｅＢＲＰ−ＴＲＮサブフィールドがＣ×Ｙ個のグレイコードで構成されると決定するステップであって、Ｙは５以上の正整数であり、Ｃは１以上の正整数であり、Ｙが５に等しい正整数であるとき、トレーニングフィールド内のｅＢＲＰ−ＣＥサブフィールドの数Ｎ、トレーニングフィールド内の各ｅＢＲＰ−ＣＥサブフィールドの数Ｘ、及びトレーニングフィールド内のｅＢＲＰ−ＴＲＮサブフィールドの数Ｍは以下の式：Ｘ×Ｎ：５×Ｃ×Ｍ＜９：２０を満たす、ステップを含む。
【０１０４】
具体的に、例えば、単一チャネル送信モードでは、Ｃ＝１である。Ｙの値が１０である、つまり、各ｅＢＲＰ−ＣＥサブフィールドが１０個のグレイコードで構成される場合、この場合には、Ｎ、Ｍ、及びＸの値が式１．１を満たすだけでよい。例えば、Ｎ、Ｍ、及びＸの値は、ＩＥＥＥ８０２．１１ａｄ規格のものと同じであって良い。つまり、Ｎ＝１、Ｍ＝４、及びＸ＝９である。この場合、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比は、９：４０であり、これは式１．１を満たす。別の例では、Ｎ＝１、Ｍは４より大きい正整数であり、Ｘ＝９である。この場合、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比は、９：４０未満であり、これも式１．１を満たすことができる。同様に、各ｅＢＲＰ−ＣＥサブフィールドが９個のグレイコードで構成される場合、Ｎ、Ｍ、及びＸの値は、式１．１が使用可能なように設定されて良い。Ｙの値が５である場合、Ｎ、Ｍ、及びＸの値は、式１．１が使用可能であるように設定されても良い。例えば、Ｎ＝１、Ｍ＝５、及びＸ＝９である。この場合、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比は、９：２５であり、９：２０未満である。マルチチャネル結合の場合には、Ｃの値はチャネル数と同じである。この場合、各ｅＢＲＰ−ＴＲＮサブフィールドはＣ×Ｙ個のグレイコードで構成される。この場合、Ｘ、Ｎ、及びＭの値は、以下の式：Ｘ×Ｎ：Ｙ×Ｃ×Ｍ＜９：２０を使用可能にする必要がある。
【０１０５】
トレーニングフィールド内の各ｅＢＲＰ−ＣＥサブフィールドを構成するグレイコードの数、及びトレーニングフィールド内の各ｅＢＲＰ−ＴＲＮサブフィールドを構成するグレイコードの数が式１．１を満たすならば、トレーニングフィールド内の各ｅＢＲＰ−ＣＥサブフィールドを構成するグレイコードの数、及びトレーニングフィールド内の各ｅＢＲＰ−ＴＲＮサブフィールドを構成するグレイコードの数は、代替として他の数であって良いことが理解できる。
【０１０６】
任意で、別の実施形態では、第１装置により、拡張ビーム調整プロトコルｅＢＲＰパケットのフォーマットを決定するステップは、第１装置のアンテナ数が１又は２であるとき、第１装置により、トレーニングフィールド内の各ｅＢＲＰ−ＣＥサブフィールド及び各ｅＢＲＰ−ＴＲＮサブフィールドの直交マスクの中の各グレイコードの長さが１２８×Ｃ１であると決定するステップ、第１装置のアンテナ数が３又は４であり、且つトレーニングフィールド内のｅＢＲＰ−ＴＲＮサブフィールドが１０×Ｃ２個のグレイコードで構成されるとき、第１装置により、トレーニングフィールド内の各ｅＢＲＰ−ＣＥサブフィールドの中の各グレイコードの長さが１２８×Ｃ１であると決定し、トレーニングフィールド内の各ｅＢＲＰ−ＴＲＮサブフィールドの中の各グレイコードの長さが１２８×Ｃ１又は６４×Ｃ１であると決定するステップ、第１装置のアンテナ数が３又は４であり、且つトレーニングフィールド内のｅＢＲＰ−ＴＲＮサブフィールドが９×Ｃ２個のグレイコードで構成されるとき、第１装置により、トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップ、又は、第１装置のアンテナ数が４であり、且つトレーニングフィールド内のｅＢＲＰ−ＴＲＮサブフィールドが５×Ｃ２個のグレイコードで構成されるとき、第１装置により、トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップであって、Ｃ２＝１のとき、Ｃ１は第１装置の送信チャネル数により決定される、又はＣ２が第１装置の送信チャネル数により決定されるとき、Ｃ１＝１である、ステップ、を含む。明らかに、送信チャネル数は１以上の正整数であるべきである。
【０１０７】
具体的に、ＩＥＥＥ８０２．１１ａｄとの互換性を保つために、単一チャネル送信では、Ｎ：Ｍの比が１：４未満である場合、一実装では、ｅＢＲＰ−ＣＥサブフィールドのフォーマットはＩＥＥＥ８０２．１１ａｄにおけるＴＲＮサブフィールドのフォーマットと同じである。つまり、ｅＢＲＰ−ＣＥサブフィールドは、長さ１２８の９個のグレイコードで構成され、ｅＢＲＰ−ＴＲＮサブフィールドは長さ１２８の５個のグレイコードで構成される。Ｎ：Ｍの比が１：４に等しい場合、一実装では、第１装置は、トレーニングフィールド内の各ｅＢＲＰ−ＣＥサブフィールドが５個のグレイコードで構成されると決定し、トレーニングフィールド内の各ｅＢＲＰ−ＴＲＮサブフィールドが５個のグレイコードで構成されると決定して良い。この場合、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比は、５：２０であり、９：２０未満である。さらに、ＩＥＥＥ８０２．１１ａｄとの互換性を保つために、ＩＥＥＥ８０２．１１ａｄにおけるＣＥサブフィールドの部分、つまり長さ１２８の９個のグレイコードのうちの５個は、ｅＢＲＰ−ＣＥサブフィールドとして選択されて良く、ｅＢＲＰ−ＴＲＮサブフィールドのために使用されるフォーマットはＩＥＥＥ８０２．１１ａｄにおけるＴＲＮサブフィールドのフォーマットと同じである。このように、トレーニングフィールド内のｅＢＲＰ−ＣＥサブフィールドにより占有される時間の、トレーニングフィールド内のｅＢＲＰ−ＴＲＮサブフィールドにより占有される時間に対する比は低減される。言い換えると、より多くのｅＢＲＰ−ＴＲＮサブフィールドが同じ時間期間内で送信可能である。したがって、より多くのビームがトレーニングでき、トレーニング効率が向上する。別の例では、Ｎ：Ｍの比が１：４に等しい場合、別の実装では、第１装置は、トレーニングフィールド内のｅＢＲＰ−ＣＥサブフィールドが第１ｅＢＲＰ−ＣＥサブフィールド及び第２ｅＢＲＰ−ＣＥサブフィールドを含むと決定する。ここで、各第１ｅＢＲＰ−ＣＥサブフィールドはＸ個のグレイコードで構成され、各第２ｅＢＲＰ−ＣＥサブフィールドは９個のグレイコードで構成される。Ｘは９未満の正整数である。第１ｅＢＲＰ−ＣＥサブフィールドの第２ｅＢＲＰ−ＴＲＮサブフィールドに対する比率は、１：１以上である。トレーニングフィールド内の各第１ｅＢＲＰ−ＣＥサブフィールドが５個のグレイコードで構成され、トレーニングフィールド内の各ｅＢＲＰ−ＴＲＮサブフィールドが５個のグレイコードで構成され、第１ｅＢＲＰ−ＣＥサブフィールドの第２ｅＢＲＰ−ＣＥサブフィールドに対する比率が１：１に等しいと決定されるとき、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比は７：２０であり、９：２０未満である。さらに、ＩＥＥＥ８０２．１１ａｄとの互換性を保つために、ＩＥＥＥ８０２．１１ａｄにおけるＣＥサブフィールドの部分、つまり長さ１２８の９個のグレイコードのうちの５個は、第１ｅＢＲＰ−ＣＥサブフィールドとして選択されて良く、ｅＢＲＰ−ＴＲＮサブフィールドのために使用されるフォーマットはＩＥＥＥ８０２．１１ａｄにおけるＴＲＮサブフィールドのフォーマットと同じである。このように、トレーニングフィールド内のｅＢＲＰ−ＣＥサブフィールドにより占有される時間の、トレーニングフィールド内のｅＢＲＰ−ＴＲＮサブフィールドにより占有される時間に対する比は低減される。言い換えると、より多くのｅＢＲＰ−ＴＲＮサブフィールドが同じ時間期間内で送信できる。代替として、トレーニングフィールド内のＣＥ長の短縮、及びトレーニングフィールド内のＣＥの比率の低減が、両方とも使用されて良い。したがって、より多くのビームがトレーニングでき、トレーニング効率が向上する。詳細事項は、ここで再び記載されない。
【０１０８】
ＩＥＥＥ８０２．１１ａｙで新たに使用されるチャネル結合をサポートするために、ｅＢＲＰ−ＣＥサブフィールドは、ＩＥＥＥ８０２．１１ａｄのＣＥサブフィールドのフォーマットに基づき拡張され、ｅＢＲＰ−ＴＲＮサブフィールドは、ＩＥＥＥ８０２．１１ａｄのＴＲＮサブフィールドのフォーマットに基づき拡張される。トレーニングフィールド内のＣＥのＴＲＮに対する比率を低減する方法、及びＣＥ長を短縮する方法の両方が、ビームトレーニング中のオーバヘッドを削減するために使用される。
【０１０９】
具体的に、直接サンプリングレート拡張が、拡張方法として使用され、２つの隣接チャネルが結合されるとき、サンプリングレートは単一チャネル送信におけるものの２倍である。３つの隣接チャネルが結合されるとき、サンプリングレートは単一チャネル送信のものの３倍である。４つの隣接チャネルが結合されるとき、サンプリングレートは単一チャネル送信のものの４倍である。以降は類推できる。このように、Ｚ（Ｚは１以上の正整数である）個のチャネルが結合されるとき、ｅＢＲＰ−ＣＥサブフィールド及びｅＢＲＰ−ＴＲＮサブフィールドの時間は不変であるが、ｅＢＲＰ−ＣＥサブフィールド及びｅＢＲＰ−ＴＲＮサブフィールドに含まれるサンプリング点は元のサンプリング点のＺ倍である。
【０１１０】
例えば、Ｎ：Ｍの比が１：４未満であると仮定する。可能な実装では、第１装置は、ｅＢＲＰ−ＣＥサブフィールドが長さＺ×１２８の９個のグレイコードで構成されること、及びｅＢＲＰ−ＴＲＮサブフィールドが長さＺ×１２８の５個のグレイコードで構成されることを決定して良い。別の可能な実装では、第１装置は、ｅＢＲＰ−ＣＥサブフィールドが長さ１２８の９×Ｚ個のグレイコードで構成されることを決定して良く、ｅＢＲＰ−ＴＲＮサブフィールドは、長さ１２８の５×Ｚ個のグレイコードで構成されて良い。
【０１１１】
別の例では、Ｎ：Ｍの比が１：４に等しいと仮定する。可能な実装では、ｅＢＲＰ−ＣＥサブフィールドは、長さＺ×１２８の５個のグレイコードで構成されて良く、ｅＢＲＰ−ＴＲＮサブフィールドは長さＺ×１２８の５個のグレイコードで構成されて良い。単一チャネル送信におけるものと同様に、ＩＥＥＥ８０２．１１ａｄとの互換性を保つために、ＩＥＥＥ８０２．１１ａｄにおけるＣＥサブフィールドの部分、つまり長さＺ×１２８の９個のグレイコードのうちの５個は、ｅＢＲＰ−ＣＥサブフィールドとして選択されて良い。別の可能な実装では、ｅＢＲＰ−ＣＥサブフィールドは、長さ１２８の５×Ｚ個のグレイコードで構成されて良く、ｅＢＲＰ−ＴＲＮサブフィールドは長さ１２８の５×Ｚ個のグレイコードで構成されて良い。このように、トレーニングフィールド内のｅＢＲＰ−ＣＥサブフィールドにより占有される時間の、トレーニングフィールド内のｅＢＲＰ−ＴＲＮサブフィールドにより占有される時間に対する比は低減される。別の可能な実装では、第１装置は、トレーニングフィールド内のｅＢＲＰ−ＣＥサブフィールドが第１ｅＢＲＰ−ＣＥサブフィールド及び第２ｅＢＲＰ−ＣＥサブフィールドを含むことを決定し、各第１ｅＢＲＰ−ＣＥサブフィールドは長さ１２８の５×Ｚ個のグレイコードで構成され、各第２ｅＢＲＰ−ＣＥサブフィールドは長さ１２８の９×Ｚ個のグレイコードで構成され、並びに、トレーニングフィールド内の各ｅＢＲＰ−ＴＲＮサブフィールドが長さ１２８の５×Ｚ個のグレイコードで構成されると決定して良い。別の可能な実装では、第１装置は、トレーニングフィールド内のｅＢＲＰ−ＣＥサブフィールドが第１ｅＢＲＰ−ＣＥサブフィールド及び第２ｅＢＲＰ−ＣＥサブフィールドを含むことを決定し、各第１ｅＢＲＰ−ＣＥサブフィールドは長さ１２８×Ｚの５個のグレイコードで構成され、各第２ｅＢＲＰ−ＣＥサブフィールドは長さ１２８×Ｚの９個のグレイコードで構成され、並びに、トレーニングフィールド内の各ｅＢＲＰ−ＴＲＮサブフィールドが長さ１２８×Ｚの５個のグレイコードで構成されると決定して良い。同様に、ＩＥＥＥ８０２．１１ａｄとの互換性を保つために、ＩＥＥＥ８０２．１１ａｄにおけるＣＥサブフィールドの部分、つまり長さＺ×１２８の９個のグレイコードのうちの５個は、第１ｅＢＲＰ−ＣＥサブフィールドとして選択されて良い。
【０１１２】
このように、トレーニングフィールド内のｅＢＲＰ−ＣＥサブフィールドにより占有される時間の、トレーニングフィールド内のｅＢＲＰ−ＴＲＮサブフィールドにより占有される時間に対する比は低減される。言い換えると、より多くのｅＢＲＰ−ＴＲＮサブフィールドが同じ時間期間内で送信できる。代替として、トレーニングフィールド内のＣＥ長の短縮（トレーニングフィールド内の全部のＣＥサブフィールドの長さの短縮、又はトレーニングフィールド内の一部のＣＥサブフィールドの長さの短縮）、及びトレーニングフィールド内のＣＥの比率の低減は、両方とも使用されて良い。したがって、より多くのビームがトレーニングでき、トレーニング効率が向上する。詳細事項は、ここで再び記載されない。
【０１１３】
任意で、別の実施形態では、ＭＩＭＯトレーニングがサポートされるとき、第１装置により、拡張ビーム調整プロトコルｅＢＲＰパケットのフォーマットを決定するステップは、第１装置のアンテナ数が１を超えるとき、第１装置により、ｅＢＲＰ−ＣＥサブフィールド及びｅＢＲＰ−ＴＲＮサブフィールドの直交マスクの各コードワードの中に、少なくとも１対のグレイコード相補シーケンスが存在すると決定するステップを更に含む。ここで、複数のアンテナのトレーニングフィールド内のｅＢＲＰ−ＣＥサブフィールド及びｅＢＲＰ−ＴＲＮサブフィールドは、直交マスク方法で送信される。ＩＥＥＥ８０２．１１ａｄのＴＲＮサブフィールドには５個のグレイコードしか存在しない。アンテナ数が比較的大きいとき、各コードワードの中に少なくとも１対のグレイコード相補シーケンスが存在することが保証できない。１対のグレイコード相補シーケンスは、自己相関の和（the  sum  of  Autocorrelation）の所望の特徴を有する。具体的に、１対のグレイコード相補シーケンス（Ｇａ，Ｇｂ）は、ＡＣ（Ｇａ）＋ＡＣ（Ｇｂ）は完全整列の場合にのみピークを有するという要件を満たし、別の位置は０であり（サイドローブは０である）、ＡＣ（）は自己相関関数を表す。しかしながら、単一のグレイコードは、前述の特徴を有しない。したがって、マルチチャネル測定の環境で、チャネル推定の性能が低下する。本発明によると、グレイコード数を拡張する方法は、チャネル推定の性能を保証するために使用される。
【０１１４】
具体的に、第１装置は、第１装置のアンテナ数及び第１装置のアンテナ偏波方向に基づき、トレーニングフィールド内の各ｅＢＲＰ−ＣＥサブフィールドを構成するグレイコードの数及び前記トレーニングフィールド内の各ｅＢＲＰ−ＴＲＮサブフィールドを構成するグレイコードの数を決定して良い。より具体的に、第１装置により、第１装置のアンテナ数及び第１装置のアンテナ偏波方向に基づき、トレーニングフィールド内の各ｅＢＲＰ−ＣＥサブフィールドを構成するグレイコードの数及びトレーニングフィールド内の各ｅＢＲＰ−ＴＲＮサブフィールドを構成するグレイコードの数を決定するステップは、第１装置のアンテナ数が１又は２であり、且つ第１装置のアンテナが同一偏波アンテナであるとき、第１装置により、トレーニングフィールド内の各ｅＢＲＰ−ＣＥサブフィールドが５×Ｃ２個のグレイコードで構成されると決定し、トレーニングフィールド内の各ｅＢＲＰ−ＴＲＮサブフィールドが５個のグレイコードで構成されると決定するステップ、第１装置のアンテナ数が３又は４であり、且つ第１装置のアンテナが同一偏波アンテナであるとき、第１装置により、トレーニングフィールド内の各ｅＢＲＰ−ＣＥサブフィールドが９×Ｃ２個のグレイコードで構成されると決定し、第１装置により、トレーニングフィールド内の各ｅＢＲＰ−ＴＲＮサブフィールドが１０×Ｃ２個のグレイコード又は９×Ｃ２個のグレイコードで構成されると決定するステップ、又は、第１装置のアンテナ数が２又は４であり、且つ第１装置のアンテナが交差偏波アンテナであるとき、第１装置により、トレーニングフィールド内の各ｅＢＲＰ−ＣＥサブフィールドが５×Ｃ２個のグレイコードで構成されると決定し、トレーニングフィールド内の各ｅＢＲＰ−ＴＲＮサブフィールドが５×Ｃ２個のグレイコードで構成されると決定するステップであって、Ｃ２＝１又はＣ２は第１装置の送信チャネル数により決定される、ステップ、を含む。
【０１１５】
さらに、第１装置により、拡張ビーム調整プロトコルｅＢＲＰパケットのフォーマットを決定するステップは、第１装置のアンテナ数が１又は２であるとき、第１装置により、トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップ、第１装置のアンテナ数が３又は４であり、且つトレーニングフィールド内のｅＢＲＰ−ＴＲＮサブフィールドが１０×Ｃ２個のグレイコードで構成されるとき、第１装置により、トレーニングフィールド内のｅＢＲＰ−ＣＥサブフィールドの中の各グレイコードの長さが１２８×Ｃ１であると決定し、トレーニングフィールド内のｅＢＲＰ−ＴＲＮサブフィールドの中の各グレイコードの長さが１２８×Ｃ１又は６４×Ｃ１であると決定するステップ、第１装置のアンテナ数が３又は４であり、且つトレーニングフィールド内のｅＢＲＰ−ＴＲＮサブフィールドが９×Ｃ２個のグレイコードで構成されるとき、第１装置により、トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップ、又は、第１装置のアンテナ数が４であり、且つトレーニングフィールド内のｅＢＲＰ−ＴＲＮサブフィールドが５×Ｃ２個のグレイコードで構成されるとき、第１装置により、トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップであって、Ｃ２＝１のとき、Ｃ１は第１装置の送信チャネル数により決定される、又はＣ２が第１装置の送信チャネル数により決定されるとき、Ｃ１＝１である、ステップ、を含む。
【０１１６】
一例として単一チャネル送信を用いると、単一チャネル送信モードでは、Ｃ１＝１且つＣ２＝１である。同一偏波アンテナ構成では、第１装置のアンテナ数が１又は２のとき、直交マスクは２つのコード要素を含み、第１装置は、トレーニングフィールド内の各ｅＢＲＰ−ＣＥサブフィールドが５個のグレイコードで構成されると決定し、トレーニングフィールド内の各ｅＢＲＰ−ＴＲＮサブフィールドが５個のグレイコードで構成されると決定して良い。したがって、２＜５／２個のグレイコードが、直交マスクの２つのコードワードの各々を用いてマスクされる。したがって、直交マスクの各コードワード内に少なくとも１対のグレイコード相補シーケンスが存在する。同一偏波アンテナ構成では、第１装置のアンテナ数が３又は４のとき、第１装置は、トレーニングフィールド内のｅＢＲＰ−ＣＥサブフィールドが９個のグレイコードで構成され、直交マスクは４個のコード要素を含むと決定し、トレーニングフィールド内の各ｅＢＲＰ−ＴＲＮサブフィールドが１０個のグレイコードで構成されると決定して良い。代替として、第１装置のアンテナ数が３又は４のとき、第１装置は、トレーニングフィールド内のｅＢＲＰ−ＴＲＮサブフィールドが９個のグレイコードで構成されると決定して良い。したがって、２（＜９／４、１０／４）個のグレイコードが、直交マスクの４個のコードワードの各々を用いてマスクされる。したがって、直交マスクの各コードワード内に少なくとも１対のグレイコード相補シーケンスが存在する。このように、直交マスクは、異なる送信アンテナを用いて送信されるｅＢＲＰ−ＴＲＮのために使用され、したがって複数のアンテナが同時にトレーニングでき、ビームトレーニング効率も向上する。さらに、第１装置のアンテナ数が１又は２のとき、第１装置は、トレーニングフィールド内の各ｅＢＲＰ−ＣＥサブフィールド及び各ｅＢＲＰ−ＴＲＮサブフィールド内の各グレイコードの長さが１２８であると決定し、同一偏波アンテナ構成では、第１装置のアンテナ数が３又は４であり、且つトレーニングフィールド内のｅＢＲＰ−ＴＲＮサブフィールドが１０個のグレイコードで構成されるとき、第１装置は、トレーニングフィールド内の各ｅＢＲＰ−ＣＥサブフィールドの中の各グレイコードの長さが１２８であると決定し、トレーニングフィールド内の各ｅＢＲＰ−ＴＲＮサブフィールドの中の各グレイコードの長さが６４であると決定して良く、又は、第１装置のアンテナ数が３又は４であり、且つトレーニングフィールド内のｅＢＲＰ−ＴＲＮサブフィールドが９個のグレイコードで構成されるとき、第１装置は、トレーニングフィールド内の各ｅＢＲＰ−ＣＥサブフィールドの中の各グレイコードの長さが１２８であると決定し、トレーニングフィールド内の各ｅＢＲＰ−ＴＲＮサブフィールドの中の各グレイコードの長さが１２８であると決定して良して良い。
【０１１７】
例えば、同一偏波アンテナ構成では、第１装置のアンテナ数が２のとき、プリアンブルフィールド内のＣＥフィールドの後半部分は、ｅＢＲＰ−ＣＥサブフィールドとして使用されて良い。例えば、シングルキャリア（英語：Single  Carrier、略してＳＣ）モードＣＥの後半部分、Ｇｖ５１２＋Ｇｖ１２８、つまり［−Ｇｂ１２８  Ｇａ１２８  −Ｇｂ１２８  −Ｇａ１２８  −Ｇｂ１２８］が、ｅＢＲＰ−ＣＥサブフィールドとして使用される。直交周波数分割多重（英語：Orthogonal  Frequency  Division  Multiplex  mode、略してＯＦＤＭ）モードＣＥの後半部分、Ｇｕ５２１＋Ｇｖ１２８、つまり［−Ｇｂ１２８  Ｇａ１２８  Ｇｂ１２８  −Ｇａ１２８  −Ｇｂ１２８］も、ｅＢＲＰ−ＣＥサブフィールドとして使用され得る。２つのアンテナのｅＢＲＰ−ＣＥサブフィールド及びｅＢＲＰ−ＴＲＮサブフィールドがそれぞれ直交マスク［１  １］及び［１  −１］を使用するとき、ｅＢＲＰ−ＣＥサブフィールド及びｅＢＲＰ−ＴＲＮサブフィールドのｅＢＲＰ−ＣＥサブフィールドの長さ及びｅＢＲＰ−ＴＲＮサブフィールドの長さの両方がマスクの長さに完全に揃っていないので、マスキングは、直交マスクを用いることにより最初のグレイコードで開始し、直交マスクを用いることにより最後のグレイコードで終了して良い。マスキングが最初のグレイコードで開始するとき、アンテナ１により送信されるトレーニングフィールド内のｅＢＲＰ−ＣＥサブフィールドは、［−Ｇｂ１２８  Ｇａ１２８  −Ｇｂ１２８  −Ｇａ１２８  −Ｇｂ１２８］であり、アンテナ２により送信されるトレーニングフィールド内のｅＢＲＰ−ＣＥサブフィールドは、［−Ｇｂ１２８  Ｇａ１２８  Ｇｂ１２８  Ｇａ１２８  −Ｇｂ１２８］である。アンテナ１により送信されるｅＢＲＰ−ＴＲＮサブフィールドは、［Ｇａ１２８  −Ｇｂ１２８  Ｇａ１２８  Ｇｂ１２８  Ｇａ１２８］であり、アンテナ２により送信されるｅＢＲＰ−ＴＲＮサブフィールドは、［Ｇａ１２８  −Ｇｂ１２８  −Ｇａ１２８  −Ｇｂ１２８  Ｇａ１２８］である。つまり、ｅＢＲＰ−ＴＲＮサブフィールド内には、対応する直交マスクの第１コードワード内に１対のグレイ相補シーケンス［Ｇａ１２８  −Ｇｂ１２８］があり、直交マスクの第２コードワード内に１対のグレイ相補シーケンス［Ｇａ１２８  Ｇｂ１２８］がある。グレイ相補シーケンスは、良好な自己相関特性を有するので、ビームトレーニング測定の精度が保証できる。マスキングが最後のグレイコードで終了するとき、アンテナ１により送信されるトレーニングフィールド内のｅＢＲＰ−ＣＥサブフィールドは、［−Ｇｂ１２８  Ｇａ１２８  −Ｇｂ１２８  −Ｇａ１２８  −Ｇｂ１２８］であり、アンテナ２により送信されるトレーニングフィールド内のｅＢＲＰ−ＣＥサブフィールドは、［−Ｇｂ１２８  Ｇａ１２８  Ｇｂ１２８  Ｇａ１２８  Ｇｂ１２８］である。アンテナ１により送信されるｅＢＲＰ−ＴＲＮサブフィールドは、［Ｇａ１２８  −Ｇｂ１２８  Ｇａ１２８  Ｇｂ１２８  Ｇａ１２８］であり、アンテナ２により送信されるｅＢＲＰ−ＴＲＮサブフィールドは、［Ｇａ１２８  −Ｇｂ１２８  Ｇａ１２８  −Ｇｂ１２８  −Ｇａ１２８］である。勿論、トレーニングフィールド内のｅＢＲＰ−ＣＥサブフ��ールドを決定するとき、第１装置は、代替として、ＳＣモードシーケンス及びＯＦＤＭシーケンスを区別しなくて良い。言い換えると、第１装置の送信機により送信される、異なるモード（ＯＦＤＭモード又はＳＣモード）のトレーニングフィールド内のｅＢＲＰ−ＣＥサブフィールドのシーケンス設計は、同じであって良い。これは、以下の利点をもたらす：ＳＣモード装置及びＯＦＤＭモード装置の両方が、ビームトレーニングを実行するために、トレーニングフィールドを受信できる。［１，１］及び［１，−１］がそれぞれアンテナ１及びアンテナ２のマスクとして使用される前述の例は、単なる一例として使用されることが理解できる。アンテナ１及びアンテナ２のマスクは、代替として、それぞれ［１，−１］及び［１，１］であって良い。
【０１１８】
別の例では、同一偏波アンテナ構成において、第１装置のアンテナ数が４のとき、トレーニングフィールド内のｅＢＲＰ−ＣＥサブフィールドは、ＩＥＥＥ８０２．１１ａｄ規格におけるビーム調整プロトコルパケット内のトレーニングフィールド内のＣＥサブフィールドと同じであって良い。例えば、ＳＣモードのｅＢＲＰ−ＣＥサブフィールドは、［−Ｇｂ１２８  −Ｇａ１２８  Ｇｂ１２８  −Ｇａ１２８  −Ｇｂ１２８  Ｇａ１２８  −Ｇｂ１２８  −Ｇａ１２８  −Ｇｂ１２８］であって良く、ＯＦＤＭ  ＰＨＹのｅＢＲＰ−ＣＥサブフィールドは、［−Ｇｂ１２８  −Ｇａ１２８  Ｇｂ１２８  −Ｇａ１２８  −Ｇｂ１２８  Ｇａ１２８  −Ｇｂ１２８  −Ｇａ１２８  −Ｇｂ１２８］であって良い。ｅＢＲＰ−ＴＲＮサブフィールドの構造が長さ１２８の９個のグレイコードであるとき、ｅＢＲＰ−ＴＲＮサブフィールドは、４対のグレイ相補コード及びサフィックスである。例えば、ｅＢＲＰ−ＴＲＮサブフィールドは、［−Ｇａ１２８  Ｇｂ１２８  −Ｇａ１２８  −Ｇｂ１２８  −Ｇａ１２８  −Ｇｂ１２８  Ｇａ１２８  −Ｇｂ１２８  −Ｇａ１２８］であって良い。ブロック分離及び位相推定を実施するために、サフィックスの長さは１２８個のサンプリング点であって良い。改良方法において、ビーム調整プロトコルパケット内のトレーニングフィールド内のＣＥサブフィールドと類似する特性が維持される。拡張を実行するために、異なるアンテナは直交マスク［１，１，１，１］、［１，１，−１，−１］、［１，−１，１，−１］、及び［１，−１，−１，１］、を使用して良い。マスキングは直交マスクを用いて最初のグレイコードで開始して良く、又は、マスキングは直交マスクを用いて最後のグレイコードで終了して良い。ｅＢＲＰ−ＴＲＮサブフィールドの構造が長さ６４の１０個のグレイコードであるとき、ＴＲＮサブフィールドは、４対のグレイ相補コード及びサフィックスである。例えば、ｅＢＲＰ−ＴＲＮサブフィールドは、［−Ｇａ６４  Ｇｂ６４  −Ｇａ６４  −Ｇｂ６４  Ｇａ６４  −Ｇｂ６４  Ｇａ６４  Ｇｂ６４  −Ｇａ６４  Ｇｂ６４］であって良い。２つのアンテナの場合と同様に、対応する直交マスクの各コードワード内に１対のグレイ相補シーケンスがある。ブロック分離及び位相推定を実施するために、サフィックスの長さは１２８個のサンプリング点であって良い。したがって、最初のグレイコードは９番目のグレイコードと同じであり、２番目のグレイコードは１０番目のグレイコードと同じである。拡張を実行するために、異なるアンテナは直交マスク［１，１，１，１］、［１，１，−１，−１］、［１，−１，１，−１］、及び［１，−１，−１，１］、を使用して良い。ＩＥＥＥ８０２．１１ａｄにおける定義は、ここではＧａ６４、Ｇｂ６４、Ｇａ１２８、Ｇｂ１２８のために使用されて良い。別の直交マスクも用いられて良い。これはここで限定されない。ＴＲＮフィールドが拡張されるとき、トレーニングフィールド内のＣＥ長の短縮（トレーニングフィールド内の全部のＣＥサブフィールドの長さの短縮、又はトレーニングフィールド内の一部のＣＥサブフィールドの長さの短縮）方法、及びトレーニングフィールド内のＣＥの比率の低減方法の両者は結合され���も良い。したがって、より多くのビームがトレーニングでき、トレーニング効率が向上する。詳細事項は、ここで再び記載されない。
【０１１９】
アンテナ数が１又は２のとき、ｅＢＲＰ−ＣＥサブフィールドにより占有される時間は、ＩＥＥＥ８０２．１１ａｄ規格においてトレーニングフィールド内のＣＥサブフィールドにより占有される時間より少ない。このように、トレーニングフィールド内のｅＢＲＰ−ＣＥサブフィールドにより占有される時間の、トレーニングフィールド内のｅＢＲＰ−ＴＲＮサブフィールドにより占有される時間に対する比は低減される。言い換えると、より多くのｅＢＲＰ−ＴＲＮサブフィールドが同じ時間期間内で送信できる。したがって、より多くのビームがトレーニングでき、トレーニング効率が向上する。アンテナ数が３又は４のとき、ｅＢＲＰ−ＴＲＮサブフィールドに含まれるグレイコードの数は、ＩＥＥＥ８０２．１１ａｄ規格においてＴＲＮサブフィールドに含まれるグレイコードの数より大きく、ＩＥＥＥ８０２．１１ａｄにおけるＴＲＮサブフィールドと同じ、長さ１２８のグレイシーケンスが使用される場合、トレーニング効率は必ずしも向上されないことがある。しかしながら、直交マスク方法で送信が実行されることを考慮すると、複数の送信アンテナは同時にトレーニングでき、ビームトレーニング効率もＩＥＥＥ８０２．１１ａｄにおけるＢＲＰパケットのものより高い。したがって、改良の検討は、ＩＥＥＥ８０２．１１ａｄにおけるＴＲＮサブフィールドより短いシーケンス長、つまり１２８／２＝６４がｅＢＲＰ−ＴＲＮのために使用されることである。更に、直交マスクの各コードワード内に少なくとも１対のグレイコード相補シーケンスが存在する。したがって、ビームトレーニング測定の精度が保証できる。
【０１２０】
別の例では、交差偏波アンテナ構成において、第１装置のアンテナ数が２のとき、アンテナは、トレーニングを実行するために、２つの直交偏波方向に同じトレーニングフィールドを送信して良い。言い換えると、直交マスクを用いることにより、異なる偏波方向にあるアンテナを区別することなく、第１装置は、トレーニングフィールド内の各ｅＢＲＰ−ＣＥサブフィールドが５個のグレイコードで構成されると決定し、トレーニングフィールド内の各ｅＢＲＰ−ＴＲＮサブフィールドが５個のグレイコードで構成されると決定して良い。第１装置のアンテナ数が４のとき、２つの同一偏波アンテナは長さ２の直交マスクを使用する。直交マスクは２つの要素を含み、第１装置は、トレーニングフィールド内のｅＢＲＰ−ＣＥサブフィールドが５個のグレイコードで構成されると決定し、トレーニングフィールド内のｅＢＲＰ−ＴＲＮサブフィールドが５個のグレイコードで構成されると決定して良い。したがって、２＜５／２個のグレイコードが、直交マスクの２つのコードワードの各々を用いてマスクされる。したがって、直交マスクの各コードワード内に少なくとも１対のグレイコード相補シーケンスが存在する。このように、直交マスクは、異なる送信アンテナを用いて送信されるｅＢＲＰ−ＴＲＮのために使用され、複数のアンテナが同時にトレーニングできるようにし、ビームトレーニング効率も向上する。
【０１２１】
例えば、第１装置が４個の交差偏波アンテナを使用すると仮定する。具体的に、第１装置のアンテナ１及びアンテナ３は直交偏波方向にあり、第１装置のアンテナ２及びアンテナ４は直交偏波方向にあり、アンテナ１及びアンテナ２は同一偏波方向にあり、アンテナ３及びアンテナ４は同一偏波方向にある。プリアンブルフィールド内のＣＥフィールドの後半部分は、ｅＢＲＰ−ＣＥサブフィールドとして使用されて良い。例えば、シングルキャリア（英語：Single  Carrier、略してＳＣ）モードシーケンスの後半部分、Ｇｖ５１２＋Ｇｖ１２８、つまり［−Ｇｂ１２８  Ｇａ１２８  −Ｇｂ１２８  −Ｇａ１２８  −Ｇｂ１２８］が、ｅＢＲＰ−ＣＥサブフィールドとして使用される。直交周波数分割多重（英語：Orthogonal  Frequency  Division  Multiplex  mode、略してＯＦＤＭ）モードシーケンスの後半部分、Ｇｕ５２１＋Ｇｖ１２８、つまり［−Ｇｂ１２８  −Ｇａ１２８  Ｇｂ１２８  −Ｇａ１２８  −Ｇｂ１２８］も、ｅＢＲＰ−ＣＥサブフィールドとして使用され得る。２つの同一偏波アンテナのｅＢＲＰ−ＣＥサブフィールド及びｅＢＲＰ−ＴＲＮサブフィールドがそれぞれ直交マスク［１  １］及び［１  −１］を使用するとき、マスキングは、直交マスクを用いて最初のグレイコードで開始し、アンテナ１及びアンテナ３により送信されるトレーニングフィールド内のｅＢＲＰ−ＣＥサブフィールドは、［−Ｇｂ１２８  Ｇａ１２８  −Ｇｂ１２８  −Ｇａ１２８  −Ｇｂ１２８］であり、アンテナ２及びアンテナ４により送信されるトレーニングフィールド内のｅＢＲＰ−ＣＥサブフィールドは、［−Ｇｂ１２８  Ｇａ１２８  Ｇｂ１２８  Ｇａ１２８  −Ｇｂ１２８］である。アンテナ１及びアンテナ３により送信されるｅＢＲＰ−ＴＲＮサブフィールドは、［Ｇａ１２８  −Ｇｂ１２８  Ｇａ１２８  Ｇｂ１２８  Ｇａ１２８］であり、アンテナ２及びアンテナ４により送信されるｅＢＲＰ−ＴＲＮサブフィールドは、［Ｇａ１２８  −Ｇｂ１２８  −Ｇａ１２８  −Ｇｂ１２８  Ｇａ１２８］である。つまり、ｅＢＲＰ−ＴＲＮサブフィールド内には、対応する直交マスクの第１コードワード内に１対のグレイ相補シーケンス［Ｇａ１２８  −Ｇｂ１２８］があり、直交マスクの第２コードワード内に１対のグレイ相補シーケンス［Ｇａ１２８  Ｇｂ１２８］がある。グレイ相補シーケンスは、良好な自己相関特性を有するので、ビームトレーニング測定の精度が保証できる。勿論、トレーニングフィールド内のｅＢＲＰ−ＣＥサブフィールドを決定するとき、第１装置は、代替として、ＳＣモードシーケンス及びＯＦＤＭシーケンスを区別しなくて良い。言い換えると、第１装置の送信機により送信される、異なるモード（ＯＦＤＭモード又はＳＣモード）のトレーニングフィールド内のｅＢＲＰ−ＣＥサブフィールドのシーケンス設計は、同じであって良い。これは、以下の利点をもたらす：ＳＣモード装置及びＯＦＤＭモード装置の両方が、ビームトレーニングを実行するために、トレーニングフィールドを受信できる。［１，１］及び［１，−１］がそれぞれアンテナ１／３及びアンテナ２／４のマスクとして使用される前述の例は、単なる一例として使用されることが理解できる。アンテナ１／３及びアンテナ２／４のマスクは、���替として、それぞれ［１，−１］及び［１，１］であって良い。さらに、トレーニングフィールド内のｅＢＲＰ−ＣＥサブフィールドとｅＢＲＰ−ＴＲＮサブフィールドとの間には複数の位置関係が存在して良い。
【０１２２】
前述の実施形態は、単一チャネル送信の特定の実施形態である。さらに、多入力多出力（英語：Multiple−Input  Multiple−Output、略してＭＩＭＯ）技術及びチャネル結合の両方がサポートされるとき、Ｚ（Ｚは１以上の正整数である）個のチャネルが結合されると、ｅＢＲＰ−ＣＥサブフィールド及びｅＢＲＰ−ＴＲＮサブフィールドの時間は不変であるが、ｅＢＲＰ−ＣＥサブフィールド及びｅＢＲＰ−ＴＲＮサブフィールドに含まれるサンプリング点は元のサンプリング点のＺ倍である。
【０１２３】
複数のアンテナのトレーニングフィールド内のｅＢＲＰ−ＣＥサブフィールド及びｅＢＲＰ−ＴＲＮサブフィールドは、直交マスク方法で送信され、第１装置は、ｅＢＲＰ−ＣＥサブフィールド及びｅＢＲＰ−ＴＲＮサブフィールドの直交マスクの各コードワード内に少なくとも１対のグレイコード相補シーケンスが存在すると決定する。具体的に、可能な実装では、ｅＢＲＰ−ＣＥサブフィールドは、長さＺ×１２８の９個のグレイコードで構成され続け、ｅＢＲＰ−ＴＲＮサブフィールドは長さＺ×１２８の５個のグレイコードで構成され続ける。この場合、ｅＢＲＰ−ＴＲＮサブフィールドのグレイコードの数は、アンテナ数より２倍少ないことが起こり得、処理方法は前述の記載と同じである、つまり、第１装置の同一偏波送信アンテナの数が３又は４のとき、ｅＢＲＰ−ＣＥサブフィールドに含まれるグレイコードの数は拡張される。長さＺばつ１２０の９個のグレイコード、又は長さＺ×６４の１０個のグレイコードが、ｅＢＲＰ−ＴＲＮを構成するために使用されて良い。第１装置の複数のアンテナは、トレーニングフィールドを送信するために直交マスクを使用する。ＴＲＮフィールドが拡張されるとき、トレーニングフィールド内のＣＥ長の短縮（トレーニングフィールド内の全部のＣＥサブフィールドの長さの短縮、又はトレーニングフィールド内の一部のＣＥサブフィールドの長さの短縮）方法、及びトレーニングフィールド内のＣＥの比率の低減方法の両者は結合されて良い。したがって、より多くのビームがトレーニングでき、トレーニング効率が向上する。詳細事項は、ここで再び記載されない。
【０１２４】
別の可能な実装では、Ｚ＝１のとき、単一チャネル送信モードにおける特定の実装が参照されて良い。詳細はここで再び記載される必要がない。Ｚが２以上の正整数であるとき、ｅＢＲＰ−ＣＥサブフィールドは長さ１２８の９×Ｚ個のグレイコードで構成され続け、ｅＢＲＰ−ＴＲＮサブフィールドは、長さ１２８の５×Ｚ個のグレイコードで構成され続ける。これは、Ｚが２以上の正整数であるとき、５×Ｚが１０以上の正整数であるからである。この場合、ｅＢＲＰ−ＴＲＮサブフィールドのグレイコードの数がアンテナ数の２倍未満である場合は存在しない。第１装置の複数のアンテナは、トレーニングフィールドを送信するために直交マスクを使用する。トレーニングフィールド内のＣＥ長を短縮する（トレーニングフィールド内の全部のＣＥサブフィールドの長さを短縮する、又はトレーニングフィールド内の一部のＣＥサブフィールドの長さを短縮する）方法、及びトレーニングフィールド内のＣＥの比率を低減する方法は、結合されて良い。したがって、より多くのビームがトレーニングでき、トレーニング効率が向上する。詳細事項は、ここで再び記載されない。
【０１２５】
例えば、トレーニングフィールド内のｅＢＲＰ−ＣＥサブフィールド及びｅＢＲＰ−ＴＲＮサブフィールドは、複数のＣＥ−ＴＲＮユニットにグループ化されて良い。各ＣＥ−ＴＲＮユニットは、ｅＢＲＰ−ＣＥサブフィールド及びｅＢＲＰ−ＴＲＮサブフィールドで構成される。具体的に、各ＣＥ−ＴＲＮユニットは、１個のｅＢＲＰ−ＣＥサブフィールド及び少なくとも４個のｅＢＲＰ−ＴＲＮサブフィールドを含んで良い。少なくとも４個のｅＢＲＰ−ＴＲＮサブフィールドは、ｅＢＲＰ−ＣＥサブフィールドの後に置かれ、ｅＢＲＰ−ＣＥサブフィールドに続く。例えば、図４は、本発明の一実施形態によるｅＢＲＰパケットの構造ブロック図である。図４に示すｅＢＲＰパケットは、プリアンブルフィールド、ヘッダフィールド、データフィールド、及びトレーニングフィールドを含む。トレーニングフィールドは、ｅＢＲＰ−ＡＧＣフィールド及びｅＢＲＰ−ＴＲＮフィールドを含む。ｅＢＲＰ−ＴＲＮフィールドは、３個のＣＥ−ＴＲＮユニットを含み、各ＣＥ−ＴＲＮユニットは、１個のｅＢＲＰ−ＣＥサブフィールド及び５個のｅＢＲＰ−ＴＲＮサブフィールドを含む。
【０１２６】
別の例では、トレーニングフィールド内の１又は複数のｅＢＲＰ−ＣＥサブフィールドは、特定位置に置かれ、トレーニングフィールド内のｅＢＲＰ−ＣＥサブフィールドの数のトレーニングフィールド内のｅＢＲＰ−ＴＲＮサブフィールドの数に対する比は、１：４以下である。トレーニングフィールド内の複数のｅＢＲＰ−ＴＲＮサブフィールドが順番に連続すると仮定すると、特定位置は、以下の位置のうちの少なくとも１つにある：複数のｅＢＲＰ−ＴＲＮサブフィールドのうちの１番目のｅＢＲＰ−ＴＲＮサブフィールドの前に置かれ、ここで、ｅＢＲＰ−ＣＥサブフィールド及び複数のｅＢＲＰ−ＴＲＮサブフィールドのうちの１番目のｅＢＲＰ−ＴＲＮサブフィールドが連続する；複数のｅＢＲＰ−ＴＲＮサブフィールドのうちの最後のｅＢＲＰ−ＴＲＮサブフィールドの後に置かれ、ここで、ｅＢＲＰ−ＣＥサブフィールド及び複数のｅＢＲＰ−ＴＲＮサブフィールドのうちの最後のサブフィールドは連続する；又は、複数のｅＢＲＰ−ＴＲＮサブフィールドのうちの中間位置に置かれ、つまり、ｅＢＲＰ−ＣＥサブフィールドの前にあるｅＢＲＰ−ＴＲＮサブフィールドの数はｅＢＲＰ−ＣＥサブフィールドの後にあるｅＢＲＰ−ＴＲＮサブフィールドの数と同じである。トレーニングフィールドに含まれるｅＢＲＰ−ＣＥサブフィールドの数は、指定位置の数と同じであることが理解できる。勿論、指定位置は、前述の３つの位置以外の位置を更に含んで良い。例えば、図５は、本発明の一実施形態による別のｅＢＲＰパケットの構造ブロック図である。図５に示すように、拡張ビーム調整プロトコルパケットは、プリアンブルフィールド、ヘッダフィールド、データフィールド、及びトレーニングフィールドを含む。トレーニングフィールドは、ｅＢＲＰ−ＡＧＣフィールド及びｅＢＲＰ−ＴＲＮフィールドを含み、ｅＢＲＰ−ＴＲＮフィールドは、２個のｅＢＲＰ−ＣＥサブフィールド及び複数のｅＢＲＰ−ＴＲＮサブフィールドを含む。図５に示すように、ｅＢＲＰ−ＴＲＮフィールド内の１番目のサブフィールドは、ｅＢＲＰ−ＣＥサブフィールドであり、ｅＢＲＰ−ＴＲＮフィールド内の最後の４個のサブフィールドは他のｅＢＲＰ−ＣＥサブフィールドであり、ｅＢＲＰ−ＴＲＮフィールド内の他のサブフィールドはｅＢＲＰ−ＴＲＮサブフィールドである。記載を容易にするために、複数のｅＢＲＰ−ＴＲＮサブフィールドを表すために図５において「．．．」が使用されることが理解できる。
【０１２７】
さらに、比較的小さなアンテナアレイ要素数だけが、ＩＥＥＥ８０２．１１ａｄにおいてサポートされる。具体的には、各アンテナ内に６４個より多くのアレイ要素は存在しない。したがって、ＩＥＥＥ８０２．１１ａｙでは、より多くのアンテナアレイ要素がサポートされる必要がある。結果として、受信機利得は、トレーニングフィールド内のＡＧＣを集めることにより、及び集めたＡＧＣフィールドを用いることにより、推定され、それにより受信機のダイナミックレンジに制限を課す。
【０１２８】
可能な実装では、より大きな受信機のダイナミックレンジをサポートするために、複数の受信機利得がＡＧＣサブフィールドグループ化方法で推定される。具体的に、トレーニングフィールドは、ｅＢＲＰ−ＡＧＣフィールドを含んで良く、第１装置により、ｅＢＲＰパケットのフォーマットを決定するステップは、第１装置により、トレーニングフィールドがＫ個のＡＧＣ−ＴＲＮサブフィールドグループを含むと決定するステップであって、各ＡＧＣ−ＴＲＮサブフィールドグループに含まれるｅＢＲＰ−ＡＧＣサブフィールド及びｅＢＲＰ−ＴＲＮサブフィールドの数は同じであり、各ＡＧＣ−ＴＲＮサブフィールドグループに含まれるｅＢＲＰ−ＡＧＣサブフィールド及びｅＢＲＰ−ＴＲＮサブフィールドは同じＡＷＶグループを用い、ｅＢＲＰ−ＡＧＣサブフィールドは各ＡＧＣ−ＴＲＮサブフィールドグループ内でｅＢＲＰ−ＴＲＮサブフィールドの前に位置し、Ｋは１以上の正整数である、ステップを更に含んで良い。このように、受信機は、各ＡＧＣ−ＴＲＮサブフィールドグループにおいて適切な受信機利得を推定して良い。したがって、より大きな受信機ダイナミックレンジを得ることができる。これは、異なるＡＷＶ構成でチャネル情報を測定することを助ける。さらに、数ＫがｅＢＲＰ−ＴＲＮサブフィールドの数と同じとき、各ｅＢＲＰ−ＡＧＣサブフィールドは、ｅＢＲＰ−ＴＲＮサブフィールドに隣接し、それによりＡＷＶの変化する回数を低減する。ＡＷＶの変化する回数の低減は、ＡＷＶ構成で測定のために使用できない時間の低減を伴う。したがって、異なるＡＷＶ構成に対応する大きさ及び位相を決定するために、より多くの時間が利用可能になり得る。それにより、正確なビームを決定するのを助ける。
【０１２９】
さらに、各ＡＧＣ−ＴＲＮサブフィールドグループは、ｅＢＲＰ−ＣＥサブフィールドを更に含んで良い。さらに、トレーニングフィールド内のＣＥ長を短縮する（トレーニングフィールド内の全部のＣＥサブフィールドの長さを短縮する、又はトレーニングフィールド内の一部のＣＥサブフィールドの長さを短縮する）方法、トレーニングフィールド内のＣＥの比率を低減する方法、及びＴＲＮサブフィールド内のグレイコードの数を拡張する方法は、結合されて良い。したがって、より多くのビームがトレーニングでき、トレーニング効率が向上する。詳細事項は、ここで再び記載されない。
【０１３０】
各ＡＧＣ−ＴＲＮサブフィールドグループ内のｅＢＲＰ−ＡＧＣサブフィールド、ｅＢＲＰ−ＴＲＮサブフィールド、及びｅＢＲＰ−ＣＥサブフィールドは、ＩＥＥＥ８０２．１１ａｄにおけるＴＲＮサブフィールド、ＡＧＣサブフィールド、及びＣＥサブフィールドのフォーマットに従い設計されて良い。さらに、トレーニングフィールド内のＣＥ長を短縮する（トレーニングフィールド内の全部のＣＥサブフィールドの長さを短縮する、又はトレーニングフィールド内の一部のＣＥサブフィールドの長さを短縮する）方法、トレーニングフィールド内のＣＥの比率を低減する方法、及びＴＲＮサブフィールド内のグレイコードの数を拡張する方法は、結合されて良い。したがって、より多くのビームがトレーニングでき、トレーニング効率が向上する。詳細事項は、ここで再び記載されない。さらに、各ＡＧＣ−ＴＲＮサブフィールドグループに含まれるｅＢＲＰ−ＡＧＣサブフィールドお酔いｂｅＢＲＰ−ＴＲＮサブフィールドの数は、同じである。しかしながら、任意の２つのＡＧＣ−ＴＲＮサブフィールドグループに含まれるｅＢＲＰ−ＡＧＣサブフィールドの数お酔いｂｅＢＲＰ−ＴＲＮサブフィールドの数は異なって良い。例えば、１番目のＡＧＣ−ＴＲＮサブフィールドグループは、４個のｅＢＲＰ−ＡＧＣサブフィールド及び４個のｅＢＲＰ−ＴＲＮサブフィールドを含むが、２番目のＡＧＣ−ＴＲＮサブフィールドグループは、８個のｅＢＲＰ−ＡＧＣサブフィールド及び８個のｅＢＲＰ−ＴＲＮサブフィールドを含む。これはここで特に限定されない。
【０１３１】
例えば、図６は、本発明の一実施形態による別のｅＢＲＰパケットの構造ブロック図である。図６に示すｅＢＲＰパケットは、プリアンブルフィールド、ヘッダフィールド、データフィールド、及びトレーニングフィールドを含む。トレーニングフィールドは、２個のＡＧＣ−ＴＲＮサブフィールドグループを含み、各ＡＧＣ−ＴＲＮサブフィールドグループは、４個のｅＢＲＰ−ＡＧＣサブフィールド及び４個のｅＢＲＰ−ＴＲＮサブフィールドを含む。さらに、各ＡＧＣ−ＴＲＮサブフィールドグループは、ｅＢＲＰ−ＣＥサブフィールドを更に含んで良い。
【０１３２】
さらに、図１に示す方法は、ステップ１０３を含んで良い。
【０１３３】
１０３。第１装置は、第２装置へトレーニングフィールド構成情報を送信する。ここで、トレーニングフィールド構成情報は、ｅＢＲＰパケット内でトレーニングフィールドのフォーマットを示すために使用され、トレーニングフィールド構成情報は、ビーム調整プロトコル要求フィールド、ビーム調整要素、又はｅＢＲＰパケット内のヘッダフィールドのうちの任意の１又は複数により伝達される。このように、第１装置は、第２装置がトレーニングフィールドのフォーマットに基づきビームトレーニングを実行できるように、第２装置にトレーニングフィールドのフォーマットを通知できる。
【０１３４】
ヘッダフィールドは、ここでは、ＩＥＥＥ８０２．１１ａｄで定められるヘッダフィールドであって良く、又はＩＥＥＥ８０２．１１ａｙで定められる新しいヘッダフィールドであって良い。
【０１３５】
トレーニングフィールドは、以下のフォーマット：トレーニングフィールド内のｅＢＲＰ−ＣＥサブフィールドの構造（つまり、各ｅＢＲＰ−ＣＥサブフィールドを構成するグレイコードの数及び長さ）、トレーニングフィールド内のｅＢＲＰ−ＴＲＮサブフィールドの構造（つまり、各ｅＢＲＰ−ＴＲＮサブフィールドを構成するグレイコードの数及び長さ）、及びトレーニングフィールド内のｅＢＲＰ−ＣＥサブフィールドの数のトレーニングフィールド内のｅＢＲＰ−ＴＲＮサブフィールドの数に対する比、のうちの１又は複数であって良い。任意で、トレーニングフィールドのフォーマットは、以下：トレーニングフィールド内のｅＢＲＰ−ＣＥサブフィールドの位置、トレーニングフィールド内のｅＢＲＰ−ＴＲＮサブフィールドの位置、及びトレーニングフィールド内のＡＧＣフィールドの位置及びフォーマット、のうちの少なくとも１つを更に含んで良い。
【０１３６】
ｅＢＲＰパケット内のトレーニングフィールドのフォーマットを示すために使用されるトレーニングフィールド構成情報は、トレーニングフィールドのフォーマットを直接示して良く、又はトレーニングフィールドのフォーマットに対応するインデックスを示して良い。言い換えると、異なるトレーニングフィールドのフォーマットは異なるインデックスに対応し、トレーニングフィールド構成情報は、トレーニングフィールドの且つ示される必要のあるフォーマットに対応するインデックスである。さらに、トレーニングフィールド構成情報は、更に別の形式であって良い。例えば、トレーニングフィールドのフォーマットのうち、ｅＢＲＰ−ＣＥサブフィールドの構造及びｅＢＲＰ−ＴＲＮサブフィールドの構造の異なる組み合わせは異なるインデックスに対応し、インデックスは、使用されるｅＢＲＰ−ＣＥサブフィールドの構造及びｅＢＲＰ−ＴＲＮサブフィールドの構造を決定するために、トレーニングフィールド構成情報内で示されて良い。さらに、トレーニングフィールド構成情報は、トレーニングフィールド内のｅＢＲＰ−ＣＥサブフィールドの数のトレーニングフィールド内のｅＢＲＰ−ＴＲＮサブフィールドの数に対する比を示すために更に使用される。このように、第２装置は、インデックスに基づき、ｅＢＲＰ−ＴＲＮサブフィールドの構造及びｅＢＲＰ−ＣＥサブフィールドの構造を決定し、トレーニングフィールド内のｅＢＲＰ−ＣＥサブフィールドの数のトレーニングフィールド内のｅＢＲＰ−ＴＲＮサブフィールドの数に対する示された比に基づき、トレーニングフィールド内のｅＢＲＰ−ＣＥサブフィールドの数のトレーニングフィールド内のｅＢＲＰ−ＴＲＮサブフィールドの数に対する比を決定できる。
【０１３７】
ステップ１０３で、第１装置は、明示的指示方法で、トレーニングフィールドのフォーマットを第２装置に明確に示す。第１装置は、黙示的指示方法で、例えば現在のＭＣＳレベルを参照する指示方法で、第２装置に、トレーニングフィールドのフォーマットを更に示して良い。
【０１３８】
さらに、ｅＢＲＰパケットを第２装置へ送信する前に、第１装置は、ｅＢＲＰパケットの種類、つまり、ｅＢＲＰパケットが受信ビームトレーニング（以後、ｅＢＲＰ−ＲＸパケットとして参照される）又は送信ビームトレーニング（以後、ｅＢＲＰ−ＴＸパケットとして参照される）のために使用されるかを決定して良い。ｅＢＲＰパケットが送信ビームトレーニングのために使用される場合、ｅＢＲＰパケットを送信するとき、第１装置は、送信ビームトレーニングを実行するために、ＡＷＶを変化して良い。具体的に、第１装置により送信されるｅＢＲＰパケットがｅＢＲＰ−ＴＸパケットである場合、第１装置がトレーニングフィールドを送信するときにトレーニング可能なＡＷＶの数は、ｅＢＲＰ−ＴＲＮサブフィールドの数に関連する。第１装置が単一アンテナであるとき、トレーニングされる送信ＡＷＶの数は、ｅＢＲＰ−ＴＲＮサブフィールドの数に等しい。複数の送信アンテナは、符号分割方法で異なるＡＷＶをトレーニングする。したがって、ｅＢＲＰ−ＴＲＮサブフィールドの直交マスクを用いて、同時トレーニングが実施され得る。したがって、複数のアンテナの場合に、トレーニング可能な最大送信ビーム数は、アンテナ数×ｅＢＲＰ−ＴＲＮサブフィールド数（つまり、アンテナ数とｅＢＲＰ−ＴＲＮサブフィールド数との積）である。ｅＢＲＰパケットが受信ビームトレーニングのために使用される場合、第１装置は、ｅＢＲＰパケットを送信するときＡＷＶを変化しないが、第２装置は、ｅＢＲＰパケットを受信するとき、受信ビームトレーニングを実行するために、ＡＷＶを変化する。具体的に、第１装置により送信されるｅＢＲＰパケットがｅＢＲＰ−ＲＸパケットである場合、第１装置は、トレーニングフィールドを送信するとき、ＡＷＶを変化しない。第２装置がｅＢＲＰパケットを受信するときにトレーニング可能なＡＷＶの数は、第１装置により送信されるｅＢＲＰ−ＲＸパケット内のｅＢＲＰ−ＴＲＮサブフィールドの数に関連する。第２装置が単一アンテナであるとき、トレーニングされる受信ＡＷＶの数は、ｅＢＲＰ−ＴＲＮサブフィールドの数に等しい。受信アンテナの数が１を超えるとき、各送信アンテナによりトレーニング可能な送信ＡＷＶの数は、ｅＢＲＰ−ＴＲＮサブフィールドの数以下である。複数の受信アンテナの異なるＡＷＶトレーニングは、複数の受信アンテナが、第１装置により送信されたｅＢＲＰ−ＴＲＮサブフィールドを異なるＡＷＶを用いて受信する方法で実施されて良い。勿論、受信アンテナによりトレーニングされる必要のあるビームは必ずしも同じではない。したがって、複数のアンテナの場合に、トレーニング可能な最大受信ビーム数は、アンテナ数×ｅＢＲＰ−ＴＲＮサブフィールド数（つまり、アンテナ数とｅＢＲＰ−ＴＲＮサブフィールド数との積）である。送信アンテナ数及び受信アンテナ数の両方が１より大きいとき、送信されたｅＢＲＰ−ＴＲＮサブフィールドが直交マスクを使用することにより異なるアンテナを区別する場合、受信機の各受信アンテナは、１つのｅＢＲＰ−ＴＲＮサブフィールドの中で、複数の送信アンテナの現在送信ＡＷＶ構成内の及び受信アンテナの現在受信ＡＷＶ構成内の無線チャネルを同時に測定し��る。ｅＢＲＰパケット送信及び受信の１又は複数のラウンドを通じて、送信側及び受信側は、対応する無線チャネルを測定し、通信を実行するために、対応する送信ＡＷＶ及び受信ＡＷＶの正確な構成を選択する。処理はここで、ＩＥＥＥ８０２．１１ａｄにおけるＢＲＰプロトコルに従って良く、特に限定されない。
【０１３９】
さらに、ＩＥＥＥ８０２．１１ａｄ規格では、トレーニングフィールドは、π／２二位相偏移変調（英語：Binary  Phase  Shift  Keying、ＢＰＳＫ）に基づき変調された後に、送信される。図１に示す方法では、第１装置は、代替として、π／２ＢＰＳＫ以外の変調方法を使用して良い。これは、本発明において限定されない。
【０１４０】
さらに、以上は、本発明の技術的ソリューションに基づき得ることのできる単なる特定の可能な実装を記載したことが理解できる。当業者は、本発明の実施形態に基づき別の特定の実装を更に決定できる。言い換えると、上述の特定の実装以外の実装が、式１．１が満たされるならば、ｅＢＲＰ−ＣＥサブフィールド及びｅＢＲＰ−ＴＲＮサブフィールドのために使用されて良い。例えば、Ｎ：Ｍの比が１：４未満である場合、ｅＢＲＰ−ＣＥサブフィールドは、長さ１２８の８個のグレイコード及び長さ６４の１個のグレイコードで構成され、ｅＢＲＰ−ＴＲＮサブフィールドは、長さ１２８の４個のグレイコード及び長さ６４の１個のグレイコードで構成される。このように、トレーニングフィールドの長さ及びトレーニング時間は短縮できる。
【０１４１】
図７は、本発明の一実施形態による別のビーム調整方法の概略フローチャートである。
【０１４２】
７０１。第１装置は、ｅＢＲＰパケットのフォーマットを決定する。ここで、ｅＢＲＰパケットはトレーニングフィールドを含み、トレーニングフィールドはｅＢＲＰ−ＡＧＣフィールド及びｅＢＲＰ−ＴＲＮサブフィールドで構成される。
【０１４３】
ｅＢＲＰパケットでは、トレーニングフィールドがｅＢＲＰ−ＣＥサブフィールドを含まないことを除き、他のフィールドは図１に示した方法のものと同じである。詳細はここで再び記載される必要がない。ｅＢＲＰ−ＡＧＣサブフィールド又はｅＢＲＰ−ＴＲＮは、ｅＢＲＰ−ＣＥサブフィールドとして作用する。
【０１４４】
７０２。第１装置は、ｅＢＲＰパケットの決定したフォーマットに基づき、第２装置へ、ｅＢＲＰパケットを送信する。
【０１４５】
図７に示す方法によると、トレーニングフィールドはｅＢＲＰ−ＣＥサブフィールドを含まないので、トレーニングフィールド内のｅＢＲＰ−ＴＲＮサブフィールドの効果的な比率が増大され、同じ時間期間内でより多くのＡＷＶ構成を試みることができる。
【０１４６】
図８は、本発明の一実施形態による別のｅＢＲＰパケットの構造ブロック図である。図８に示すｅＢＲＰパケットのフォーマットは、図７に示す方法に従い決定された、ｅＢＲＰパケットのフォーマットである。図８に示すように、ｅＢＲＰパケットは、プリアンブルフィールド、ヘッダフィールド、データフィールド、及びトレーニングフィールドを含む。プリアンブルフィールドは、ＳＴＦフィールド及びＣＥフィールドを含み、トレーニングフィールドは、ｅＢＲＰ−ＡＧＣフィールド及びｅＢＲＰ−ＴＲＮフィールドで構成される。各ｅＢＲＰ−ＡＧＣフィールドは、少なくとも４個のｅＢＲＰ−ＡＧＣサブフィールドを含み、各ｅＢＲＰ−ＴＲＮフィールドは少なくとも４個のｅＢＲＰ−ＴＲＮサブフィールドを含む。
【０１４７】
任意で、一実施形態では、送信モードは単一チャネル送信であり、第１装置により、ｅＢＲＰパケットのフォーマットを決定するステップは、第１装置のアンテナ数が１又は２であり、且つ第１装置のアンテナが同一偏波アンテナであるとき、第１装置により、トレーニングフィールド内の各ｅＢＲＰ−ＴＲＮサブフィールドが、長さが１２８×Ｃ１である５個のグレイコードで構成されると決定するステップ、第１装置のアンテナ数が３又は４であり、且つ第１装置のアンテナが同一偏波アンテナであるとき、第１装置により、トレーニングフィールド内の各ｅＢＲＰ−ＴＲＮサブフィールドが、以下のフォーマット：長さが６４である１０個のグレイコード又は長さが１２８である９個のグレイコードのうちのいずれか１つであると決定するステップ、又は、第１装置のアンテナ数が２又は４であり、且つ第１装置のアンテナが交差偏波アンテナであるとき、第１装置により、トレーニングフィールド内の各ｅＢＲＰ−ＴＲＮサブフィールドが、長さが１２８である５個のグレイコードで構成されると決定するステップ、を含む。アンテナ数が１又は２のとき、ｅＢＲＰ−ＴＲＮサブフィールドの長さは、ＩＥＥＥ８０２．１１ａｄ規格のＴＲＮサブフィールドの長さと同じであって良い。このように、ＩＥＥＥ８０２．１１ａｄとの良好な互換性が達成できる。しかしながら、直交マスク方法で送信が実行されることを考慮すると、複数の送信アンテナは同時にトレーニングでき、ビームトレーニング効率もＩＥＥＥ８０２．１１ａｄにおけるＢＲＰパケットのものより高い。更に、直交マスク各セグメントの各コードワード内に少なくとも１対のグレイコード相補シーケンスが存在する。したがって、ビームトレーニング測定の精度が保証できる。アンテナ数が３又は４のとき、ｅＢＲＰ−ＴＲＮサブフィールドに含まれるグレイコードの数は、ＩＥＥＥ８０２．１１ａｄ規格においてＴＲＮサブフィールドに含まれるグレイコードの数より大きく、ＩＥＥＥ８０２．１１ａｄにおけるＴＲＮサブフィールドと同じ、長さ１２８のグレイシーケンスが使用される場合、トレーニング効率は必ずしも向上されないことがある。しかしながら、直交マスク方法で送信が実行されることを考慮すると、複数の送信アンテナは同時にトレーニングでき、ビームトレーニング効率もＩＥＥＥ８０２．１１ａｄにおけるＢＲＰパケットのものより高い。したがって、改良の検討は、ＩＥＥＥ８０２．１１ａｄにおけるＴＲＮサブフィールドより短いシーケンス長、つまり１２８／２＝６４がｅＢＲＰ−ＴＲＮのために使用されることである。更に、直交マスクの各コードワード内に少なくとも１対のグレイコード相補シーケンスが存在する。したがって、ビームトレーニング測定の精度が保証できる。
【０１４８】
更に、送信は、マルチチャネル結合技術を参照して実行されて良い。任意で、別の実施形態では、第１装置により拡張ビーム調整プロトコルｅＢＲＰパケットのフォーマットを決定するステップは、第１装置のアンテナ数が１又は２のとき、第１装置により、トレーニングフィールド内の各ｅＢＲＰ−ＴＲＮサブフィールドの中の各グレイコードの長さが１２８×Ｃ１であると決定するステップ、第１装置のアンテナ数が３又は４であり、且つトレーニングフィールド内のｅＢＲＰ−ＴＲＮサブフィールドが１０×Ｃ２個のグレイコードで構成されるとき、第１装置により、トレーニングフィールド内の各ｅＢＲＰ−ＴＲＮサブフィールド内の各グレイコードの長さが１２８×Ｃ１又は６４×Ｃ１であると決定するステップ、第１装置のアンテナ数が３又は４であり、且つトレーニングフィールド内のｅＢＲＰ−ＴＲＮサブフィールドが９×Ｃ２個のグレイコードで構成されるとき、第１装置により、トレーニングフィールド内の各ｅＢＲＰ−ＴＲＮサブフィールド内の各グレイコードの長さが１２８×Ｃ１であると決定するステップ、又は、第１装置のアンテナ数が４であり、且つトレーニングフィールド内のｅＢＲＰ−ＴＲＮサブフィールドが５×Ｃ２個のグレイコードで構成されるとき、第１装置により、トレーニングフィールド内の各ｅＢＲＰ−ＴＲＮサブフィールド内の各グレイコードの長さが１２８×Ｃ１であると決定するステップであって、Ｃ２＝１のとき、Ｃ１は第１装置の送信チャネル数により決定される、又は、Ｃ２が第１装置の送信チャネル数により決定されるとき、Ｃ１＝１である、ステップ、を更に含む。明らかに、送信チャネル数は１以上の正整数であるべきである。
【０１４９】
第１装置により、ｅＢＲＰパケットのフォーマットを決定するステップは、第１装置により、トレーニングフィールドがＫ個のＡＧＣ−ＴＲＮサブフィールドグループを含むと決定するステップであって、各ＡＧＣ−ＴＲＮサブフィールドグループに含まれるｅＢＲＰ−ＡＧＣサブフィールド及びｅＢＲＰ−ＴＲＮサブフィールドの数は同じであり、各ＡＧＣ−ＴＲＮサブフィールドグループに含まれるｅＢＲＰ−ＡＧＣサブフィールド及びｅＢＲＰ−ＴＲＮサブフィールドは同じＡＷＶグループを用い、ｅＢＲＰ−ＡＧＣサブフィールドは各ＡＧＣ−ＴＲＮサブフィールドグループ内でｅＢＲＰ−ＴＲＮサブフィールドの前に位置し、Ｋは１以上の正整数である、ステップを更に含んで良い。各ＡＧＣサブフィールドグループは、１つの受信利得を決定して良い。このように、受信機の受信ダイナミックレンジは拡大できる。例えば、図９は、本発明の一実施形態による別のｅＢＲＰパケットの構造ブロック図である。図９に示すｅＢＲＰパケットのフォーマットは、図７に示す方法に従い決定された、ｅＢＲＰパケットの別のフォーマットである。図９に示すように、ｅＢＲＰパケットは、プリアンブルフィールド、ヘッダフィールド、データフィールド、及びトレーニングフィールドを含む。プリアンブルフィールドは、ＳＴＦフィールド及びＣＥフィールドを含み、トレーニングフィールドは、ｅＢＲＰ−ＡＧＣサブフィールド及びｅＢＲＰ−ＴＲＮサブフィールドで構成される。より具体的に、トレーニングフィールドは、２個のＡＧＣ−ＴＲＮサブフィールドグループを含み、各ＡＧＣ−ＴＲＮサブフィールドグループは、４個のｅＢＲＰ−ＡＧＣサブフィールド及び４個のｅＢＲＰ−ＴＲＮサブフィールドを含む。さらに、各ＡＧＣ−ＴＲＮサブフィールドグループは、ｅＢＲＰ−ＣＥサブフィールドを含まない。
【０１５０】
図７に示す方法では、トレーニングフィールドはＣＥサブフィールドを含まず、したがって、ｅＢＲＰパケット内の別のサブフィールドがＣＥサブフィールドとして作用する。例えば、受信機と送信機との間の時間及び周波数同期を維持する機能は、ｅＢＲＰ−ＡＧＣサブフィールド又はｅＢＲＰ−ＴＲＮにより実施されて良い。ｅＢＲＰ−ＡＧＣサブフィールドの長さが拡張された後に、ＩＥＥＥ８０２．１１ａｄにおいてＡＧＣフィールド部分の中でグレイコードにより占有される時間より大きく且つｅＢＲＰ−ＡＧＣ部分内にある時間、又はｅＢＲＰ−ＴＲＮの最前部にある部分より大きく且つｅＢＲＰ−ＡＧＣ部分内にある時間は、時間及び周波数同期追跡を実行するために使用されて良い。ここで、ｅＢＲＰ−ＴＲＮの最前部にある部分は、ＡＷＶ変化において予め失われている。この場合、Ｋ個のＡＧＣ−ＴＲＮサブフィールドグループの各々は１個のｅＢＲＰ−ＡＧＣサブフィールド及び１個のｅＢＲＰ−ＴＲＮサブフィールドを含む。このように、ＡＷＶ変化回数は低減できる。ＡＷＶの変化する回数の低減は、ＡＷＶ構成で測定のために使用できない時間の低減を伴う。これは、ｅＢＲＰ−ＴＲＮのための効果的な測定時間の拡張される場合と等価である。したがって、異なるＡＷＶ構成に対応する大きさ及び位相を決定するために、より多くの時間が利用可能になり得る。それにより、正確なビームを決定するのを助ける。さらに、各ｅＢＲＰ−ＡＧＣサブフィールドは、長さが６４×Ｃ１のＴ個のグレイコードで構成され、Ｔは５×Ｃ２以上且つ９×Ｃ２以下の正整数であり、又は、各ｅＢＲＰ−ＡＧＣサブフィールドは、長さが１２８×Ｃ１の３×Ｃ２個又は４×Ｃ２個のグレイコードで構成され、Ｃ２＝１のとき、Ｃ１は第１装置の送信チャネル数により決定される、又は、Ｃ２が第１装置の送信チャネル数により決定されるとき、Ｃ１＝１である。例えば、単一チャネル送信では、Ｔ＝９のとき、ｅＢＲＰ−ＡＧＣサブフィールドは［Ｇａ６４  Ｇａ６４  Ｇａ６４  Ｇａ６４  Ｇａ６４  Ｇａ６４  Ｇａ６４  Ｇａ６４  Ｇａ６４］又は［Ｇｂ６４  Ｇｂ６４  Ｇｂ６４  Ｇｂ６４  Ｇｂ６４  Ｇｂ６４  Ｇｂ６４  Ｇｂ６４  Ｇｂ６４］であり、或いは、各ｅＢＲＰ−ＡＧＣサブフィールドは、長さが１２８の３個又は４個のグレイコードで構成されて良い。例えば、Ｔ＝４のとき、ｅＢＲＰ−ＡＧＣサブフィールドは、［Ｇａ１２８  Ｇａ１２８  Ｇａ１２８  Ｇａ１２８］又は［Ｇｂ１２８  Ｇｂ１２８  Ｇｂ１２８  Ｇｂ１２８］である。このように、ｅＢＲＰ−ＡＧＣサブフィールドは、送信機と受信機との間の時間及び周波数同期を維持するために使用できる。代替として、位相追跡は、ｅＢＲＰ−ＴＲＮの既知のシーケンスを用いて実行され、可能な実装はｅＢＲＰ−ＴＲＮ長拡張である。例えば、ＩＥＥＥ８０２．１１ａｄの既存のＴＲＮサブフィールドに基づき、長さ１２８のグレイコードが追加され、拡張を通じて［Ｇａ１２８  −Ｇｂ１２８  Ｇａ１２８  Ｇｂ１２８  Ｇａ１２８  −Ｇｂ１２８］が得られる。例えば、図１０は、本発明の一実施形態による別のｅＢＲＰパケットの構造ブロック図である。図１０に示すｅＢＲＰパケットのフォーマットは、図７に示す方法に従い決定された、ｅＢＲＰパケットの別のフォーマットである。図１０に示すように、ｅＢＲＰパケットは、プリアンブルフィールド、ヘッダフィールド、データフィールド、及びトレーニングフィールドを含む。プリアンブルフィールドは、ＳＴＦフィールド及びＣＥフィールドを含み、トレーニングフィールドは、ｅＢＲＰ−ＡＧＣサブフィールド及びｅＢＲＰ−ＴＲＮサブフィールドで構成される。より具体的に、トレーニングフィールドは、８個のＡＧＣ−ＴＲＮサブフィールドグループを含み、各ＡＧＣ−ＴＲＮサブフィールドグループは、１個のｅＢＲＰ−ＡＧＣサブフィールド及び１個のｅＢＲＰ−ＴＲＮサブフィールドを含む。さらに、各ＡＧＣ−ＴＲＮサブフィールドグループは、ｅＢＲＰ−ＣＥサブフィールドを含まない。さらに、プリアンブルフィールド内のＣＥフィールドは、異なるＡＷＶにおかる共通遅延を測定するために使用されて良い。代替として、共通遅延パラメータは、異なるＡＷＶで維持されないが、現在ＡＷＶにおける遅延パラメータは、各ｅＢＲＰ−ＴＲＮサブフィールド内で測定される。
【０１５１】
さらに、図７に示す方法は、ステップ７０３を更に含んで良い。
【０１５２】
７０３.７０３。第１装置は、第２装置へトレーニングフィールド構成情報を送信する。ここで、トレーニングフィールド構成情報は、ｅＢＲＰパケット内でトレーニングフィールドのフォーマットを示すために使用され、トレーニングフィールド構成情報は、ビーム調整プロトコル要求フィールド、ビーム調整要素、又はｅＢＲＰパケット内のヘッダフィールドのうちの任意の１又は複数により伝達される。
【０１５３】
ヘッダフィールドは、ここでは、ＩＥＥＥ８０２．１１ａｄで定められるヘッダフィールドであって良く、又はＩＥＥＥ８０２．１１ａｙで定められる新しいヘッダフィールドであって良い。
【０１５４】
トレーニングフィールドは、以下のフォーマット：トレーニングフィールド内のｅＢＲＰ−ＡＧＣサブフィールドの構造（つまり、各ｅＢＲＰ−ＣＥサブフィールドを構成するグレイコードの数及び長さ）、及びトレーニングフィールド内のｅＢＲＰ−ＴＲＮサブフィールドの構造（つまり、各ｅＢＲＰ−ＴＲＮサブフィールドを構成するグレイコードの数及び長さ）、のうちの１又は複数であって良い。任意で、トレーニングフィールドのフォーマットは、以下：トレーニングフィールド内のｅＢＲＰ−ＡＧＣサブフィールドの位置、及びトレーニングフィールド内のｅＢＲＰ−ＴＲＮサブフィールドの位置、のうちの少なくとも１つを更に含む。
【０１５５】
ｅＢＲＰパケット内のトレーニングフィールドのフォーマットを示すために使用されるトレーニングフィールド構成情報は、トレーニングフィールドのフォーマットを直接示して良く、又はトレーニングフィールドのフォーマットに対応するインデックスを示して良い。言い換えると、トレーニングフィールドのフォーマットが異なるインデックスに対応することが予め定められる。例えば、０は、ＢＲＰパケットのフォーマットがトレーニングフィールドのフォーマットとして使用されることを示し、１は、ｅＢＲＰパケットのフォーマットがトレーニングフィールドのフォーマットとして使用されることを示す。ｅＢＲＰパケットのフォーマットは、ｅＢＲＰパケットの所定フォーマットである。例えば、ｅＢＲＰ−ＣＥサブフィールドのｅＢＲＰ−ＴＲＮサブフィールドに対する比率は１：５である。ＩＥＥＥ８０２．１１ａｄにおけるＣＥサブフィールドのものと同じフォーマットがｅＢＲＰ−ＣＥサブフィールドのために使用され、ＩＥＥＥ８０２．１１ａｄにおけるＴＲＮサブフィールドのものと同じフォーマットがｅＢＲＰ−ＴＲＮサブフィールドのために使用される。第１装置は、代替として、明示的指示方法で、例えばＭＩＭＯ、つまり複数のアンテナが存在する、のような他の情報を用いて、又は新しいチャネルフィードバックモードを適用して、第２装置に、トレーニングフィールドのフォーマットを示して良い。送信側及び受信側は、予め、ｅＢＲＰパケット送信及び新しい能力により導入される新しいトレーニングフィールドが使用のために結合されることを合意する。例えば、ＣＥサブフィールドとＴＲＮ−Ｔ／Ｒとの間の比率関係は、新しいフィールドを用いて示される必要があると仮定すると、デフォルトで、フィールドが０より大きいことが示され、これはｅＢＲＰパケットが送信されることを示す。代替として、ＭＩＭＯ能力がサポートされるとき、ｅＢＲＰパケットは、ビームトレーニング及び追跡を実施するためにデフォルトで使用される。例えば、送信アンテナ数が１を超えるとき、又は新しいチャネルフィードバックモードが使用されるとき、測定はｅＢＲＰパケットに基づき実行されると考えられて良い。
【０１５６】
さらに、トレーニングフィールド構成情報は、代替として別の形式であって良い。例えば、トレーニングフィールドのフォーマットのうち、ｅＢＲＰ−ＡＧＣサブフィールドの構造及びｅＢＲＰ−ＴＲＮサブフィールドの構造の異なる組み合わせは異なるインデックスに対応し、インデックスは、使用されるｅＢＲＰ−ＡＧＣサブフィールドの構造及びｅＢＲＰ−ＴＲＮサブフィールドの構造を決定するために、トレーニングフィールド構成情報内で示されて良い。さらに、トレーニングフィールド構成情報は、トレーニングフィールド内の各ＡＧＣ−ＴＲＮサブフィールドグループの中のｅＢＲＰ−ＡＧＣサブフィールドの数及びｅＢＲＰ−ＴＲＮサブフィールドの数を示すために更に使用される。このように、第２装置は、インデックスに基づき、ｅＢＲＰ−ＴＲＮサブフィールドの構造及びｅＢＲＰ−ＡＧＣサブフィールドの構造を決定し、示されたトレーニングフィールド内の各ＡＧＣ−ＴＲＮサブフィールドグループの中のｅＢＲＰ−ＡＣＧサブフィールドの数及びｅＢＲＰ−ＴＲＮサブフィールドの数に基づき、トレーニングフィールド内の各ＡＧＣ−ＴＲＮサブフィールドグループの中のｅＢＲＰ−ＡＧＣサブフィールドの数及びｅＢＲＰ−ＴＲＮサブフィールドの数を直接決定できる。
【０１５７】
ステップ７０３で、第１装置は、明示的指示方法で、トレーニングフィールドのフォーマットを第２装置に明確に示す。第１装置は、代替として、黙示的指示方法で、トレーニングフィールドのフォーマットを第２装置に示して良い。
【０１５８】
さらに、図１に示した方法と同様に、ｅＢＲＰパケットを第２装置へ送信する前に、第１装置は、ｅＢＲＰパケットの種類を決定して良い。第１装置がｅＢＲＰパケットの種類に基づき対応するｅＢＲＰパケットを送信する処理は、図１に示した方法におけるものと同様である。詳細はここで再び記載される必要がない。
【０１５９】
さらに、ＩＥＥＥ８０２．１１ａｄ規格では、トレーニングフィールドは、π／２二位相偏移変調（英語：Binary  Phase  Shift  Keying、ＢＰＳＫ）に基づき変調された後に、送信される。図７に示す方法では、第１装置は、代替として、π／２ＢＰＳＫ以外の変調方法を使用して良い。これは、本発明において限定されない。
【０１６０】
本願明細書で言及される、長さ１２８のグレイコードは、グレイコードが１２８個の要素を有すること、及び各要素が１クロックサイクル（Ｔｃ）であることを意味することが、当業者により理解できる。各フィールドにより占有される時間は、フィールド内のグレイコードの数、及び各グレイコードの長さにより、一緒に決定される。マルチチャネル結合送信では、各要素の送信時間は更に短縮される。Ｚ個の連続するチャネルが結合され、各要素は１クロック周期であると仮定する（Ｔｃ／Ｚ）。Ｔｃは、単一チャネル送信における各要素の時間周期である。
【０１６１】
図１１は、本発明の一実施形態によるビーム調整方法の概略フローチャートである。
【０１６２】
１１０１。第２装置は、ｅＢＲＰパケットのフォーマットを受信する。ここで、ｅＢＲＰパケットはトレーニングフィールドを含み、トレーニングフィールドは、ｅＢＲＰ−ＣＥサブフィールド及びｅＢＲＰ−ＴＲＮサブフィールドを含み、トレーニングフィールド内のｅＢＲＰ−ＣＥサブフィールドのグレイコードの数のトレーニングフィールド内のｅＢＲＰ−ＴＲＮサブフィールドのグレイコードの数に対する比は、９：２０未満である。
【０１６３】
図１１に示す方法で第２装置により受信されたｅＢＲＰパケットは、図１に示す方法で第１装置により決定されたｅＢＲＰパケットと同じである。したがって、同様に、トレーニングフィールドは、データフィールドの後のサフィックスであり、トレーニングフィールド及びデータフィールドに加えて、ｅＢＲＰパケットは、プリアンブルフィールド及びヘッダフィールドを更に含んで良い。ｅＢＲＰパケットの他のフィールドに関する説明については、図１に示す実施形態を参照する。詳細はここで再び記載される必要がない。
【０１６４】
１１０２。第２装置は、ｅＢＲＰに基づきビームトレーニングを実行する。
【０１６５】
トレーニングフィールド内で、第１装置又は第２装置によりトレーニングされるＡＷＶの数は、ｅＢＲＰ−ＴＲＮサブフィールドの数に関連するが、ｅＢＲＰ−ＣＥサブフィールドの数に関連しないことが理解できる。図１１に示す方法によると、トレーニングフィールド内のｅＢＲＰ−ＴＲＮサブフィールドの効果的な比率が増大され、同じ時間期間内でより多くのＡＷＶ構成を試みることができる。
【０１６６】
ｅＢＲＰパケットの中のｅＢＲＰ−ＣＥサブフィールド、ｅＢＲＰ−ＴＲＮサブフィールド、及びｅＢＲＰ−ＡＧＣサブフィールドのフォーマットについては、図１に示す実施形態におけるｅＢＲＰ−ＣＥサブフィールド、ｅＢＲＰ−ＴＲＮサブフィールド、及びｅＢＲＰ−ＡＧＣサブフィールドのフォーマットを参照する。詳細はここで再び記載される必要がない。
【０１６７】
さらに、図１１に示す方法は、ステップ１１０３を含んで良い。
【０１６８】
１１０３。第２装置は、第１装置により送信されたトレーニングフィールド構成情報を受信する。ここで、トレーニングフィールド構成情報は、ｅＢＲＰパケット内でトレーニングフィールドのフォーマットを示すために使用され、トレーニングフィールド構成情報は、ビーム調整プロトコル要求フィールド、ビーム調整要素、又はｅＢＲＰパケット内のヘッダフィールドのうちの任意の１又は複数により伝達される。
【０１６９】
ステップ１１０３で第２装置により受信されたトレーニングフィールド構成情報は、図１に示す方法で第１装置により送信されたトレーニングフィールド構成情報である。したがって、トレーニングフィールド構成情報に関する特定の内容は、図１に示した方法におけるものと同じである。詳細はここで再び記載される必要がない。
【０１７０】
トレーニングフィールド構成情報を受信した後に、第２装置は、トレーニングフィールド構成情報に基づき、ｅＢＲＰパケット内のトレーニングフィールドのフォーマットを決定して良い。
【０１７１】
図１２は、本発明の一実施形態による別のビーム調整方法の概略フローチャートである。
【０１７２】
１２０１。第２装置は、第１装置により送信されたｅＢＲＰパケットを受信する。ここで、ｅＢＲＰパケットはトレーニングフィールドを含み、トレーニングフィールドはｅＢＲＰ−ＡＧＣフィールド及びｅＢＲＰ−ＴＲＮサブフィールドで構成される。
【０１７３】
１２０２。第２装置は、ｅＢＲＰパケットに基づき、使用される必要のあるビームを決定する。
【０１７４】
図１２に示す方法によると、トレーニングフィールドはＩＥＥＥ８０２．１１ａｄのＣＥサブフィールド又は以上に定義されたｅＢＲＰ−ＣＥサブフィールドを含まないので、トレーニングフィールド内のｅＢＲＰ−ＴＲＮサブフィールドの効果的な比率が増大され、同じ時間期間内でより多くのＡＷＶ構成を試みることができる。
【０１７５】
ｅＢＲＰパケットの中のｅＢＲＰ−ＣＥサブフィールド、ｅＢＲＰ−ＴＲＮサブフィールド、及びｅＢＲＰ−ＡＧＣサブフィールドのフォーマットについては、図７に示す実施形態におけるｅＢＲＰ−ＣＥサブフィールド、ｅＢＲＰ−ＴＲＮサブフィールド、及びｅＢＲＰ−ＡＧＣサブフィールドのフォーマットを参照する。詳細はここで再び記載される必要がない。
【０１７６】
さらに、第２装置は、異なるＡＷＶ上の共通遅延を測定するために、ｅＢＲＰパケット内のプリアンブルフィールド内のＣＥフィールドを使用して良い。代替として、第２装置は、異なるＡＷＶについての共通遅延パラメータを維持しなくて良いが、各ｅＢＲＰ−ＴＲＮサブフィールド内で現在ＡＷＶにおける遅延パラメータを測定する。更に、送信は、マルチチャネル結合技術を参照して実行されて良い。詳細事項は、ここで再び記載されない。
【０１７７】
さらに、図１２に示す方法は、ステップ１２０３を含んで良い。
【０１７８】
１２０３。第２装置は、第１装置により送信されたトレーニングフィールド構成情報を受信する。ここで、トレーニングフィールド構成情報は、ｅＢＲＰパケット内でトレーニングフィールドのフォーマットを示すために使用され、トレーニングフィールド構成情報は、ビーム調整プロトコル要求フィールド、ビーム調整要素、又はｅＢＲＰパケット内のヘッダフィールドのうちの任意の１又は複数により伝達される。
【０１７９】
ステップ１２０３で第２装置により受信されたトレーニングフィールド構成情報は、図７に示す方法で第１装置により送信されたトレーニングフィールド構成情報である。したがって、トレーニングフィールド構成情報に関する特定の内容は、図７に示した方法におけるものと同じである。詳細はここで再び記載される必要がない。
【０１８０】
図１３は、本発明の一実施形態による別のビーム調整方法の概略フローチャートである。
【０１８１】
１３０１。第１装置は、拡張ビーム調整プロトコルｅＢＲＰパケットのフォーマットを決定する。ここで、ｅＢＲＰパケットはトレーニングフィールドを含み、トレーニングフィールドはｅＢＲＰビーム調整自動利得制御ｅＢＲＰ−ＡＧＣフィールドを含む。第１装置により、拡張ビーム調整プロトコルｅＢＲＰパケットのフォーマットを決定するステップは、第１装置により、トレーニングフィールドがＫ個のビーム調整自動利得制御−ビーム調整トレーニングＡＧＣ−ＴＲＮサブフィールドグループを含むと決定するステップを含み、各ＡＧＣ−ＴＲＮサブフィールドグループに含まれるｅＢＲＰ−ＡＧＣサブフィールド及びｅＢＲＰビーム調整トレーニングｅＢＲＰ−ＴＲＮサブフィールドの数は同じであり、各ＡＧＣ−ＴＲＮサブフィールドグループ内のｅＢＲＰ−ＡＧＣサブフィールド及びｅＢＲＰ−ＴＲＮサブフィールドは同じアンテナ重みベクトルＡＷＶグループを用い、ｅＢＲＰ−ＡＧＣサブフィールドは、各ＡＧＣ−ＴＲＮサブフィールドグループの中でｅＢＲＰ−ＴＲＮサブフィールドの前に位置し、Ｋは１より大きい正整数である。
【０１８２】
１３０２。第１装置は、ｅＢＲＰパケットの決定したフォーマットに基づき、第２装置へ、ｅＢＲＰパケットを送信する。
【０１８３】
図１３に示す方法によると、受信機は、各ＡＧＣ−ＴＲＮサブフィールドグループにおいて適切な受信機利得を推定して良い。したがって、より大きな受信機ダイナミックレンジを受けることができる。これは、異なるＡＷＶ構成でチャネル情報を測定することを助ける。さらに、数ＫがｅＢＲＰ−ＴＲＮサブフィールドの数と同じとき、各ｅＢＲＰ−ＡＧＣサブフィールドは、ｅＢＲＰ−ＴＲＮサブフィールドに隣接し、それによりＡＷＶの変化する回数を低減する。ＡＷＶの変化する回数の低減は、ＡＷＶ構成で測定のために使用できない時間の低減を伴う。したがって、異なるＡＷＶ構成に対応する大きさ及び位相を決定するために、より多くの時間が利用可能になり得る。それにより、正確なビームを決定するのを助ける。
【０１８４】
図１３に示す方法では、ｅＢＲＰパケットの中で、ｅＢＲＰ−ＡＧＣサブフィールド、ｅＢＲＰ−ＴＲＮサブフィールド、及びｅＢＲＰ−ＣＥサブフィールドのような特定フィールドのフォーマットは、ＩＥＥＥ８０２．１１ａｄにおけるフィールドの長さ及びシーケンス構造に基づき設計されて良く、或いは、図１又は図７に示す方法を参照して設計されて良い。詳細はここで再び記載される必要がない。
【０１８５】
ＡＧＣ−ＴＲＮサブフィールドグループは、ｅＢＲＰ−ＡＧＣサブフィールド及びｅＢＲＰ−ＴＲＮサブフィールドを含むサブフィールドグループである。
【０１８６】
さらに、Ｋ個のＡＧＣ−ＴＲＮサブフィールドグループは、複数の機能ケースを有して良い。例えば、Ｋ個のＡＧＣ−ＴＲＮサブフィールドグループのうちの任意の２つに含まれるｅＢＲＰ−ＡＧＣサブフィールドの数は同じである。別の例では、Ｋ個のＡＧＣ−ＴＲＮサブフィールドグループのうちの任意の２つに含まれるｅＢＲＰ−ＡＧＣサブフィールドの数は異なる。別の例では、Ｋ個のＡＧＣ−ＴＲＮサブフィールドグループの中に少なくとも２種類のＡＧＣ−ＴＲＮサブフィールドグループがあり、各々の種類のＡＧＣ−ＴＲＮサブフィールドグループは１又は複数のＡＧＣ−ＴＲＮサブフィールドグループを含んで良い。同数のｅＢＲＰ−ＡＧＣサブフィールドを含むＡＧＣ−ＴＲＮサブフィールドグループは、同じ種類のＡＧＣ−ＴＲＮサブフィールドグループに属する。異なる種類のＡＧＣ−ＴＲＮサブフィールドグループのＡＧＣ−ＴＲＮサブフィールドグループに含まれるｅＢＲＰ−ＡＧＣサブフィールドの数は、異なる。例えば、３個のＡＧＣ−ＴＲＮサブフィールドグループがあり、第１ＡＧＣ−ＴＲＮサブフィールドグループは４個のｅＢＲＰ−ＡＧＣサブフィールド及び４個のｅＢＲＰ−ＴＲＮサブフィールドを含み、第２ＡＧＣ−ＴＲＮサブフィールドグループは８個のｅＢＲＰ−ＡＧＣサブフィールド及び８個のｅＢＲＰ−ＴＲＮサブフィールドを含み、第３ＡＧＣ−ＴＲＮサブフィールドグループは４個のｅＢＲＰ−ＡＧＣサブフィールド及び４個のｅＢＲＰ−ＴＲＮサブフィールドを含むと仮定する。第１ＡＧＣ−ＴＲＮサブフィールドグループに含まれるｅＢＲＰ−ＡＧＣサブフィールドの数は、第２ＡＧＣ−ＴＲＮサブフィールドグループに含まれるｅＢＲＰ−ＡＧＣサブフィールドの数と異なり、第２ＡＧＣ−ＴＲＮサブフィールドグループに含まれるｅＢＲＰ−ＡＧＣサブフィールドの数は第３ＡＧＣ−ＴＲＮサブフィールドグループに含まれるｅＢＲＰ−ＡＧＣサブフィールドの数と異なる、ことが分かる。同じＡＧＣ−ＴＲＮサブフィールドグループに含まれるｅＢＲＰ−ＡＧＣサブフィールドの数及びｅＢＲＰ−ＴＲＮサブフィールドの数は同じであることが、理解できる。したがって、２つのＡＧＣ−ＴＲＮサブフィールドグループに含まれるｅＢＲＰ−ＡＧＣサブフィールドの数が異なる場合、２つのＡＧＣ−ＴＲＮサブフィールドグループに含まれるｅＢＲＰ−ＴＲＮサブフィールドの数も異なり、２つのＡＧＣ−ＴＲＮサブフィールドグループに含まれるｅＢＲＰ−ＡＧＣサブフィールドの数が同じ場合、２つのＡＧＣ−ＴＲＮサブフィールドグループに含まれるｅＢＲＰ−ＴＲＮサブフィールドの数も同じである。
【０１８７】
さらに、第１装置は、第２装置へトレーニングフィールド構成情報を更に送信して良い。第１装置が第２装置へトレーニングフィールド構成情報を送信する特定の実装は、図１に示す方法及び図７に示す方法における特定の実装と同じである。詳細はここで再び記載される必要がない。
【０１８８】
図１４は、本発明の一実施形態による別のビーム調整方法の概略フローチャートである。
【０１８９】
１４０１。第２装置は、第１装置により送信されたｅＢＲＰパケットのフォーマットを受信する。ここで、ｅＢＲＰパケットはトレーニングフィールドを含み、トレーニングフィールドはｅＢＲＰビーム調整自動利得制御ｅＢＲＰ−ＡＧＣフィールドを含み、トレーニングフィールドはＫ個のビーム調整自動利得制御−ビーム調整トレーニングＡＧＣ−ＴＲＮサブフィールドグループを含む。各ＡＧＣ−ＴＲＮサブフィールドグループに含まれるｅＢＲＰ−ＡＧＣサブフィールド及びｅＢＲＰビーム調整トレーニングｅＢＲＰ−ＴＲＮサブフィールドの数は同じであり、各ＡＧＣ−ＴＲＮサブフィールドグループ内のｅＢＲＰ−ＡＧＣサブフィールド及びｅＢＲＰ−ＴＲＮサブフィールドは同じアンテナ重みベクトルＡＷＶグループを用い、ｅＢＲＰ−ＡＧＣサブフィールドは、各ＡＧＣ−ＴＲＮサブフィールドグループの中でｅＢＲＰ−ＴＲＮサブフィールドの前に位置し、Ｋは１より大きい正整数である。
【０１９０】
１４０２。第２装置は、ｅＢＲＰパケットに基づき、使用される必要のあるビームを決定する。
【０１９１】
図１４に示す方法によると、受信機は、各ＡＧＣ−ＴＲＮサブフィールドグループにおいて適切な受信機利得を推定して良い。したがって、より大きな受信機ダイナミックレンジを受けることができる。これは、異なるＡＷＶ構成でチャネル情報を測定することを助ける。さらに、数ＫがｅＢＲＰ−ＴＲＮサブフィールドの数と同じとき、各ｅＢＲＰ−ＡＧＣサブフィールドは、ｅＢＲＰ−ＴＲＮサブフィールドに隣接し、それによりＡＷＶの変化する回数を低減する。ＡＷＶの変化する回数の低減は、ＡＷＶ構成で測定のために使用できない時間の低減を伴う。したがって、異なるＡＷＶ構成に対応する大きさ及び位相を決定するために、より多くの時間が利用可能になり得る。それにより、正確なビームを決定するのを助ける。
【０１９２】
図１４に示す方法では、ｅＢＲＰ−ＴＲＮサブフィールド及びｅＢＲＰ−ＣＥサブフィールドのような、ｅＢＲＰパケット内の他のフィールドの設定については、図１又は図７に示す方法を参照して良い。詳細はここで再び記載される必要がない。
【０１９３】
さらに、Ｋ個のＡＧＣ−ＴＲＮサブフィールドグループは、複数の機能ケースを有して良い。特定のケースは、図１３に示す方法におけるものと同じである。詳細はここで再び記載される必要がない。
【０１９４】
さらに、第２装置は、第１装置により送信されたトレーニングフィールド構成情報を受信する。第２装置が第１装置により送信されたトレーニングフィールド構成情報を受信する特定の実装は、図１１に示す方法及び図１２に示す方法における特定の実装と同じである。詳細はここで再び記載される必要がない。
【０１９５】
図１５は、本発明の一実施形態による通信装置の構造ブロック図である。図１５に示す通信装置１５００は、図１に示す方法における第１装置により実行されるステップを実行可能である。図１５に示す通信装置１５００は、プロセッサ１５０１及びメモリ１５０２を含む。
【０１９６】
通信装置１５００のコンポーネントは、バスシステム１５０３を用いることにより一緒に結合される。データバスに加えて、バスシステム１５０３は、電力バス、制御バス、状態信号バスを更に含む。しかしながら、明確な説明のために、図１５中の種々のバスは全てバスシステム１５０３として符号を付される。
【０１９７】
本発明の実施形態で開示された方法は、プロセッサ１５０１に適用可能であり又はプロセッサ１５０１により実施される。プロセッサ１５０１は、信号処理能力を有する集積回路チップであって良い。実装中、方法のステップは、プロセッサ１５０１の中のハードウェアの集積論理回路を用いて、又はソフトウェア命令を用いて、実施されて良い。前述のプロセッサ１５０１は、汎用プロセッサ、デジタル信号プロセッサ（Digital  Signal  Processor、ＤＳＰ）、特定用途向け集積回路（Application−specific  Integrated  Circuit、ＡＳＩＣ）、フィールドプログラマブルゲートアレイ（Field  Programmable  Gate  Array、ＦＰＧＡ）又は別のプログラマブル論理素子、個別ゲート又はトランジスタ論理装置、又は個別ハードウェアコンポーネントであって良い。プロセッサ１５０１は、本発明の実施形態において開示された方法、ステップ、及び論理ブロック図を実装し又は実行し得る。汎用プロセッサはマイクロプロセッサであって良く、プロセッサは任意の従来のプロセッサであって良い、等である。本発明の実施形態を参照して開示された方法のステップは、ハードウェア復号化プロセッサにより直接実施されて良く、又は復号化プロセッサ内のハードウェア及びソフトウェアモジュールの組合せにより実施されて良い。ソフトウェアモジュールは、ランダムアクセスメモリ（Random  Access  Memory、ＲＡＭ）、フラッシュメモリ、読み出し専用メモリ（Read−Only  Memory、ＲＯＭ）、プログラマブル読み出し専用メモリ、電気的消去可能プログラマブルメモリ、又はレジスタのような、当分野で成熟した記憶媒体の中に配置されて良い。記憶媒体は、メモリ１５０２の中に配置されて良い。プロセッサ１５０１は、メモリ１５０２内の命令を読み取り、プロセッサ１５０１のハードウェアと組み合わせて、前述の方法のステップを達成する。
【０１９８】
プロセッサ１５０１はメモリ１５０２に格納され且つ以下の動作を含む以下の命令を実行する：
拡張ビーム調整プロトコルｅＢＲＰパケットのフォーマットを決定するステップであって、ｅＢＲＰパケットはトレーニングフィールドを含み、トレーニングフィールドはｅＢＲＰチャネル推定ｅＢＲＰ−ＣＥサブフィールド及びｅＢＲＰビーム調整トレーニングｅＢＲＰ−ＴＲＮサブフィールドを含み、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比は９：２０未満である、ステップ、及び、
ｅＢＲＰパケットの決定されたフォーマットに基づき、第２装置へｅＢＲＰパケットを送信するステップ。
【０１９９】
通信装置１５００はアンテナを含んで良く、ｅＢＲＰパケットはアンテナを用いて第２装置へ送信されることが理解できる。
【０２００】
図１６は、本発明の一実施形態による通信装置の構造ブロック図である。図１６に示す通信装置１６００は、図７に示す方法における第１装置により実行されるステップを実行可能である。図１６に示す通信装置１６００は、プロセッサ１６０１及びメモリ１６０２を含む。
【０２０１】
通信装置１６００のコンポーネントは、バスシステム１６０３を用いることにより一緒に結合される。データバスに加えて、バスシステム１６０３は、電力バス、制御バス、状態信号バスを更に含む。しかしながら、明確な説明のために、図１６中の種々のバスは全てバスシステム１６０３として符号を付される。
【０２０２】
本発明の実施形態で開示された方法は、プロセッサ１６０１に適用可能であり又はプロセッサ１６０１により実施される。プロセッサ１６０１は、信号処理能力を有する集積回路チップであって良い。実装中、方法のステップは、プロセッサ１６０１の中のハードウェアの集積論理回路を用いて、又はソフトウェア命令を用いて、実施されて良い。前述のプロセッサ１６０１は、汎用プロセッサ、デジタル信号プロセッサ（Digital  Signal  Processor、ＤＳＰ）、特定用途向け集積回路（Application−specific  Integrated  Circuit、ＡＳＩＣ）、フィールドプログラマブルゲートアレイ（Field  Programmable  Gate  Array、ＦＰＧＡ）又は別のプログラマブル論理素子、個別ゲート又はトランジスタ論理装置、又は個別ハードウェアコンポーネントであって良い。プロセッサ１６０１は、本発明の実施形態において開示された方法、ステップ、及び論理ブロック図を実装し又は実行し得る。汎用プロセッサはマイクロプロセッサであって良く、プロセッサは任意の従来のプロセッサであって良い、等である。本発明の実施形態を参照して開示された方法のステップは、ハードウェア復号化プロセッサにより直接実施されて良く、又は復号化プロセッサ内のハードウェア及びソフトウェアモジュールの組合せにより実施されて良い。ソフトウェアモジュールは、ランダムアクセスメモリ（Random  Access  Memory、ＲＡＭ）、フラッシュメモリ、読み出し専用メモリ（Read−Only  Memory、ＲＯＭ）、プログラマブル読み出し専用メモリ、電気的消去可能プログラマブルメモリ、又はレジスタのような、当分野で成熟した記憶媒体の中に配置されて良い。記憶媒体は、メモリ１６０２の中に配置されて良い。プロセッサ１６０１は、メモリ１６０２内の命令を読み取り、プロセッサ１６０１のハードウェアと組み合わせて、前述の方法のステップを達成する。
【０２０３】
プロセッサ１６０１は、メモリ１６０２に格納され且つ以下の動作を含む以下の命令を実行する：
拡張ビーム調整プロトコルｅＢＲＰパケットのフォーマットを決定するステップであって、ｅＢＲＰパケットはトレーニングフィールドを含み、トレーニングフィールドはｅＢＲＰ−ＡＧＣフィールド及びｅＢＲＰ−ＴＲＮサブフィールドを含む、ステップ、及び、
ｅＢＲＰパケットの決定されたフォーマットに基づき、第２装置へｅＢＲＰパケットを送信するステップ。
【０２０４】
通信装置１６００はアンテナを含んで良く、ｅＢＲＰパケットはアンテナを用いて第２装置へ送信されることが理解できる。
【０２０５】
図１７は、本発明の一実施形態による通信装置の構造ブロック図である。図１７に示す通信装置１７００は、図１３に示す方法における第１装置により実行されるステップを実行可能である。図１７に示す通信装置１７００は、プロセッサ１７０１及びメモリ１７０２を含む。
【０２０６】
通信装置１７００のコンポーネントは、バスシステム１７０３を用いることにより一緒に結合される。データバスに加えて、バスシステム１７０３は、電力バス、制御バス、状態信号バスを更に含む。しかしながら、明確な説明のために、図１７中の種々のバスは全てバスシステム１７０３として符号を付される。
【０２０７】
本発明の実施形態で開示された方法は、プロセッサ１７０１に適用可能であり又はプロセッサ１７０１により実施されて良い。プロセッサ１７０１は、信号処理能力を有する集積回路チップであって良い。実装中、方法のステップは、プロセッサ１７０１の中のハードウェアの集積論理回路を用いて、又はソフトウェア命令を用いて、実施されて良い。前述のプロセッサ１７０１は、汎用プロセッサ、デジタル信号プロセッサ（Digital  Signal  Processor、ＤＳＰ）、特定用途向け集積回路（Application−specific  Integrated  Circuit、ＡＳＩＣ）、フィールドプログラマブルゲートアレイ（Field  Programmable  Gate  Array、ＦＰＧＡ）又は別のプログラマブル論理素子、個別ゲート又はトランジスタ論理装置、又は個別ハードウェアコンポーネントであって良い。プロセッサ１７０１は、本発明の実施形態において開示された方法、ステップ、及び論理ブロック図を実装し又は実行し得る。汎用プロセッサはマイクロプロセッサであって良く、プロセッサは任意の従来のプロセッサであって良い、等である。本発明の実施形態を参照して開示された方法のステップは、ハードウェア復号化プロセッサにより直接実施されて良く、又は復号化プロセッサ内のハードウェア及びソフトウェアモジュールの組合せにより実施されて良い。ソフトウェアモジュールは、ランダムアクセスメモリ（Random  Access  Memory、ＲＡＭ）、フラッシュメモリ、読み出し専用メモリ（Read−Only  Memory、ＲＯＭ）、プログラマブル読み出し専用メモリ、電気的消去可能プログラマブルメモリ、又はレジスタのような、当分野で成熟した記憶媒体の中に配置されて良い。記憶媒体は、メモリ１７０２の中に配置されて良い。プロセッサ１７０１は、メモリ１７０２内の命令を読み取り、プロセッサ１７０１のハードウェアと組み合わせて、前述の方法のステップを達成する。
【０２０８】
プロセッサ１７０１は、メモリ１７０２に格納され且つ以下の動作を含む以下の命令を実行する：拡張ビーム調整プロトコルｅＢＲＰパケットのフォーマットを決定するステップであって、ｅＢＲＰパケットはトレーニングフィールドを含み、トレーニングフィールドはｅＢＲＰビーム調整自動利得制御ｅＢＲＰ−ＡＧＣフィールドを含み、第１装置により、拡張ビーム調整プロトコルｅＢＲＰパケットのフォーマットを決定するステップは、第１装置により、トレーニングフィールドがＫ個のビーム調整自動利得制御−ビーム調整トレーニングＡＧＣ−ＴＲＮサブフィールドグループを含むと決定するステップを含み、各ＡＧＣ−ＴＲＮサブフィールドグループに含まれるｅＢＲＰ−ＡＧＣサブフィールド及びｅＢＲＰビーム調整トレーニングｅＢＲＰ−ＴＲＮサブフィールドの数は同じであり、各ＡＧＣ−ＴＲＮサブフィールドグループ内のｅＢＲＰ−ＡＧＣサブフィールド及びｅＢＲＰ−ＴＲＮサブフィールドは同じアンテナ重みベクトルＡＷＶグループを用い、ｅＢＲＰ−ＡＧＣサブフィールドは、各ＡＧＣ−ＴＲＮサブフィールドグループの中でｅＢＲＰ−ＴＲＮサブフィールドの前に位置し、Ｋは１より大きい正整数である、ステップ、及び、
ｅＢＲＰパケットの決定したフォーマットに基づき、第２装置へｅＢＲＰパケットを送信するステップ。
【０２０９】
通信装置１７００はアンテナを含んで良く、ｅＢＲＰパケットはアンテナを用いて第２装置へ送信されることが理解できる。
【０２１０】
本発明の一実施形態は、通信装置を更に提供し、該通信装置は、図１に示す方法のステップを実行可能である。通信装置は、決定ユニット及び通信ユニットを含む。決定ユニットは、拡張ビーム調整プロトコルｅＢＲＰパケットのフォーマットを決定するよう構成される。ここで、ｅＢＲＰパケットはトレーニングフィールドを含み、トレーニングフィールドは、ｅＢＲＰチャネル推定ｅＢＲＰ−ＣＥサブフィールド及びｅＢＲＰビーム調整トレーニングｅＢＲＰ−ＴＲＮサブフィールドを含み、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比は、９：２０未満である。通信ユニットは、ｅＢＲＰパケットの決定したフォーマットに基づき、第２装置へ、ｅＢＲＰパケットを送信するよう構成される。
【０２１１】
本発明の一実施形態は、通信装置を更に提供し、該通信装置は、図７に示す方法のステップを実行可能である。通信装置は、決定ユニット及び通信ユニットを含む。決定ユニットは、拡張ビーム調整プロトコルｅＢＲＰパケットのフォーマットを決定するよう構成される。ここで、ｅＢＲＰパケットはトレーニングフィールドを含み、トレーニングフィールドは、ｅＢＲＰビーム調整自動利得制御ｅＢＲＰ−ＡＧＣフィールド及びｅＢＲＰビーム調整トレーニングｅＢＲＰ−ＴＲＮサブフィールドで構成される。通信ユニットは、ｅＢＲＰパケットの決定したフォーマットに基づき、第２装置へ、ｅＢＲＰパケットを送信するよう構成される。
【０２１２】
本発明の一実施形態は、通信装置を更に提供する。通信装置は、決定ユニット及び通信ユニットを含む。決定ユニットは、拡張ビーム調整プロトコルｅＢＲＰパケットのフォーマットを決定するよう構成される。ここで、ｅＢＲＰパケットはトレーニングフィールドを含み、トレーニングフィールドは、ｅＢＲＰチャネル推定ｅＢＲＰ−ＣＥサブフィールド及びｅＢＲＰビーム調整トレーニングｅＢＲＰ−ＴＲＮサブフィールドを含む。拡張ビーム調整プロトコルｅＢＲＰパケットのフォーマットを決定するステップは、通信装置のアンテナ数が１を超えるとき、ｅＢＲＰ−ＣＥサブフィールド及びｅＢＲＰ−ＴＲＮサブフィールドの直交マスクの各コードワードの中に少なくとも１対のグレイコード相補シーケンスが存在すると決定するステップを含む。通信ユニットは、ｅＢＲＰパケットの決定したフォーマットに基づき、第２装置へ、ｅＢＲＰパケットを送信するよう構成される。
【０２１３】
本発明の一実施形態は、通信装置を更に提供する。通信装置は、図１３に示す方法のステップを実行可能である。通信装置は、決定ユニット及び通信ユニットを含む。決定ユニットは、拡張ビーム調整プロトコルｅＢＲＰパケットのフォーマットを決定するよう構成される。ここで、ｅＢＲＰパケットはトレーニングフィールドを含み、トレーニングフィールドはｅＢＲＰビーム調整自動利得制御ｅＢＲＰ−ＡＧＣフィールドを含む。拡張ビーム調整プロトコルｅＢＲＰパケットのフォーマットを決定するステップは、トレーニングフィールドがＫ個のビーム調整自動利得制御−ビーム調整トレーニングＡＧＣ−ＴＲＮサブフィールドグループを含むと決定するステップを含み、各ＡＧＣ−ＴＲＮサブフィールドグループに含まれるｅＢＲＰ−ＡＧＣサブフィールド及びｅＢＲＰビーム調整トレーニングｅＢＲＰ−ＴＲＮサブフィールドの数は同じであり、各ＡＧＣ−ＴＲＮサブフィールドグループ内のｅＢＲＰ−ＡＧＣサブフィールド及びｅＢＲＰ−ＴＲＮサブフィールドは同じアンテナ重みベクトルＡＷＶグループを用い、ｅＢＲＰ−ＡＧＣサブフィールドは、各ＡＧＣ−ＴＲＮサブフィールドグループの中でｅＢＲＰ−ＴＲＮサブフィールドの前に位置し、Ｋは１より大きい正整数である。通信ユニットは、ｅＢＲＰパケットの決定したフォーマットに基づき、第２装置へ、ｅＢＲＰパケットを送信するよう構成される。
【０２１４】
当業者は、本願明細書に開示の実施形態で記載された例と組み合わせて、ユニット及びアルゴリズムのステップが、電子ハードウェア又はコンピュータソフトウェア及び電子ハードウェアの組み合わせにより実施され得ることを認識できる。機能がハードウェア又はソフトウェアにより実行されるかは、技術的ソリューションの特定の適用及び設計制約条件に依存する。当業者は、各々の特定の適用について記載の機能を実施するために異なる方法を使用できるが、実装が本発明の範囲を超えることは考慮されるべきではない。
【０２１５】
便宜上及び簡潔な説明のために、前述のシステム、装置、及びユニットの詳細な動作処理については、前述の方法における対応する処理を参照して良く、詳細事項はここで再び記載されないことが、当業者により明らかに理解され得る。
【０２１６】
本願において提供される幾つかの実施形態では、開示のシステム、機器、及び方法は他の方法で実装されて良いことが理解されるべきである。例えば、記載した装置の実施形態は単なる一例である。例えば、ユニットの分割は、単なる論理的機能の区分であり、実際の実装では他の区分であって良い。例えば、複数のユニット又はコンポーネントは、別のシステムに結合されて良く又は統合されて良い。或いは、幾つかの機能は無視されるか又は実行されなくて良い。さらに、表示した又は議論した相互結合又は直接結合又は通信接続は、幾つかのインタフェースを使用することにより実装されて良い。装置又はユニット間の間接結合又は通信接続は、電子的、機械的又は他の形式で実装されて良い。
【０２１７】
別個の部分として記載されたユニットは、物理的に別個であって良く又はそうでなくて良い。また、ユニットとして表示された部分は、物理的なユニットであって良く又はそうでなくて良く、１カ所に置かれて良く或いは複数のネットワークユニットに分散されて良い。一部又は全部のユニットは、実施形態のソリューションの目的を達成するために実際の要件に依存して選択されて良い。
【０２１８】
さらに、本発明の実施形態における機能ユニットは、１つの処理ユニットに統合されて良く、或いは各ユニットが物理的に単独で存在して良く、或いは２以上のユニットが１つのユニットに統合されて良い。
【０２１９】
機能がソフトウェア機能ユニットの形式で実装され、独立した製品として販売され又は使用されるとき、機能は、コンピュータ可読記憶媒体に格納されて良い。このような理解に基づき、本発明の基本的技術的ソリューション、又は従来技術に貢献する部分、又は一部の技術的ソリューションは、ソフトウェア製品の形式で実施されて良い。コンピュータソフトウェアプロダクトは、記憶媒体に格納され、コンピュータ装置（パーソナルコンピュータ、サーバ、ネットワーク装置、等であって良い）又はプロセッサに、本発明の実施形態で記載された方法のステップの全部又は一部を実行するよう指示する複数の命令を含む。前述の記憶媒体は、ＵＳＢフラッシュドライブ、取り外し可能ハードディスク、読み出し専用メモリ（ROM、Read−Only  Memory）、ランダムアクセスメモリ（RAM、Random  Access  Memory）、磁気ディスク又は光ディスクのような、プログラムコードを格納可能な任意の媒体を含む。
【０２２０】
上述の説明は、本発明の単なる特定の実施形態であり、本発明の保護範囲を制限するものではない。本発明で開示された技術範囲内にある、当業者により直ちに考案される変形又は置換は、本発明の保護範囲に包含される。したがって、本発明の保護範囲は、特許請求の範囲に従う。
【図１】
2019515571.tif 000003
【図２】
2019515571.tif 000004
【図３】
2019515571.tif 000005
【図４】
2019515571.tif 000006
【図５】
2019515571.tif 000007
【図６】
2019515571.tif 000008
【図７】
2019515571.tif 000009
【図８】
2019515571.tif 000010
【図９】
2019515571.tif 000011
【図１０】
2019515571.tif 000012
【図１１】
2019515571.tif 000013
【図１２】
2019515571.tif 000014
【図１３】
2019515571.tif 000015
【図１４】
2019515571.tif 000016
【図１５】
2019515571.tif 000017
【図１６】
2019515571.tif 000018
【図１７】
2019515571.tif 000019
【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
ビーム調整方法であって、前記方法は、
第１装置により、拡張ビーム調整プロトコル（ｅＢＲＰ）パケットのフォーマットを決定するステップであって、前記ｅＢＲＰパケットはトレーニングフィールドを含み、前記トレーニングフィールドはｅＢＲＰチャネル推定（ｅＢＲＰ−ＣＥ）サブフィールド及びｅＢＲＰトレーニング（ｅＢＲＰ−ＴＲＮ）サブフィールドを含み、前記トレーニングフィールド内の前記ｅＢＲＰ−ＣＥサブフィールドを構成するグレイコードの数の前記トレーニングフィールド内の前記ｅＢＲＰ−ＴＲＮサブフィールドを構成するグレイコードの数に対する比は９：２０未満である、ステップと、
前記第１装置により、前記ｅＢＲＰパケットの前記決定されたフォーマットに基づき、第２装置へ前記ｅＢＲＰパケットを送信するステップと、
を含む方法。
【請求項２】
第１装置により、拡張ビーム調整プロトコルｅＢＲＰパケットのフォーマットを決定する前記ステップは、前記第１装置により、前記トレーニングフィールド内のｅＢＲＰ−ＣＥサブフィールドの数の前記トレーニングフィールド内のｅＢＲＰ−ＴＲＮサブフィールドの数に対する比が１：４以下であることを決定するステップであって、前記トレーニングフィールド内の前記ｅＢＲＰ−ＣＥサブフィールドの数の前記トレーニングフィールド内の前記ｅＢＲＰ−ＴＲＮサブフィールドの数に対する比が１：４に等しいとき、前記トレーニングフィールド内の各ｅＢＲＰ−ＣＥサブフィールドを構成するグレイコードの数の前記トレーニングフィールド内の各ｅＢＲＰ−ＴＲＮサブフィールドを構成するグレイコードの数に対する比は９：５未満である、ステップを含む、請求項１に記載の方法。
【請求項３】
第１装置により、拡張ビーム調整プロトコルｅＢＲＰパケットのフォーマットを決定する前記ステップは、前記第１装置により、データフィールドの変調及び符号化方式レベルに基づき、前記トレーニングフィールド内の前記ｅＢＲＰ−ＣＥサブフィールドを構成するグレイコードの数の前記トレーニングフィールド内の前記ｅＢＲＰ−ＴＲＮサブフィールドを構成するグレイコードの数に対する比を決定するステップを含む、請求項１に記載の方法。
【請求項４】
第１装置により、拡張ビーム調整プロトコルｅＢＲＰパケットのフォーマットを決定する前記ステップは、
前記第１装置により、送信チャネル数Ｃを決定し、前記トレーニングフィールド内の各ｅＢＲＰ−ＣＥサブフィールドがＣ×Ｓ個のグレイコードで構成されると決定するステップであって、Ｓは９未満の正整数であり、Ｃは前記第１装置の前記送信チャネル数により決定される、ステップ、
前記第１装置により、送信チャネル数Ｃを決定し、前記トレーニングフィールド内の前記ｅＢＲＰ−ＣＥサブフィールドが第１ｅＢＲＰ−ＣＥサブフィールド及び第２ｅＢＲＰ−ＣＥサブフィールドを含むと決定するステップであって、各第１ｅＢＲＰ−ＣＥサブフィールドはＣ×Ｓ個のグレイコードで構成され、各第２ｅＢＲＰ−ＣＥサブフィールドは９個のグレイコードで構成され、Ｓは９未満の正整数であり、Ｃは１以上の正整数である、ステップ、又は、
前記第１装置により、送信チャネル数Ｃを決定し、前記トレーニングフィールド内の各ｅＢＲＰ−ＣＥサブフィールドがＣ×９個のグレイコードで構成されると決定し、前記第１装置により、前記トレーニングフィールド内のｅＢＲＰ−ＣＥサブフィールドの数Ｎ、前記トレーニングフィールド内のｅＢＲＰ−ＴＲＮサブフィールドの数Ｍ、及び前記トレーニングフィールド内の各ｅＢＲＰ−ＴＲＮサブフィールドを構成するグレイコードの数Ｙが以下の式：９×Ｃ×Ｎ：Ｙ×Ｍ＜９：２０を満たすことを決定するステップ、
を含む請求項１に記載の方法。
【請求項５】
第１装置により、拡張ビーム調整プロトコルｅＢＲＰパケットのフォーマットを決定する前記ステップは、
前記第１装置により、送信チャネル数Ｃを決定し、前記トレーニングフィールド内の各ｅＢＲＰ−ＴＲＮサブフィールドがＣ×Ｙ個のグレイコードで構成されると決定するステップであって、Ｙは５以上の正整数であり、Ｃは１以上の正整数であり、Ｙが５に等しい正整数であるとき、前記トレーニングフィールド内のｅＢＲＰ−ＣＥサブフィールドの数Ｎ、前記トレーニングフィールド内の各ｅＢＲＰ−ＣＥサブフィールドを構成するグレイコードの数Ｘ、及び前記トレーニングフィールド内のｅＢＲＰ−ＴＲＮサブフィールドの数Ｍは以下の式：Ｘ×Ｎ：５×Ｃ×Ｍ＜９：２０を満たす、ステップを含む、請求項１に記載の方法。
【請求項６】
第１装置により、拡張ビーム調整プロトコルｅＢＲＰパケットのフォーマットを決定する前記ステップは、前記第１装置により、前記トレーニングフィールド内の各ｅＢＲＰ−ＣＥサブフィールド及び各ｅＢＲＰ−ＴＲＮサブフィールド内の各グレイコードの長さが１２８×Ｃ１であると決定するステップを含む、請求項２に記載の方法。
【請求項７】
第１装置により、拡張ビーム調整プロトコルｅＢＲＰパケットのフォーマットを決定する前記ステップは、
前記第１装置のアンテナ数が１を超えるとき、前記第１装置により、前記ｅＢＲＰ−ＣＥサブフィールド及び前記ｅＢＲＰ−ＴＲＮサブフィールドの直交マスクの各コードワードの中に、少なくとも１対のグレイコード相補シーケンスが存在すると決定するステップを含む、請求項１又は２に記載の方法。
【請求項８】
第１装置により、拡張ビーム調整プロトコルｅＢＲＰパケットのフォーマットを決定する前記ステップは、前記第１装置により、前記第１装置の前記アンテナ数及び前記第１装置のアンテナ偏波方向に基づき、前記トレーニングフィールド内の各ｅＢＲＰ−ＣＥサブフィールドを構成するグレイコードの数及び前記トレーニングフィールド内の各ｅＢＲＰ−ＴＲＮサブフィールドを構成するグレイコードの数を決定するステップを含む、請求項７に記載の方法。
【請求項９】
前記第１装置により、前記第１装置の前記アンテナ数及び前記第１装置のアンテナ偏波方向に基づき、前記トレーニングフィールド内の各ｅＢＲＰ−ＣＥサブフィールドを構成するグレイコードの数及び前記トレーニングフィールド内の各ｅＢＲＰ−ＴＲＮサブフィールドを構成するグレイコードの数を決定する前記ステップは、
前記第１装置の前記アンテナ数が１又は２であり、且つ前記第１装置のアンテナが同一偏波アンテナであるとき、前記第１装置により、前記トレーニングフィールド内の各ｅＢＲＰ−ＣＥサブフィールドが５×Ｃ２個のグレイコードで構成されると決定し、前記トレーニングフィールド内の各ｅＢＲＰ−ＴＲＮサブフィールドが５個のグレイコードで構成されると決定するステップ、
前記第１装置の前記アンテナ数が３又は４であり、且つ前記第１装置のアンテナが同一偏波アンテナであるとき、前記第１装置により、前記トレーニングフィールド内の各ｅＢＲＰ−ＣＥサブフィールドが９×Ｃ２個のグレイコードで構成されると決定し、前記第１装置により、前記トレーニングフィールド内の各ｅＢＲＰ−ＴＲＮサブフィールドが１０×Ｃ２個のグレイコード又は９×Ｃ２個のグレイコードで構成されると決定するステップ、又は、
前記第１装置の前記アンテナ数が２又は４であり、且つ前記第１装置のアンテナが交差偏波アンテナであるとき、前記第１装置により、前記トレーニングフィールド内の各ｅＢＲＰ−ＣＥサブフィールドが５×Ｃ２個のグレイコードで構成されると決定し、前記トレーニングフィールド内の各ｅＢＲＰ−ＴＲＮサブフィールドが５×Ｃ２個のグレイコードで構成されると決定するステップであって、Ｃ２＝１又はＣ２は前記第１装置の送信チャネル数により決定される、ステップ、
を含む、請求項８に記載の方法。
【請求項１０】
前記方法は、前記第１装置により、前記第２装置へトレーニングフィールド構成情報を送信するステップであって、前記トレーニングフィールド構成情報は、前記ｅＢＲＰパケット内で前記トレーニングフィールドのフォーマットを示すために使用され、前記トレーニングフィールド構成情報は、ビーム調整プロトコル要求フィールド、ビーム調整要素、又は前記拡張ビーム調整プロトコルパケット内のヘッダフィールドのうちの１又は複数により伝達される、ステップを更に含む請求項１乃至９のいずれか一項に記載の方法。
【請求項１１】
通信装置であって、前記通信装置は、
プロセッサと、
前記プロセッサにより実行されるプログラムを格納するコンピュータ可読記憶媒体と、
を含み、前記プログラムは、以下の動作：
拡張ビーム調整プロトコル（ｅＢＲＰ）パケットのフォーマットを決定するステップであって、前記ｅＢＲＰパケットはトレーニングフィールドを含み、前記トレーニングフィールドはｅＢＲＰチャネル推定（ｅＢＲＰ−ＣＥ）サブフィールド及びｅＢＲＰトレーニング（ｅＢＲＰ−ＴＲＮ）サブフィールドを含み、前記トレーニングフィールド内の前記ｅＢＲＰ−ＣＥサブフィールドを構成するグレイコードの数の前記トレーニングフィールド内の前記ｅＢＲＰ−ＴＲＮサブフィールドを構成するグレイコードの数に対する比は９：２０未満である、ステップと、
前記ｅＢＲＰパケットの前記決定されたフォーマットに基づき、第２装置へ前記ｅＢＲＰパケットを送信するステップと、
を実行するために使用される命令を含む、通信装置。
【請求項１２】
拡張ビーム調整プロトコルｅＢＲＰパケットのフォーマットを決定する前記ステップは、前記トレーニングフィールド内のｅＢＲＰ−ＣＥサブフィールドの数の前記トレーニングフィールド内のｅＢＲＰ−ＴＲＮサブフィールドの数に対する比が１：４以下であることを決定するステップであって、前記トレーニングフィールド内のｅＢＲＰ−ＣＥサブフィールドの数の前記トレーニングフィールド内のｅＢＲＰ−ＴＲＮサブフィールドの数に対する比が１：４に等しいとき、前記トレーニングフィールド内の各ｅＢＲＰ−ＣＥサブフィールドを構成するグレイコードの数の前記トレーニングフィールド内の各ｅＢＲＰ−ＴＲＮサブフィールドを構成するグレイコードの数に対する比は９：５未満である、ステップを含む、請求項１１に記載の通信装置。
【請求項１３】
拡張ビーム調整プロトコルｅＢＲＰパケットのフォーマットを決定する前記ステップは、データフィールドの変調及び符号化方式レベルに基づき、前記トレーニングフィールド内の前記ｅＢＲＰ−ＣＥサブフィールドを構成するグレイコードの数の前記トレーニングフィールド内の前記ｅＢＲＰ−ＴＲＮサブフィールドを構成するグレイコードの数に対する比を決定するステップを含む、請求項１１に記載の通信装置。
【請求項１４】
拡張ビーム調整プロトコルｅＢＲＰパケットのフォーマットを決定する前記ステップは、
送信チャネル数Ｃを決定し、前記トレーニングフィールド内の各ｅＢＲＰ−ＣＥサブフィールドがＣ×Ｓ個のグレイコードで構成されると決定するステップであって、Ｓは９未満の正整数であり、Ｃは前記通信装置の前記送信チャネル数により決定される、ステップ、
送信チャネル数Ｃを決定し、前記トレーニングフィールド内の前記ｅＢＲＰ−ＣＥサブフィールドが第１ｅＢＲＰ−ＣＥサブフィールド及び第２ｅＢＲＰ−ＣＥサブフィールドを含むと決定するステップであって、各第１ｅＢＲＰ−ＣＥサブフィールドはＣ×Ｓ個のグレイコードで構成され、各第２ｅＢＲＰ−ＣＥサブフィールドは９個のグレイコードで構成され、Ｓは９未満の正整数であり、Ｃは１以上の正整数である、ステップ、又は、
送信チャネル数Ｃを決定し、前記通信装置により、前記トレーニングフィールド内の各ｅＢＲＰ−ＣＥサブフィールドがＣ×９個のグレイコードで構成されると決定し、前記トレーニングフィールド内のｅＢＲＰ−ＣＥサブフィールドの数Ｎ、前記トレーニングフィールド内のｅＢＲＰ−ＴＲＮサブフィールドの数Ｍ、及び前記トレーニングフィールド内の各ｅＢＲＰ−ＴＲＮサブフィールドを構成するグレイコードの数Ｙが以下の式：９×Ｃ×Ｎ：Ｙ×Ｍ＜９：２０を満たすことを決定するステップ、
を含む、請求項１１に記載の通信装置。
【請求項１５】
拡張ビーム調整プロトコルｅＢＲＰパケットのフォーマットを決定する前記ステップは、
送信チャネル数Ｃを決定し、前記トレーニングフィールド内の各ｅＢＲＰ−ＴＲＮサブフィールドがＣ×Ｙ個のグレイコードで構成されると決定するステップであって、Ｙは５以上の正整数であり、Ｃは１以上の正整数であり、Ｙが５に等しい正整数であるとき、前記トレーニングフィールド内のｅＢＲＰ−ＣＥサブフィールドの数Ｎ、前記トレーニングフィールド内の各ｅＢＲＰ−ＣＥサブフィールドを構成するグレイコードの数Ｘ、及び前記トレーニングフィールド内のｅＢＲＰ−ＴＲＮサブフィールドの数Ｍは以下の式：Ｘ×Ｎ：５×Ｃ×Ｍ＜９：２０を満たす、ステップを含む、請求項１１に記載の通信装置。
【請求項１６】
拡張ビーム調整プロトコルパケットｅＢＲＰパケットのフォーマットを決定する前記ステップは、
前記トレーニングフィールド内の各ｅＢＲＰ−ＣＥサブフィールド及び各ｅＢＲＰ−ＴＲＮサブフィールド内の各グレイコードの長さが１２８×Ｃ１であると決定するステップを含む、請求項１２に記載の通信装置。
【請求項１７】
拡張ビーム調整プロトコルｅＢＲＰパケットのフォーマットを決定する前記ステップは、
前記通信装置のアンテナ数が１を超えるとき、前記ｅＢＲＰ−ＣＥサブフィールド及び前記ｅＢＲＰ−ＴＲＮサブフィールドの直交マスクの各コードワードの中に、少なくとも１対のグレイコード相補シーケンスが存在すると決定するステップを含む、請求項１１又は１２に記載の通信装置。
【請求項１８】
拡張ビーム調整プロトコルｅＢＲＰパケットのフォーマットを決定する前記ステップは、前記通信装置の前記アンテナ数及び前記通信装置のアンテナ偏波方向に基づき、前記トレーニングフィールド内の各ｅＢＲＰ−ＣＥサブフィールドを構成するグレイコードの数及び前記トレーニングフィールド内の各ｅＢＲＰ−ＴＲＮサブフィールドを構成するグレイコードの数を決定するステップを含む、請求項１７に記載の通信装置。
【請求項１９】
前記通信装置の前記アンテナ数及び前記通信装置のアンテナ偏波方向に基づき、前記トレーニングフィールド内の各ｅＢＲＰ−ＣＥサブフィールドを構成するグレイコードの数及び前記トレーニングフィールド内の各ｅＢＲＰ−ＴＲＮサブフィールドを構成するグレイコードの数を決定する前記ステップは、
前記通信装置の前記アンテナ数が１又は２であり、且つ前記通信装置のアンテナが同一偏波アンテナであるとき、前記通信装置により、前記トレーニングフィールド内の各ｅＢＲＰ−ＣＥサブフィールドが５×Ｃ２個のグレイコードで構成されると決定し、前記トレーニングフィールド内の各ｅＢＲＰ−ＴＲＮサブフィールドが５個のグレイコードで構成されると決定するステップ、
前記通信装置の前記アンテナ数が３又は４であり、且つ前記通信装置のアンテナが同一偏波アンテナであるとき、前記通信装置により、前記トレーニングフィールド内の各ｅＢＲＰ−ＣＥサブフィールドが９×Ｃ２個のグレイコードで構成されると決定し、前記通信装置により、前記トレーニングフィールド内の各ｅＢＲＰ−ＴＲＮサブフィールドが１０×Ｃ２個のグレイコード又は９×Ｃ２個のグレイコードで構成されると決定するステップ、又は、
前記通信装置の前記アンテナ数が２又は４であり、且つ前記通信装置のアンテナが交差偏波アンテナであるとき、前記通信装置により、前記トレーニングフィールド内の各ｅＢＲＰ−ＣＥサブフィールドが５×Ｃ２個のグレイコードで構成されると決定し、前記トレーニングフィールド内の各ｅＢＲＰ−ＴＲＮサブフィールドが５×Ｃ２個のグレイコードで構成されると決定するステップであって、Ｃ２＝１又はＣ２は前記通信装置の送信チャネル数により決定される、ステップ、
を含む、請求項１８に記載の通信装置。
【請求項２０】
前記プログラムは、以下の動作：
前記第２装置へトレーニングフィールド構成情報を送信するステップであって、前記トレーニングフィールド構成情報は、前記ｅＢＲＰパケット内で前記トレーニングフィールドのフォーマットを示すために使用され、前記トレーニングフィールド構成情報は、ビーム調整プロトコル要求フィールド、ビーム調整要素、又は前記拡張ビーム調整プロトコルパケット内のヘッダフィールドのうちの１又は複数により伝達される、ステップを実行するために使用される命令を更に含む、請求項１１乃至１９のいずれか一項に記載の通信装置。
【手続補正２】
【補正対象書類名】明細書
【補正対象項目名】全文
【補正方法】変更
【補正の内容】
【発明の詳細な説明】
【技術分野】
【０００１】
本発明の実施形態は、通信技術の分野に関し、より具体的にはビーム調整方法及び通信装置に関する。
【背景技術】
【０００２】
高周波数における（特にミリ波帯域における）信号減衰は、低周波数（例えば、６ＧＨｚより低い周波数）におけるものより遙かに大きい。比較的高い信号減衰に耐えるために、信号は、通常、ビーム形式で送信される。ビーム帯域幅が十分狭いとき、信号送信及び信号受信は、特定の通信距離及び特定の送信レートを達成できる。しかしながら、ビーム帯域幅が過度に狭いと、送信端及び受信端が互いを発見することが非常に困難になる。ビーム帯域幅が過度に広いと、所望の送信レートを得るには、アンテナ利得が十分に高くない。
【０００３】
ミリ波帯において生じる前述の問題を解決するために、６０ＧＨｚの周波数帯で動作する電気電子技術者協会（英語：Institute  of  Electrical  and  Electronics  Engineers、略してＩＥＥＥ）８０２．１１ａｄによると、ビームトレーニングは、ビーム情報を取得するために２段階：セクタレベルスイープ（英語：Sector  Level  Sweep、略してＳＬＳ）及びビーム調整プロトコル（英語：Beam  Refinement  Protocol、略してＢＲＰ）で実行される。ＳＬＳ段階では、端末装置（英語：Station、略してＳＴＡ）は、信号を送信し及び受信するために必要なビーム情報を提供される。言い換えると、この段階のビームは比較的幅広である。ビーム調整プロトコルは、ＳＬＳ段階の後に、送信機及び受信機が、ビーム調整情報を取得できるようにする。ビーム調整プロトコルによると、送信機は、受信機へ、ビーム調整プロトコルパケット（BRP  packet）を送信する。ビーム調整プロトコルパケットはトレーニングフィールドを含む。受信機は、トレーニングフィールドに基づきビーム調整情報を決定する。
【０００４】
現在、ＩＥＥＥ８０２．１１ａｙ規格は、ＩＥＥＥ８０２．１１ａｄに基づき、各アンテナによりサポートされるＡＷＶの数が拡張されること、及び多入力多出力（英語：Multiple  Input  and  Multiple  Output、略してＭＩＭＯ）技術が使用されることを提案している。したがって、より多くのアンテナが必要であり、又はより多くのビームがトレーニングされる必要がある。結果として、ＢＲＰパケット効率を向上する必要がある。
【発明の概要】
【０００５】
本発明の実施形態は、決定された拡張ビーム調整プロトコルパケットに基づき同じ時間期間の中でより多くのアンテナ又はより多くのビームをトレーニングするために、ビーム調整方法及び通信装置を提供する。
【０００６】
第１の態様によると、本発明の一実施形態は、ビーム調整方法であって、前記方法は、第１装置により、拡張ビーム調整プロトコルｅＢＲＰパケットのフォーマットを決定するステップであって、前記ｅＢＲＰパケットはトレーニングフィールドを含み、前記トレーニングフィールドはｅＢＲＰチャネル推定ｅＢＲＰ−ＣＥサブフィールド及びｅＢＲＰビーム調整トレーニングｅＢＲＰ−ＴＲＮサブフィールドを含み、前記トレーニングフィールド内の前記ｅＢＲＰ−ＣＥサブフィールドを構成するグレイコードの数の前記トレーニングフィールド内の前記ｅＢＲＰ−ＴＲＮサブフィールドを構成するグレイコードの数に対する比は９：２０未満である、ステップと、前記第１装置により、前記ｅＢＲＰパケットの前記決定されたフォーマットに基づき、第２装置へ前記ｅＢＲＰパケットを送信するステップと、を含む方法を提供する。この方法では、トレーニングフィールド内のｅＢＲＰ−ＴＲＮサブフィールドの効果的な比率が増大され、同じ時間期間内でより多くのＡＷＶ構成を試みることができる。
【０００７】
第１の態様を参照して、第１の態様の第１の可能な実装では、第１装置により、拡張ビーム調整プロトコルｅＢＲＰパケットのフォーマットを決定する前記ステップは、前記第１装置により、前記トレーニングフィールド内の前記ｅＢＲＰ−ＣＥサブフィールドの数の前記トレーニングフィールド内の前記ｅＢＲＰ−ＴＲＮサブフィールドの数に対する比が１：４以下であることを決定するステップであって、前記トレーニングフィールド内の前記ｅＢＲＰ−ＣＥサブフィールドの数の前記トレーニングフィールド内の前記ｅＢＲＰ−ＴＲＮサブフィールドの数に対する比が１：４に等しいとき、前記トレーニングフィールド内の各ｅＢＲＰ−ＣＥサブフィールドを構成するグレイコードの数の前記トレーニングフィールド内の各ｅＢＲＰ−ＴＲＮサブフィールドを構成するグレイコードの数に対する比は９：５未満である、ステップを含む。この方法では、第１装置は、トレーニングフィールド内のＣＥ長を短縮し、又はトレーニングフィールド内のＣＥの比率を低減する。したがって、より多くのビームがトレーニングでき、トレーニング効率が向上する。
【０００８】
第１の態様を参照して、第１の態様の第２の可能な実装では、第１装置により、拡張ビーム調整プロトコルｅＢＲＰパケットのフォーマットを決定する前記ステップは、前記第１装置により、データフィールドの変調及び符号化方式レベルに基づき、前記トレーニングフィールド内の前記ｅＢＲＰ−ＣＥサブフィールドを構成するグレイコードの数の前記トレーニングフィールド内の前記ｅＢＲＰ−ＴＲＮサブフィールドを構成するグレイコードの数に対する比を決定するステップを含む。
【０００９】
第１の態様を参照して、第１の態様の第３の可能な実装では、第１装置により、拡張ビーム調整プロトコルｅＢＲＰパケットのフォーマットを決定する前記ステップは、前記第１装置により、送信チャネル数Ｃを決定し、前記トレーニングフィールド内の各ｅＢＲＰ−ＣＥサブフィールドがＣ×Ｓ個のグレイコードで構成されると決定するステップであって、Ｓは９未満の正整数であり、Ｃは前記第１装置の前記送信チャネル数により決定される、ステップ、前記第１装置により、送信チャネル数Ｃを決定し、前記トレーニングフィールド内の前記ｅＢＲＰ−ＣＥサブフィールドが第１ｅＢＲＰ−ＣＥサブフィールド及び第２ｅＢＲＰ−ＣＥサブフィールドを含むと決定するステップであって、各第１ｅＢＲＰ−ＣＥサブフィールドはＣ×Ｓ個のグレイコードで構成され、各第２ｅＢＲＰ−ＣＥサブフィールドは９個のグレイコードで構成され、Ｓは９未満の正整数であり、Ｃは１以上の正整数である、ステップ、又は、前記第１装置により、送信チャネル数Ｃを決定し、前記トレーニングフィールド内の各ｅＢＲＰ−ＣＥサブフィールドがＣ×９個のグレイコードで構成されると決定し、前記第１装置により、前記トレーニングフィールド内のｅＢＲＰ−ＣＥサブフィールドの数Ｎ、前記トレーニングフィールド内のｅＢＲＰ−ＴＲＮサブフィールドの数Ｍ、及び前記トレーニングフィールド内の各ｅＢＲＰ−ＴＲＮサブフィールドを構成するグレイコードの数Ｙが以下の式：９×Ｃ×Ｎ：Ｙ×Ｍ＜９：２０を満たすことを決定するステップ、を含む。この方法では、第１装置はトレーニングフィールド内のＣＥ長を短縮する。したがって、より多くのビームがトレーニングでき、トレーニング効率が向上する。
【００１０】
第１の態様を参照して、第１の態様の第４の可能な実装では、第１装置により、拡張ビーム調整プロトコルｅＢＲＰパケットのフォーマットを決定するステップは、前記第１装置により、送信チャネル数Ｃを決定し、前記トレーニングフィールド内の各ｅＢＲＰ−ＴＲＮサブフィールドがＣ×Ｙ個のグレイコードで構成されると決定するステップであって、Ｙは５以上の正整数であり、Ｃは１以上の正整数であり、Ｙが５に等しい正整数であるとき、前記トレーニングフィールド内のｅＢＲＰ−ＣＥサブフィールドの数Ｎ、前記トレーニングフィールド内の各ｅＢＲＰ−ＣＥサブフィールドの数Ｘ、及び前記トレーニングフィールド内のｅＢＲＰ−ＴＲＮサブフィールドの数Ｍは以下の式：Ｘ×Ｎ：５×Ｃ×Ｍ＜９：２０を満たす、ステップを含む。この方法では、第１装置はトレーニングフィールド内のＴＲＮ長を拡張する。したがって、より多くのビームがトレーニングでき、トレーニング効率が向上する。
【００１１】
第１の態様の第１の可能な実装を参照して、第１の態様の第５の可能な実装では、第１装置により、拡張ビーム調整プロトコルパケットｅＢＲＰパケットのフォーマットを決定する前記ステップは、前記第１装置により、前記トレーニングフィールド内の各ｅＢＲＰ−ＣＥサブフィールド及び各ｅＢＲＰ−ＴＲＮサブフィールド内の各グレイコードの長さが１２８×Ｃ１であると決定するステップ、前記トレーニングフィールド内のｅＢＲＰ−ＣＥサブフィールドの数の前記トレーニングフィールド内のｅＢＲＰ−ＴＲＮサブフィールドの数に対する比が１：４未満であるとき、前記第１装置により、前記トレーニングフィールド内の各ｅＢＲＰ−ＣＥサブフィールドが９×Ｃ２個のグレイコードで構成されると決定し、前記第１装置により、前記トレーニングフィールド内の各ｅＢＲＰ−ＴＲＮサブフィールドが５×Ｃ２個のグレイコードで構成されると決定するステップ、前記トレーニングフィールド内のｅＢＲＰ−ＣＥサブフィールドの数の前記トレーニングフィールド内のｅＢＲＰ−ＴＲＮサブフィールドの数に対する比が１：４に等しいとき、前記第１装置により、前記トレーニングフィールド内の各ｅＢＲＰ−ＣＥサブフィールドが５×Ｃ２個のグレイコードで構成されると決定し、前記第１装置により、前記トレーニングフィールド内の各ｅＢＲＰ−ＴＲＮサブフィールドが５×Ｃ２個のグレイコードで構成されると決定するステップ、又は、前記トレーニングフィールド内のｅＢＲＰ−ＣＥサブフィールドの数の前記トレーニングフィールド内のｅＢＲＰ−ＴＲＮサブフィールドの数に対する比が１：４に等しいとき、前記第１装置により、前記トレーニングフィールド内の前記ｅＢＲＰ−ＣＥサブフィールドが第１ｅＢＲＰ−ＣＥサブフィールド及び第２ｅＢＲＰ−ＣＥサブフィールドを含むと決定し、各第１ｅＢＲＰ−ＣＥサブフィールドは５×Ｃ２個のグレイコードで構成され、各第２ｅＢＲＰ−ＣＥサブフィールドは９×Ｃ２個のグレイコードで構成され、前記第１装置により、前記トレーニングフィールド内の各ｅＢＲＰ−ＴＲＮサブフィールドは５×Ｃ２個のグレイコードで構成されると決定し、Ｃ１＝１のとき、Ｃ２は前記第１装置の送信チャネル数により決定される、又は、Ｃ２＝１のとき、Ｃ１は前記第１装置の送信チャネル数により決定される、ステップ、を含む。前記トレーニングフィールド内のｅＢＲＰ−ＣＥサブフィールドの数の前記トレーニングフィールド内のｅＢＲＰ−ＴＲＮサブフィールドの数に対する比が１：４未満のとき、前記ｅＢＲＰ−ＣＥサブフィールドのフォーマットは、ＩＥＥＥ８０２．１１ａｄにおけるＣＥサブフィールドのフォーマットと同じであり、前記ｅＢＲＰ−ＴＲＮサブフィールドのフォーマットは、ＩＥＥＥ８０２．１１ａｄにおけるＴＲＮサブフィールドのフォーマットと同じである。この方法では、ＩＥＥＥ８０２．１１ａｄとの互換性が保たれる。前記トレーニングフィールド内のｅＢＲＰ−ＣＥサブフィールドの数の前記トレーニングフィールド内のｅＢＲＰ−ＴＲＮサブフィールドの数に対する比が１：４に等しいとき、前記ｅＢＲＰ−ＣＥサブフィールドのうちの全部又は一部の長さは、ＩＥＥＥ８０２．１１ａｄにおけるＣＥサブフィールド��長さより短い。したがって、トレーニングフィールド内のｅＢＲＰ−ＴＲＮサブフィールドの効果的な比率が増大できる。
【００１２】
第１の態様又は第１の態様の第１の可能な実装を参照して、第１の態様の第６の可能な実装では、第１装置により、拡張ビーム調整プロトコルｅＢＲＰパケットのフォーマットを決定する前記ステップは、前記第１装置のアンテナ数が１を超えるとき、前記第１装置により、前記ｅＢＲＰ−ＣＥサブフィールド及び前記ｅＢＲＰ−ＴＲＮサブフィールドの直交マスクの各コードワードの中に、少なくとも１対のグレイコード相補シーケンスが存在すると決定するステップを更に含む。この方法では、直交マスクは、異なる送信アンテナを用いて送信されるｅＢＲＰ−ＴＲＮのために使用され、複数のアンテナが同時にトレーニングできるようにし、ビームトレーニング効率も向上する。
【００１３】
第１の態様の第６の可能な実装を参照して、第１の態様の第７の可能な実装では、第１装置により、拡張ビーム調整プロトコルｅＢＲＰパケットのフォーマットを決定する前記ステップは、前記第１装置により、前記第１装置の前記アンテナ数及び前記第１装置のアンテナ偏波方向に基づき、前記トレーニングフィールド内の各ｅＢＲＰ−ＣＥサブフィールドを構成するグレイコードの数の前記トレーニングフィールド内の各ｅＢＲＰ−ＴＲＮサブフィールドを構成するグレイコードの数に対する比を決定するステップを含む。
【００１４】
第１の態様の第７の可能な実装を参照して、第１の態様の第８の可能な実装では、前記第１装置により、前記第１装置の前記アンテナ数及び前記第１装置のアンテナ偏波方向に基づき、前記トレーニングフィールド内の各ｅＢＲＰ−ＣＥサブフィールドを構成するグレイコードの数及び前記トレーニングフィールド内の各ｅＢＲＰ−ＴＲＮサブフィールドを構成するグレイコードの数を決定する前記ステップは、前記第１装置の前記アンテナ数が１又は２であり、且つ前記第１装置のアンテナが同一偏波アンテナであるとき、前記第１装置により、前記トレーニングフィールド内の各ｅＢＲＰ−ＣＥサブフィールドが５×Ｃ２個のグレイコードで構成されると決定し、前記トレーニングフィールド内の各ｅＢＲＰ−ＴＲＮサブフィールドが５個のグレイコードで構成されると決定するステップ、前記第１装置の前記アンテナ数が３又は４であり、且つ前記第１装置のアンテナが同一偏波アンテナであるとき、前記第１装置により、前記トレーニングフィールド内の各ｅＢＲＰ−ＣＥサブフィールドが９×Ｃ２個のグレイコードで構成されると決定し、前記第１装置により、前記トレーニングフィールド内の各ｅＢＲＰ−ＴＲＮサブフィールドが１０×Ｃ２個のグレイコード又は９×Ｃ２個のグレイコードで構成されると決定するステップ、又は、前記第１装置の前記アンテナ数が２又は４であり、且つ前記第１装置のアンテナが交差偏波アンテナであるとき、前記第１装置により、前記トレーニングフィールド内の各ｅＢＲＰ−ＣＥサブフィールドが５×Ｃ２個のグレイコードで構成されると決定し、前記トレーニングフィールド内の各ｅＢＲＰ−ＴＲＮサブフィールドが５×Ｃ２個のグレイコードで構成されると決定するステップであって、Ｃ２＝１又はＣ２は前記第１装置の送信チャネル数により決定される、ステップ、を含む。
【００１５】
第１の態様の第８の可能な実装を参照して、第１の態様の第９の可能な実装では、第１装置により、拡張ビーム調整プロトコルｅＢＲＰパケットのフォーマットを決定する前記ステップは、前記第１装置のアンテナ数が１又は２であるとき、前記第１装置により、前記トレーニングフィールド内の各ｅＢＲＰ−ＣＥサブフィールド及び各ｅＢＲＰ−ＴＲＮサブフィールドの中の各グレイコードの長さが１２８×Ｃ２であると決定するステップ、前記第１装置のアンテナ数が３又は４であり、且つ前記トレーニングフィールド内の前記ｅＢＲＰ−ＴＲＮサブフィールドが１０×Ｃ２個のグレイコードで構成されるとき、前記第１装置により、前記トレーニングフィールド内の前記ｅＢＲＰ−ＣＥサブフィールドの中の各グレイコードの長さが１２８×Ｃ１であると決定し、前記トレーニングフィールド内の前記ｅＢＲＰ−ＴＲＮサブフィールドの中の各グレイコードの長さが１２８×Ｃ１又は６４×Ｃ１であると決定するステップ、前記第１装置のアンテナ数が３又は４であり、且つ前記トレーニングフィールド内の前記ｅＢＲＰ−ＴＲＮサブフィールドが９×Ｃ２個のグレイコードで構成されるとき、前記第１装置により、前記トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップ、又は、前記第１装置のアンテナ数が４であり、且つ前記トレーニングフィールド内の前記ｅＢＲＰ−ＴＲＮサブフィールドが５×Ｃ２個のグレイコードで構成されるとき、前記第１装置により、前記トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップであって、Ｃ２＝１のとき、Ｃ１は前記第１装置の前記送信チャネル数により決定される、又はＣ２が前記第１装置の前記送信チャネル数により決定されるとき、Ｃ１＝１である、ステップ、を含む。この方法では、アンテナ数が１又は２のとき、ｅＢＲＰ−ＣＥサブフィールドにより占有される時間は、ＩＥＥＥ８０２．１１ａｄ規格においてＣＥサブフィールドにより占有される時間より少ない。このように、トレーニングフィールド内のｅＢＲＰ−ＣＥサブフィールドにより占有される時間の、トレーニングフィールド内のｅＢＲＰ−ＴＲＮサブフィールドにより占有される時間に対する比は低減される。言い換えると、より多くのｅＢＲＰ−ＴＲＮサブフィールドが同じ時間期間内で送信できる。したがって、より多くのビームがトレーニングでき、トレーニング効率が向上する。アンテナ数が３又は４のとき、ＩＥＥＥ８０２．１１ａｄにおけるＴＲＮサブフィールドより短いシーケンス長、つまり１２８／２＝６４がｅＢＲＰ−ＴＲＮのために使用される。さらに、直交マスクの各コードワード内に少なくとも１対のグレイコード相補シーケンスが存在する。この方法では、トレーニング効率が向上され、ビームトレーニング測定の正確さが保証できる。
【００１６】
第１の態様又は第１の態様の可能な実装のうちのいずれか１つを参照して、第１の態様の第１０の可能な実装では、前記トレーニングフィールドは、ｅＢＲＰビーム調整自動利得制御ｅＢＲＰ−ＡＧＣフィールドを更に含み、第１装置により、拡張ビーム調整プロトコルｅＢＲＰパケットのフォーマットを決定する前記ステップは、前記第１装置により、前記トレーニングフィールドがＫ個のＡＧＣ−ＴＲＮサブフィールドグループを含むと決定するステップであって、各ＡＧＣ−ＴＲＮサブフィールドグループに含まれるｅＢＲＰ−ＡＧＣサブフィールド及びｅＢＲＰ−ＴＲＮサブフィールドの数は同じであり、各ＡＧＣ−ＴＲＮサブフィールドグループ内の前記ｅＢＲＰ−ＡＧＣサブフィールド及び前記ｅＢＲＰ−ＴＲＮサブフィールドは同じアンテナ重みベクトルＡＷＶグループを用い、前記ｅＢＲＰ−ＡＧＣサブフィールドは各ＡＧＣ−ＴＲＮサブフィールドグループ内で前記ｅＢＲＰ−ＴＲＮサブフィールドの前に位置し、Ｋは１以上の正整数である、ステップを更に含む。Ｋ＞１のとき、受信機は、各ＡＧＣ−ＴＲＮサブフィールドグループにおいて適切な受信機利得を推定して良い。したがって、より大きな受信機ダイナミックレンジが得られる。これは、異なるＡＷＶ構成でチャネル情報を測定することを助ける。さらに、数ＫがｅＢＲＰ−ＴＲＮサブフィールドの数と同じとき、各ｅＢＲＰ−ＡＧＣサブフィールドは、ｅＢＲＰ−ＴＲＮサブフィールドに隣接し、それによりＡＷＶの変化する回数を低減する。ＡＷＶの変化する回数の低減は、ＡＷＶ構成で測定のために使用できない時間の低減を伴う。したがって、異なるＡＷＶ構成に対応する大きさ及び位相を決定するために、より多くの時間が利用可能になり得る。それにより、正確なビームを決定するのを助ける。
【００１７】
第１の態様又は第１の態様の可能な実装のうちのいずれか１つを参照して、第１の態様の第１１の可能な実装では、前記方法は、前記第１装置により、前記第２装置へトレーニングフィールド構成情報を送信するステップであって、前記トレーニングフィールド構成情報は、前記ｅＢＲＰパケット内で前記トレーニングフィールドのフォーマットを示すために使用され、前記トレーニングフィールド構成情報は、ビーム調整プロトコル要求フィールド、ビーム調整要素、又は前記拡張ビーム調整プロトコルパケット内のヘッダフィールドのうちの１又は複数により伝達される、ステップを更に含む。この方法では、第１装置は、第２装置がトレーニングフィールドのフォーマットに基づきビームトレーニングを実行できるように、第２装置にトレーニングフィールドのフォーマットを通知できる。
【００１８】
第２の態様によると、本発明の一実施形態は、ビーム調整方法であって、前記方法は、第１装置により、拡張ビーム調整プロトコルｅＢＲＰパケットのフォーマットを決定するステップであって、前記ｅＢＲＰパケットはトレーニングフィールドを含み、前記トレーニングフィールドはｅＢＲＰビーム調整自動利得制御ｅＢＲＰ−ＡＧＣフィールド及びｅＢＲＰビーム調整トレーニングｅＢＲＰ−ＴＲＮサブフィールドで構成される、ステップと、前記第１装置により、前記ｅＢＲＰパケットの前記決定したフォーマットに基づき、第２装置へ前記ｅＢＲＰパケットを送信するステップと、を含む方法を提供する。前述の技術的ソリューションでは、トレーニングフィールドはｅＢＲＰ−ＣＥサブフィールドを含まないので、トレーニングフィールド内のｅＢＲＰ−ＴＲＮサブフィールドの効果的な比率が増大され、同じ時間期間内でより多くのＡＷＶ構成を試みることができる。
【００１９】
第２の態様を参照して、第２の態様の第１の可能な実装では、第１装置により、拡張ビーム調整プロトコルｅＢＲＰパケットのフォーマットを決定する前記ステップは、前記第１装置のアンテナ数が１又は２であり、且つ前記第１装置のアンテナが同一偏波アンテナであるとき、前記第１装置により、前記トレーニングフィールド内の各ｅＢＲＰ−ＴＲＮサブフィールドが、長さが１２８×Ｃ１である５×Ｃ２個のグレイコードで構成されると決定するステップ、前記第１装置のアンテナ数が３又は４であり、且つ前記第１装置のアンテナが同一偏波アンテナであるとき、前記第１装置により、前記トレーニングフィールド内の各ｅＢＲＰ−ＴＲＮサブフィールドが、以下のフォーマット：長さが６４×Ｃ１である１０×Ｃ２個のグレイコード又は長さが１２８×Ｃ１である９×Ｃ２個のグレイコードのうちのいずれか１つであると決定するステップ、又は、前記第１装置のアンテナ数が２又は４であり、且つ前記第１装置のアンテナが交差偏波アンテナであるとき、前記第１装置により、前記トレーニングフィールド内の各ｅＢＲＰ−ＴＲＮサブフィールドが、長さが１２８×Ｃ１である５×Ｃ２個のグレイコードで構成されると決定するステップであって、Ｃ２＝１のとき、Ｃ１は前記第１装置の送信チャネル数により決定される、又は、Ｃ２が前記第１装置の送信チャネル数により決定されるとき、Ｃ１＝１である、ステップ、を含む。この方法では、アンテナ数が１又は２のとき、ｅＢＲＰ−ＣＥサブフィールドにより占有される時間は、ＩＥＥＥ８０２．１１ａｄ規格においてＣＥサブフィールドにより占有される時間より少ない。このように、トレーニングフィールド内のｅＢＲＰ−ＣＥサブフィールドにより占有される時間の、トレーニングフィールド内のｅＢＲＰ−ＴＲＮサブフィールドにより占有される時間に対する比は低減される。言い換えると、より多くのｅＢＲＰ−ＴＲＮサブフィールドが同じ時間期間内で送信できる。したがって、より多くのビームがトレーニングでき、トレーニング効率が向上する。アンテナ数が３又は４のとき、ＩＥＥＥ８０２．１１ａｄにおけるＴＲＮサブフィールドより短いシーケンス長、つまり１２８／２＝６４がｅＢＲＰ−ＴＲＮのために使用できる。さらに、直交マスクの各コードワード内に少なくとも１対のグレイコード相補シーケンスが存在する。この方法では、トレーニング効率が向上され、ビームトレーニング測定の正確さが保証できる。
【００２０】
第２の態様又は第２の態様の第１の可能な実装を参照して、第２の態様の第２の可能な実装では、第１装置により、拡張ビーム調整プロトコルｅＢＲＰパケットのフォーマットを決定する前記ステップは、前記第１装置により、前記トレーニングフィールドがＫ個のＡＧＣ−ＴＲＮサブフィールドグループを含むと決定するステップであって、各ＡＧＣ−ＴＲＮサブフィールドグループに含まれるｅＢＲＰ−ＡＧＣサブフィールド及びｅＢＲＰ−ＴＲＮサブフィールドの数は同じであり、各ＡＧＣ−ＴＲＮサブフィールドグループ内の前記ｅＢＲＰ−ＡＧＣサブフィールド及び前記ｅＢＲＰ−ＴＲＮサブフィールドは同じアンテナ重みベクトルＡＷＶグループを用い、前記ｅＢＲＰ−ＡＧＣサブフィールドは各ＡＧＣ−ＴＲＮサブフィールドグループ内で前記ｅＢＲＰ−ＴＲＮサブフィールドの前に位置し、Ｋは１以上の正整数である、ステップを含む。Ｋ＞１のとき、受信機は、各ＡＧＣ−ＴＲＮサブフィールドグループにおいて適切な受信機利得を推定して良い。したがって、より大きな受信機ダイナミックレンジが得られる。これは、異なるＡＷＶ構成でチャネル情報を測定することを助ける。さらに、数ＫがｅＢＲＰ−ＴＲＮサブフィールドの数と同じとき、各ｅＢＲＰ−ＡＧＣサブフィールドは、ｅＢＲＰ−ＴＲＮサブフィールドに隣接し、それによりＡＷＶの変化する回数を低減する。ＡＷＶの変化する回数の低減は、ＡＷＶ構成で測定のために使用できない時間の低減を伴う。したがって、異なるＡＷＶ構成に対応する大きさ及び位相を決定するために、より多くの時間が利用可能になり得る。それにより、正確なビームを決定するのを助ける。
【００２１】
第２の態様の第１の可能な実装を参照して、第２の態様の第３の可能な実装では、Ｋ個のＡＧＣ−ＴＲＮサブフィールドグループの各々は１個のｅＢＲＰ−ＡＧＣサブフィールド及び１個のｅＢＲＰ−ＴＲＮサブフィールドを含む。このように、ＡＷＶ変化回数は低減できる。ＡＷＶの変化する回数の低減は、ＡＷＶ構成で測定のために使用できない時間の低減を伴う。これは、ｅＢＲＰ−ＴＲＮのための効果的な測定時間の拡張される場合と等価である。したがって、異なるＡＷＶ構成に対応する大きさ及び位相を決定するために、より多くの時間が利用可能になり得る。それにより、正確なビームを決定するのを助ける。
【００２２】
第２の態様の第３の可能な実装を参照して、第２の態様の第４の可能な実装では、各ｅＢＲＰ−ＡＧＣサブフィールドは、長さが６４×Ｃ１のＴ個のグレイコードで構成され、Ｔは５×Ｃ２以上且つ９×Ｃ２以下の正整数であり、又は、各ｅＢＲＰ−ＡＧＣサブフィールドは、長さが１２８×Ｃ１の３×Ｃ２個又は４×Ｃ２個のグレイコードで構成され、Ｃ２＝１のとき、Ｃ１は第１装置の送信チャネル数により決定される、又は、Ｃ２が第１装置の送信チャネル数により決定されるとき、Ｃ１＝１である。この方法では、ｅＢＲＰ−ＡＧＣサブフィールドは、送信機と受信機との間の時間及び周波数同期を維持するために使用できる。
【００２３】
第２の態様又は第２の態様の可能な実装のうちのいずれか１つを参照して、第２の態様の第５の可能な実装では、前記方法は、前記第１装置により、前記第２装置へトレーニングフィールド構成情報を送信するステップであって、前記トレーニングフィールド構成情報は、前記ｅＢＲＰパケット内で前記トレーニングフィールドのフォーマットを示すために使用され、前記トレーニングフィールド構成情報は、ビーム調整プロトコル要求フィールド、ビーム調整要素、又は前記拡張ビーム調整プロトコルパケット内のヘッダフィールドのうちの任意の１又は複数により伝達される、ステップを更に含む。この方法では、第１装置は、第２装置がトレーニングフィールドのフォーマットに基づきビームトレーニングを実行できるように、第２装置にトレーニングフィールドのフォーマットを通知できる。
【００２４】
第３の態様によると、本発明の一実施形態は、ビーム調整方法であって、前記方法は、第１装置により、拡張ビーム調整プロトコルｅＢＲＰパケットのフォーマットを決定するステップであって、前記ｅＢＲＰパケットはトレーニングフィールドを含み、前記トレーニングフィールドはｅＢＲＰチャネル推定ｅＢＲＰ−ＣＥサブフィールド及びｅＢＲＰビーム調整トレーニングｅＢＲＰ−ＴＲＮサブフィールドを含み、前記第１装置により、前記ｅＢＲＰパケットのフォーマットを決定する前記ステップは、前記第１装置のアンテナ数が１を超えるとき、前記第１装置により、前記ｅＢＲＰ−ＣＥサブフィールド及び前記ｅＢＲＰ−ＴＲＮサブフィールドの直交マスクの各コードワードの中に少なくとも１対のグレイコード相補シーケンスが存在すると決定するステップと、前記第１装置により、前記ｅＢＲＰパケットの決定されたフォーマットに基づき、第２装置へ前記ｅＢＲＰパケットを送信するステップと、を含む方法を提供する。この方法では、直交マスクは、異なる送信アンテナを用いて送信されるｅＢＲＰ−ＴＲＮのために使用され、複数のアンテナが同時にトレーニングできるようにし、ビームトレーニング効率も向上する。
【００２５】
第３の態様を参照して、第３の態様の第１の可能な実装では、前記トレーニングフィールド内の前記ｅＢＲＰ−ＣＥサブフィールドを構成するグレイコードの数の前記トレーニングフィールド内の前記ｅＢＲＰ−ＴＲＮサブフィールドを構成するグレイコードの数に対する比は、９：２０未満である。この方法では、トレーニングフィールド内のｅＢＲＰ−ＴＲＮサブフィールドの効果的な比率が増大され、同じ時間期間内でより多くのＡＷＶ構成を試みることができる。
【００２６】
第３の態様の第１の可能な実装を参照して、第３の態様の第２の可能な実装では、第１装置により、拡張ビーム調整プロトコルｅＢＲＰパケットのフォーマットを決定する前記ステップは、前記第１装置により、前記トレーニングフィールド内の前記ｅＢＲＰ−ＣＥサブフィールドの数の前記トレーニングフィールド内の前記ｅＢＲＰ−ＴＲＮサブフィールドの数に対する比が１：４以下であることを決定するステップであって、前記トレーニングフィールド内の前記ｅＢＲＰ−ＣＥサブフィールドの数の前記トレーニングフィールド内の前記ｅＢＲＰ−ＴＲＮサブフィールドの数に対する比が１：４に等しいとき、前記トレーニングフィールド内の各ｅＢＲＰ−ＣＥサブフィールドを構成するグレイコードの数の前記トレーニングフィールド内の各ｅＢＲＰ−ＴＲＮサブフィールドを構成するグレイコードの数に対する比は９：５未満である、ステップを含む。この方法では、第１装置は、トレーニングフィールド内のＣＥ長を短縮し、又はトレーニングフィールド内のＣＥの比率を低減する。したがって、より多くのビームがトレーニングでき、トレーニング効率が向上する。
【００２７】
第３の態様の第１の可能な実装を参照して、第３の態様の第３の可能な実装では、第１装置により、拡張ビーム調整プロトコルｅＢＲＰパケットのフォーマットを決定する前記ステップは、前記第１装置により、データフィールドの変調及び符号化方式レベルに基づき、前記トレーニングフィールド内の前記ｅＢＲＰ−ＣＥサブフィールドを構成するグレイコードの数の前記トレーニングフィールド内の前記ｅＢＲＰ−ＴＲＮサブフィールドを構成するグレイコードの数に対する比を決定するステップを含む。
【００２８】
第３の態様の第１の可能な実装を参照して、第３の態様の第４の可能な実装では、第１装置により、拡張ビーム調整プロトコルｅＢＲＰパケットのフォーマットを決定する前記ステップは、前記第１装置により、送信チャネル数Ｃを決定し、前記トレーニングフィールド内の各ｅＢＲＰ−ＣＥサブフィールドがＣ×Ｓ個のグレイコードで構成されると決定するステップであって、Ｓは９未満の正整数であり、Ｃは前記第１装置の前記送信チャネル数により決定される、ステップ、前記第１装置により、送信チャネル数Ｃを決定し、前記トレーニングフィールド内の前記ｅＢＲＰ−ＣＥサブフィールドが第１ｅＢＲＰ−ＣＥサブフィールド及び第２ｅＢＲＰ−ＣＥサブフィールドを含むと決定するステップであって、各第１ｅＢＲＰ−ＣＥサブフィールドはＣ×Ｓ個のグレイコードで構成され、各第２ｅＢＲＰ−ＣＥサブフィールドは９個のグレイコードで構成され、Ｓは９未満の正整数であり、Ｃは１以上の正整数である、ステップ、又は、前記第１装置により、送信チャネル数Ｃを決定し、前記トレーニングフィールド内の各ｅＢＲＰ−ＣＥサブフィールドがＣ×９個のグレイコードで構成されると決定し、前記第１装置により、前記トレーニングフィールド内のｅＢＲＰ−ＣＥサブフィールドの数Ｎ、前記トレーニングフィールド内のｅＢＲＰ−ＴＲＮサブフィールドの数Ｍ、及び前記トレーニングフィールド内の各ｅＢＲＰ−ＴＲＮサブフィールドを構成するグレイコードの数Ｙが以下の式：９×Ｃ×Ｎ：Ｙ×Ｍ＜９：２０を満たすことを決定するステップ、を含む。この方法では、第１装置はトレーニングフィールド内のＣＥ長を短縮する。したがって、より多くのビームがトレーニングでき、トレーニング効率が向上する。
【００２９】
第３の態様の第１の可能な実装を参照して、第３の態様の第５の可能な実装では、第１装置により、拡張ビーム調整プロトコルｅＢＲＰパケットのフォーマットを決定するステップは、前記第１装置により、送信チャネル数Ｃを決定し、前記トレーニングフィールド内の各ｅＢＲＰ−ＴＲＮサブフィールドがＣ×Ｙ個のグレイコードで構成されると決定するステップであって、Ｙは５以上の正整数であり、Ｃは１以上の正整数であり、Ｙが５に等しい正整数であるとき、前記トレーニングフィールド内のｅＢＲＰ−ＣＥサブフィールドの数Ｎ、前記トレーニングフィールド内の各ｅＢＲＰ−ＣＥサブフィールドの数Ｘ、及び前記トレーニングフィールド内のｅＢＲＰ−ＴＲＮサブフィールドの数Ｍは以下の式：Ｘ×Ｎ：５×Ｃ×Ｍ＜９：２０を満たす、ステップを含む。この方法では、第１装置はトレーニングフィールド内のＴＲＮ長を拡張する。したがって、より多くのビームがトレーニングでき、トレーニング効率が向上する。
【００３０】
第３の態様の第２の可能な実装を参照して、第３の態様の第６の可能な実装では、第１装置により、拡張ビーム調整プロトコルパケットｅＢＲＰパケットのフォーマットを決定する前記ステップは、前記第１装置により、前記トレーニングフィールド内の各ｅＢＲＰ−ＣＥサブフィールド及び各ｅＢＲＰ−ＴＲＮサブフィールド内の各グレイコードの長さが１２８×Ｃ１であると決定するステップ、前記トレーニングフィールド内のｅＢＲＰ−ＣＥサブフィールドの数の前記トレーニングフィールド内のｅＢＲＰ−ＴＲＮサブフィールドの数に対する比が１：４未満であるとき、前記第１装置により、前記トレーニングフィールド内の各ｅＢＲＰ−ＣＥサブフィールドが９×Ｃ２個のグレイコードで構成されると決定し、前記第１装置により、前記トレーニングフィールド内の各ｅＢＲＰ−ＴＲＮサブフィールドが５×Ｃ２個のグレイコードで構成されると決定するステップ、前記トレーニングフィールド内のｅＢＲＰ−ＣＥサブフィールドの数の前記トレーニングフィールド内のｅＢＲＰ−ＴＲＮサブフィールドの数に対する比が１：４に等しいとき、前記第１装置により、前記トレーニングフィールド内の各ｅＢＲＰ−ＣＥサブフィールドが５×Ｃ２個のグレイコードで構成されると決定し、前記第１装置により、前記トレーニングフィールド内の各ｅＢＲＰ−ＴＲＮサブフィールドが５×Ｃ２個のグレイコードで構成されると決定するステップ、又は、前記トレーニングフィールド内のｅＢＲＰ−ＣＥサブフィールドの数の前記トレーニングフィールド内のｅＢＲＰ−ＴＲＮサブフィールドの数に対する比が１：４に等しいとき、前記第１装置により、前記トレーニングフィールド内の前記ｅＢＲＰ−ＣＥサブフィールドが第１ｅＢＲＰ−ＣＥサブフィールド及び第２ｅＢＲＰ−ＣＥサブフィールドを含むと決定し、各第１ｅＢＲＰ−ＣＥサブフィールドは５×Ｃ２個のグレイコードで構成され、各第２ｅＢＲＰ−ＣＥサブフィールドは９×Ｃ２個のグレイコードで構成され、前記第１装置により、前記トレーニングフィールド内の各ｅＢＲＰ−ＴＲＮサブフィールドは５×Ｃ２個のグレイコードで構成されると決定し、Ｃ１＝１のとき、Ｃ２は前記第１装置の送信チャネル数により決定される、又は、Ｃ２＝１のとき、Ｃ１は前記第１装置の送信チャネル数により決定される、ステップ、を含む。前記トレーニングフィールド内のｅＢＲＰ−ＣＥサブフィールドの数の前記トレーニングフィールド内のｅＢＲＰ−ＴＲＮサブフィールドの数に対する比が１：４未満のとき、前記ｅＢＲＰ−ＣＥサブフィールドのフォーマットは、ＩＥＥＥ８０２．１１ａｄにおけるＣＥサブフィールドのフォーマットと同じであり、前記ｅＢＲＰ−ＴＲＮサブフィールドのフォーマットは、ＩＥＥＥ８０２．１１ａｄにおけるＴＲＮサブフィールドのフォーマットと同じである。この方法では、ＩＥＥＥ８０２．１１ａｄとの互換性が保たれる。前記トレーニングフィールド内のｅＢＲＰ−ＣＥサブフィールドの数の前記トレーニングフィールド内のｅＢＲＰ−ＴＲＮサブフィールドの数に対する比が１：４に等しいとき、前記ｅＢＲＰ−ＣＥサブフィールドのうちの全部又は一部の長さは、ＩＥＥＥ８０２．１１ａｄにおけるＣＥサブフィールド��長さより短い。したがって、トレーニングフィールド内のｅＢＲＰ−ＴＲＮサブフィールドの効果的な比率が増大できる。
【００３１】
第３の態様又は第３の態様の可能な実装のいずれか１つを参照して、第３の態様の第７の可能な実装では、第１装置により、拡張ビーム調整プロトコルｅＢＲＰパケットのフォーマットを決定する前記ステップは、前記第１装置により、前記第１装置の前記アンテナ数及び前記第１装置のアンテナ偏波方向に基づき、前記トレーニングフィールド内の各ｅＢＲＰ−ＣＥサブフィールドを構成するグレイコードの数の前記トレーニングフィールド内の各ｅＢＲＰ−ＴＲＮサブフィールドを構成するグレイコードの数に対する比を決定するステップを含む。
【００３２】
第３の態様の第７の可能な実装を参照して、第３の態様の第８の可能な実装では、前記第１装置により、前記第１装置の前記アンテナ数及び前記第１装置のアンテナ偏波方向に基づき、前記トレーニングフィールド内の各ｅＢＲＰ−ＣＥサブフィールドを構成するグレイコードの数及び前記トレーニングフィールド内の各ｅＢＲＰ−ＴＲＮサブフィールドを構成するグレイコードの数を決定する前記ステップは、前記第１装置の前記アンテナ数が１又は２であり、且つ前記第１装置のアンテナが同一偏波アンテナであるとき、前記第１装置により、前記トレーニングフィールド内の各ｅＢＲＰ−ＣＥサブフィールドが５×Ｃ２個のグレイコードで構成されると決定し、前記トレーニングフィールド内の各ｅＢＲＰ−ＴＲＮサブフィールドが５個のグレイコードで構成されると決定するステップ、前記第１装置の前記アンテナ数が３又は４であり、且つ前記第１装置のアンテナが同一偏波アンテナであるとき、前記第１装置により、前記トレーニングフィールド内の各ｅＢＲＰ−ＣＥサブフィールドが９×Ｃ２個のグレイコードで構成されると決定し、前記第１装置により、前記トレーニングフィールド内の各ｅＢＲＰ−ＴＲＮサブフィールドが１０×Ｃ２個のグレイコード又は９×Ｃ２個のグレイコードで構成されると決定するステップ、又は、前記第１装置の前記アンテナ数が２又は４であり、且つ前記第１装置のアンテナが交差偏波アンテナであるとき、前記第１装置により、前記トレーニングフィールド内の各ｅＢＲＰ−ＣＥサブフィールドが５×Ｃ２個のグレイコードで構成されると決定し、前記トレーニングフィールド内の各ｅＢＲＰ−ＴＲＮサブフィールドが５×Ｃ２個のグレイコードで構成されると決定するステップであって、Ｃ２＝１又はＣ２は前記第１装置の送信チャネル数により決定される、ステップ、を含む。
【００３３】
第３の態様の第８の可能な実装を参照して、第３の態様の第９の可能な実装では、第１装置により、拡張ビーム調整プロトコルｅＢＲＰパケットのフォーマットを決定する前記ステップは、前記第１装置のアンテナ数が１又は２であるとき、前記第１装置により、前記トレーニングフィールド内の各ｅＢＲＰ−ＣＥサブフィールド及び各ｅＢＲＰ−ＴＲＮサブフィールドの中の各グレイコードの長さが１２８×Ｃ２であると決定するステップ、前記第１装置のアンテナ数が３又は４であり、且つ前記トレーニングフィールド内の前記ｅＢＲＰ−ＴＲＮサブフィールドが１０×Ｃ２個のグレイコードで構成されるとき、前記第１装置により、前記トレーニングフィールド内の前記ｅＢＲＰ−ＣＥサブフィールドの中の各グレイコードの長さが１２８×Ｃ１であると決定し、前記トレーニングフィールド内の前記ｅＢＲＰ−ＴＲＮサブフィールドの中の各グレイコードの長さが１２８×Ｃ１又は６４×Ｃ１であると決定するステップ、前記第１装置のアンテナ数が３又は４であり、且つ前記トレーニングフィールド内の前記ｅＢＲＰ−ＴＲＮサブフィールドが９×Ｃ２個のグレイコードで構成されるとき、前記第１装置により、前記トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップ、又は、前記第１装置のアンテナ数が４であり、且つ前記トレーニングフィールド内の前記ｅＢＲＰ−ＴＲＮサブフィールドが５×Ｃ２個のグレイコードで構成されるとき、前記第１装置により、前記トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップであって、Ｃ２＝１のとき、Ｃ１は前記第１装置の前記送信チャネル数により決定される、又はＣ２が前記第１装置の前記送信チャネル数により決定されるとき、Ｃ１＝１である、ステップ、を含む。この方法では、アンテナ数が１又は２のとき、ｅＢＲＰ−ＣＥサブフィールドにより占有される時間は、ＩＥＥＥ８０２．１１ａｄ規格においてＣＥサブフィールドにより占有される時間より少ない。このように、トレーニングフィールド内のｅＢＲＰ−ＣＥサブフィールドにより占有される時間の、トレーニングフィールド内のｅＢＲＰ−ＴＲＮサブフィールドにより占有される時間に対する比は低減される。言い換えると、より多くのｅＢＲＰ−ＴＲＮサブフィールドが同じ時間期間内で送信できる。したがって、より多くのビームがトレーニングでき、トレーニング効率が向上する。アンテナ数が３又は４のとき、ＩＥＥＥ８０２．１１ａｄにおけるＴＲＮサブフィールドより短いシーケンス長、つまり１２８／２＝６４がｅＢＲＰ−ＴＲＮのために使用される。さらに、直交マスクの各コードワード内に少なくとも１対のグレイコード相補シーケンスが存在する。この方法では、トレーニング効率が向上され、ビームトレーニング測定の正確さが保証できる。
【００３４】
第３の態様又は第３の態様の可能な実装のうちのいずれか１つを参照して、第３の態様の第１０の可能な実装では、前記トレーニングフィールドは、ｅＢＲＰビーム調整自動利得制御ｅＢＲＰ−ＡＧＣフィールドを更に含み、第１装置により、拡張ビーム調整プロトコルｅＢＲＰパケットのフォーマットを決定する前記ステップは、前記第１装置により、前記トレーニングフィールドがＫ個のＡＧＣ−ＴＲＮサブフィールドグループを含むと決定するステップであって、各ＡＧＣ−ＴＲＮサブフィールドグループに含まれるｅＢＲＰ−ＡＧＣサブフィールド及びｅＢＲＰ−ＴＲＮサブフィールドの数は同じであり、各ＡＧＣ−ＴＲＮサブフィールドグループ内の前記ｅＢＲＰ−ＡＧＣサブフィールド及び前記ｅＢＲＰ−ＴＲＮサブフィールドは同じアンテナ重みベクトルＡＷＶグループを用い、前記ｅＢＲＰ−ＡＧＣサブフィールドは各ＡＧＣ−ＴＲＮサブフィールドグループ内で前記ｅＢＲＰ−ＴＲＮサブフィールドの前に位置し、Ｋは１以上の正整数である、ステップを更に含む。Ｋ＞１のとき、受信機は、各ＡＧＣ−ＴＲＮサブフィールドグループにおいて適切な受信機利得を推定して良い。したがって、より大きな受信機ダイナミックレンジが得られる。これは、異なるＡＷＶ構成でチャネル情報を測定することを助ける。さらに、数ＫがｅＢＲＰ−ＴＲＮサブフィールドの数と同じとき、各ｅＢＲＰ−ＡＧＣサブフィールドは、ｅＢＲＰ−ＴＲＮサブフィールドに隣接し、それによりＡＷＶの変化する回数を低減する。ＡＷＶの変化する回数の低減は、ＡＷＶ構成で測定のために使用できない時間の低減を伴う。したがって、異なるＡＷＶ構成に対応する大きさ及び位相を決定するために、より多くの時間が利用可能になり得る。それにより、正確なビームを決定するのを助ける。
【００３５】
第３の態様又は第３の態様の可能な実装のうちのいずれか１つを参照して、第３の態様の第１１の可能な実装では、前記方法は、前記第１装置により、前記第２装置へトレーニングフィールド構成情報を送信するステップであって、前記トレーニングフィールド構成情報は、前記ｅＢＲＰパケット内で前記トレーニングフィールドのフォーマットを示すために使用され、前記トレーニングフィールド構成情報は、ビーム調整プロトコル要求フィールド、ビーム調整要素、又は前記拡張ビーム調整プロトコルパケット内のヘッダフィールドのうちの１又は複数により伝達される、ステップを更に含む。この方法では、第１装置は、第２装置がトレーニングフィールドのフォーマットに基づきビームトレーニングを実行できるように、第２装置にトレーニングフィールドのフォーマットを通知できる。
【００３６】
第４の態様によると、本発明の一実施形態は、ビーム調整方法であって、前記方法は、第１装置により、拡張ビーム調整プロトコルｅＢＲＰパケットのフォーマットを決定するステップであって、前記ｅＢＲＰパケットはトレーニングフィールドを含み、前記トレーニングフィールドはｅＢＲＰビーム調整自動利得制御ｅＢＲＰ−ＡＧＣフィールドを含む、ステップであって、第１装置により、拡張ビーム調整プロトコルｅＢＲＰパケットのフォーマットを決定する前記ステップは、前記第１装置により、前記トレーニングフィールドがＫ個のビーム調整自動利得制御−ビーム調整トレーニングＡＧＣ−ＴＲＮサブフィールドグループを含むと決定するステップを含み、各ＡＧＣ−ＴＲＮサブフィールドグループに含まれるｅＢＲＰ−ＡＧＣサブフィールド及びｅＢＲＰビーム調整トレーニングｅＢＲＰ−ＴＲＮサブフィールドの数は同じであり、各ＡＧＣ−ＴＲＮサブフィールドグループ内の前記ｅＢＲＰ−ＡＧＣサブフィールド及び前記ｅＢＲＰ−ＴＲＮサブフィールドは同じアンテナ重みベクトルＡＷＶグループを用い、前記ｅＢＲＰ−ＡＧＣサブフィールドは、各ＡＧＣ−ＴＲＮサブフィールドグループの中で前記ｅＢＲＰ−ＴＲＮサブフィールドの前に位置し、Ｋは１より大きい正整数である、ステップと、前記第１装置により、前記ｅＢＲＰパケットの前記決定したフォーマットに基づき、第２装置へ前記ｅＢＲＰパケットを送信するステップと、を含む方法を提供する。上述の技術的ソリューションによると、受信機は、各ＡＧＣ−ＴＲＮサブフィールドグループにおいて適切な受信機利得を推定して良い。したがって、より大きな受信機ダイナミックレンジが得られる。これは、異なるＡＷＶ構成でチャネル情報を測定することを助ける。さらに、数ＫがｅＢＲＰ−ＴＲＮサブフィールドの数と同じとき、各ｅＢＲＰ−ＡＧＣサブフィールドは、ｅＢＲＰ−ＴＲＮサブフィールドに隣接し、それによりＡＷＶの変化する回数を低減する。ＡＷＶの変化する回数の低減は、ＡＷＶ構成で測定のために使用できない時間の低減を伴う。したがって、異なるＡＷＶ構成に対応する大きさ及び位相を決定するために、より多くの時間が利用可能になり得る。それにより、正確なビームを決定するのを助ける。
【００３７】
第４の態様を参照して、第４の態様の第１の可能な実装では、Ｋ個のＡＧＣ−ＴＲＮサブフィールドグループのうちの任意の２つに含まれるｅＢＲＰ−ＡＧＣサブフィールドの数は同じである。
【００３８】
第４の態様又は第４の態様の第１の可能な実装を参照して、第４の態様の第２の可能な実装では、前記トレーニングフィールド内の前記ｅＢＲＰ−ＣＥサブフィールドを構成するグレイコードの数の前記トレーニングフィールド内の前記ｅＢＲＰ−ＴＲＮサブフィールドを構成するグレイコードの数に対する比は、９：２０未満であり、前記第１装置は、前記ｅＢＲＰパケットの前記決定されたフォーマットに基づき、前記第２装置へ前記ｅＢＲＰパケットを送信する。この方法では、トレーニングフィールド内のｅＢＲＰ−ＴＲＮサブフィールドの効果的な比率が増大され、同じ時間期間内でより多くのＡＷＶ構成を試みることができる。
【００３９】
第４の態様の第２の可能な実装を参照して、第４の態様の第３の可能な実装では、第１装置により、拡張ビーム調整プロトコルｅＢＲＰパケットのフォーマットを決定する前記ステップは、前記第１装置により、前記トレーニングフィールド内の前記ｅＢＲＰ−ＣＥサブフィールドの数の前記トレーニングフィールド内の前記ｅＢＲＰ−ＴＲＮサブフィールドの数に対する比が１：４以下であることを決定するステップであって、前記トレーニングフィールド内の前記ｅＢＲＰ−ＣＥサブフィールドの数の前記トレーニングフィールド内の前記ｅＢＲＰ−ＴＲＮサブフィールドの数に対する比が１：４に等しいとき、前記トレーニングフィールド内の各ｅＢＲＰ−ＣＥサブフィールドを構成するグレイコードの数の前記トレーニングフィールド内の各ｅＢＲＰ−ＴＲＮサブフィールドを構成するグレイコードの数に対する比は９：５未満である、ステップを含む。この方法では、第１装置は、トレーニングフィールド内のＣＥ長を短縮し、又はトレーニングフィールド内のＣＥの比率を低減する。したがって、より多くのビームがトレーニングでき、トレーニング効率が向上する。
【００４０】
第４の態様の第２の可能な実装を参照して、第４の態様の第４の可能な実装では、第１装置により、拡張ビーム調整プロトコルｅＢＲＰパケットのフォーマットを決定する前記ステップは、前記第１装置により、データフィールドの変調及び符号化方式レベルに基づき、前記トレーニングフィールド内の前記ｅＢＲＰ−ＣＥサブフィールドを構成するグレイコードの数の前記トレーニングフィールド内の前記ｅＢＲＰ−ＴＲＮサブフィールドを構成するグレイコードの数に対する比を決定するステップを含む。
【００４１】
第４の態様の第２の可能な実装を参照して、第４の態様の第５の可能な実装では、第１装置により、拡張ビーム調整プロトコルｅＢＲＰパケットのフォーマットを決定する前記ステップは、前記第１装置により、送信チャネル数Ｃを決定し、前記トレーニングフィールド内の各ｅＢＲＰ−ＣＥサブフィールドがＣ×Ｓ個のグレイコードで構成されると決定するステップであって、Ｓは９未満の正整数であり、Ｃは前記第１装置の前記送信チャネル数により決定される、ステップ、前記第１装置により、送信チャネル数Ｃを決定し、前記トレーニングフィールド内の前記ｅＢＲＰ−ＣＥサブフィールドが第１ｅＢＲＰ−ＣＥサブフィールド及び第２ｅＢＲＰ−ＣＥサブフィールドを含むと決定するステップであって、各第１ｅＢＲＰ−ＣＥサブフィールドはＣ×Ｓ個のグレイコードで構成され、各第２ｅＢＲＰ−ＣＥサブフィールドは９個のグレイコードで構成され、Ｓは９未満の正整数であり、Ｃは１以上の正整数である、ステップ、又は、前記第１装置により、送信チャネル数Ｃを決定し、前記トレーニングフィールド内の各ｅＢＲＰ−ＣＥサブフィールドがＣ×９個のグレイコードで構成されると決定し、前記第１装置により、前記トレーニングフィールド内のｅＢＲＰ−ＣＥサブフィールドの数Ｎ、前記トレーニングフィールド内のｅＢＲＰ−ＴＲＮサブフィールドの数Ｍ、及び前記トレーニングフィールド内の各ｅＢＲＰ−ＴＲＮサブフィールドを構成するグレイコードの数Ｙが以下の式：９×Ｃ×Ｎ：Ｙ×Ｍ＜９：２０を満たすことを決定するステップ、を含む。この方法では、第１装置はトレーニングフィールド内のＣＥ長を短縮する。したがって、より多くのビームがトレーニングでき、トレーニング効率が向上する。
【００４２】
第４の態様の第２の可能な実装を参照して、第４の態様の第６の可能な実装では、第１装置により、拡張ビーム調整プロトコルｅＢＲＰパケットのフォーマットを決定するステップは、前記第１装置により、送信チャネル数Ｃを決定し、前記トレーニングフィールド内の各ｅＢＲＰ−ＴＲＮサブフィールドがＣ×Ｙ個のグレイコードで構成されると決定するステップであって、Ｙは５以上の正整数であり、Ｃは１以上の正整数であり、Ｙが５に等しい正整数であるとき、前記トレーニングフィールド内のｅＢＲＰ−ＣＥサブフィールドの数Ｎ、前記トレーニングフィールド内の各ｅＢＲＰ−ＣＥサブフィールドの数Ｘ、及び前記トレーニングフィールド内のｅＢＲＰ−ＴＲＮサブフィールドの数Ｍは以下の式：Ｘ×Ｎ：５×Ｃ×Ｍ＜９：２０を満たす、ステップを含む。この方法では、第１装置はトレーニングフィールド内のＴＲＮ長を拡張する。したがって、より多くのビームがトレーニングでき、トレーニング効率が向上する。
【００４３】
第４の態様の第３の可能な実装を参照して、第４の態様の第７の可能な実装では、第１装置により、拡張ビーム調整プロトコルパケットｅＢＲＰパケットのフォーマットを決定する前記ステップは、前記第１装置により、前記トレーニングフィールド内の各ｅＢＲＰ−ＣＥサブフィールド及び各ｅＢＲＰ−ＴＲＮサブフィールド内の各グレイコードの長さが１２８×Ｃ１であると決定するステップ、前記トレーニングフィールド内のｅＢＲＰ−ＣＥサブフィールドの数の前記トレーニングフィールド内のｅＢＲＰ−ＴＲＮサブフィールドの数に対する比が１：４未満であるとき、前記第１装置により、前記トレーニングフィールド内の各ｅＢＲＰ−ＣＥサブフィールドが９×Ｃ２個のグレイコードで構成されると決定し、前記第１装置により、前記トレーニングフィールド内の各ｅＢＲＰ−ＴＲＮサブフィールドが５×Ｃ２個のグレイコードで構成されると決定するステップ、前記トレーニングフィールド内のｅＢＲＰ−ＣＥサブフィールドの数の前記トレーニングフィールド内のｅＢＲＰ−ＴＲＮサブフィールドの数に対する比が１：４に等しいとき、前記第１装置により、前記トレーニングフィールド内の各ｅＢＲＰ−ＣＥサブフィールドが５×Ｃ２個のグレイコードで構成されると決定し、前記第１装置により、前記トレーニングフィールド内の各ｅＢＲＰ−ＴＲＮサブフィールドが５×Ｃ２個のグレイコードで構成されると決定するステップ、又は、前記トレーニングフィールド内のｅＢＲＰ−ＣＥサブフィールドの数の前記トレーニングフィールド内のｅＢＲＰ−ＴＲＮサブフィールドの数に対する比が１：４に等しいとき、前記第１装置により、前記トレーニングフィールド内の前記ｅＢＲＰ−ＣＥサブフィールドが第１ｅＢＲＰ−ＣＥサブフィールド及び第２ｅＢＲＰ−ＣＥサブフィールドを含むと決定し、各第１ｅＢＲＰ−ＣＥサブフィールドは５×Ｃ２個のグレイコードで構成され、各第２ｅＢＲＰ−ＣＥサブフィールドは９×Ｃ２個のグレイコードで構成され、前記第１装置により、前記トレーニングフィールド内の各ｅＢＲＰ−ＴＲＮサブフィールドは５×Ｃ２個のグレイコードで構成されると決定し、Ｃ１＝１のとき、Ｃ２は前記第１装置の送信チャネル数により決定される、又は、Ｃ２＝１のとき、Ｃ１は前記第１装置の送信チャネル数により決定される、ステップ、を含む。前記トレーニングフィールド内のｅＢＲＰ−ＣＥサブフィールドの数の前記トレーニングフィールド内のｅＢＲＰ−ＴＲＮサブフィールドの数に対する比が１：４未満のとき、前記ｅＢＲＰ−ＣＥサブフィールドのフォーマットは、ＩＥＥＥ８０２．１１ａｄにおけるＣＥサブフィールドのフォーマットと同じであり、前記ｅＢＲＰ−ＴＲＮサブフィールドのフォーマットは、ＩＥＥＥ８０２．１１ａｄにおけるＴＲＮサブフィールドのフォーマットと同じである。この方法では、ＩＥＥＥ８０２．１１ａｄとの互換性が保たれる。前記トレーニングフィールド内のｅＢＲＰ−ＣＥサブフィールドの数の前記トレーニングフィールド内のｅＢＲＰ−ＴＲＮサブフィールドの数に対する比が１：４に等しいとき、前記ｅＢＲＰ−ＣＥサブフィールドのうちの全部又は一部の長さは、ＩＥＥＥ８０２．１１ａｄにおけるＣＥサブフィールド��長さより短い。したがって、トレーニングフィールド内のｅＢＲＰ−ＴＲＮサブフィールドの効果的な比率が増大できる。
【００４４】
第４の態様の第２の可能な実装又は第４の態様の第３の可能な実装を参照して、第４の態様の第８の可能な実装では、第１装置により、拡張ビーム調整プロトコルｅＢＲＰパケットのフォーマットを決定する前記ステップは、前記第１装置のアンテナ数が１を超えるとき、前記第１装置により、前記ｅＢＲＰ−ＣＥサブフィールド及び前記ｅＢＲＰ−ＴＲＮサブフィールドの直交マスクの各コードワードの中に、少なくとも１対のグレイコード相補シーケンスが存在すると決定するステップを更に含む。この方法では、直交マスクは、異なる送信アンテナを用いて送信されるｅＢＲＰ−ＴＲＮのために使用され、複数のアンテナが同時にトレーニングできるようにし、ビームトレーニング効率も向上する。
【００４５】
第４の態様の第８の可能な実装を参照して、第４の態様の第９の可能な実装では、第１装置により、拡張ビーム調整プロトコルｅＢＲＰパケットのフォーマットを決定する前記ステップは、前記第１装置により、前記第１装置の前記アンテナ数及び前記第１装置のアンテナ偏波方向に基づき、前記トレーニングフィールド内の各ｅＢＲＰ−ＣＥサブフィールドを構成するグレイコードの数の前記トレーニングフィールド内の各ｅＢＲＰ−ＴＲＮサブフィールドを構成するグレイコードの数に対する比を決定するステップを含む。
【００４６】
第４の態様の第９の可能な実装を参照して、第４の態様の第１０の可能な実装では、前記第１装置により、前記第１装置の前記アンテナ数及び前記第１装置のアンテナ偏波方向に基づき、前記トレーニングフィールド内の各ｅＢＲＰ−ＣＥサブフィールドを構成するグレイコードの数及び前記トレーニングフィールド内の各ｅＢＲＰ−ＴＲＮサブフィールドを構成するグレイコードの数を決定する前記ステップは、前記第１装置の前記アンテナ数が１又は２であり、且つ前記第１装置のアンテナが同一偏波アンテナであるとき、前記第１装置により、前記トレーニングフィールド内の各ｅＢＲＰ−ＣＥサブフィールドが５×Ｃ２個のグレイコードで構成されると決定し、前記トレーニングフィールド内の各ｅＢＲＰ−ＴＲＮサブフィールドが５個のグレイコードで構成されると決定するステップ、前記第１装置の前記アンテナ数が３又は４であり、且つ前記第１装置のアンテナが同一偏波アンテナであるとき、前記第１装置により、前記トレーニングフィールド内の各ｅＢＲＰ−ＣＥサブフィールドが９×Ｃ２個のグレイコードで構成されると決定し、前記第１装置により、前記トレーニングフィールド内の各ｅＢＲＰ−ＴＲＮサブフィールドが１０×Ｃ２個のグレイコード又は９×Ｃ２個のグレイコードで構成されると決定するステップ、又は、前記第１装置の前記アンテナ数が２又は４であり、且つ前記第１装置のアンテナが交差偏波アンテナであるとき、前記第１装置により、前記トレーニングフィールド内の各ｅＢＲＰ−ＣＥサブフィールドが５×Ｃ２個のグレイコードで構成されると決定し、前記トレーニングフィールド内の各ｅＢＲＰ−ＴＲＮサブフィールドが５×Ｃ２個のグレイコードで構成されると決定するステップであって、Ｃ２＝１又はＣ２は前記第１装置の送信チャネル数により決定される、ステップ、を含む。
【００４７】
第４の態様の第１０の可能な実装を参照して、第４の態様の第１１の可能な実装では、第１装置により、拡張ビーム調整プロトコルｅＢＲＰパケットのフォーマットを決定する前記ステップは、前記第１装置のアンテナ数が１又は２であるとき、前記第１装置により、前記トレーニングフィールド内の各ｅＢＲＰ−ＣＥサブフィールド及び各ｅＢＲＰ−ＴＲＮサブフィールドの中の各グレイコードの長さが１２８×Ｃ２であると決定するステップ、前記第１装置のアンテナ数が３又は４であり、且つ前記トレーニングフィールド内の前記ｅＢＲＰ−ＴＲＮサブフィールドが１０×Ｃ２個のグレイコードで構成されるとき、前記第１装置により、前記トレーニングフィールド内の前記ｅＢＲＰ−ＣＥサブフィールドの中の各グレイコードの長さが１２８×Ｃ１であると決定し、前記トレーニングフィールド内の前記ｅＢＲＰ−ＴＲＮサブフィールドの中の各グレイコードの長さが１２８×Ｃ１又は６４×Ｃ１であると決定するステップ、前記第１装置のアンテナ数が３又は４であり、且つ前記トレーニングフィールド内の前記ｅＢＲＰ−ＴＲＮサブフィールドが９×Ｃ２個のグレイコードで構成されるとき、前記第１装置により、前記トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップ、又は、前記第１装置のアンテナ数が４であり、且つ前記トレーニングフィールド内の前記ｅＢＲＰ−ＴＲＮサブフィールドが５×Ｃ２個のグレイコードで構成されるとき、前記第１装置により、前記トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップであって、Ｃ２＝１のとき、Ｃ１は前記第１装置の前記送信チャネル数により決定される、又はＣ２が前記第１装置の前記送信チャネル数により決定されるとき、Ｃ１＝１である、ステップ、を含む。この方法では、アンテナ数が１又は２のとき、ｅＢＲＰ−ＣＥサブフィールドにより占有される時間は、ＩＥＥＥ８０２．１１ａｄ規格においてＣＥサブフィールドにより占有される時間より少ない。このように、トレーニングフィールド内のｅＢＲＰ−ＣＥサブフィールドにより占有される時間の、トレーニングフィールド内のｅＢＲＰ−ＴＲＮサブフィールドにより占有される時間に対する比は低減される。言い換えると、より多くのｅＢＲＰ−ＴＲＮサブフィールドが同じ時間期間内で送信できる。したがって、より多くのビームがトレーニングでき、トレーニング効率が向上する。アンテナ数が３又は４のとき、ＩＥＥＥ８０２．１１ａｄにおけるＴＲＮサブフィールドより短いシーケンス長、つまり１２８／２＝６４がｅＢＲＰ−ＴＲＮのために使用される。さらに、直交マスクの各コードワード内に少なくとも１対のグレイコード相補シーケンスが存在する。この方法では、トレーニング効率が向上され、ビームトレーニング測定の正確さが保証できる。
【００４８】
第４の態様又は第４の態様の可能な実装のうちのいずれか１つを参照して、第４の態様の第１２の可能な実装では、前記方法は、前記第１装置により、前記第２装置へトレーニングフィールド構成情報を送信するステップであって、前記トレーニングフィールド構成情報は、前記ｅＢＲＰパケット内で前記トレーニングフィールドのフォーマットを示すために使用され、前記トレーニングフィールド構成情報は、ビーム調整プロトコル要求フィールド、ビーム調整要素、又は前記拡張ビーム調整プロトコルパケット内のヘッダフィールドのうちの１又は複数により伝達される、ステップを更に含む。この方法では、第１装置は、第２装置がトレーニングフィールドのフォーマットに基づきビームトレーニングを実行できるように、第２装置にトレーニングフィールドのフォーマットを通知できる。
【００４９】
第５の態様によると、本発明の一実施形態は、通信装置であって、前記装置は、第１の態様による方法を実行するよう構成されるユニットを含む、装置を提供する。前記通信装置は、第１の態様による方法のステップを実行可能である。通信装置は、決定ユニット及び通信ユニットを含む。決定ユニットは、拡張ビーム調整プロトコルｅＢＲＰパケットのフォーマットを決定するよう構成される。ここで、ｅＢＲＰパケットはトレーニングフィールドを含み、トレーニングフィールドは、ｅＢＲＰチャネル推定ｅＢＲＰ−ＣＥサブフィールド及びｅＢＲＰビーム調整トレーニングｅＢＲＰ−ＴＲＮサブフィールドを含み、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比は、９：２０未満である。通信ユニットは、ｅＢＲＰパケットの決定したフォーマットに基づき、第２装置へ、ｅＢＲＰパケットを送信するよう構成される。
【００５０】
第６の態様によると、本発明の一実施形態は、通信装置であって、前記装置は、第２の態様による方法を実行するよう構成されるユニットを含む、装置を提供する。前記通信装置は、第２の態様による方法のステップを実行可能である。通信装置は、決定ユニット及び通信ユニットを含む。決定ユニットは、拡張ビーム調整プロトコルｅＢＲＰパケットのフォーマットを決定するよう構成される。ここで、ｅＢＲＰパケットはトレーニングフィールドを含み、トレーニングフィールドは、ｅＢＲＰビーム調整自動利得制御ｅＢＲＰ−ＡＧＣフィールド及びｅＢＲＰビーム調整トレーニングｅＢＲＰ−ＴＲＮサブフィールドで構成される。通信ユニットは、ｅＢＲＰパケットの決定したフォーマットに基づき、第２装置へ、ｅＢＲＰパケットを送信するよう構成される。
【００５１】
第７の態様によると、本発明の一実施形態は、通信装置であって、前記装置は、第３の態様による方法を実行するよう構成されるユニットを含む装置を提供する。前記通信装置は、第３の態様による方法のステップを実行可能である。通信装置は、決定ユニット及び通信ユニットを含む。決定ユニットは、拡張ビーム調整プロトコルｅＢＲＰパケットのフォーマットを決定するよう構成される。ここで、ｅＢＲＰパケットはトレーニングフィールドを含み、トレーニングフィールドは、ｅＢＲＰチャネル推定ｅＢＲＰ−ＣＥサブフィールド及びｅＢＲＰビーム調整トレーニングｅＢＲＰ−ＴＲＮサブフィールドを含む。拡張ビーム調整プロトコルｅＢＲＰパケットのフォーマットを決定するステップは、通信装置のアンテナ数が１を超えるとき、ｅＢＲＰ−ＣＥサブフィールド及びｅＢＲＰ−ＴＲＮサブフィールドの直交マスクの各コードワードの中に少なくとも１対のグレイコード相補シーケンスが存在すると決定するステップを含む。通信ユニットは、ｅＢＲＰパケットの決定したフォーマットに基づき、第２装置へ、ｅＢＲＰパケットを送信するよう構成される。
【００５２】
第８の態様によると、本発明の一実施形態は、通信装置であって、前記装置は、第４の態様による方法を実行するよう構成されるユニットを含む装置を提供する。前記通信装置は、第４の態様による方法のステップを実行可能である。通信装置は、決定ユニット及び通信ユニットを含む。決定ユニットは、拡張ビーム調整プロトコルｅＢＲＰパケットのフォーマットを決定するよう構成される。ここで、ｅＢＲＰパケットはトレーニングフィールドを含み、トレーニングフィールドはｅＢＲＰビーム調整自動利得制御ｅＢＲＰ−ＡＧＣフィールドを含む。拡張ビーム調整プロトコルｅＢＲＰパケットのフォーマットを決定するステップは、トレーニングフィールドがＫ個のビーム調整自動利得制御−ビーム調整トレーニングＡＧＣ−ＴＲＮサブフィールドグループを含むと決定するステップを含み、各ＡＧＣ−ＴＲＮサブフィールドグループに含まれるｅＢＲＰ−ＡＧＣサブフィールド及びｅＢＲＰビーム調整トレーニングｅＢＲＰ−ＴＲＮサブフィールドの数は同じであり、各ＡＧＣ−ＴＲＮサブフィールドグループ内のｅＢＲＰ−ＡＧＣサブフィールド及びｅＢＲＰ−ＴＲＮサブフィールドは同じアンテナ重みベクトルＡＷＶグループを用い、ｅＢＲＰ−ＡＧＣサブフィールドは、各ＡＧＣ−ＴＲＮサブフィールドグループの中でｅＢＲＰ−ＴＲＮサブフィールドの前に位置し、Ｋは１より大きい正整数である。通信ユニットは、ｅＢＲＰパケットの決定したフォーマットに基づき、第２装置へ、ｅＢＲＰパケットを送信するよう構成される。
【００５３】
第９の態様によると、本発明の一実施形態は、コンピュータ可読記憶媒体であって、前記コンピュータ可読記憶媒体に格納されたプログラムは、第１の態様による方法を実行するために使用される命令を含む、コンピュータ可読記憶媒体を提供する。
【００５４】
第１０の態様によると、本発明の一実施形態は、コンピュータ可読記憶媒体であって、前記コンピュータ可読記憶媒体に格納されたプログラムは、第２の態様による方法を実行するために使用される命令を含む、コンピュータ可読記憶媒体を提供する。
【００５５】
第１１の態様によると、本発明の一実施形態は、コンピュータ可読記憶媒体であって、前記コンピュータ可読記憶媒体に格納されたプログラムは、第３の態様による方法を実行するために使用される命令を含む、コンピュータ可読記憶媒体を提供する。
【００５６】
第１２の態様によると、本発明の一実施形態は、コンピュータ可読記憶媒体であって、前記コンピュータ可読記憶媒体に格納されたプログラムは、第４の態様による方法を実行するために使用される命令を含む、コンピュータ可読記憶媒体を提供する。
【００５７】
第１３の態様によると、本発明の一実施形態は、通信装置であって、前記装置は第９の態様による前記装置はコンピュータ可読記憶媒体とプロセッサとを含む、通信装置を提供する。プロセッサは、コンピュータ可読記憶媒体に格納されたプログラムの命令を実行するよう構成される。プログラムは、以下の動作：拡張ビーム調整プロトコルｅＢＲＰパケットのフォーマットを決定するステップであって、ｅＢＲＰパケットはトレーニングフィールドを含み、トレーニングフィールドはｅＢＲＰチャネル推定ｅＢＲＰ−ＣＥサブフィールド及びｅＢＲＰビーム調整トレーニングｅＢＲＰ−ＴＲＮサブフィールドを含み、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比は９：２０未満である、ステップ、及び、ｅＢＲＰパケットの決定されたフォーマットに基づき、第２装置へｅＢＲＰパケットを送信するステップ、を実行するために使用される命令を含む。
【００５８】
第１４の態様によると、本発明の一実施形態は、通信装置であって、前記装置は第１０の態様による前記装置はコンピュータ可読記憶媒体とプロセッサとを含む、通信装置を提供する。プロセッサは、コンピュータ可読記憶媒体に格納されたプログラムの命令を実行するよう構成される。プログラムは、以下の動作：第１装置により、拡張ビーム調整プロトコルｅＢＲＰパケットのフォーマットを決定するステップであって、前記ｅＢＲＰパケットはトレーニングフィールドを含み、前記トレーニングフィールドはｅＢＲＰビーム調整自動利得制御ｅＢＲＰ−ＡＧＣフィールド及びｅＢＲＰビーム調整トレーニングｅＢＲＰ−ＴＲＮサブフィールドで構成される、ステップと、前記第１装置により、前記ｅＢＲＰパケットの前記決定したフォーマットに基づき、第２装置へ前記ｅＢＲＰパケットのフォーマットを送信するステップと、を実行するために使用される命令を含む。
【００５９】
第１４の態様によると、本発明の一実施形態は、通信装置であって、前記装置は第１１の態様によるコンピュータ可読記憶媒体とプロセッサとを含む、通信装置を提供する。プロセッサは、コンピュータ可読記憶媒体に格納されたプログラムの命令を実行するよう構成される。プログラムは、以下の動作：拡張ビーム調整プロトコルｅＢＲＰパケットのフォーマットを決定するステップであって、ｅＢＲＰパケットはトレーニングフィールドを含み、トレーニングフィールドは、ｅＢＲＰチャネル推定ｅＢＲＰ−ＣＥサブフィールド及びｅＢＲＰビーム調整トレーニングｅＢＲＰ−ＴＲＮサブフィールドを含む、ステップ、を実行するために使用される命令を含み、拡張ビーム調整プロトコルｅＢＲＰパケットのフォーマットを決定するステップは、通信装置のアンテナ数が１を超えるとき、ｅＢＲＰ−ＣＥサブフィールド及びｅＢＲＰ−ＴＲＮサブフィールドの直交マスクの各コードワードの中に少なくとも１対のグレイコード相補シーケンスが存在すると決定するステップと、前記ｅＢＲＰパケットの前記決定したフォーマットに基づき、第２装置へ前記ｅＢＲＰパケットを送信するステップと、を含む。
【００６０】
第１６の態様によると、本発明の一実施形態は、通信装置であって、前記装置は第１２の態様によるコンピュータ可読記憶媒体とプロセッサとを含む、通信装置を提供する。プロセッサは、コンピュータ可読記憶媒体に格納されたプログラムの命令を実行するよう構成される。プログラムは、以下の動作：拡張ビーム調整プロトコルｅＢＲＰパケットのフォーマットを決定するステップであって、ｅＢＲＰパケットはトレーニングフィールドを含み、トレーニングフィールドはｅＢＲＰビーム調整自動利得制御ｅＢＲＰ−ＡＧＣフィールドを含み、拡張ビーム調整プロトコルｅＢＲＰパケットのフォーマットを決定するステップは、トレーニングフィールドがＫ個のビーム調整自動利得制御−ビーム調整トレーニングＡＧＣ−ＴＲＮサブフィールドグループを含むと決定するステップを含み、各ＡＧＣ−ＴＲＮサブフィールドグループに含まれるｅＢＲＰ−ＡＧＣサブフィールド及びｅＢＲＰビーム調整トレーニングｅＢＲＰ−ＴＲＮサブフィールドの数は同じであり、各ＡＧＣ−ＴＲＮサブフィールドグループ内のｅＢＲＰ−ＡＧＣサブフィールド及びｅＢＲＰ−ＴＲＮサブフィールドは同じアンテナ重みベクトルＡＷＶグループを用い、ｅＢＲＰ−ＡＧＣサブフィールドは、各ＡＧＣ−ＴＲＮサブフィールドグループの中でｅＢＲＰ−ＴＲＮサブフィールドの前に位置し、Ｋは１より大きい正整数である、ステップと、前記ｅＢＲＰパケットの前記決定したフォーマットに基づき、第２装置へ前記ｅＢＲＰパケットを送信するステップと、を実行するために使用される命令を含む。
【図面の簡単な説明】
【００６１】
本発明の実施形態の技術的ソリューションをより明確に記載するために、本発明の実施形態を説明するのに必要な添付の図面を以下に簡単に説明する。明らかなことに、以下の説明中の添付の図面は、本発明のほんの一部の実施形態であり、これらの図面に従って当業者により創造的労力を有しないで他の図面も得られる。
【００６２】
【図１】本発明の一実施形態によるビーム調整方法の概略フローチャートである。
【００６３】
【図２】ｅＢＲＰパケットのフォーマットの概略図である。
【００６４】
【図３】ｅＢＲＰパケットの別のフォーマットの概略図である。
【００６５】
【図４】本発明の一実施形態によるｅＢＲＰパケットの構造ブロック図である。
【００６６】
【図５】本発明の一実施形態による別のｅＢＲＰパケットの構造ブロック図である。
【００６７】
【図６】本発明の一実施形態による別のｅＢＲＰパケットの構造ブロック図である。
【００６８】
【図７】本発明の一実施形態による別のビーム調整方法の概略フローチャートである。
【００６９】
【図８】本発明の一実施形態による別のｅＢＲＰパケットの構造ブロック図である。
【００７０】
【図９】本発明の一実施形態による別のｅＢＲＰパケットの構造ブロック図である。
【００７１】
【図１０】本発明の一実施形態による別のｅＢＲＰパケットの構造ブロック図である。
【００７２】
【図１１】本発明の一実施形態によるビーム調整方法の概略フローチャートである。
【００７３】
【図１２】本発明の一実施形態による別のビーム調整方法の概略フローチャートである。
【００７４】
【図１３】本発明の一実施形態による別のビーム調整方法の概略フローチャートである。
【００７５】
【図１４】本発明の一実施形態による別のビーム調整方法の概略フローチャートである。
【００７６】
【図１５】本発明の一実施形態による通信装置の構造ブロック図である。
【００７７】
【図１６】本発明の一実施形態による通信装置の構造ブロック図である。
【００７８】
【図１７】本発明の一実施形態による通信装置の構造ブロック図である。
【発明を実施するための形態】
【００７９】
以下に、本発明の実施形態の添付の図面を参照して、本発明の実施形態における技術的ソリューションを明確に説明する。明らかに、記載される実施形態は、本発明の実施形態の一部であり、全てではない。本発明の実施形態に基づき創造的労力を有しないで当業者により得られる全ての他の実施形態は、本発明の保護範囲に包含される。
【００８０】
本発明の実施形態において言及される第１装置、第２装置、及び通信装置は、アクセスポイント（英語：Access  Point、略してＡＰ）であって良く、又は基地局（英語：Station、略してＳＴＡ）であって良い。
【００８１】
ＩＥＥＥ８０２．１１ａｄ（これは、指向性マルチギガビット（英語：Directional  multi−gigabit、略してＤＭＧ）に関する規格としても参照されて良い）におけるビーム調整プロトコルパケットは、プリアンブル（英語：preamble）フィールド、ヘッダ（英語：header）フィールド、データフィールド、及びトレーニングフィールドを含む。プリアンブルフィールドは、ショートトレーニングフィールド（英語：Short  Training  Field、略してＳＴＦ）及びチャネル推定（英語：Channel  Estimation、略してＣＥ）フィールドを含む。受信機は、ＳＴＦを用いて、パケット同期及び自動利得調整を得て、ＣＥフィールドを用いて、チャネル推定及びデータ復調を実行できる。ＣＥフィールドを用いて推定されたチャネルは、アンテナアレイを用いて構成され且つ対応する送信データのために使用される、受信機と送信機との間の無線チャネルである。ヘッダフィールドは複数のフィールドを含み、該複数のフィールドは、データフィールドの送信モードを記述するために、及びサフィックストレーニングフィールドの長さ及びデータのサフィックス種類情報を示すために、使用される。トレーニングフィールドの長さがＮであるとき、ビームアンテナ重みベクトル（英語：Antenna  Weight  Vector、略してＡＷＶ）構成を受信し及び送信するために使用でき、且つトレーニングフィールド内にある長さは、４Ｎである。種類情報は、パケットが受信ビームトレーニング又は送信ビームトレーニングのために使用されるかを示す。これは、ＢＲＰパケットが受信又は送信されるとき、受信機がＡＷＶを変化させることにより受信ビームトレーニングを実行する、又は送信機がＡＷＶを変化させることにより送信ビームトレーニングを実行する、と理解できる。トレーニングフィールドは、ビーム調整自動利得制御（英語：beam  refinement  auto  gain  control）フィールド（略してＡＧＣフィールド）及びビーム調整トレーニング（英語：beam  refinement  training）フィールド（略してＴＲＮフィールド）を含む。ＴＲＮフィールドは、１又は複数のＴＲＮユニットで構成され、各ＴＲＮユニットは１個のＣＥサブフィールド及び４個のＴＲＮサブフィールドで構成される。トレーニングフィールド内のＣＥサブフィールド及びプリアンブル内のＣＥフィールドのために、同じフォーマットが使用される。プリアンブル内のＣＥは、リンクの信号対雑音比が最悪のときに、ヘッダ及びデータを正しく復調するために設計される。受信機は、ＴＲＮサブフィールド内の信号を測定することにより、受信機と送信機との間の且つ対応する受信ＡＷＶ又は送信ＡＷＶ構成内の無線チャネルに関する情報を決定し、受信ビーム又は送信ビームは、無線チャネルに関する測定された情報に基づき調整される。しかしながら、受信機又は送信機がＡＷＶを変化させるとき、受信機と送信機との間の無線チャネル上で比較的大きな変化が実際には生じる。したがって、受信機が適切なＡＧＣ利得を得ることができるように、ＡＧＣフィールドはビームトレーニングフィールドの前に追加される。さらに、受信機と送信機との間の時間及び周波数同期を維持し異なるＡＷＶで共通の遅延パラメータを測定するために、１個のＣＥサブフィールドが４個のＴＲＮユニットの前に挿入される。
【００８２】
図１は、本発明の一実施形態によるビーム調整方法の概略フローチャートである。
【００８３】
１０１。第１装置は、拡張ビーム調整プロトコル（英語：enhanced  Beam  Refinement  Protocol、略してｅＢＲＰ）パケットのフォーマットを決定する。ここで、ｅＢＲＰパケットはトレーニングフィールドを含み、トレーニングフィールドは、ｅＢＲＰ−ＣＥサブフィールド及びｅＢＲＰ−ＴＲＮサブフィールドを含み、トレーニングフィールド内のｅＢＲＰ−ＣＥサブフィールドのグレイコードの数のトレーニングフィールド内のｅＢＲＰ−ＴＲＮサブフィールドのグレイコードの数に対する比は、９：２０未満である。
【００８４】
本発明の本明細書で言及される拡張ビーム調整プロトコル（英語：enhanced  Beam  Refinement  Protocol、略してｅＢＲＰ）パケットは、従来技術においてＩＥＥＥ８０２．１１ａｄで定められるＢＲＰパケットと区別されるよう意図されることが理解できる。ｅＢＲＰパケットは、前述の特徴を有するトレーニングフィールドを含む。さらに、ＩＥＥＥ８０２．１１ａｄ規格で定められるＴＲＮ、ＣＥ、及びＡＧＣと区別されるように、ｅＢＲＰパケット内のＴＲＮ、ＣＥ、及びＡＧＣは、それぞれ、本発明の本明細書においてｅＢＲＰ−ＴＲＮ、ｅＢＲＰ−ＣＥ、及びｅＢＲＰ−ＡＧＣとして言及される。前述の用語は単に区別を容易にするためであり、本発明を限定するためではないことが理解できる。勿論、前述の特徴を有するＢＲＰパケット及びトレーニングフィールドは、他の名称として言及されても良く、ｅＢＲＰパケットの名称として言及されることに限定されない。
【００８５】
トレーニングフィールドは、データフィールドの後のサフィックスであり、トレーニングフィールド及びデータフィールドに加えて、ｅＢＲＰパケットは、プリアンブルフィールド及びヘッダフィールドを更に含んで良い。ｅＢＲＰパケットのプリアンブルフィールド、ヘッダフィールド、及びデータフィールドのフォーマットは、ＩＥＥＥ８０２．１１ａｄで定められているフォーマットに従って良く、又は後の規格（例えば、ＩＥＥＥ８０２．１１ａｙ）で定められる新しいフォーマットに従って良い。例えば、チャネル結合（英語：channel  bonding）又はＭＩＭＯチャネル推定のために使用される新しいショートトレーニングシーケンスフィールド、新しいチャネル推定、及び新しいデータ送信モードを示すために使用される新しいヘッダが、データフィールドの前に追加される。データの前のフィールドのフォーマットは、本発明の重点ではなく、したがって特に限定されない。
【００８６】
図２は、ｅＢＲＰパケットのフォーマットの概略図である。図２に示すように、ｅＢＲＰパケットは、ＳＴＦフィールド、ＣＥフィールド、ヘッダフィールド、データフィールド、及びトレーニングフィールドを連続して含む。
【００８７】
図３は、ｅＢＲＰパケットの別のフォーマットの概略図である。図３に示すように、ｅＢＲＰパケットは、ＳＴＦフィールド、ＣＥフィールド、ヘッダフィールド、新ヘッダフィールド、新ＳＦＴフィールド、新ＣＥフィールド、データフィールド、及びトレーニングフィールドを連続して含む。
【００８８】
１０２。第１装置は、ｅＢＲＰパケットの決定したフォーマットに基づき、第２装置へ、ｅＢＲＰパケットを送信する。
【００８９】
トレーニングフィールド内で、第１装置又は第２装置によりトレーニングされるＡＷＶの数は、ｅＢＲＰ−ＴＲＮサブフィールドの数に関連するが、ｅＢＲＰ−ＣＥサブフィールドの数に関連しないことが理解できる。図１に示す方法によると、トレーニングフィールド内のｅＢＲＰ−ＴＲＮサブフィールドの効果的な比率が増大され、同じ時間期間内でより多くのＡＷＶ構成を試みることができる。
【００９０】
トレーニングフィールド内のｅＢＲＰ−ＣＥサブフィールドを構成するグレイコードの数は、トレーニングフィールド内のｅＢＲＰ−ＣＥサブフィールドの数及びトレーニングフィールド内の各ｅＢＲＰ−ＣＥサブフィールドのグレイコードの数に関連することが理解できる。より具体的には、トレーニングフィールド内のｅＢＲＰ−ＣＥサブフィールドの数がＮであり、且つ、トレーニングフィールド内の各ｅＢＲＰ−ＣＥサブフィールドがＸ個のグレイコードで構成されると仮定すると、トレーニングフィールド内のｅＢＲＰ−ＣＥサブフィールドを構成するグレイコードの数はＸ×Ｎである。同様に、トレーニングフィールド内のｅＢＲＰ−ＴＲＮサブフィールドを構成するグレイコードの数は、トレーニングフィールド内のｅＢＲＰ−ＴＲＮサブフィールドの数及びトレーニングフィールド内の各ｅＢＲＰ−ＴＲＮサブフィールドのグレイコードの数に関連する。より具体的には、トレーニングフィールド内のｅＢＲＰ−ＴＲＮサブフィールドの数がＭであり、且つ、トレーニングフィールド内の各ｅＢＲＰ−ＴＲＮサブフィールドがＹ個のグレイコードで構成されると仮定すると、トレーニングフィールド内のｅＢＲＰ−ＴＲＮサブフィールドを構成するグレイコードの数はＹ×Ｍである。この場合、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比は、次式を満たす：Ｘ×Ｎ：Ｙ×Ｍ＜９：２０  （式１．１）。
【００９１】
ＩＥＥＥ８０２．１１ａｄでは、トレーニングフィールド内のＣＥフィールドは、プリアンブルフィールド内のＣＥフィールドと同じ設計及び長さを有する。プリアンブルフィールド内のＣＥフィールドの設計によると、リンクの信号対雑音比（英語：Signal  to  Noise  Ratio、略してＳＮＲ）が最悪のときでも（例えば、制御モードでリンクＭＣＳ０に対応するＳＮＲが−１３ｄＢである）、ヘッダ及びデータは依然として正しく復調できる。しかしながら、トレーニングフィールド内のＣＥサブフィールドでは、受信機と送信機との間の時間及び周波数同期を維持し、及び異なるＡＷＶで共通の遅延パラメータを測定するために、トレーニングフィールド内のＣＥの長さは、ビームトレーニング効率を向上する効果を得るために、設計要件に基づき適正に短縮されることがある。例えば、信号対雑音比の状態は、トレーニングフィールド内の短縮されるべきＣＥ長を決定するために、ｅＢＲＰパケット内のデータのために使用される変調及び符号化方式（ＭＣＳ、Modulation  and  Coding  Scheme）に従いマッピングされて良い。例えば、ＩＥＥＥ８０２．１１ａｄでは、ＭＣＳ０に対応するＳＮＲが非常に低いことを除き、別のＭＣＳレベルに対応するＳＮＲは−１３ｄＢより遙かに大きい。例えば、ＭＣＳ０の後の最低ＭＣＳレベルはＭＣＳ１であり、ＭＣＳ１に対応するＳＮＲは−１ｄＢである。言い換えると、データがＭＣＳ０を用いて送信されないとき、別のＭＣＳレベルで送信される任意のチャネルは、トレーニングフィールド内のＣＥ長の短縮をサポートできる。
【００９２】
さらに、ＩＥＥＥ８０２．１１ａｄでは、プリアンブルフィールド内のＣＥフィールドは、受信機と送信機との間の時間及び周波数同期を維持し、さらに、パイロット又は保護間隔が、データ受信中に位相雑音追跡を提供するために、追加される。したがって、データ復調においても、受信機と送信機との間の時間及び周波数同期を維持するために使用されるオーバヘッドは、トレーニングフィールド内のＣＥのオーバヘッドより遙かに少ない。したがって、可能なソリューションは、ビームトレーニング効率の向上の効果を得るために、受信機と送信機との間の時間及び周波数同期を維持するようトレーニングフィールド内のＣＥを使用することに加えて、位相雑音追跡を実行するためにＴＲＮサブフィールド内の既知のシーケンスを使用している。前述の理由に基づき、トレーニングフィールド内のＣＥの比率が低減できる。
【００９３】
したがって、本発明は、単一チャネルの場合及びマルチチャネル結合の場合に別個に、トレーニングフィールド内のＣＥ長を及びトレーニングフィールド内のＣＥの比率を削減することにより、ビームトレーニング効率を向上する方法を提供する。
【００９４】
任意で、一実施形態では、トレーニングフィールド内のｅＢＲＰ−ＣＥサブフィールドの数のトレーニングフィールド内のｅＢＲＰ−ＴＲＮサブフィールドの数に対する比は、１：４以下である。例えば、第１装置は、トレーニングフィールド内のｅＢＲＰ−ＣＥサブフィールドの数、及びトレーニングフィールド内のｅＢＲＰ−ＴＲＮサブフィールドの数を直接決定して良い。ｅＢＲＰ−ＣＥサブフィールドの数のｅＢＲＰ−ＴＲＮサブフィールドの数に対する比は、１：４以下である。別の例では、第１装置は、先ず、トレーニングフィールド内のｅＢＲＰ−ＣＥサブフィールドの数のトレーニングフィールド内のｅＢＲＰ−ＴＲＮサブフィールドの数に対する比を決定し、次に、決定した比に基づき、ｅＢＲＰ−ＣＥサブフィールドの数及びｅＢＲＰ−ＴＲＮサブフィールドの数を決定して良い。さらに、トレーニングフィールド内のｅＢＲＰ−ＣＥサブフィールドの数のトレーニングフィールド内のｅＢＲＰ−ＴＲＮサブフィールドの数に対する比は、１：ｎであって良く、ｎは５以上の正整数である。さらに、ｎは４の整数倍であって良く、例えば、ｎは８、１２、等であって良い。
【００９５】
具体的に、Ｎ：Ｍの比が１：４未満である場合、Ｘ：Ｙの比は、Ｘ×Ｎ：Ｙ×Ｍが式１．１を満たすように、Ｎ：Ｍの比に基づき決定されて良い。Ｎ：Ｍの比が１：４に等しい場合、式１．１を満たす条件は、Ｘ：Ｙの比が９：５未満であることである。言い換えると、Ｘ：Ｙの比が９：５未満である場合、Ｎ：Ｍの比が１：４未満か又は１：４に等しいかに関わらず、式１．１が満たされる。例えば、Ｎ：Ｍの比が１：４未満である場合、第１装置は、トレーニングフィールド内の各ｅＢＲＰ−ＣＥサブフィールドが９個のグレイコードで構成されると決定し、トレーニングフィールド内の各ｅＢＲＰ−ＴＲＮサブフィールドが５個のグレイコードで構成されると決定する。
【００９６】
任意で、別の実施形態では、第１装置は、データフィールドのＭＣＳレベルに基づき、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比を決定して良い。
【００９７】
具体的に、データフィールドのＭＣＳレベルは、現在データチャネルの信号対雑音比に対応する。ＳＮＲ及び所与のＣＥの長さ（ここでは、ＣＥ長はＣＥ内のグレイコードの数及び長さを含む）に基づき、残留キャリア周波数オフセット（英語：Residual  Carrier  Frequency  Offset、略してＲＣＦＯ）がシミュレーションを通じて得ることができる。ＳＮＲ及びＲＣＦＯに基づき、所与のＣＥサブフィールドに対するトレーニングフィールド内のｅＢＲＰ−ＴＲＮサブフィールドの数が最終的に決定できる。したがって、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比が決定できる。
【００９８】
例えば、ＳＮＲが−１０ｄＢであるとき、長さ１２８の９個のグレイコードがキャリア周波数オフセット（英語：Carrier  Frequency  Offset、略してＣＦＯ）推定を実行するために使用されるとき、ＲＣＦＯ推定値の９０％は８．３５９ｐｐｍより低いと決定でき、長さ１２８の５個のグレイコードがＣＦＯ推定を実行するために使用されるとき、ＲＣＦＯ推定値の９０％は１８ｐｐｍより低いと決定できる。別の例では、ＳＮＲが−１ｄＢであるとき、長さ１２８の９個のグレイコードがＣＦＯ推定を実行するために使用されるとき、ＲＣＦＯの９０％は１．２ｐｐｍより低いと決定でき、長さ１２８の５個のグレイコードがＣＦＯ推定を実行するために使用されるとき、ＲＣＦＯ推定値の９０％は２．７１９ｐｐｍより低いと決定できる。
【００９９】
ＲＣＦＯが決定された後に、トレーニングフィールド内のｅＢＲＰ−ＣＥサブフィールドの数のトレーニングフィールド内のｅＢＲＰ−ＴＲＮサブフィールドの数に対する比が、ＲＣＦＯを用いて決定されて良い。具体的に、スペクトルは位相回転ｅｘｐ（ｊ×π×ＣＦＯ×ｔ）を生じ、位相は周期的であり、つまり、ｅｘｐ（ｊ×２π×ＣＦＯ×ｔ１）＝ｅｘｐ（ｊ×２π×ＣＦＯ×１＋２ｋπ）である。したがって、ｋは、±１、±２、等のような非ゼロ整数に等しくて良い。ＣＦＯ＝ｆｃ×Δｐｐｍ×１ｅ−６、ここで、ｆｃはキャリア周波数であり、Δｐｐｍは１個／百万個のキャリア周波数により表される周波数オフセット値である。６０ＧＨｚでは、４個のチャネルの中心周波数が選択されて良い。例えば、５８．３２０ＧＨｚの中心周波数が選択される。１／Ｆｃ＝０．５７ｎｓが、サンプリング点の間隔として選択される。したがって、期間に対応するサンプリング点の数は、Ｆｃ／（ｆｃ×Δｐｐｍ×１ｅ−６）である。サンプリング点の数は整数なので、ここでは切り捨てが用いられ、以下の関係を得る。ＲＣＦＯ＝４０ｐｐｍのとき、（ｌｅｎｇｔｈ＿ＣＥ＋Ｍ×ｌｅｎｇｔｈ＿ＴＲＮ）＜７５４であり、ｌｅｎｇｔｈ＿ＣＥ＝１１５２且つｌｅｎｇｔｈ＿ＴＲＮ＝６４０のとき、Ｍの適切な値が存在しない。ここで、ｌｅｎｇｔｈ＿ＣＥはｅＢＲＰ−ＣＥサブフィールドの長さを表し（つまり、フィールドに含まれるサンプリング点の数を表す）、ｌｅｎｇｔｈ＿ＴＲＮはｅＢＲＰ−ＴＲＮサブフィールドの長さを表す（つまり、フィールドに含まれるサンプリング点の数を表す）。別の例では、ＲＣＦＯ＝８ｐｐｍのとき、（ｌｅｎｇｔｈ＿ＣＥ＋Ｍ×ｌｅｎｇｔｈ＿ＴＲＮ）＜３７７２であり、ｌｅｎｇｔｈ＿ＣＥ＝１１５２且つｌｅｎｇｔｈ＿ＴＲＮ＝６４０のとき、Ｍの値は最大４であって良い。別の例では、ＲＣＦＯ＝４ｐｐｍのとき、（ｌｅｎｇｔｈ＿ＣＥ＋Ｍ×ｌｅｎｇｔｈ＿ＴＲＮ）＜７５４４であり、ｌｅｎｇｔｈ＿ＣＥ＝１１５２且つｌｅｎｇｔｈ＿ＴＲＮ＝６４０のとき、Ｍの値は最大９であって良く、ｌｅｎｇｔｈ＿ＣＥ＝６４０且つｌｅｎｇｔｈ＿ＴＲＮ＝６４０のとき、Ｍの値は最大１０であって良い。同様に、ＲＣＦＯ＝２ｐｐｍのとき、（ｌｅｎｇｔｈ＿ＣＥ＋Ｍ×ｌｅｎｇｔｈ＿ＴＲＮ）＜１５０８９のとき、及びｌｅｎｇｔｈ＿ＣＥ＝１１５２且つｌｅｎｇｔｈ＿ＴＲＮ＝６４０のとき、Ｍの値は最大２１であって良い。言い換えると、ＳＮＲが−１ｄＢのときのＣＥ長とＴＲＮに対するＣＥの比率の両方が、ＳＮＲが−１０ｄＢのときのものより有意に小さくなり得る。
【０１００】
この特定の実施形態では、Ｎの値は１であることが分かる。さらに、上述した「Ｍの値は最大で４、９、１０、又は２１であって良い」は、Ｍの値であり得る最大値を示すことに留意すべきである。Ｍは代替として別の値であって良い。例えば、Ｍの値が最大で９であり得るとき、９未満の任意の正整数がＭの値であって良い。さらに、前述のシミュレーション結果は、パラメータ選択に関連する。異なるパラメータを選択することにより、異なるシミュレーション結果が得られる。例えば、ＲＣＦＯの９０％に加えて、９５％又は９９％のようなＲＣＦＯの別の比率も使用されて良い。ＲＣＦＯの異なる比率を用いて得られた、トレーニングフィールド内のｅＢＲＰ−ＣＥサブフィールドの数のトレーニングフィールド内のｅＢＲＰ−ＴＲＮサブフィールドの数に対する比は、異なる可能性がある。別の例では、この特定の実施形態は、ＩＥＥＥ８０２．１１ａｄにおけるパラメータに基づくシミュレーションを通じて得られ、別のパラメータに基づき異なる結果が得られることがある。したがって、この特定の実施形態は、技術的ソリューションを限定する代わりに、単に当業者が本発明の技術的ソリューションを良好に理解するのを助けるためである。
【０１０１】
任意で、別の実施形態では、第１装置により、拡張ビーム調整プロトコルｅＢＲＰパケットのフォーマットを決定するステップは、第１装置により、送信チャネル数Ｃを決定し、トレーニングフィールド内の各ｅＢＲＰ−ＣＥサブフィールドがＣ×Ｓ個のグレイコードで構成されると決定するステップであって、Ｓは９未満の正整数であり、Ｃは第１装置の送信チャネル数により決定される、ステップ、第１装置により、送信チャネル数Ｃを決定し、トレーニングフィールド内のｅＢＲＰ−ＣＥサブフィールドが第１ｅＢＲＰ−ＣＥサブフィールド及び第２ｅＢＲＰ−ＣＥサブフィールドを含むと決定するステップであって、各第１ｅＢＲＰ−ＣＥサブフィールドはＣ×Ｓ個のグレイコードで構成され、各第２ｅＢＲＰ−ＣＥサブフィールドは９個のグレイコードで構成され、Ｓは９未満の正整数であり、Ｃは１以上の正整数である、ステップ、又は、第１装置により、送信チャネル数Ｃを決定し、トレーニングフィールド内のｅＢＲＰ−ＣＥサブフィールドがＣ×９個のグレイコードで構成されると決定し、第１装置により、トレーニングフィールド内のｅＢＲＰ−ＣＥサブフィールドの数Ｎ、トレーニングフィールド内のｅＢＲＰ−ＴＲＮサブフィールドの数Ｍ、及びトレーニングフィールド内の前記ｅＢＲＰ−ＴＲＮサブフィールドを構成するグレイコードの数Ｙが以下の式：９×Ｃ×Ｎ：Ｙ×Ｍ＜９：２０を満たすことを決定するステップ、を含む。
【０１０２】
具体的に、例えば、単一チャネル送信モードでは、Ｃの値は１である。Ｓの値が５である、つまり、各ｅＢＲＰ−ＣＥサブフィールドが５個のグレイコードで構成される場合、この場合には、Ｎ、Ｍ、及びＹの値が式１．１を満たすだけでよい。例えば、Ｎ、Ｍ、及びＹの値は、ＩＥＥＥ８０２．１１ａｄ規格のものと同じであって良い。つまり、Ｎ＝１、Ｍ＝４、及びＹ＝５である。この場合、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比は、５：２０であり、これは式１．１を満たす。別の例では、Ｎ＝１、Ｍは４より大きい正整数であり、Ｙ＝５である。この場合、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比は、５：２０未満であり、これも式１．１を満たすことができる。同様に、ｅＢＲＰ−ＣＥサブフィールドが第１ｅＢＲＰ−ＣＥサブフィールド及び第２ｅＢＲＰ−ＣＥサブフィールドを含む場合、Ｎ、Ｍ、及びＹの値は、式１．１が使用可能であるように設定されて良い。Ｘの値が９である場合、Ｎ、Ｍ、及びＹの値は、式１．１が使用可能であるように設定されても良い。例えば、Ｎ＝１、Ｍ＝５、及びＹ＝５である。この場合、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比は、９：２５であり、９：２０未満である。マルチチャネル結合の場合には、Ｃの値はチャネル数と同じである。この場合、各ｅＢＲＰ−ＣＥサブフィールドはＣ×Ｓ個のグレイコードで構成される。この場合、Ｎ、Ｍ、及びＹの値は、以下の式：Ｃ×Ｓ×Ｎ：Ｎ：×Ｍ＜９：２０を使用可能にする必要がある。
【０１０３】
任意で、別の実施形態では、第１装置により、拡張ビーム調整プロトコルｅＢＲＰパケットのフォーマットを決定するステップは、第１装置により、送信チャネル数Ｃを決定し、トレーニングフィールド内の各ｅＢＲＰ−ＴＲＮサブフィールドがＣ×Ｙ個のグレイコードで構成されると決定するステップであって、Ｙは５以上の正整数であり、Ｃは１以上の正整数であり、Ｙが５に等しい正整数であるとき、トレーニングフィールド内のｅＢＲＰ−ＣＥサブフィールドの数Ｎ、トレーニングフィールド内の各ｅＢＲＰ−ＣＥサブフィールドの数Ｘ、及びトレーニングフィールド内のｅＢＲＰ−ＴＲＮサブフィールドの数Ｍは以下の式：Ｘ×Ｎ：５×Ｃ×Ｍ＜９：２０を満たす、ステップを含む。
【０１０４】
具体的に、例えば、単一チャネル送信モードでは、Ｃ＝１である。Ｙの値が１０である、つまり、各ｅＢＲＰ−ＣＥサブフィールドが１０個のグレイコードで構成される場合、この場合には、Ｎ、Ｍ、及びＸの値が式１．１を満たすだけでよい。例えば、Ｎ、Ｍ、及びＸの値は、ＩＥＥＥ８０２．１１ａｄ規格のものと同じであって良い。つまり、Ｎ＝１、Ｍ＝４、及びＸ＝９である。この場合、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比は、９：４０であり、これは式１．１を満たす。別の例では、Ｎ＝１、Ｍは４より大きい正整数であり、Ｘ＝９である。この場合、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比は、９：４０未満であり、これも式１．１を満たすことができる。同様に、各ｅＢＲＰ−ＣＥサブフィールドが９個のグレイコードで構成される場合、Ｎ、Ｍ、及びＸの値は、式１．１が使用可能なように設定されて良い。Ｙの値が５である場合、Ｎ、Ｍ、及びＸの値は、式１．１が使用可能であるように設定されても良い。例えば、Ｎ＝１、Ｍ＝５、及びＸ＝９である。この場合、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比は、９：２５であり、９：２０未満である。マルチチャネル結合の場合には、Ｃの値はチャネル数と同じである。この場合、各ｅＢＲＰ−ＴＲＮサブフィールドはＣ×Ｙ個のグレイコードで構成される。この場合、Ｘ、Ｎ、及びＭの値は、以下の式：Ｘ×Ｎ：Ｙ×Ｃ×Ｍ＜９：２０を使用可能にする必要がある。
【０１０５】
トレーニングフィールド内の各ｅＢＲＰ−ＣＥサブフィールドを構成するグレイコードの数、及びトレーニングフィールド内の各ｅＢＲＰ−ＴＲＮサブフィールドを構成するグレイコードの数が式１．１を満たすならば、トレーニングフィールド内の各ｅＢＲＰ−ＣＥサブフィールドを構成するグレイコードの数、及びトレーニングフィールド内の各ｅＢＲＰ−ＴＲＮサブフィールドを構成するグレイコードの数は、代替として他の数であって良いことが理解できる。
【０１０６】
任意で、別の実施形態では、第１装置により、拡張ビーム調整プロトコルｅＢＲＰパケットのフォーマットを決定するステップは、第１装置のアンテナ数が１又は２であるとき、第１装置により、トレーニングフィールド内の各ｅＢＲＰ−ＣＥサブフィールド及び各ｅＢＲＰ−ＴＲＮサブフィールドの直交マスクの中の各グレイコードの長さが１２８×Ｃ１であると決定するステップ、第１装置のアンテナ数が３又は４であり、且つトレーニングフィールド内のｅＢＲＰ−ＴＲＮサブフィールドが１０×Ｃ２個のグレイコードで構成されるとき、第１装置により、トレーニングフィールド内の各ｅＢＲＰ−ＣＥサブフィールドの中の各グレイコードの長さが１２８×Ｃ１であると決定し、トレーニングフィールド内の各ｅＢＲＰ−ＴＲＮサブフィールドの中の各グレイコードの長さが１２８×Ｃ１又は６４×Ｃ１であると決定するステップ、第１装置のアンテナ数が３又は４であり、且つトレーニングフィールド内のｅＢＲＰ−ＴＲＮサブフィールドが９×Ｃ２個のグレイコードで構成されるとき、第１装置により、トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップ、又は、第１装置のアンテナ数が４であり、且つトレーニングフィールド内のｅＢＲＰ−ＴＲＮサブフィールドが５×Ｃ２個のグレイコードで構成されるとき、第１装置により、トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップであって、Ｃ２＝１のとき、Ｃ１は第１装置の送信チャネル数により決定される、又はＣ２が第１装置の送信チャネル数により決定されるとき、Ｃ１＝１である、ステップ、を含む。明らかに、送信チャネル数は１以上の正整数であるべきである。
【０１０７】
具体的に、ＩＥＥＥ８０２．１１ａｄとの互換性を保つために、単一チャネル送信では、Ｎ：Ｍの比が１：４未満である場合、一実装では、ｅＢＲＰ−ＣＥサブフィールドのフォーマットはＩＥＥＥ８０２．１１ａｄにおけるＴＲＮサブフィールドのフォーマットと同じである。つまり、ｅＢＲＰ−ＣＥサブフィールドは、長さ１２８の９個のグレイコードで構成され、ｅＢＲＰ−ＴＲＮサブフィールドは長さ１２８の５個のグレイコードで構成される。Ｎ：Ｍの比が１：４に等しい場合、一実装では、第１装置は、トレーニングフィールド内の各ｅＢＲＰ−ＣＥサブフィールドが５個のグレイコードで構成されると決定し、トレーニングフィールド内の各ｅＢＲＰ−ＴＲＮサブフィールドが５個のグレイコードで構成されると決定して良い。この場合、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比は、５：２０であり、９：２０未満である。さらに、ＩＥＥＥ８０２．１１ａｄとの互換性を保つために、ＩＥＥＥ８０２．１１ａｄにおけるＣＥサブフィールドの部分、つまり長さ１２８の９個のグレイコードのうちの５個は、ｅＢＲＰ−ＣＥサブフィールドとして選択されて良く、ｅＢＲＰ−ＴＲＮサブフィールドのために使用されるフォーマットはＩＥＥＥ８０２．１１ａｄにおけるＴＲＮサブフィールドのフォーマットと同じである。このように、トレーニングフィールド内のｅＢＲＰ−ＣＥサブフィールドにより占有される時間の、トレーニングフィールド内のｅＢＲＰ−ＴＲＮサブフィールドにより占有される時間に対する比は低減される。言い換えると、より多くのｅＢＲＰ−ＴＲＮサブフィールドが同じ時間期間内で送信可能である。したがって、より多くのビームがトレーニングでき、トレーニング効率が向上する。別の例では、Ｎ：Ｍの比が１：４に等しい場合、別の実装では、第１装置は、トレーニングフィールド内のｅＢＲＰ−ＣＥサブフィールドが第１ｅＢＲＰ−ＣＥサブフィールド及び第２ｅＢＲＰ−ＣＥサブフィールドを含むと決定する。ここで、各第１ｅＢＲＰ−ＣＥサブフィールドはＸ個のグレイコードで構成され、各第２ｅＢＲＰ−ＣＥサブフィールドは９個のグレイコードで構成される。Ｘは９未満の正整数である。第１ｅＢＲＰ−ＣＥサブフィールドの第２ｅＢＲＰ−ＴＲＮサブフィールドに対する比率は、１：１以上である。トレーニングフィールド内の各第１ｅＢＲＰ−ＣＥサブフィールドが５個のグレイコードで構成され、トレーニングフィールド内の各ｅＢＲＰ−ＴＲＮサブフィールドが５個のグレイコードで構成され、第１ｅＢＲＰ−ＣＥサブフィールドの第２ｅＢＲＰ−ＣＥサブフィールドに対する比率が１：１に等しいと決定されるとき、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比は７：２０であり、９：２０未満である。さらに、ＩＥＥＥ８０２．１１ａｄとの互換性を保つために、ＩＥＥＥ８０２．１１ａｄにおけるＣＥサブフィールドの部分、つまり長さ１２８の９個のグレイコードのうちの５個は、第１ｅＢＲＰ−ＣＥサブフィールドとして選択されて良く、ｅＢＲＰ−ＴＲＮサブフィールドのために使用されるフォーマットはＩＥＥＥ８０２．１１ａｄにおけるＴＲＮサブフィールドのフォーマットと同じである。このように、トレーニングフィールド内のｅＢＲＰ−ＣＥサブフィールドにより占有される時間の、トレーニングフィールド内のｅＢＲＰ−ＴＲＮサブフィールドにより占有される時間に対する比は低減される。言い換えると、より多くのｅＢＲＰ−ＴＲＮサブフィールドが同じ時間期間内で送信できる。代替として、トレーニングフィールド内のＣＥ長の短縮、及びトレーニングフィールド内のＣＥの比率の低減が、両方とも使用されて良い。したがって、より多くのビームがトレーニングでき、トレーニング効率が向上する。詳細事項は、ここで再び記載されない。
【０１０８】
ＩＥＥＥ８０２．１１ａｙで新たに使用されるチャネル結合をサポートするために、ｅＢＲＰ−ＣＥサブフィールドは、ＩＥＥＥ８０２．１１ａｄのＣＥサブフィールドのフォーマットに基づき拡張され、ｅＢＲＰ−ＴＲＮサブフィールドは、ＩＥＥＥ８０２．１１ａｄのＴＲＮサブフィールドのフォーマットに基づき拡張される。トレーニングフィールド内のＣＥのＴＲＮに対する比率を低減する方法、及びＣＥ長を短縮する方法の両方が、ビームトレーニング中のオーバヘッドを削減するために使用される。
【０１０９】
具体的に、直接サンプリングレート拡張が、拡張方法として使用され、２つの隣接チャネルが結合されるとき、サンプリングレートは単一チャネル送信におけるものの２倍である。３つの隣接チャネルが結合されるとき、サンプリングレートは単一チャネル送信のものの３倍である。４つの隣接チャネルが結合されるとき、サンプリングレートは単一チャネル送信のものの４倍である。以降は類推できる。このように、Ｚ（Ｚは１以上の正整数である）個のチャネルが結合されるとき、ｅＢＲＰ−ＣＥサブフィールド及びｅＢＲＰ−ＴＲＮサブフィールドの時間は不変であるが、ｅＢＲＰ−ＣＥサブフィールド及びｅＢＲＰ−ＴＲＮサブフィールドに含まれるサンプリング点は元のサンプリング点のＺ倍である。
【０１１０】
例えば、Ｎ：Ｍの比が１：４未満であると仮定する。可能な実装では、第１装置は、ｅＢＲＰ−ＣＥサブフィールドが長さＺ×１２８の９個のグレイコードで構成されること、及びｅＢＲＰ−ＴＲＮサブフィールドが長さＺ×１２８の５個のグレイコードで構成されることを決定して良い。別の可能な実装では、第１装置は、ｅＢＲＰ−ＣＥサブフィールドが長さ１２８の９×Ｚ個のグレイコードで構成されることを決定して良く、ｅＢＲＰ−ＴＲＮサブフィールドは、長さ１２８の５×Ｚ個のグレイコードで構成されて良い。
【０１１１】
別の例では、Ｎ：Ｍの比が１：４に等しいと仮定する。可能な実装では、ｅＢＲＰ−ＣＥサブフィールドは、長さＺ×１２８の５個のグレイコードで構成されて良く、ｅＢＲＰ−ＴＲＮサブフィールドは長さＺ×１２８の５個のグレイコードで構成されて良い。単一チャネル送信におけるものと同様に、ＩＥＥＥ８０２．１１ａｄとの互換性を保つために、ＩＥＥＥ８０２．１１ａｄにおけるＣＥサブフィールドの部分、つまり長さＺ×１２８の９個のグレイコードのうちの５個は、ｅＢＲＰ−ＣＥサブフィールドとして選択されて良い。別の可能な実装では、ｅＢＲＰ−ＣＥサブフィールドは、長さ１２８の５×Ｚ個のグレイコードで構成されて良く、ｅＢＲＰ−ＴＲＮサブフィールドは長さ１２８の５×Ｚ個のグレイコードで構成されて良い。このように、トレーニングフィールド内のｅＢＲＰ−ＣＥサブフィールドにより占有される時間の、トレーニングフィールド内のｅＢＲＰ−ＴＲＮサブフィールドにより占有される時間に対する比は低減される。別の可能な実装では、第１装置は、トレーニングフィールド内のｅＢＲＰ−ＣＥサブフィールドが第１ｅＢＲＰ−ＣＥサブフィールド及び第２ｅＢＲＰ−ＣＥサブフィールドを含むことを決定し、各第１ｅＢＲＰ−ＣＥサブフィールドは長さ１２８の５×Ｚ個のグレイコードで構成され、各第２ｅＢＲＰ−ＣＥサブフィールドは長さ１２８の９×Ｚ個のグレイコードで構成され、並びに、トレーニングフィールド内の各ｅＢＲＰ−ＴＲＮサブフィールドが長さ１２８の５×Ｚ個のグレイコードで構成されると決定して良い。別の可能な実装では、第１装置は、トレーニングフィールド内のｅＢＲＰ−ＣＥサブフィールドが第１ｅＢＲＰ−ＣＥサブフィールド及び第２ｅＢＲＰ−ＣＥサブフィールドを含むことを決定し、各第１ｅＢＲＰ−ＣＥサブフィールドは長さ１２８×Ｚの５個のグレイコードで構成され、各第２ｅＢＲＰ−ＣＥサブフィールドは長さ１２８×Ｚの９個のグレイコードで構成され、並びに、トレーニングフィールド内の各ｅＢＲＰ−ＴＲＮサブフィールドが長さ１２８×Ｚの５個のグレイコードで構成されると決定して良い。同様に、ＩＥＥＥ８０２．１１ａｄとの互換性を保つために、ＩＥＥＥ８０２．１１ａｄにおけるＣＥサブフィールドの部分、つまり長さＺ×１２８の９個のグレイコードのうちの５個は、第１ｅＢＲＰ−ＣＥサブフィールドとして選択されて良い。
【０１１２】
このように、トレーニングフィールド内のｅＢＲＰ−ＣＥサブフィールドにより占有される時間の、トレーニングフィールド内のｅＢＲＰ−ＴＲＮサブフィールドにより占有される時間に対する比は低減される。言い換えると、より多くのｅＢＲＰ−ＴＲＮサブフィールドが同じ時間期間内で送信できる。代替として、トレーニングフィールド内のＣＥ長の短縮（トレーニングフィールド内の全部のＣＥサブフィールドの長さの短縮、又はトレーニングフィールド内の一部のＣＥサブフィールドの長さの短縮）、及びトレーニングフィールド内のＣＥの比率の低減は、両方とも使用されて良い。したがって、より多くのビームがトレーニングでき、トレーニング効率が向上する。詳細事項は、ここで再び記載されない。
【０１１３】
任意で、別の実施形態では、ＭＩＭＯトレーニングがサポートされるとき、第１装置により、拡張ビーム調整プロトコルｅＢＲＰパケットのフォーマットを決定するステップは、第１装置のアンテナ数が１を超えるとき、第１装置により、ｅＢＲＰ−ＣＥサブフィールド及びｅＢＲＰ−ＴＲＮサブフィールドの直交マスクの各コードワードの中に、少なくとも１対のグレイコード相補シーケンスが存在すると決定するステップを更に含む。ここで、複数のアンテナのトレーニングフィールド内のｅＢＲＰ−ＣＥサブフィールド及びｅＢＲＰ−ＴＲＮサブフィールドは、直交マスク方法で送信される。ＩＥＥＥ８０２．１１ａｄのＴＲＮサブフィールドには５個のグレイコードしか存在しない。アンテナ数が比較的大きいとき、各コードワードの中に少なくとも１対のグレイコード相補シーケンスが存在することが保証できない。１対のグレイコード相補シーケンスは、自己相関の和（the  sum  of  Autocorrelation）の所望の特徴を有する。具体的に、１対のグレイコード相補シーケンス（Ｇａ，Ｇｂ）は、ＡＣ（Ｇａ）＋ＡＣ（Ｇｂ）は完全整列の場合にのみピークを有するという要件を満たし、別の位置は０であり（サイドローブは０である）、ＡＣ（）は自己相関関数を表す。しかしながら、単一のグレイコードは、前述の特徴を有しない。したがって、マルチチャネル測定の環境で、チャネル推定の性能が低下する。本発明によると、グレイコード数を拡張する方法は、チャネル推定の性能を保証するために使用される。
【０１１４】
具体的に、第１装置は、第１装置のアンテナ数及び第１装置のアンテナ偏波方向に基づき、トレーニングフィールド内の各ｅＢＲＰ−ＣＥサブフィールドを構成するグレイコードの数及び前記トレーニングフィールド内の各ｅＢＲＰ−ＴＲＮサブフィールドを構成するグレイコードの数を決定して良い。より具体的に、第１装置により、第１装置のアンテナ数及び第１装置のアンテナ偏波方向に基づき、トレーニングフィールド内の各ｅＢＲＰ−ＣＥサブフィールドを構成するグレイコードの数及びトレーニングフィールド内の各ｅＢＲＰ−ＴＲＮサブフィールドを構成するグレイコードの数を決定するステップは、第１装置のアンテナ数が１又は２であり、且つ第１装置のアンテナが同一偏波アンテナであるとき、第１装置により、トレーニングフィールド内の各ｅＢＲＰ−ＣＥサブフィールドが５×Ｃ２個のグレイコードで構成されると決定し、トレーニングフィールド内の各ｅＢＲＰ−ＴＲＮサブフィールドが５個のグレイコードで構成されると決定するステップ、第１装置のアンテナ数が３又は４であり、且つ第１装置のアンテナが同一偏波アンテナであるとき、第１装置により、トレーニングフィールド内の各ｅＢＲＰ−ＣＥサブフィールドが９×Ｃ２個のグレイコードで構成されると決定し、第１装置により、トレーニングフィールド内の各ｅＢＲＰ−ＴＲＮサブフィールドが１０×Ｃ２個のグレイコード又は９×Ｃ２個のグレイコードで構成されると決定するステップ、又は、第１装置のアンテナ数が２又は４であり、且つ第１装置のアンテナが交差偏波アンテナであるとき、第１装置により、トレーニングフィールド内の各ｅＢＲＰ−ＣＥサブフィールドが５×Ｃ２個のグレイコードで構成されると決定し、トレーニングフィールド内の各ｅＢＲＰ−ＴＲＮサブフィールドが５×Ｃ２個のグレイコードで構成されると決定するステップであって、Ｃ２＝１又はＣ２は第１装置の送信チャネル数により決定される、ステップ、を含む。
【０１１５】
さらに、第１装置により、拡張ビーム調整プロトコルｅＢＲＰパケットのフォーマットを決定するステップは、第１装置のアンテナ数が１又は２であるとき、第１装置により、トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップ、第１装置のアンテナ数が３又は４であり、且つトレーニングフィールド内のｅＢＲＰ−ＴＲＮサブフィールドが１０×Ｃ２個のグレイコードで構成されるとき、第１装置により、トレーニングフィールド内のｅＢＲＰ−ＣＥサブフィールドの中の各グレイコードの長さが１２８×Ｃ１であると決定し、トレーニングフィールド内のｅＢＲＰ−ＴＲＮサブフィールドの中の各グレイコードの長さが１２８×Ｃ１又は６４×Ｃ１であると決定するステップ、第１装置のアンテナ数が３又は４であり、且つトレーニングフィールド内のｅＢＲＰ−ＴＲＮサブフィールドが９×Ｃ２個のグレイコードで構成されるとき、第１装置により、トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップ、又は、第１装置のアンテナ数が４であり、且つトレーニングフィールド内のｅＢＲＰ−ＴＲＮサブフィールドが５×Ｃ２個のグレイコードで構成されるとき、第１装置により、トレーニングフィールド内の各ｅＢＲＰ−ＣＥサブフィールド及び各ｅＢＲＰ−ＴＲＮサブフィールドの中の各グレイコードの長さが１２８×Ｃ１であると決定するステップであって、Ｃ２＝１のとき、Ｃ１は第１装置の送信チャネル数により決定される、又はＣ２が第１装置の送信チャネル数により決定されるとき、Ｃ１＝１である、ステップ、を含む。
【０１１６】
一例として単一チャネル送信を用いると、単一チャネル送信モードでは、Ｃ１＝１且つＣ２＝１である。同一偏波アンテナ構成では、第１装置のアンテナ数が１又は２のとき、直交マスクは２つのコード要素を含み、第１装置は、トレーニングフィールド内の各ｅＢＲＰ−ＣＥサブフィールドが５個のグレイコードで構成されると決定し、トレーニングフィールド内の各ｅＢＲＰ−ＴＲＮサブフィールドが５個のグレイコードで構成されると決定して良い。したがって、２＜５／２個のグレイコードが、直交マスクの２つのコードワードの各々を用いてマスクされる。したがって、直交マスクの各コードワード内に少なくとも１対のグレイコード相補シーケンスが存在する。同一偏波アンテナ構成では、第１装置のアンテナ数が３又は４のとき、第１装置は、トレーニングフィールド内のｅＢＲＰ−ＣＥサブフィールドが９個のグレイコードで構成され、直交マスクは４個のコード要素を含むと決定し、トレーニングフィールド内の各ｅＢＲＰ−ＴＲＮサブフィールドが１０個のグレイコードで構成されると決定して良い。代替として、第１装置のアンテナ数が３又は４のとき、第１装置は、トレーニングフィールド内のｅＢＲＰ−ＴＲＮサブフィールドが９個のグレイコードで構成されると決定して良い。したがって、２（＜９／４、１０／４）個のグレイコードが、直交マスクの４個のコードワードの各々を用いてマスクされる。したがって、直交マスクの各コードワード内に少なくとも１対のグレイコード相補シーケンスが存在する。このように、直交マスクは、異なる送信アンテナを用いて送信されるｅＢＲＰ−ＴＲＮのために使用され、したがって複数のアンテナが同時にトレーニングでき、ビームトレーニング効率も向上する。さらに、第１装置のアンテナ数が１又は２のとき、第１装置は、トレーニングフィールド内の各ｅＢＲＰ−ＣＥサブフィールド及び各ｅＢＲＰ−ＴＲＮサブフィールド内の各グレイコードの長さが１２８であると決定し、同一偏波アンテナ構成では、第１装置のアンテナ数が３又は４であり、且つトレーニングフィールド内のｅＢＲＰ−ＴＲＮサブフィールドが１０個のグレイコードで構成されるとき、第１装置は、トレーニングフィールド内の各ｅＢＲＰ−ＣＥサブフィールドの中の各グレイコードの長さが１２８であると決定し、トレーニングフィールド内の各ｅＢＲＰ−ＴＲＮサブフィールドの中の各グレイコードの長さが６４であると決定して良く、又は、第１装置のアンテナ数が３又は４であり、且つトレーニングフィールド内のｅＢＲＰ−ＴＲＮサブフィールドが９個のグレイコードで構成されるとき、第１装置は、トレーニングフィールド内の各ｅＢＲＰ−ＣＥサブフィールドの中の各グレイコードの長さが１２８であると決定し、トレーニングフィールド内の各ｅＢＲＰ−ＴＲＮサブフィールドの中の各グレイコードの長さが１２８であると決定して良して良い。
【０１１７】
例えば、同一偏波アンテナ構成では、第１装置のアンテナ数が２のとき、プリアンブルフィールド内のＣＥフィールドの後半部分は、ｅＢＲＰ−ＣＥサブフィールドとして使用されて良い。例えば、シングルキャリア（英語：Single  Carrier、略してＳＣ）モードＣＥの後半部分、Ｇｖ５１２＋Ｇｖ１２８、つまり［−Ｇｂ１２８  Ｇａ１２８  −Ｇｂ１２８  −Ｇａ１２８  −Ｇｂ１２８］が、ｅＢＲＰ−ＣＥサブフィールドとして使用される。直交周波数分割多重（英語：Orthogonal  Frequency  Division  Multiplex、略してＯＦＤＭ）モードＣＥの後半部分、Ｇｕ５２１＋Ｇｖ１２８、つまり［−Ｇｂ１２８  Ｇａ１２８  Ｇｂ１２８  −Ｇａ１２８  −Ｇｂ１２８］も、ｅＢＲＰ−ＣＥサブフィールドとして使用され得る。２つのアンテナのｅＢＲＰ−ＣＥサブフィールド及びｅＢＲＰ−ＴＲＮサブフィールドがそれぞれ直交マスク［１  １］及び［１  −１］を使用するとき、ｅＢＲＰ−ＣＥサブフィールド及びｅＢＲＰ−ＴＲＮサブフィールドのｅＢＲＰ−ＣＥサブフィールドの長さ及びｅＢＲＰ−ＴＲＮサブフィールドの長さの両方がマスクの長さに完全に揃っていないので、マスキングは、直交マスクを用いることにより最初のグレイコードで開始し、直交マスクを用いることにより最後のグレイコードで終了して良い。マスキングが最初のグレイコードで開始するとき、アンテナ１により送信されるトレーニングフィールド内のｅＢＲＰ−ＣＥサブフィールドは、［−Ｇｂ１２８  Ｇａ１２８  −Ｇｂ１２８  −Ｇａ１２８  −Ｇｂ１２８］であり、アンテナ２により送信されるトレーニングフィールド内のｅＢＲＰ−ＣＥサブフィールドは、［−Ｇｂ１２８  Ｇａ１２８  Ｇｂ１２８  Ｇａ１２８  −Ｇｂ１２８］である。アンテナ１により送信されるｅＢＲＰ−ＴＲＮサブフィールドは、［Ｇａ１２８  −Ｇｂ１２８  Ｇａ１２８  Ｇｂ１２８  Ｇａ１２８］であり、アンテナ２により送信されるｅＢＲＰ−ＴＲＮサブフィールドは、［Ｇａ１２８  −Ｇｂ１２８  −Ｇａ１２８  −Ｇｂ１２８  Ｇａ１２８］である。つまり、ｅＢＲＰ−ＴＲＮサブフィールド内には、対応する直交マスクの第１コードワード内に１対のグレイ相補シーケンス［Ｇａ１２８  −Ｇｂ１２８］があり、直交マスクの第２コードワード内に１対のグレイ相補シーケンス［Ｇａ１２８  Ｇｂ１２８］がある。グレイ相補シーケンスは、良好な自己相関特性を有するので、ビームトレーニング測定の精度が保証できる。マスキングが最後のグレイコードで終了するとき、アンテナ１により送信されるトレーニングフィールド内のｅＢＲＰ−ＣＥサブフィールドは、［−Ｇｂ１２８  Ｇａ１２８  −Ｇｂ１２８  −Ｇａ１２８  −Ｇｂ１２８］であり、アンテナ２により送信されるトレーニングフィールド内のｅＢＲＰ−ＣＥサブフィールドは、［−Ｇｂ１２８  Ｇａ１２８  Ｇｂ１２８  Ｇａ１２８  Ｇｂ１２８］である。アンテナ１により送信されるｅＢＲＰ−ＴＲＮサブフィールドは、［Ｇａ１２８  −Ｇｂ１２８  Ｇａ１２８  Ｇｂ１２８  Ｇａ１２８］であり、アンテナ２により送信されるｅＢＲＰ−ＴＲＮサブフィールドは、［Ｇａ１２８  −Ｇｂ１２８  Ｇａ１２８  −Ｇｂ１２８  −Ｇａ１２８］である。勿論、トレーニングフィールド内のｅＢＲＰ−ＣＥサブフィー��ドを決定するとき、第１装置は、代替として、ＳＣモードシーケンス及びＯＦＤＭシーケンスを区別しなくて良い。言い換えると、第１装置の送信機により送信される、異なるモード（ＯＦＤＭモード又はＳＣモード）のトレーニングフィールド内のｅＢＲＰ−ＣＥサブフィールドのシーケンス設計は、同じであって良い。これは、以下の利点をもたらす：ＳＣモード装置及びＯＦＤＭモード装置の両方が、ビームトレーニングを実行するために、トレーニングフィールドを受信できる。［１，１］及び［１，−１］がそれぞれアンテナ１及びアンテナ２のマスクとして使用される前述の例は、単なる一例として使用されることが理解できる。アンテナ１及びアンテナ２のマスクは、代替として、それぞれ［１，−１］及び［１，１］であって良い。
【０１１８】
別の例では、同一偏波アンテナ構成において、第１装置のアンテナ数が４のとき、トレーニングフィールド内のｅＢＲＰ−ＣＥサブフィールドは、ＩＥＥＥ８０２．１１ａｄ規格におけるビーム調整プロトコルパケット内のトレーニングフィールド内のＣＥサブフィールドと同じであって良い。例えば、ＳＣモードのｅＢＲＰ−ＣＥサブフィールドは、［−Ｇｂ１２８  −Ｇａ１２８  Ｇｂ１２８  −Ｇａ１２８  −Ｇｂ１２８  Ｇａ１２８  −Ｇｂ１２８  −Ｇａ１２８  −Ｇｂ１２８］であって良く、ＯＦＤＭ  ＰＨＹのｅＢＲＰ−ＣＥサブフィールドは、［−Ｇｂ１２８  −Ｇａ１２８  Ｇｂ１２８  −Ｇａ１２８  −Ｇｂ１２８  Ｇａ１２８  −Ｇｂ１２８  −Ｇａ１２８  −Ｇｂ１２８］であって良い。ｅＢＲＰ−ＴＲＮサブフィールドの構造が長さ１２８の９個のグレイコードであるとき、ｅＢＲＰ−ＴＲＮサブフィールドは、４対のグレイ相補コード及びサフィックスである。例えば、ｅＢＲＰ−ＴＲＮサブフィールドは、［−Ｇａ１２８  Ｇｂ１２８  −Ｇａ１２８  −Ｇｂ１２８  −Ｇａ１２８  −Ｇｂ１２８  Ｇａ１２８  −Ｇｂ１２８  −Ｇａ１２８］であって良い。ブロック分離及び位相推定を実施するために、サフィックスの長さは１２８個のサンプリング点であって良い。改良方法において、ビーム調整プロトコルパケット内のトレーニングフィールド内のＣＥサブフィールドと類似する特性が維持される。拡張を実行するために、異なるアンテナは直交マスク［１，１，１，１］、［１，１，−１，−１］、［１，−１，１，−１］、及び［１，−１，−１，１］、を使用して良い。マスキングは直交マスクを用いて最初のグレイコードで開始して良く、又は、マスキングは直交マスクを用いて最後のグレイコードで終了して良い。ｅＢＲＰ−ＴＲＮサブフィールドの構造が長さ６４の１０個のグレイコードであるとき、ＴＲＮサブフィールドは、４対のグレイ相補コード及びサフィックスである。例えば、ｅＢＲＰ−ＴＲＮサブフィールドは、［−Ｇａ６４  Ｇｂ６４  −Ｇａ６４  −Ｇｂ６４  Ｇａ６４  −Ｇｂ６４  Ｇａ６４  Ｇｂ６４  −Ｇａ６４  Ｇｂ６４］であって良い。２つのアンテナの場合と同様に、対応する直交マスクの各コードワード内に１対のグレイ相補シーケンスがある。ブロック分離及び位相推定を実施するために、サフィックスの長さは１２８個のサンプリング点であって良い。したがって、最初のグレイコードは９番目のグレイコードと同じであり、２番目のグレイコードは１０番目のグレイコードと同じである。拡張を実行するために、異なるアンテナは直交マスク［１，１，１，１］、［１，１，−１，−１］、［１，−１，１，−１］、及び［１，−１，−１，１］、を使用して良い。ＩＥＥＥ８０２．１１ａｄにおける定義は、ここではＧａ６４、Ｇｂ６４、Ｇａ１２８、Ｇｂ１２８のために使用されて良い。別の直交マスクも用いられて良い。これはここで限定されない。ＴＲＮフィールドが拡張されるとき、トレーニングフィールド内のＣＥ長の短縮（トレーニングフィールド内の全部のＣＥサブフィールドの長さの短縮、又はトレーニングフィールド内の一部のＣＥサブフィールドの長さの短縮）方法、及びトレーニングフィールド内のＣＥの比率の低減方法の両者は結合され���も良い。したがって、より多くのビームがトレーニングでき、トレーニング効率が向上する。詳細事項は、ここで再び記載されない。
【０１１９】
アンテナ数が１又は２のとき、ｅＢＲＰ−ＣＥサブフィールドにより占有される時間は、ＩＥＥＥ８０２．１１ａｄ規格においてトレーニングフィールド内のＣＥサブフィールドにより占有される時間より少ない。このように、トレーニングフィールド内のｅＢＲＰ−ＣＥサブフィールドにより占有される時間の、トレーニングフィールド内のｅＢＲＰ−ＴＲＮサブフィールドにより占有される時間に対する比は低減される。言い換えると、より多くのｅＢＲＰ−ＴＲＮサブフィールドが同じ時間期間内で送信できる。したがって、より多くのビームがトレーニングでき、トレーニング効率が向上する。アンテナ数が３又は４のとき、ｅＢＲＰ−ＴＲＮサブフィールドに含まれるグレイコードの数は、ＩＥＥＥ８０２．１１ａｄ規格においてＴＲＮサブフィールドに含まれるグレイコードの数より大きく、ＩＥＥＥ８０２．１１ａｄにおけるＴＲＮサブフィールドと同じ、長さ１２８のグレイシーケンスが使用される場合、トレーニング効率は必ずしも向上されないことがある。しかしながら、直交マスク方法で送信が実行されることを考慮すると、複数の送信アンテナは同時にトレーニングでき、ビームトレーニング効率もＩＥＥＥ８０２．１１ａｄにおけるＢＲＰパケットのものより高い。したがって、改良の検討は、ＩＥＥＥ８０２．１１ａｄにおけるＴＲＮサブフィールドより短いシーケンス長、つまり１２８／２＝６４がｅＢＲＰ−ＴＲＮのために使用されることである。更に、直交マスクの各コードワード内に少なくとも１対のグレイコード相補シーケンスが存在する。したがって、ビームトレーニング測定の精度が保証できる。
【０１２０】
別の例では、交差偏波アンテナ構成において、第１装置のアンテナ数が２のとき、アンテナは、トレーニングを実行するために、２つの直交偏波方向に同じトレーニングフィールドを送信して良い。言い換えると、直交マスクを用いることにより、異なる偏波方向にあるアンテナを区別することなく、第１装置は、トレーニングフィールド内の各ｅＢＲＰ−ＣＥサブフィールドが５個のグレイコードで構成されると決定し、トレーニングフィールド内の各ｅＢＲＰ−ＴＲＮサブフィールドが５個のグレイコードで構成されると決定して良い。第１装置のアンテナ数が４のとき、２つの同一偏波アンテナは長さ２の直交マスクを使用する。直交マスクは２つの要素を含み、第１装置は、トレーニングフィールド内のｅＢＲＰ−ＣＥサブフィールドが５個のグレイコードで構成されると決定し、トレーニングフィールド内のｅＢＲＰ−ＴＲＮサブフィールドが５個のグレイコードで構成されると決定して良い。したがって、２＜５／２個のグレイコードが、直交マスクの２つのコードワードの各々を用いてマスクされる。したがって、直交マスクの各コードワード内に少なくとも１対のグレイコード相補シーケンスが存在する。このように、直交マスクは、異なる送信アンテナを用いて送信されるｅＢＲＰ−ＴＲＮのために使用され、複数のアンテナが同時にトレーニングできるようにし、ビームトレーニング効率も向上する。
【０１２１】
例えば、第１装置が４個の交差偏波アンテナを使用すると仮定する。具体的に、第１装置のアンテナ１及びアンテナ３は直交偏波方向にあり、第１装置のアンテナ２及びアンテナ４は直交偏波方向にあり、アンテナ１及びアンテナ２は同一偏波方向にあり、アンテナ３及びアンテナ４は同一偏波方向にある。プリアンブルフィールド内のＣＥフィールドの後半部分は、ｅＢＲＰ−ＣＥサブフィールドとして使用されて良い。例えば、シングルキャリア（英語：Single  Carrier、略してＳＣ）モードシーケンスの後半部分、Ｇｖ５１２＋Ｇｖ１２８、つまり［−Ｇｂ１２８  Ｇａ１２８  −Ｇｂ１２８  −Ｇａ１２８  −Ｇｂ１２８］が、ｅＢＲＰ−ＣＥサブフィールドとして使用される。直交周波数分割多重（英語：Orthogonal  Frequency  Division  Multiplex、略してＯＦＤＭ）モードシーケンスの後半部分、Ｇｕ５２１＋Ｇｖ１２８、つまり［−Ｇｂ１２８  −Ｇａ１２８  Ｇｂ１２８  −Ｇａ１２８  −Ｇｂ１２８］も、ｅＢＲＰ−ＣＥサブフィールドとして使用され得る。２つの同一偏波アンテナのｅＢＲＰ−ＣＥサブフィールド及びｅＢＲＰ−ＴＲＮサブフィールドがそれぞれ直交マスク［１  １］及び［１  −１］を使用するとき、マスキングは、直交マスクを用いて最初のグレイコードで開始し、アンテナ１及びアンテナ３により送信されるトレーニングフィールド内のｅＢＲＰ−ＣＥサブフィールドは、［−Ｇｂ１２８  Ｇａ１２８  −Ｇｂ１２８  −Ｇａ１２８  −Ｇｂ１２８］であり、アンテナ２及びアンテナ４により送信されるトレーニングフィールド内のｅＢＲＰ−ＣＥサブフィールドは、［−Ｇｂ１２８  Ｇａ１２８  Ｇｂ１２８  Ｇａ１２８  −Ｇｂ１２８］である。アンテナ１及びアンテナ３により送信されるｅＢＲＰ−ＴＲＮサブフィールドは、［Ｇａ１２８  −Ｇｂ１２８  Ｇａ１２８  Ｇｂ１２８  Ｇａ１２８］であり、アンテナ２及びアンテナ４により送信されるｅＢＲＰ−ＴＲＮサブフィールドは、［Ｇａ１２８  −Ｇｂ１２８  −Ｇａ１２８  −Ｇｂ１２８  Ｇａ１２８］である。つまり、ｅＢＲＰ−ＴＲＮサブフィールド内には、対応する直交マスクの第１コードワード内に１対のグレイ相補シーケンス［Ｇａ１２８  −Ｇｂ１２８］があり、直交マスクの第２コードワード内に１対のグレイ相補シーケンス［Ｇａ１２８  Ｇｂ１２８］がある。グレイ相補シーケンスは、良好な自己相関特性を有するので、ビームトレーニング測定の精度が保証できる。勿論、トレーニングフィールド内のｅＢＲＰ−ＣＥサブフィールドを決定するとき、第１装置は、代替として、ＳＣモードシーケンス及びＯＦＤＭシーケンスを区別しなくて良い。言い換えると、第１装置の送信機により送信される、異なるモード（ＯＦＤＭモード又はＳＣモード）のトレーニングフィールド内のｅＢＲＰ−ＣＥサブフィールドのシーケンス設計は、同じであって良い。これは、以下の利点をもたらす：ＳＣモード装置及びＯＦＤＭモード装置の両方が、ビームトレーニングを実行するために、トレーニングフィールドを受信できる。［１，１］及び［１，−１］がそれぞれアンテナ１／３及びアンテナ２／４のマスクとして使用される前述の例は、単なる一例として使用されることが理解できる。アンテナ１／３及びアンテナ２／４のマスクは、代替���して、それぞれ［１，−１］及び［１，１］であって良い。さらに、トレーニングフィールド内のｅＢＲＰ−ＣＥサブフィールドとｅＢＲＰ−ＴＲＮサブフィールドとの間には複数の位置関係が存在して良い。
【０１２２】
前述の実施形態は、単一チャネル送信の特定の実施形態である。さらに、多入力多出力（英語：Multiple−Input  Multiple−Output、略してＭＩＭＯ）技術及びチャネル結合の両方がサポートされるとき、Ｚ（Ｚは１以上の正整数である）個のチャネルが結合されると、ｅＢＲＰ−ＣＥサブフィールド及びｅＢＲＰ−ＴＲＮサブフィールドの時間は不変であるが、ｅＢＲＰ−ＣＥサブフィールド及びｅＢＲＰ−ＴＲＮサブフィールドに含まれるサンプリング点は元のサンプリング点のＺ倍である。
【０１２３】
複数のアンテナのトレーニングフィールド内のｅＢＲＰ−ＣＥサブフィールド及びｅＢＲＰ−ＴＲＮサブフィールドは、直交マスク方法で送信され、第１装置は、ｅＢＲＰ−ＣＥサブフィールド及びｅＢＲＰ−ＴＲＮサブフィールドの直交マスクの各コードワード内に少なくとも１対のグレイコード相補シーケンスが存在すると決定する。具体的に、可能な実装では、ｅＢＲＰ−ＣＥサブフィールドは、長さＺ×１２８の９個のグレイコードで構成され続け、ｅＢＲＰ−ＴＲＮサブフィールドは長さＺ×１２８の５個のグレイコードで構成され続ける。この場合、ｅＢＲＰ−ＴＲＮサブフィールドのグレイコードの数は、アンテナ数より２倍少ないことが起こり得、処理方法は前述の記載と同じである、つまり、第１装置の同一偏波送信アンテナの数が３又は４のとき、ｅＢＲＰ−ＣＥサブフィールドに含まれるグレイコードの数は拡張される。長さＺばつ１２０の９個のグレイコード、又は長さＺ×６４の１０個のグレイコードが、ｅＢＲＰ−ＴＲＮを構成するために使用されて良い。第１装置の複数のアンテナは、トレーニングフィールドを送信するために直交マスクを使用する。ＴＲＮフィールドが拡張されるとき、トレーニングフィールド内のＣＥ長の短縮（トレーニングフィールド内の全部のＣＥサブフィールドの長さの短縮、又はトレーニングフィールド内の一部のＣＥサブフィールドの長さの短縮）方法、及びトレーニングフィールド内のＣＥの比率の低減方法の両者は結合されて良い。したがって、より多くのビームがトレーニングでき、トレーニング効率が向上する。詳細事項は、ここで再び記載されない。
【０１２４】
別の可能な実装では、Ｚ＝１のとき、単一チャネル送信モードにおける特定の実装が参照されて良い。詳細はここで再び記載される必要がない。Ｚが２以上の正整数であるとき、ｅＢＲＰ−ＣＥサブフィールドは長さ１２８の９×Ｚ個のグレイコードで構成され続け、ｅＢＲＰ−ＴＲＮサブフィールドは、長さ１２８の５×Ｚ個のグレイコードで構成され続ける。これは、Ｚが２以上の正整数であるとき、５×Ｚが１０以上の正整数であるからである。この場合、ｅＢＲＰ−ＴＲＮサブフィールドのグレイコードの数がアンテナ数の２倍未満である場合は存在しない。第１装置の複数のアンテナは、トレーニングフィールドを送信するために直交マスクを使用する。トレーニングフィールド内のＣＥ長を短縮する（トレーニングフィールド内の全部のＣＥサブフィールドの長さを短縮する、又はトレーニングフィールド内の一部のＣＥサブフィールドの長さを短縮する）方法、及びトレーニングフィールド内のＣＥの比率を低減する方法は、結合されて良い。したがって、より多くのビームがトレーニングでき、トレーニング効率が向上する。詳細事項は、ここで再び記載されない。
【０１２５】
例えば、トレーニングフィールド内のｅＢＲＰ−ＣＥサブフィールド及びｅＢＲＰ−ＴＲＮサブフィールドは、複数のＣＥ−ＴＲＮユニットにグループ化されて良い。各ＣＥ−ＴＲＮユニットは、ｅＢＲＰ−ＣＥサブフィールド及びｅＢＲＰ−ＴＲＮサブフィールドで構成される。具体的に、各ＣＥ−ＴＲＮユニットは、１個のｅＢＲＰ−ＣＥサブフィールド及び少なくとも４個のｅＢＲＰ−ＴＲＮサブフィールドを含んで良い。少なくとも４個のｅＢＲＰ−ＴＲＮサブフィールドは、ｅＢＲＰ−ＣＥサブフィールドの後に置かれ、ｅＢＲＰ−ＣＥサブフィールドに続く。例えば、図４は、本発明の一実施形態によるｅＢＲＰパケットの構造ブロック図である。図４に示すｅＢＲＰパケットは、プリアンブルフィールド、ヘッダフィールド、データフィールド、及びトレーニングフィールドを含む。トレーニングフィールドは、ｅＢＲＰ−ＡＧＣフィールド及びｅＢＲＰ−ＴＲＮフィールドを含む。ｅＢＲＰ−ＴＲＮフィールドは、３個のＣＥ−ＴＲＮユニットを含み、各ＣＥ−ＴＲＮユニットは、１個のｅＢＲＰ−ＣＥサブフィールド及び５個のｅＢＲＰ−ＴＲＮサブフィールドを含む。
【０１２６】
別の例では、トレーニングフィールド内の１又は複数のｅＢＲＰ−ＣＥサブフィールドは、特定位置に置かれ、トレーニングフィールド内のｅＢＲＰ−ＣＥサブフィールドの数のトレーニングフィールド内のｅＢＲＰ−ＴＲＮサブフィールドの数に対する比は、１：４以下である。トレーニングフィールド内の複数のｅＢＲＰ−ＴＲＮサブフィールドが順番に連続すると仮定すると、特定位置は、以下の位置のうちの少なくとも１つにある：複数のｅＢＲＰ−ＴＲＮサブフィールドのうちの１番目のｅＢＲＰ−ＴＲＮサブフィールドの前に置かれ、ここで、ｅＢＲＰ−ＣＥサブフィールド及び複数のｅＢＲＰ−ＴＲＮサブフィールドのうちの１番目のｅＢＲＰ−ＴＲＮサブフィールドが連続する；複数のｅＢＲＰ−ＴＲＮサブフィールドのうちの最後のｅＢＲＰ−ＴＲＮサブフィールドの後に置かれ、ここで、ｅＢＲＰ−ＣＥサブフィールド及び複数のｅＢＲＰ−ＴＲＮサブフィールドのうちの最後のサブフィールドは連続する；又は、複数のｅＢＲＰ−ＴＲＮサブフィールドのうちの中間位置に置かれ、つまり、ｅＢＲＰ−ＣＥサブフィールドの前にあるｅＢＲＰ−ＴＲＮサブフィールドの数はｅＢＲＰ−ＣＥサブフィールドの後にあるｅＢＲＰ−ＴＲＮサブフィールドの数と同じである。トレーニングフィールドに含まれるｅＢＲＰ−ＣＥサブフィールドの数は、指定位置の数と同じであることが理解できる。勿論、指定位置は、前述の３つの位置以外の位置を更に含んで良い。例えば、図５は、本発明の一実施形態による別のｅＢＲＰパケットの構造ブロック図である。図５に示すように、拡張ビーム調整プロトコルパケットは、プリアンブルフィールド、ヘッダフィールド、データフィールド、及びトレーニングフィールドを含む。トレーニングフィールドは、ｅＢＲＰ−ＡＧＣフィールド及びｅＢＲＰ−ＴＲＮフィールドを含み、ｅＢＲＰ−ＴＲＮフィールドは、２個のｅＢＲＰ−ＣＥサブフィールド及び複数のｅＢＲＰ−ＴＲＮサブフィールドを含む。図５に示すように、ｅＢＲＰ−ＴＲＮフィールド内の１番目のサブフィールドは、ｅＢＲＰ−ＣＥサブフィールドであり、ｅＢＲＰ−ＴＲＮフィールド内の最後の４個のサブフィールドは他のｅＢＲＰ−ＣＥサブフィールドであり、ｅＢＲＰ−ＴＲＮフィールド内の他のサブフィールドはｅＢＲＰ−ＴＲＮサブフィールドである。記載を容易にするために、複数のｅＢＲＰ−ＴＲＮサブフィールドを表すために図５において「．．．」が使用されることが理解できる。
【０１２７】
さらに、比較的小さなアンテナアレイ要素数だけが、ＩＥＥＥ８０２．１１ａｄにおいてサポートされる。具体的には、各アンテナ内に６４個より多くのアレイ要素は存在しない。したがって、ＩＥＥＥ８０２．１１ａｙでは、より多くのアンテナアレイ要素がサポートされる必要がある。結果として、受信機利得は、トレーニングフィールド内のＡＧＣを集めることにより、及び集めたＡＧＣフィールドを用いることにより、推定され、それにより受信機のダイナミックレンジに制限を課す。
【０１２８】
可能な実装では、より大きな受信機のダイナミックレンジをサポートするために、複数の受信機利得がＡＧＣサブフィールドグループ化方法で推定される。具体的に、トレーニングフィールドは、ｅＢＲＰ−ＡＧＣフィールドを含んで良く、第１装置により、ｅＢＲＰパケットのフォーマットを決定するステップは、第１装置により、トレーニングフィールドがＫ個のＡＧＣ−ＴＲＮサブフィールドグループを含むと決定するステップであって、各ＡＧＣ−ＴＲＮサブフィールドグループに含まれるｅＢＲＰ−ＡＧＣサブフィールド及びｅＢＲＰ−ＴＲＮサブフィールドの数は同じであり、各ＡＧＣ−ＴＲＮサブフィールドグループに含まれるｅＢＲＰ−ＡＧＣサブフィールド及びｅＢＲＰ−ＴＲＮサブフィールドは同じＡＷＶグループを用い、ｅＢＲＰ−ＡＧＣサブフィールドは各ＡＧＣ−ＴＲＮサブフィールドグループ内でｅＢＲＰ−ＴＲＮサブフィールドの前に位置し、Ｋは１以上の正整数である、ステップを更に含んで良い。このように、受信機は、各ＡＧＣ−ＴＲＮサブフィールドグループにおいて適切な受信機利得を推定して良い。したがって、より大きな受信機ダイナミックレンジを得ることができる。これは、異なるＡＷＶ構成でチャネル情報を測定することを助ける。さらに、数ＫがｅＢＲＰ−ＴＲＮサブフィールドの数と同じとき、各ｅＢＲＰ−ＡＧＣサブフィールドは、ｅＢＲＰ−ＴＲＮサブフィールドに隣接し、それによりＡＷＶの変化する回数を低減する。ＡＷＶの変化する回数の低減は、ＡＷＶ構成で測定のために使用できない時間の低減を伴う。したがって、異なるＡＷＶ構成に対応する大きさ及び位相を決定するために、より多くの時間が利用可能になり得る。それにより、正確なビームを決定するのを助ける。
【０１２９】
さらに、各ＡＧＣ−ＴＲＮサブフィールドグループは、ｅＢＲＰ−ＣＥサブフィールドを更に含んで良い。さらに、トレーニングフィールド内のＣＥ長を短縮する（トレーニングフィールド内の全部のＣＥサブフィールドの長さを短縮する、又はトレーニングフィールド内の一部のＣＥサブフィールドの長さを短縮する）方法、トレーニングフィールド内のＣＥの比率を低減する方法、及びＴＲＮサブフィールド内のグレイコードの数を拡張する方法は、結合されて良い。したがって、より多くのビームがトレーニングでき、トレーニング効率が向上する。詳細事項は、ここで再び記載されない。
【０１３０】
各ＡＧＣ−ＴＲＮサブフィールドグループ内のｅＢＲＰ−ＡＧＣサブフィールド、ｅＢＲＰ−ＴＲＮサブフィールド、及びｅＢＲＰ−ＣＥサブフィールドは、ＩＥＥＥ８０２．１１ａｄにおけるＴＲＮサブフィールド、ＡＧＣサブフィールド、及びＣＥサブフィールドのフォーマットに従い設計されて良い。さらに、トレーニングフィールド内のＣＥ長を短縮する（トレーニングフィールド内の全部のＣＥサブフィールドの長さを短縮する、又はトレーニングフィールド内の一部のＣＥサブフィールドの長さを短縮する）方法、トレーニングフィールド内のＣＥの比率を低減する方法、及びＴＲＮサブフィールド内のグレイコードの数を拡張する方法は、結合されて良い。したがって、より多くのビームがトレーニングでき、トレーニング効率が向上する。詳細事項は、ここで再び記載されない。さらに、各ＡＧＣ−ＴＲＮサブフィールドグループに含まれるｅＢＲＰ−ＡＧＣサブフィールドお酔いｂｅＢＲＰ−ＴＲＮサブフィールドの数は、同じである。しかしながら、任意の２つのＡＧＣ−ＴＲＮサブフィールドグループに含まれるｅＢＲＰ−ＡＧＣサブフィールドの数お酔いｂｅＢＲＰ−ＴＲＮサブフィールドの数は異なって良い。例えば、１番目のＡＧＣ−ＴＲＮサブフィールドグループは、４個のｅＢＲＰ−ＡＧＣサブフィールド及び４個のｅＢＲＰ−ＴＲＮサブフィールドを含むが、２番目のＡＧＣ−ＴＲＮサブフィールドグループは、８個のｅＢＲＰ−ＡＧＣサブフィールド及び８個のｅＢＲＰ−ＴＲＮサブフィールドを含む。これはここで特に限定されない。
【０１３１】
例えば、図６は、本発明の一実施形態による別のｅＢＲＰパケットの構造ブロック図である。図６に示すｅＢＲＰパケットは、プリアンブルフィールド、ヘッダフィールド、データフィールド、及びトレーニングフィールドを含む。トレーニングフィールドは、２個のＡＧＣ−ＴＲＮサブフィールドグループを含み、各ＡＧＣ−ＴＲＮサブフィールドグループは、４個のｅＢＲＰ−ＡＧＣサブフィールド及び４個のｅＢＲＰ−ＴＲＮサブフィールドを含む。さらに、各ＡＧＣ−ＴＲＮサブフィールドグループは、ｅＢＲＰ−ＣＥサブフィールドを更に含んで良い。
【０１３２】
さらに、図１に示す方法は、ステップ１０３を含んで良い。
【０１３３】
１０３。第１装置は、第２装置へトレーニングフィールド構成情報を送信する。ここで、トレーニングフィールド構成情報は、ｅＢＲＰパケット内でトレーニングフィールドのフォーマットを示すために使用され、トレーニングフィールド構成情報は、ビーム調整プロトコル要求フィールド、ビーム調整要素、又はｅＢＲＰパケット内のヘッダフィールドのうちの任意の１又は複数により伝達される。このように、第１装置は、第２装置がトレーニングフィールドのフォーマットに基づきビームトレーニングを実行できるように、第２装置にトレーニングフィールドのフォーマットを通知できる。
【０１３４】
ヘッダフィールドは、ここでは、ＩＥＥＥ８０２．１１ａｄで定められるヘッダフィールドであって良く、又はＩＥＥＥ８０２．１１ａｙで定められる新しいヘッダフィールドであって良い。
【０１３５】
トレーニングフィールドは、以下のフォーマット：トレーニングフィールド内のｅＢＲＰ−ＣＥサブフィールドの構造（つまり、各ｅＢＲＰ−ＣＥサブフィールドを構成するグレイコードの数及び長さ）、トレーニングフィールド内のｅＢＲＰ−ＴＲＮサブフィールドの構造（つまり、各ｅＢＲＰ−ＴＲＮサブフィールドを構成するグレイコードの数及び長さ）、及びトレーニングフィールド内のｅＢＲＰ−ＣＥサブフィールドの数のトレーニングフィールド内のｅＢＲＰ−ＴＲＮサブフィールドの数に対する比、のうちの１又は複数であって良い。任意で、トレーニングフィールドのフォーマットは、以下：トレーニングフィールド内のｅＢＲＰ−ＣＥサブフィールドの位置、トレーニングフィールド内のｅＢＲＰ−ＴＲＮサブフィールドの位置、及びトレーニングフィールド内のＡＧＣフィールドの位置及びフォーマット、のうちの少なくとも１つを更に含んで良い。
【０１３６】
ｅＢＲＰパケット内のトレーニングフィールドのフォーマットを示すために使用されるトレーニングフィールド構成情報は、トレーニングフィールドのフォーマットを直接示して良く、又はトレーニングフィールドのフォーマットに対応するインデックスを示して良い。言い換えると、異なるトレーニングフィールドのフォーマットは異なるインデックスに対応し、トレーニングフィールド構成情報は、トレーニングフィールドの且つ示される必要のあるフォーマットに対応するインデックスである。さらに、トレーニングフィールド構成情報は、更に別の形式であって良い。例えば、トレーニングフィールドのフォーマットのうち、ｅＢＲＰ−ＣＥサブフィールドの構造及びｅＢＲＰ−ＴＲＮサブフィールドの構造の異なる組み合わせは異なるインデックスに対応し、インデックスは、使用されるｅＢＲＰ−ＣＥサブフィールドの構造及びｅＢＲＰ−ＴＲＮサブフィールドの構造を決定するために、トレーニングフィールド構成情報内で示されて良い。さらに、トレーニングフィールド構成情報は、トレーニングフィールド内のｅＢＲＰ−ＣＥサブフィールドの数のトレーニングフィールド内のｅＢＲＰ−ＴＲＮサブフィールドの数に対する比を示すために更に使用される。このように、第２装置は、インデックスに基づき、ｅＢＲＰ−ＴＲＮサブフィールドの構造及びｅＢＲＰ−ＣＥサブフィールドの構造を決定し、トレーニングフィールド内のｅＢＲＰ−ＣＥサブフィールドの数のトレーニングフィールド内のｅＢＲＰ−ＴＲＮサブフィールドの数に対する示された比に基づき、トレーニングフィールド内のｅＢＲＰ−ＣＥサブフィールドの数のトレーニングフィールド内のｅＢＲＰ−ＴＲＮサブフィールドの数に対する比を決定できる。
【０１３７】
ステップ１０３で、第１装置は、明示的指示方法で、トレーニングフィールドのフォーマットを第２装置に明確に示す。第１装置は、黙示的指示方法で、例えば現在のＭＣＳレベルを参照する指示方法で、第２装置に、トレーニングフィールドのフォーマットを更に示して良い。
【０１３８】
さらに、ｅＢＲＰパケットを第２装置へ送信する前に、第１装置は、ｅＢＲＰパケットの種類、つまり、ｅＢＲＰパケットが受信ビームトレーニング（以後、ｅＢＲＰ−ＲＸパケットとして参照される）又は送信ビームトレーニング（以後、ｅＢＲＰ−ＴＸパケットとして参照される）のために使用されるかを決定して良い。ｅＢＲＰパケットが送信ビームトレーニングのために使用される場合、ｅＢＲＰパケットを送信するとき、第１装置は、送信ビームトレーニングを実行するために、ＡＷＶを変化して良い。具体的に、第１装置により送信されるｅＢＲＰパケットがｅＢＲＰ−ＴＸパケットである場合、第１装置がトレーニングフィールドを送信するときにトレーニング可能なＡＷＶの数は、ｅＢＲＰ−ＴＲＮサブフィールドの数に関連する。第１装置が単一アンテナであるとき、トレーニングされる送信ＡＷＶの数は、ｅＢＲＰ−ＴＲＮサブフィールドの数に等しい。複数の送信アンテナは、符号分割方法で異なるＡＷＶをトレーニングする。したがって、ｅＢＲＰ−ＴＲＮサブフィールドの直交マスクを用いて、同時トレーニングが実施され得る。したがって、複数のアンテナの場合に、トレーニング可能な最大送信ビーム数は、アンテナ数×ｅＢＲＰ−ＴＲＮサブフィールド数（つまり、アンテナ数とｅＢＲＰ−ＴＲＮサブフィールド数との積）である。ｅＢＲＰパケットが受信ビームトレーニングのために使用される場合、第１装置は、ｅＢＲＰパケットを送信するときＡＷＶを変化しないが、第２装置は、ｅＢＲＰパケットを受信するとき、受信ビームトレーニングを実行するために、ＡＷＶを変化する。具体的に、第１装置により送信されるｅＢＲＰパケットがｅＢＲＰ−ＲＸパケットである場合、第１装置は、トレーニングフィールドを送信するとき、ＡＷＶを変化しない。第２装置がｅＢＲＰパケットを受信するときにトレーニング可能なＡＷＶの数は、第１装置により送信されるｅＢＲＰ−ＲＸパケット内のｅＢＲＰ−ＴＲＮサブフィールドの数に関連する。第２装置が単一アンテナであるとき、トレーニングされる受信ＡＷＶの数は、ｅＢＲＰ−ＴＲＮサブフィールドの数に等しい。受信アンテナの数が１を超えるとき、各送信アンテナによりトレーニング可能な送信ＡＷＶの数は、ｅＢＲＰ−ＴＲＮサブフィールドの数以下である。複数の受信アンテナの異なるＡＷＶトレーニングは、複数の受信アンテナが、第１装置により送信されたｅＢＲＰ−ＴＲＮサブフィールドを異なるＡＷＶを用いて受信する方法で実施されて良い。勿論、受信アンテナによりトレーニングされる必要のあるビームは必ずしも同じではない。したがって、複数のアンテナの場合に、トレーニング可能な最大受信ビーム数は、アンテナ数×ｅＢＲＰ−ＴＲＮサブフィールド数（つまり、アンテナ数とｅＢＲＰ−ＴＲＮサブフィールド数との積）である。送信アンテナ数及び受信アンテナ数の両方が１より大きいとき、送信されたｅＢＲＰ−ＴＲＮサブフィールドが直交マスクを使用することにより異なるアンテナを区別する場合、受信機の各受信アンテナは、１つのｅＢＲＰ−ＴＲＮサブフィールドの中で、複数の送信アンテナの現在送信ＡＷＶ構成内の及び受信アンテナの現在受信ＡＷＶ構成内の無線チャネルを同時に測定し��る。ｅＢＲＰパケット送信及び受信の１又は複数のラウンドを通じて、送信側及び受信側は、対応する無線チャネルを測定し、通信を実行するために、対応する送信ＡＷＶ及び受信ＡＷＶの正確な構成を選択する。処理はここで、ＩＥＥＥ８０２．１１ａｄにおけるＢＲＰプロトコルに従って良く、特に限定されない。
【０１３９】
さらに、ＩＥＥＥ８０２．１１ａｄ規格では、トレーニングフィールドは、π／２二位相偏移変調（英語：Binary  Phase  Shift  Keying、ＢＰＳＫ）に基づき変調された後に、送信される。図１に示す方法では、第１装置は、代替として、π／２ＢＰＳＫ以外の変調方法を使用して良い。これは、本発明において限定されない。
【０１４０】
さらに、以上は、本発明の技術的ソリューションに基づき得ることのできる単なる特定の可能な実装を記載したことが理解できる。当業者は、本発明の実施形態に基づき別の特定の実装を更に決定できる。言い換えると、上述の特定の実装以外の実装が、式１．１が満たされるならば、ｅＢＲＰ−ＣＥサブフィールド及びｅＢＲＰ−ＴＲＮサブフィールドのために使用されて良い。例えば、Ｎ：Ｍの比が１：４未満である場合、ｅＢＲＰ−ＣＥサブフィールドは、長さ１２８の８個のグレイコード及び長さ６４の１個のグレイコードで構成され、ｅＢＲＰ−ＴＲＮサブフィールドは、長さ１２８の４個のグレイコード及び長さ６４の１個のグレイコードで構成される。このように、トレーニングフィールドの長さ及びトレーニング時間は短縮できる。
【０１４１】
図７は、本発明の一実施形態による別のビーム調整方法の概略フローチャートである。
【０１４２】
７０１。第１装置は、ｅＢＲＰパケットのフォーマットを決定する。ここで、ｅＢＲＰパケットはトレーニングフィールドを含み、トレーニングフィールドはｅＢＲＰ−ＡＧＣフィールド及びｅＢＲＰ−ＴＲＮサブフィールドで構成される。
【０１４３】
ｅＢＲＰパケットでは、トレーニングフィールドがｅＢＲＰ−ＣＥサブフィールドを含まないことを除き、他のフィールドは図１に示した方法のものと同じである。詳細はここで再び記載される必要がない。ｅＢＲＰ−ＡＧＣサブフィールド又はｅＢＲＰ−ＴＲＮは、ｅＢＲＰ−ＣＥサブフィールドとして作用する。
【０１４４】
７０２。第１装置は、ｅＢＲＰパケットの決定したフォーマットに基づき、第２装置へ、ｅＢＲＰパケットを送信する。
【０１４５】
図７に示す方法によると、トレーニングフィールドはｅＢＲＰ−ＣＥサブフィールドを含まないので、トレーニングフィールド内のｅＢＲＰ−ＴＲＮサブフィールドの効果的な比率が増大され、同じ時間期間内でより多くのＡＷＶ構成を試みることができる。
【０１４６】
図８は、本発明の一実施形態による別のｅＢＲＰパケットの構造ブロック図である。図８に示すｅＢＲＰパケットのフォーマットは、図７に示す方法に従い決定された、ｅＢＲＰパケットのフォーマットである。図８に示すように、ｅＢＲＰパケットは、プリアンブルフィールド、ヘッダフィールド、データフィールド、及びトレーニングフィールドを含む。プリアンブルフィールドは、ＳＴＦフィールド及びＣＥフィールドを含み、トレーニングフィールドは、ｅＢＲＰ−ＡＧＣフィールド及びｅＢＲＰ−ＴＲＮフィールドで構成される。各ｅＢＲＰ−ＡＧＣフィールドは、少なくとも４個のｅＢＲＰ−ＡＧＣサブフィールドを含み、各ｅＢＲＰ−ＴＲＮフィールドは少なくとも４個のｅＢＲＰ−ＴＲＮサブフィールドを含む。
【０１４７】
任意で、一実施形態では、送信モードは単一チャネル送信であり、第１装置により、ｅＢＲＰパケットのフォーマットを決定するステップは、第１装置のアンテナ数が１又は２であり、且つ第１装置のアンテナが同一偏波アンテナであるとき、第１装置により、トレーニングフィールド内の各ｅＢＲＰ−ＴＲＮサブフィールドが、長さが１２８×Ｃ１である５個のグレイコードで構成されると決定するステップ、第１装置のアンテナ数が３又は４であり、且つ第１装置のアンテナが同一偏波アンテナであるとき、第１装置により、トレーニングフィールド内の各ｅＢＲＰ−ＴＲＮサブフィールドが、以下のフォーマット：長さが６４である１０個のグレイコード又は長さが１２８である９個のグレイコードのうちのいずれか１つであると決定するステップ、又は、第１装置のアンテナ数が２又は４であり、且つ第１装置のアンテナが交差偏波アンテナであるとき、第１装置により、トレーニングフィールド内の各ｅＢＲＰ−ＴＲＮサブフィールドが、長さが１２８である５個のグレイコードで構成されると決定するステップ、を含む。アンテナ数が１又は２のとき、ｅＢＲＰ−ＴＲＮサブフィールドの長さは、ＩＥＥＥ８０２．１１ａｄ規格のＴＲＮサブフィールドの長さと同じであって良い。このように、ＩＥＥＥ８０２．１１ａｄとの良好な互換性が達成できる。しかしながら、直交マスク方法で送信が実行されることを考慮すると、複数の送信アンテナは同時にトレーニングでき、ビームトレーニング効率もＩＥＥＥ８０２．１１ａｄにおけるＢＲＰパケットのものより高い。更に、直交マスク各セグメントの各コードワード内に少なくとも１対のグレイコード相補シーケンスが存在する。したがって、ビームトレーニング測定の精度が保証できる。アンテナ数が３又は４のとき、ｅＢＲＰ−ＴＲＮサブフィールドに含まれるグレイコードの数は、ＩＥＥＥ８０２．１１ａｄ規格においてＴＲＮサブフィールドに含まれるグレイコードの数より大きく、ＩＥＥＥ８０２．１１ａｄにおけるＴＲＮサブフィールドと同じ、長さ１２８のグレイシーケンスが使用される場合、トレーニング効率は必ずしも向上されないことがある。しかしながら、直交マスク方法で送信が実行されることを考慮すると、複数の送信アンテナは同時にトレーニングでき、ビームトレーニング効率もＩＥＥＥ８０２．１１ａｄにおけるＢＲＰパケットのものより高い。したがって、改良の検討は、ＩＥＥＥ８０２．１１ａｄにおけるＴＲＮサブフィールドより短いシーケンス長、つまり１２８／２＝６４がｅＢＲＰ−ＴＲＮのために使用されることである。更に、直交マスクの各コードワード内に少なくとも１対のグレイコード相補シーケンスが存在する。したがって、ビームトレーニング測定の精度が保証できる。
【０１４８】
更に、送信は、マルチチャネル結合技術を参照して実行されて良い。任意で、別の実施形態では、第１装置により拡張ビーム調整プロトコルｅＢＲＰパケットのフォーマットを決定するステップは、第１装置のアンテナ数が１又は２のとき、第１装置により、トレーニングフィールド内の各ｅＢＲＰ−ＴＲＮサブフィールドの中の各グレイコードの長さが１２８×Ｃ１であると決定するステップ、第１装置のアンテナ数が３又は４であり、且つトレーニングフィールド内のｅＢＲＰ−ＴＲＮサブフィールドが１０×Ｃ２個のグレイコードで構成されるとき、第１装置により、トレーニングフィールド内の各ｅＢＲＰ−ＴＲＮサブフィールド内の各グレイコードの長さが１２８×Ｃ１又は６４×Ｃ１であると決定するステップ、第１装置のアンテナ数が３又は４であり、且つトレーニングフィールド内のｅＢＲＰ−ＴＲＮサブフィールドが９×Ｃ２個のグレイコードで構成されるとき、第１装置により、トレーニングフィールド内の各ｅＢＲＰ−ＴＲＮサブフィールド内の各グレイコードの長さが１２８×Ｃ１であると決定するステップ、又は、第１装置のアンテナ数が４であり、且つトレーニングフィールド内のｅＢＲＰ−ＴＲＮサブフィールドが５×Ｃ２個のグレイコードで構成されるとき、第１装置により、トレーニングフィールド内の各ｅＢＲＰ−ＴＲＮサブフィールド内の各グレイコードの長さが１２８×Ｃ１であると決定するステップであって、Ｃ２＝１のとき、Ｃ１は第１装置の送信チャネル数により決定される、又は、Ｃ２が第１装置の送信チャネル数により決定されるとき、Ｃ１＝１である、ステップ、を更に含む。明らかに、送信チャネル数は１以上の正整数であるべきである。
【０１４９】
第１装置により、ｅＢＲＰパケットのフォーマットを決定するステップは、第１装置により、トレーニングフィールドがＫ個のＡＧＣ−ＴＲＮサブフィールドグループを含むと決定するステップであって、各ＡＧＣ−ＴＲＮサブフィールドグループに含まれるｅＢＲＰ−ＡＧＣサブフィールド及びｅＢＲＰ−ＴＲＮサブフィールドの数は同じであり、各ＡＧＣ−ＴＲＮサブフィールドグループに含まれるｅＢＲＰ−ＡＧＣサブフィールド及びｅＢＲＰ−ＴＲＮサブフィールドは同じＡＷＶグループを用い、ｅＢＲＰ−ＡＧＣサブフィールドは各ＡＧＣ−ＴＲＮサブフィールドグループ内でｅＢＲＰ−ＴＲＮサブフィールドの前に位置し、Ｋは１以上の正整数である、ステップを更に含んで良い。各ＡＧＣ−ＴＲＮサブフィールドグループは、１つの受信利得を決定して良い。このように、受信機の受信ダイナミックレンジは拡大できる。例えば、図９は、本発明の一実施形態による別のｅＢＲＰパケットの構造ブロック図である。図９に示すｅＢＲＰパケットのフォーマットは、図７に示す方法に従い決定された、ｅＢＲＰパケットの別のフォーマットである。図９に示すように、ｅＢＲＰパケットは、プリアンブルフィールド、ヘッダフィールド、データフィールド、及びトレーニングフィールドを含む。プリアンブルフィールドは、ＳＴＦフィールド及びＣＥフィールドを含み、トレーニングフィールドは、ｅＢＲＰ−ＡＧＣサブフィールド及びｅＢＲＰ−ＴＲＮサブフィールドで構成される。より具体的に、トレーニングフィールドは、２個のＡＧＣ−ＴＲＮサブフィールドグループを含み、各ＡＧＣ−ＴＲＮサブフィールドグループは、４個のｅＢＲＰ−ＡＧＣサブフィールド及び４個のｅＢＲＰ−ＴＲＮサブフィールドを含む。さらに、各ＡＧＣ−ＴＲＮサブフィールドグループは、ｅＢＲＰ−ＣＥサブフィールドを含まない。
【０１５０】
図７に示す方法では、トレーニングフィールドはＣＥサブフィールドを含まず、したがって、ｅＢＲＰパケット内の別のサブフィールドがＣＥサブフィールドとして作用する。例えば、受信機と送信機との間の時間及び周波数同期を維持する機能は、ｅＢＲＰ−ＡＧＣサブフィールド又はｅＢＲＰ−ＴＲＮにより実施されて良い。ｅＢＲＰ−ＡＧＣサブフィールドの長さが拡張された後に、ＩＥＥＥ８０２．１１ａｄにおいてＡＧＣフィールド部分の中でグレイコードにより占有される時間より大きく且つｅＢＲＰ−ＡＧＣ部分内にある時間、又はｅＢＲＰ−ＴＲＮの最前部にある部分より大きく且つｅＢＲＰ−ＡＧＣ部分内にある時間は、時間及び周波数同期追跡を実行するために使用されて良い。ここで、ｅＢＲＰ−ＴＲＮの最前部にある部分は、ＡＷＶ変化において予め失われている。この場合、Ｋ個のＡＧＣ−ＴＲＮサブフィールドグループの各々は１個のｅＢＲＰ−ＡＧＣサブフィールド及び１個のｅＢＲＰ−ＴＲＮサブフィールドを含む。このように、ＡＷＶ変化回数は低減できる。ＡＷＶの変化する回数の低減は、ＡＷＶ構成で測定のために使用できない時間の低減を伴う。これは、ｅＢＲＰ−ＴＲＮのための効果的な測定時間の拡張される場合と等価である。したがって、異なるＡＷＶ構成に対応する大きさ及び位相を決定するために、より多くの時間が利用可能になり得る。それにより、正確なビームを決定するのを助ける。さらに、各ｅＢＲＰ−ＡＧＣサブフィールドは、長さが６４×Ｃ１のＴ個のグレイコードで構成され、Ｔは５×Ｃ２以上且つ９×Ｃ２以下の正整数であり、又は、各ｅＢＲＰ−ＡＧＣサブフィールドは、長さが１２８×Ｃ１の３×Ｃ２個又は４×Ｃ２個のグレイコードで構成され、Ｃ２＝１のとき、Ｃ１は第１装置の送信チャネル数により決定される、又は、Ｃ２が第１装置の送信チャネル数により決定されるとき、Ｃ１＝１である。例えば、単一チャネル送信では、Ｔ＝９のとき、ｅＢＲＰ−ＡＧＣサブフィールドは［Ｇａ６４  Ｇａ６４  Ｇａ６４  Ｇａ６４  Ｇａ６４  Ｇａ６４  Ｇａ６４  Ｇａ６４  Ｇａ６４］又は［Ｇｂ６４  Ｇｂ６４  Ｇｂ６４  Ｇｂ６４  Ｇｂ６４  Ｇｂ６４  Ｇｂ６４  Ｇｂ６４  Ｇｂ６４］であり、或いは、各ｅＢＲＰ−ＡＧＣサブフィールドは、長さが１２８の３個又は４個のグレイコードで構成されて良い。例えば、Ｔ＝４のとき、ｅＢＲＰ−ＡＧＣサブフィールドは、［Ｇａ１２８  Ｇａ１２８  Ｇａ１２８  Ｇａ１２８］又は［Ｇｂ１２８  Ｇｂ１２８  Ｇｂ１２８  Ｇｂ１２８］である。このように、ｅＢＲＰ−ＡＧＣサブフィールドは、送信機と受信機との間の時間及び周波数同期を維持するために使用できる。代替として、位相追跡は、ｅＢＲＰ−ＴＲＮの既知のシーケンスを用いて実行され、可能な実装はｅＢＲＰ−ＴＲＮ長拡張である。例えば、ＩＥＥＥ８０２．１１ａｄの既存のＴＲＮサブフィールドに基づき、長さ１２８のグレイコードが追加され、拡張を通じて［Ｇａ１２８  −Ｇｂ１２８  Ｇａ１２８  Ｇｂ１２８  Ｇａ１２８  −Ｇｂ１２８］が得られる。例えば、図１０は、本発明の一実施形態による別のｅＢＲＰパケットの構造ブロック図である。図１０に示すｅＢＲＰパケットのフォーマットは、図７に示す方法に従い決定された、ｅＢＲＰパケットの別のフォーマットである。図１０に示すように、ｅＢＲＰパケットは、プリアンブルフィールド、ヘッダフィールド、データフィールド、及びトレーニングフィールドを含む。プリアンブルフィールドは、ＳＴＦフィールド及びＣＥフィールドを含み、トレーニングフィールドは、ｅＢＲＰ−ＡＧＣサブフィールド及びｅＢＲＰ−ＴＲＮサブフィールドで構成される。より具体的に、トレーニングフィールドは、８個のＡＧＣ−ＴＲＮサブフィールドグループを含み、各ＡＧＣ−ＴＲＮサブフィールドグループは、１個のｅＢＲＰ−ＡＧＣサブフィールド及び１個のｅＢＲＰ−ＴＲＮサブフィールドを含む。さらに、各ＡＧＣ−ＴＲＮサブフィールドグループは、ｅＢＲＰ−ＣＥサブフィールドを含まない。さらに、プリアンブルフィールド内のＣＥフィールドは、異なるＡＷＶにおかる共通遅延を測定するために使用されて良い。代替として、共通遅延パラメータは、異なるＡＷＶで維持されないが、現在ＡＷＶにおける遅延パラメータは、各ｅＢＲＰ−ＴＲＮサブフィールド内で測定される。
【０１５１】
さらに、図７に示す方法は、ステップ７０３を更に含んで良い。
【０１５２】
７０３.７０３。第１装置は、第２装置へトレーニングフィールド構成情報を送信する。ここで、トレーニングフィールド構成情報は、ｅＢＲＰパケット内でトレーニングフィールドのフォーマットを示すために使用され、トレーニングフィールド構成情報は、ビーム調整プロトコル要求フィールド、ビーム調整要素、又はｅＢＲＰパケット内のヘッダフィールドのうちの任意の１又は複数により伝達される。
【０１５３】
ヘッダフィールドは、ここでは、ＩＥＥＥ８０２．１１ａｄで定められるヘッダフィールドであって良く、又はＩＥＥＥ８０２．１１ａｙで定められる新しいヘッダフィールドであって良い。
【０１５４】
トレーニングフィールドは、以下のフォーマット：トレーニングフィールド内のｅＢＲＰ−ＡＧＣサブフィールドの構造（つまり、各ｅＢＲＰ−ＡＧＣサブフィールドを構成するグレイコードの数及び長さ）、及びトレーニングフィールド内のｅＢＲＰ−ＴＲＮサブフィールドの構造（つまり、各ｅＢＲＰ−ＴＲＮサブフィールドを構成するグレイコードの数及び長さ）、のうちの１又は複数であって良い。任意で、トレーニングフィールドのフォーマットは、以下：トレーニングフィールド内のｅＢＲＰ−ＡＧＣサブフィールドの位置、及びトレーニングフィールド内のｅＢＲＰ−ＴＲＮサブフィールドの位置、のうちの少なくとも１つを更に含む。
【０１５５】
ｅＢＲＰパケット内のトレーニングフィールドのフォーマットを示すために使用されるトレーニングフィールド構成情報は、トレーニングフィールドのフォーマットを直接示して良く、又はトレーニングフィールドのフォーマットに対応するインデックスを示して良い。言い換えると、トレーニングフィールドのフォーマットが異なるインデックスに対応することが予め定められる。例えば、０は、ＢＲＰパケットのフォーマットがトレーニングフィールドのフォーマットとして使用されることを示し、１は、ｅＢＲＰパケットのフォーマットがトレーニングフィールドのフォーマットとして使用されることを示す。ｅＢＲＰパケットのフォーマットは、ｅＢＲＰパケットの所定フォーマットである。例えば、ｅＢＲＰ−ＣＥサブフィールドのｅＢＲＰ−ＴＲＮサブフィールドに対する比率は１：５である。ＩＥＥＥ８０２．１１ａｄにおけるＣＥサブフィールドのものと同じフォーマットがｅＢＲＰ−ＣＥサブフィールドのために使用され、ＩＥＥＥ８０２．１１ａｄにおけるＴＲＮサブフィールドのものと同じフォーマットがｅＢＲＰ−ＴＲＮサブフィールドのために使用される。第１装置は、代替として、明示的指示方法で、例えばＭＩＭＯ、つまり複数のアンテナが存在する、のような他の情報を用いて、又は新しいチャネルフィードバックモードを適用して、第２装置に、トレーニングフィールドのフォーマットを示して良い。送信側及び受信側は、予め、ｅＢＲＰパケット送信及び新しい能力により導入される新しいトレーニングフィールドが使用のために結合されることを合意する。例えば、ＣＥサブフィールドとＴＲＮ−Ｔ／Ｒとの間の比率関係は、新しいフィールドを用いて示される必要があると仮定すると、デフォルトで、フィールドが０より大きいことが示され、これはｅＢＲＰパケットが送信されることを示す。代替として、ＭＩＭＯ能力がサポートされるとき、ｅＢＲＰパケットは、ビームトレーニング及び追跡を実施するためにデフォルトで使用される。例えば、送信アンテナ数が１を超えるとき、又は新しいチャネルフィードバックモードが使用されるとき、測定はｅＢＲＰパケットに基づき実行されると考えられて良い。
【０１５６】
さらに、トレーニングフィールド構成情報は、代替として別の形式であって良い。例えば、トレーニングフィールドのフォーマットのうち、ｅＢＲＰ−ＡＧＣサブフィールドの構造及びｅＢＲＰ−ＴＲＮサブフィールドの構造の異なる組み合わせは異なるインデックスに対応し、インデックスは、使用されるｅＢＲＰ−ＡＧＣサブフィールドの構造及びｅＢＲＰ−ＴＲＮサブフィールドの構造を決定するために、トレーニングフィールド構成情報内で示されて良い。さらに、トレーニングフィールド構成情報は、トレーニングフィールド内の各ＡＧＣ−ＴＲＮサブフィールドグループの中のｅＢＲＰ−ＡＧＣサブフィールドの数及びｅＢＲＰ−ＴＲＮサブフィールドの数を示すために更に使用される。このように、第２装置は、インデックスに基づき、ｅＢＲＰ−ＴＲＮサブフィールドの構造及びｅＢＲＰ−ＡＧＣサブフィールドの構造を決定し、示されたトレーニングフィールド内の各ＡＧＣ−ＴＲＮサブフィールドグループの中のｅＢＲＰ−ＡＣＧサブフィールドの数及びｅＢＲＰ−ＴＲＮサブフィールドの数に基づき、トレーニングフィールド内の各ＡＧＣ−ＴＲＮサブフィールドグループの中のｅＢＲＰ−ＡＧＣサブフィールドの数及びｅＢＲＰ−ＴＲＮサブフィールドの数を直接決定できる。
【０１５７】
ステップ７０３で、第１装置は、明示的指示方法で、トレーニングフィールドのフォーマットを第２装置に明確に示す。第１装置は、代替として、黙示的指示方法で、トレーニングフィールドのフォーマットを第２装置に示して良い。
【０１５８】
さらに、図１に示した方法と同様に、ｅＢＲＰパケットを第２装置へ送信する前に、第１装置は、ｅＢＲＰパケットの種類を決定して良い。第１装置がｅＢＲＰパケットの種類に基づき対応するｅＢＲＰパケットを送信する処理は、図１に示した方法におけるものと同様である。詳細はここで再び記載される必要がない。
【０１５９】
さらに、ＩＥＥＥ８０２．１１ａｄ規格では、トレーニングフィールドは、π／２二位相偏移変調（英語：Binary  Phase  Shift  Keying、ＢＰＳＫ）に基づき変調された後に、送信される。図７に示す方法では、第１装置は、代替として、π／２ＢＰＳＫ以外の変調方法を使用して良い。これは、本発明において限定されない。
【０１６０】
本願明細書で言及される、長さ１２８のグレイコードは、グレイコードが１２８個の要素を有すること、及び各要素が１クロックサイクル（Ｔｃ）であることを意味することが、当業者により理解できる。各フィールドにより占有される時間は、フィールド内のグレイコードの数、及び各グレイコードの長さにより、一緒に決定される。マルチチャネル結合送信では、各要素の送信時間は更に短縮される。Ｚ個の連続するチャネルが結合され、各要素は１クロック周期であると仮定する（Ｔｃ／Ｚ）。Ｔｃは、単一チャネル送信における各要素の時間周期である。
【０１６１】
図１１は、本発明の一実施形態によるビーム調整方法の概略フローチャートである。
【０１６２】
１１０１。第２装置は、ｅＢＲＰパケットのフォーマットを受信する。ここで、ｅＢＲＰパケットはトレーニングフィールドを含み、トレーニングフィールドは、ｅＢＲＰ−ＣＥサブフィールド及びｅＢＲＰ−ＴＲＮサブフィールドを含み、トレーニングフィールド内のｅＢＲＰ−ＣＥサブフィールドのグレイコードの数のトレーニングフィールド内のｅＢＲＰ−ＴＲＮサブフィールドのグレイコードの数に対する比は、９：２０未満である。
【０１６３】
図１１に示す方法で第２装置により受信されたｅＢＲＰパケットは、図１に示す方法で第１装置により決定されたｅＢＲＰパケットと同じである。したがって、同様に、トレーニングフィールドは、データフィールドの後のサフィックスであり、トレーニングフィールド及びデータフィールドに加えて、ｅＢＲＰパケットは、プリアンブルフィールド及びヘッダフィールドを更に含んで良い。ｅＢＲＰパケットの他のフィールドに関する説明については、図１に示す実施形態を参照する。詳細はここで再び記載される必要がない。
【０１６４】
１１０２。第２装置は、ｅＢＲＰに基づきビームトレーニングを実行する。
【０１６５】
トレーニングフィールド内で、第１装置又は第２装置によりトレーニングされるＡＷＶの数は、ｅＢＲＰ−ＴＲＮサブフィールドの数に関連するが、ｅＢＲＰ−ＣＥサブフィールドの数に関連しないことが理解できる。図１１に示す方法によると、トレーニングフィールド内のｅＢＲＰ−ＴＲＮサブフィールドの効果的な比率が増大され、同じ時間期間内でより多くのＡＷＶ構成を試みることができる。
【０１６６】
ｅＢＲＰパケットの中のｅＢＲＰ−ＣＥサブフィールド、ｅＢＲＰ−ＴＲＮサブフィールド、及びｅＢＲＰ−ＡＧＣサブフィールドのフォーマットについては、図１に示す実施形態におけるｅＢＲＰ−ＣＥサブフィールド、ｅＢＲＰ−ＴＲＮサブフィールド、及びｅＢＲＰ−ＡＧＣサブフィールドのフォーマットを参照する。詳細はここで再び記載される必要がない。
【０１６７】
さらに、図１１に示す方法は、ステップ１１０３を含んで良い。
【０１６８】
１１０３。第２装置は、第１装置により送信されたトレーニングフィールド構成情報を受信する。ここで、トレーニングフィールド構成情報は、ｅＢＲＰパケット内でトレーニングフィールドのフォーマットを示すために使用され、トレーニングフィールド構成情報は、ビーム調整プロトコル要求フィールド、ビーム調整要素、又はｅＢＲＰパケット内のヘッダフィールドのうちの任意の１又は複数により伝達される。
【０１６９】
ステップ１１０３で第２装置により受信されたトレーニングフィールド構成情報は、図１に示す方法で第１装置により送信されたトレーニングフィールド構成情報である。したがって、トレーニングフィールド構成情報に関する特定の内容は、図１に示した方法におけるものと同じである。詳細はここで再び記載される必要がない。
【０１７０】
トレーニングフィールド構成情報を受信した後に、第２装置は、トレーニングフィールド構成情報に基づき、ｅＢＲＰパケット内のトレーニングフィールドのフォーマットを決定して良い。
【０１７１】
図１２は、本発明の一実施形態による別のビーム調整方法の概略フローチャートである。
【０１７２】
１２０１。第２装置は、第１装置により送信されたｅＢＲＰパケットを受信する。ここで、ｅＢＲＰパケットはトレーニングフィールドを含み、トレーニングフィールドはｅＢＲＰ−ＡＧＣフィールド及びｅＢＲＰ−ＴＲＮサブフィールドで構成される。
【０１７３】
１２０２。第２装置は、ｅＢＲＰパケットに基づき、使用される必要のあるビームを決定する。
【０１７４】
図１２に示す方法によると、トレーニングフィールドはＩＥＥＥ８０２．１１ａｄのＣＥサブフィールド又は以上に定義されたｅＢＲＰ−ＣＥサブフィールドを含まないので、トレーニングフィールド内のｅＢＲＰ−ＴＲＮサブフィールドの効果的な比率が増大され、同じ時間期間内でより多くのＡＷＶ構成を試みることができる。
【０１７５】
ｅＢＲＰパケットの中のｅＢＲＰ−ＣＥサブフィールド、ｅＢＲＰ−ＴＲＮサブフィールド、及びｅＢＲＰ−ＡＧＣサブフィールドのフォーマットについては、図７に示す実施形態におけるｅＢＲＰ−ＣＥサブフィールド、ｅＢＲＰ−ＴＲＮサブフィールド、及びｅＢＲＰ−ＡＧＣサブフィールドのフォーマットを参照する。詳細はここで再び記載される必要がない。
【０１７６】
さらに、第２装置は、異なるＡＷＶ上の共通遅延を測定するために、ｅＢＲＰパケット内のプリアンブルフィールド内のＣＥフィールドを使用して良い。代替として、第２装置は、異なるＡＷＶについての共通遅延パラメータを維持しなくて良いが、各ｅＢＲＰ−ＴＲＮサブフィールド内で現在ＡＷＶにおける遅延パラメータを測定する。更に、送信は、マルチチャネル結合技術を参照して実行されて良い。詳細事項は、ここで再び記載されない。
【０１７７】
さらに、図１２に示す方法は、ステップ１２０３を含んで良い。
【０１７８】
１２０３。第２装置は、第１装置により送信されたトレーニングフィールド構成情報を受信する。ここで、トレーニングフィールド構成情報は、ｅＢＲＰパケット内でトレーニングフィールドのフォーマットを示すために使用され、トレーニングフィールド構成情報は、ビーム調整プロトコル要求フィールド、ビーム調整要素、又はｅＢＲＰパケット内のヘッダフィールドのうちの任意の１又は複数により伝達される。
【０１７９】
ステップ１２０３で第２装置により受信されたトレーニングフィールド構成情報は、図７に示す方法で第１装置により送信されたトレーニングフィールド構成情報である。したがって、トレーニングフィールド構成情報に関する特定の内容は、図７に示した方法におけるものと同じである。詳細はここで再び記載される必要がない。
【０１８０】
図１３は、本発明の一実施形態による別のビーム調整方法の概略フローチャートである。
【０１８１】
１３０１。第１装置は、拡張ビーム調整プロトコルｅＢＲＰパケットのフォーマットを決定する。ここで、ｅＢＲＰパケットはトレーニングフィールドを含み、トレーニングフィールドはｅＢＲＰビーム調整自動利得制御ｅＢＲＰ−ＡＧＣフィールドを含む。第１装置により、拡張ビーム調整プロトコルｅＢＲＰパケットのフォーマットを決定するステップは、第１装置により、トレーニングフィールドがＫ個のビーム調整自動利得制御−ビーム調整トレーニングＡＧＣ−ＴＲＮサブフィールドグループを含むと決定するステップを含み、各ＡＧＣ−ＴＲＮサブフィールドグループに含まれるｅＢＲＰ−ＡＧＣサブフィールド及びｅＢＲＰビーム調整トレーニングｅＢＲＰ−ＴＲＮサブフィールドの数は同じであり、各ＡＧＣ−ＴＲＮサブフィールドグループ内のｅＢＲＰ−ＡＧＣサブフィールド及びｅＢＲＰ−ＴＲＮサブフィールドは同じアンテナ重みベクトルＡＷＶグループを用い、ｅＢＲＰ−ＡＧＣサブフィールドは、各ＡＧＣ−ＴＲＮサブフィールドグループの中でｅＢＲＰ−ＴＲＮサブフィールドの前に位置し、Ｋは１より大きい正整数である。
【０１８２】
１３０２。第１装置は、ｅＢＲＰパケットの決定したフォーマットに基づき、第２装置へ、ｅＢＲＰパケットを送信する。
【０１８３】
図１３に示す方法によると、受信機は、各ＡＧＣ−ＴＲＮサブフィールドグループにおいて適切な受信機利得を推定して良い。したがって、より大きな受信機ダイナミックレンジを受けることができる。これは、異なるＡＷＶ構成でチャネル情報を測定することを助ける。さらに、数ＫがｅＢＲＰ−ＴＲＮサブフィールドの数と同じとき、各ｅＢＲＰ−ＡＧＣサブフィールドは、ｅＢＲＰ−ＴＲＮサブフィールドに隣接し、それによりＡＷＶの変化する回数を低減する。ＡＷＶの変化する回数の低減は、ＡＷＶ構成で測定のために使用できない時間の低減を伴う。したがって、異なるＡＷＶ構成に対応する大きさ及び位相を決定するために、より多くの時間が利用可能になり得る。それにより、正確なビームを決定するのを助ける。
【０１８４】
図１３に示す方法では、ｅＢＲＰパケットの中で、ｅＢＲＰ−ＡＧＣサブフィールド、ｅＢＲＰ−ＴＲＮサブフィールド、及びｅＢＲＰ−ＣＥサブフィールドのような特定フィールドのフォーマットは、ＩＥＥＥ８０２．１１ａｄにおけるフィールドの長さ及びシーケンス構造に基づき設計されて良く、或いは、図１又は図７に示す方法を参照して設計されて良い。詳細はここで再び記載される必要がない。
【０１８５】
ＡＧＣ−ＴＲＮサブフィールドグループは、ｅＢＲＰ−ＡＧＣサブフィールド及びｅＢＲＰ−ＴＲＮサブフィールドを含むサブフィールドグループである。
【０１８６】
さらに、Ｋ個のＡＧＣ−ＴＲＮサブフィールドグループは、複数の機能ケースを有して良い。例えば、Ｋ個のＡＧＣ−ＴＲＮサブフィールドグループのうちの任意の２つに含まれるｅＢＲＰ−ＡＧＣサブフィールドの数は同じである。別の例では、Ｋ個のＡＧＣ−ＴＲＮサブフィールドグループのうちの任意の２つに含まれるｅＢＲＰ−ＡＧＣサブフィールドの数は異なる。別の例では、Ｋ個のＡＧＣ−ＴＲＮサブフィールドグループの中に少なくとも２種類のＡＧＣ−ＴＲＮサブフィールドグループがあり、各々の種類のＡＧＣ−ＴＲＮサブフィールドグループは１又は複数のＡＧＣ−ＴＲＮサブフィールドグループを含んで良い。同数のｅＢＲＰ−ＡＧＣサブフィールドを含むＡＧＣ−ＴＲＮサブフィールドグループは、同じ種類のＡＧＣ−ＴＲＮサブフィールドグループに属する。異なる種類のＡＧＣ−ＴＲＮサブフィールドグループのＡＧＣ−ＴＲＮサブフィールドグループに含まれるｅＢＲＰ−ＡＧＣサブフィールドの数は、異なる。例えば、３個のＡＧＣ−ＴＲＮサブフィールドグループがあり、第１ＡＧＣ−ＴＲＮサブフィールドグループは４個のｅＢＲＰ−ＡＧＣサブフィールド及び４個のｅＢＲＰ−ＴＲＮサブフィールドを含み、第２ＡＧＣ−ＴＲＮサブフィールドグループは８個のｅＢＲＰ−ＡＧＣサブフィールド及び８個のｅＢＲＰ−ＴＲＮサブフィールドを含み、第３ＡＧＣ−ＴＲＮサブフィールドグループは４個のｅＢＲＰ−ＡＧＣサブフィールド及び４個のｅＢＲＰ−ＴＲＮサブフィールドを含むと仮定する。第１ＡＧＣ−ＴＲＮサブフィールドグループに含まれるｅＢＲＰ−ＡＧＣサブフィールドの数は、第２ＡＧＣ−ＴＲＮサブフィールドグループに含まれるｅＢＲＰ−ＡＧＣサブフィールドの数と異なり、第２ＡＧＣ−ＴＲＮサブフィールドグループに含まれるｅＢＲＰ−ＡＧＣサブフィールドの数は第３ＡＧＣ−ＴＲＮサブフィールドグループに含まれるｅＢＲＰ−ＡＧＣサブフィールドの数と異なる、ことが分かる。同じＡＧＣ−ＴＲＮサブフィールドグループに含まれるｅＢＲＰ−ＡＧＣサブフィールドの数及びｅＢＲＰ−ＴＲＮサブフィールドの数は同じであることが、理解できる。したがって、２つのＡＧＣ−ＴＲＮサブフィールドグループに含まれるｅＢＲＰ−ＡＧＣサブフィールドの数が異なる場合、２つのＡＧＣ−ＴＲＮサブフィールドグループに含まれるｅＢＲＰ−ＴＲＮサブフィールドの数も異なり、２つのＡＧＣ−ＴＲＮサブフィールドグループに含まれるｅＢＲＰ−ＡＧＣサブフィールドの数が同じ場合、２つのＡＧＣ−ＴＲＮサブフィールドグループに含まれるｅＢＲＰ−ＴＲＮサブフィールドの数も同じである。
【０１８７】
さらに、第１装置は、第２装置へトレーニングフィールド構成情報を更に送信して良い。第１装置が第２装置へトレーニングフィールド構成情報を送信する特定の実装は、図１に示す方法及び図７に示す方法における特定の実装と同じである。詳細はここで再び記載される必要がない。
【０１８８】
図１４は、本発明の一実施形態による別のビーム調整方法の概略フローチャートである。
【０１８９】
１４０１。第２装置は、第１装置により送信されたｅＢＲＰパケットのフォーマットを受信する。ここで、ｅＢＲＰパケットはトレーニングフィールドを含み、トレーニングフィールドはｅＢＲＰビーム調整自動利得制御ｅＢＲＰ−ＡＧＣフィールドを含み、トレーニングフィールドはＫ個のビーム調整自動利得制御−ビーム調整トレーニングＡＧＣ−ＴＲＮサブフィールドグループを含む。各ＡＧＣ−ＴＲＮサブフィールドグループに含まれるｅＢＲＰ−ＡＧＣサブフィールド及びｅＢＲＰビーム調整トレーニングｅＢＲＰ−ＴＲＮサブフィールドの数は同じであり、各ＡＧＣ−ＴＲＮサブフィールドグループ内のｅＢＲＰ−ＡＧＣサブフィールド及びｅＢＲＰ−ＴＲＮサブフィールドは同じアンテナ重みベクトルＡＷＶグループを用い、ｅＢＲＰ−ＡＧＣサブフィールドは、各ＡＧＣ−ＴＲＮサブフィールドグループの中でｅＢＲＰ−ＴＲＮサブフィールドの前に位置し、Ｋは１より大きい正整数である。
【０１９０】
１４０２。第２装置は、ｅＢＲＰパケットに基づき、使用される必要のあるビームを決定する。
【０１９１】
図１４に示す方法によると、受信機は、各ＡＧＣ−ＴＲＮサブフィールドグループにおいて適切な受信機利得を推定して良い。したがって、より大きな受信機ダイナミックレンジを受けることができる。これは、異なるＡＷＶ構成でチャネル情報を測定することを助ける。さらに、数ＫがｅＢＲＰ−ＴＲＮサブフィールドの数と同じとき、各ｅＢＲＰ−ＡＧＣサブフィールドは、ｅＢＲＰ−ＴＲＮサブフィールドに隣接し、それによりＡＷＶの変化する回数を低減する。ＡＷＶの変化する回数の低減は、ＡＷＶ構成で測定のために使用できない時間の低減を伴う。したがって、異なるＡＷＶ構成に対応する大きさ及び位相を決定するために、より多くの時間が利用可能になり得る。それにより、正確なビームを決定するのを助ける。
【０１９２】
図１４に示す方法では、ｅＢＲＰ−ＴＲＮサブフィールド及びｅＢＲＰ−ＣＥサブフィールドのような、ｅＢＲＰパケット内の他のフィールドの設定については、図１又は図７に示す方法を参照して良い。詳細はここで再び記載される必要がない。
【０１９３】
さらに、Ｋ個のＡＧＣ−ＴＲＮサブフィールドグループは、複数の機能ケースを有して良い。特定のケースは、図１３に示す方法におけるものと同じである。詳細はここで再び記載される必要がない。
【０１９４】
さらに、第２装置は、第１装置により送信されたトレーニングフィールド構成情報を受信する。第２装置が第１装置により送信されたトレーニングフィールド構成情報を受信する特定の実装は、図１１に示す方法及び図１２に示す方法における特定の実装と同じである。詳細はここで再び記載される必要がない。
【０１９５】
図１５は、本発明の一実施形態による通信装置の構造ブロック図である。図１５に示す通信装置１５００は、図１に示す方法における第１装置により実行されるステップを実行可能である。図１５に示す通信装置１５００は、プロセッサ１５０１及びメモリ１５０２を含む。
【０１９６】
通信装置１５００のコンポーネントは、バスシステム１５０３を用いることにより一緒に結合される。データバスに加えて、バスシステム１５０３は、電力バス、制御バス、状態信号バスを更に含む。しかしながら、明確な説明のために、図１５中の種々のバスは全てバスシステム１５０３として符号を付される。
【０１９７】
本発明の実施形態で開示された方法は、プロセッサ１５０１に適用可能であり又はプロセッサ１５０１により実施される。プロセッサ１５０１は、信号処理能力を有する集積回路チップであって良い。実装中、方法のステップは、プロセッサ１５０１の中のハードウェアの集積論理回路を用いて、又はソフトウェア命令を用いて、実施されて良い。前述のプロセッサ１５０１は、汎用プロセッサ、デジタル信号プロセッサ（Digital  Signal  Processor、ＤＳＰ）、特定用途向け集積回路（Application−specific  Integrated  Circuit、ＡＳＩＣ）、フィールドプログラマブルゲートアレイ（Field  Programmable  Gate  Array、ＦＰＧＡ）又は別のプログラマブル論理素子、個別ゲート又はトランジスタ論理装置、又は個別ハードウェアコンポーネントであって良い。プロセッサ１５０１は、本発明の実施形態において開示された方法、ステップ、及び論理ブロック図を実装し又は実行し得る。汎用プロセッサはマイクロプロセッサであって良く、プロセッサは任意の従来のプロセッサであって良い、等である。本発明の実施形態を参照して開示された方法のステップは、ハードウェア復号化プロセッサにより直接実施されて良く、又は復号化プロセッサ内のハードウェア及びソフトウェアモジュールの組合せにより実施されて良い。ソフトウェアモジュールは、ランダムアクセスメモリ（Random  Access  Memory、ＲＡＭ）、フラッシュメモリ、読み出し専用メモリ（Read−Only  Memory、ＲＯＭ）、プログラマブル読み出し専用メモリ、電気的消去可能プログラマブルメモリ、又はレジスタのような、当分野で成熟した記憶媒体の中に配置されて良い。記憶媒体は、メモリ１５０２の中に配置されて良い。プロセッサ１５０１は、メモリ１５０２内の命令を読み取り、プロセッサ１５０１のハードウェアと組み合わせて、前述の方法のステップを達成する。
【０１９８】
プロセッサ１５０１はメモリ１５０２に格納され且つ以下の動作を含む以下の命令を実行する：
拡張ビーム調整プロトコルｅＢＲＰパケットのフォーマットを決定するステップであって、ｅＢＲＰパケットはトレーニングフィールドを含み、トレーニングフィールドはｅＢＲＰチャネル推定ｅＢＲＰ−ＣＥサブフィールド及びｅＢＲＰビーム調整トレーニングｅＢＲＰ−ＴＲＮサブフィールドを含み、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比は９：２０未満である、ステップ、及び、
ｅＢＲＰパケットの決定されたフォーマットに基づき、第２装置へｅＢＲＰパケットを送信するステップ。
【０１９９】
通信装置１５００はアンテナを含んで良く、ｅＢＲＰパケットはアンテナを用いて第２装置へ送信されることが理解できる。
【０２００】
図１６は、本発明の一実施形態による通信装置の構造ブロック図である。図１６に示す通信装置１６００は、図７に示す方法における第１装置により実行されるステップを実行可能である。図１６に示す通信装置１６００は、プロセッサ１６０１及びメモリ１６０２を含む。
【０２０１】
通信装置１６００のコンポーネントは、バスシステム１６０３を用いることにより一緒に結合される。データバスに加えて、バスシステム１６０３は、電力バス、制御バス、状態信号バスを更に含む。しかしながら、明確な説明のために、図１６中の種々のバスは全てバスシステム１６０３として符号を付される。
【０２０２】
本発明の実施形態で開示された方法は、プロセッサ１６０１に適用可能であり又はプロセッサ１６０１により実施される。プロセッサ１６０１は、信号処理能力を有する集積回路チップであって良い。実装中、方法のステップは、プロセッサ１６０１の中のハードウェアの集積論理回路を用いて、又はソフトウェア命令を用いて、実施されて良い。前述のプロセッサ１６０１は、汎用プロセッサ、デジタル信号プロセッサ（Digital  Signal  Processor、ＤＳＰ）、特定用途向け集積回路（Application−specific  Integrated  Circuit、ＡＳＩＣ）、フィールドプログラマブルゲートアレイ（Field  Programmable  Gate  Array、ＦＰＧＡ）又は別のプログラマブル論理素子、個別ゲート又はトランジスタ論理装置、又は個別ハードウェアコンポーネントであって良い。プロセッサ１６０１は、本発明の実施形態において開示された方法、ステップ、及び論理ブロック図を実装し又は実行し得る。汎用プロセッサはマイクロプロセッサであって良く、プロセッサは任意の従来のプロセッサであって良い、等である。本発明の実施形態を参照して開示された方法のステップは、ハードウェア復号化プロセッサにより直接実施されて良く、又は復号化プロセッサ内のハードウェア及びソフトウェアモジュールの組合せにより実施されて良い。ソフトウェアモジュールは、ランダムアクセスメモリ（Random  Access  Memory、ＲＡＭ）、フラッシュメモリ、読み出し専用メモリ（Read−Only  Memory、ＲＯＭ）、プログラマブル読み出し専用メモリ、電気的消去可能プログラマブルメモリ、又はレジスタのような、当分野で成熟した記憶媒体の中に配置されて良い。記憶媒体は、メモリ１６０２の中に配置されて良い。プロセッサ１６０１は、メモリ１６０２内の命令を読み取り、プロセッサ１６０１のハードウェアと組み合わせて、前述の方法のステップを達成する。
【０２０３】
プロセッサ１６０１は、メモリ１６０２に格納され且つ以下の動作を含む以下の命令を実行する：
拡張ビーム調整プロトコルｅＢＲＰパケットのフォーマットを決定するステップであって、ｅＢＲＰパケットはトレーニングフィールドを含み、トレーニングフィールドはｅＢＲＰ−ＡＧＣフィールド及びｅＢＲＰ−ＴＲＮサブフィールドを含む、ステップ、及び、
ｅＢＲＰパケットの決定されたフォーマットに基づき、第２装置へｅＢＲＰパケットを送信するステップ。
【０２０４】
通信装置１６００はアンテナを含んで良く、ｅＢＲＰパケットはアンテナを用いて第２装置へ送信されることが理解できる。
【０２０５】
図１７は、本発明の一実施形態による通信装置の構造ブロック図である。図１７に示す通信装置１７００は、図１３に示す方法における第１装置により実行されるステップを実行可能である。図１７に示す通信装置１７００は、プロセッサ１７０１及びメモリ１７０２を含む。
【０２０６】
通信装置１７００のコンポーネントは、バスシステム１７０３を用いることにより一緒に結合される。データバスに加えて、バスシステム１７０３は、電力バス、制御バス、状態信号バスを更に含む。しかしながら、明確な説明のために、図１７中の種々のバスは全てバスシステム１７０３として符号を付される。
【０２０７】
本発明の実施形態で開示された方法は、プロセッサ１７０１に適用可能であり又はプロセッサ１７０１により実施されて良い。プロセッサ１７０１は、信号処理能力を有する集積回路チップであって良い。実装中、方法のステップは、プロセッサ１７０１の中のハードウェアの集積論理回路を用いて、又はソフトウェア命令を用いて、実施されて良い。前述のプロセッサ１７０１は、汎用プロセッサ、デジタル信号プロセッサ（Digital  Signal  Processor、ＤＳＰ）、特定用途向け集積回路（Application−specific  Integrated  Circuit、ＡＳＩＣ）、フィールドプログラマブルゲートアレイ（Field  Programmable  Gate  Array、ＦＰＧＡ）又は別のプログラマブル論理素子、個別ゲート又はトランジスタ論理装置、又は個別ハードウェアコンポーネントであって良い。プロセッサ１７０１は、本発明の実施形態において開示された方法、ステップ、及び論理ブロック図を実装し又は実行し得る。汎用プロセッサはマイクロプロセッサであって良く、プロセッサは任意の従来のプロセッサであって良い、等である。本発明の実施形態を参照して開示された方法のステップは、ハードウェア復号化プロセッサにより直接実施されて良く、又は復号化プロセッサ内のハードウェア及びソフトウェアモジュールの組合せにより実施されて良い。ソフトウェアモジュールは、ランダムアクセスメモリ（Random  Access  Memory、ＲＡＭ）、フラッシュメモリ、読み出し専用メモリ（Read−Only  Memory、ＲＯＭ）、プログラマブル読み出し専用メモリ、電気的消去可能プログラマブルメモリ、又はレジスタのような、当分野で成熟した記憶媒体の中に配置されて良い。記憶媒体は、メモリ１７０２の中に配置されて良い。プロセッサ１７０１は、メモリ１７０２内の命令を読み取り、プロセッサ１７０１のハードウェアと組み合わせて、前述の方法のステップを達成する。
【０２０８】
プロセッサ１７０１は、メモリ１７０２に格納され且つ以下の動作を含む以下の命令を実行する：拡張ビーム調整プロトコルｅＢＲＰパケットのフォーマットを決定するステップであって、ｅＢＲＰパケットはトレーニングフィールドを含み、トレーニングフィールドはｅＢＲＰビーム調整自動利得制御ｅＢＲＰ−ＡＧＣフィールドを含み、第１装置により、拡張ビーム調整プロトコルｅＢＲＰパケットのフォーマットを決定するステップは、第１装置により、トレーニングフィールドがＫ個のビーム調整自動利得制御−ビーム調整トレーニングＡＧＣ−ＴＲＮサブフィールドグループを含むと決定するステップを含み、各ＡＧＣ−ＴＲＮサブフィールドグループに含まれるｅＢＲＰ−ＡＧＣサブフィールド及びｅＢＲＰビーム調整トレーニングｅＢＲＰ−ＴＲＮサブフィールドの数は同じであり、各ＡＧＣ−ＴＲＮサブフィールドグループ内のｅＢＲＰ−ＡＧＣサブフィールド及びｅＢＲＰ−ＴＲＮサブフィールドは同じアンテナ重みベクトルＡＷＶグループを用い、ｅＢＲＰ−ＡＧＣサブフィールドは、各ＡＧＣ−ＴＲＮサブフィールドグループの中でｅＢＲＰ−ＴＲＮサブフィールドの前に位置し、Ｋは１より大きい正整数である、ステップ、及び、
ｅＢＲＰパケットの決定したフォーマットに基づき、第２装置へｅＢＲＰパケットを送信するステップ。
【０２０９】
通信装置１７００はアンテナを含んで良く、ｅＢＲＰパケットはアンテナを用いて第２装置へ送信されることが理解できる。
【０２１０】
本発明の一実施形態は、通信装置を更に提供し、該通信装置は、図１に示す方法のステップを実行可能である。通信装置は、決定ユニット及び通信ユニットを含む。決定ユニットは、拡張ビーム調整プロトコルｅＢＲＰパケットのフォーマットを決定するよう構成される。ここで、ｅＢＲＰパケットはトレーニングフィールドを含み、トレーニングフィールドは、ｅＢＲＰチャネル推定ｅＢＲＰ−ＣＥサブフィールド及びｅＢＲＰビーム調整トレーニングｅＢＲＰ−ＴＲＮサブフィールドを含み、トレーニングフィールド内のｅＢＲＰ−ＣＥサブフィールドを構成するグレイコードの数のトレーニングフィールド内のｅＢＲＰ−ＴＲＮサブフィールドを構成するグレイコードの数に対する比は、９：２０未満である。通信ユニットは、ｅＢＲＰパケットの決定したフォーマットに基づき、第２装置へ、ｅＢＲＰパケットを送信するよう構成される。
【０２１１】
本発明の一実施形態は、通信装置を更に提供し、該通信装置は、図７に示す方法のステップを実行可能である。通信装置は、決定ユニット及び通信ユニットを含む。決定ユニットは、拡張ビーム調整プロトコルｅＢＲＰパケットのフォーマットを決定するよう構成される。ここで、ｅＢＲＰパケットはトレーニングフィールドを含み、トレーニングフィールドは、ｅＢＲＰビーム調整自動利得制御ｅＢＲＰ−ＡＧＣフィールド及びｅＢＲＰビーム調整トレーニングｅＢＲＰ−ＴＲＮサブフィールドで構成される。通信ユニットは、ｅＢＲＰパケットの決定したフォーマットに基づき、第２装置へ、ｅＢＲＰパケットを送信するよう構成される。
【０２１２】
本発明の一実施形態は、通信装置を更に提供する。通信装置は、決定ユニット及び通信ユニットを含む。決定ユニットは、拡張ビーム調整プロトコルｅＢＲＰパケットのフォーマットを決定するよう構成される。ここで、ｅＢＲＰパケットはトレーニングフィールドを含み、トレーニングフィールドは、ｅＢＲＰチャネル推定ｅＢＲＰ−ＣＥサブフィールド及びｅＢＲＰビーム調整トレーニングｅＢＲＰ−ＴＲＮサブフィールドを含む。拡張ビーム調整プロトコルｅＢＲＰパケットのフォーマットを決定するステップは、通信装置のアンテナ数が１を超えるとき、ｅＢＲＰ−ＣＥサブフィールド及びｅＢＲＰ−ＴＲＮサブフィールドの直交マスクの各コードワードの中に少なくとも１対のグレイコード相補シーケンスが存在すると決定するステップを含む。通信ユニットは、ｅＢＲＰパケットの決定したフォーマットに基づき、第２装置へ、ｅＢＲＰパケットを送信するよう構成される。
【０２１３】
本発明の一実施形態は、通信装置を更に提供する。通信装置は、図１３に示す方法のステップを実行可能である。通信装置は、決定ユニット及び通信ユニットを含む。決定ユニットは、拡張ビーム調整プロトコルｅＢＲＰパケットのフォーマットを決定するよう構成される。ここで、ｅＢＲＰパケットはトレーニングフィールドを含み、トレーニングフィールドはｅＢＲＰビーム調整自動利得制御ｅＢＲＰ−ＡＧＣフィールドを含む。拡張ビーム調整プロトコルｅＢＲＰパケットのフォーマットを決定するステップは、トレーニングフィールドがＫ個のビーム調整自動利得制御−ビーム調整トレーニングＡＧＣ−ＴＲＮサブフィールドグループを含むと決定するステップを含み、各ＡＧＣ−ＴＲＮサブフィールドグループに含まれるｅＢＲＰ−ＡＧＣサブフィールド及びｅＢＲＰビーム調整トレーニングｅＢＲＰ−ＴＲＮサブフィールドの数は同じであり、各ＡＧＣ−ＴＲＮサブフィールドグループ内のｅＢＲＰ−ＡＧＣサブフィールド及びｅＢＲＰ−ＴＲＮサブフィールドは同じアンテナ重みベクトルＡＷＶグループを用い、ｅＢＲＰ−ＡＧＣサブフィールドは、各ＡＧＣ−ＴＲＮサブフィールドグループの中でｅＢＲＰ−ＴＲＮサブフィールドの前に位置し、Ｋは１より大きい正整数である。通信ユニットは、ｅＢＲＰパケットの決定したフォーマットに基づき、第２装置へ、ｅＢＲＰパケットを送信するよう構成される。
【０２１４】
当業者は、本願明細書に開示の実施形態で記載された例と組み合わせて、ユニット及びアルゴリズムのステップが、電子ハードウェア又はコンピュータソフトウェア及び電子ハードウェアの組み合わせにより実施され得ることを認識できる。機能がハードウェア又はソフトウェアにより実行されるかは、技術的ソリューションの特定の適用及び設計制約条件に依存する。当業者は、各々の特定の適用について記載の機能を実施するために異なる方法を使用できるが、実装が本発明の範囲を超えることは考慮されるべきではない。
【０２１５】
便宜上及び簡潔な説明のために、前述のシステム、装置、及びユニットの詳細な動作処理については、前述の方法における対応する処理を参照して良く、詳細事項はここで再び記載されないことが、当業者により明らかに理解され得る。
【０２１６】
本願において提供される幾つかの実施形態では、開示のシステム、機器、及び方法は他の方法で実装されて良いことが理解されるべきである。例えば、記載した装置の実施形態は単なる一例である。例えば、ユニットの分割は、単なる論理的機能の区分であり、実際の実装では他の区分であって良い。例えば、複数のユニット又はコンポーネントは、別のシステムに結合されて良く又は統合されて良い。或いは、幾つかの機能は無視されるか又は実行されなくて良い。さらに、表示した又は議論した相互結合又は直接結合又は通信接続は、幾つかのインタフェースを使用することにより実装されて良い。装置又はユニット間の間接結合又は通信接続は、電子的、機械的又は他の形式で実装されて良い。
【０２１７】
別個の部分として記載されたユニットは、物理的に別個であって良く又はそうでなくて良い。また、ユニットとして表示された部分は、物理的なユニットであって良く又はそうでなくて良く、１カ所に置かれて良く或いは複数のネットワークユニットに分散されて良い。一部又は全部のユニットは、実施形態のソリューションの目的を達成するために実際の要件に依存して選択されて良い。
【０２１８】
さらに、本発明の実施形態における機能ユニットは、１つの処理ユニットに統合されて良く、或いは各ユニットが物理的に単独で存在して良く、或いは２以上のユニットが１つのユニットに統合されて良い。
【０２１９】
機能がソフトウェア機能ユニットの形式で実装され、独立した製品として販売され又は使用されるとき、機能は、コンピュータ可読記憶媒体に格納されて良い。このような理解に基づき、本発明の基本的技術的ソリューション、又は従来技術に貢献する部分、又は一部の技術的ソリューションは、ソフトウェア製品の形式で実施されて良い。コンピュータソフトウェアプロダクトは、記憶媒体に格納され、コンピュータ装置（パーソナルコンピュータ、サーバ、ネットワーク装置、等であって良い）又はプロセッサに、本発明の実施形態で記載された方法のステップの全部又は一部を実行するよう指示する複数の命令を含む。前述の記憶媒体は、ＵＳＢフラッシュドライブ、取り外し可能ハードディスク、読み出し専用メモリ（ROM、Read−Only  Memory）、ランダムアクセスメモリ（RAM、Random  Access  Memory）、磁気ディスク又は光ディスクのような、プログラムコードを格納可能な任意の媒体を含む。
【０２２０】
上述の説明は、本発明の単なる特定の実施形態であり、本発明の保護範囲を制限するものではない。本発明で開示された技術範囲内にある、当業者により直ちに考案される変形又は置換は、本発明の保護範囲に包含される。したがって、本発明の保護範囲は、特許請求の範囲に従う。
【国際調査報告】
2019515571.tif 000020
2019515571.tif 000021
2019515571.tif 000022
2019515571.tif 000023